(57)【要約】      （修正有）【課題】無線信号を送受信するように構成される無線通信構成要素を提供するためのデバイス、システム、及び方法を提供する。【解決手段】デバイスは無線手段を介して位置を特定され、無線通信構成要素は、無線通信構成要素にて受信される無線信号の信号強度を測定するための受信信号強度インジケータ（ＲＳＳＩ）を含み、ここで、デバイスは、モバイルアプリケーションを動かすモバイルコンピュータデバイス（ＭＣＤ）によって追跡されるように構成され、ＭＣＤからのデバイスの距離は、ＲＳＳＩモジュールよって測定される１と３の間のＲＳＳＩ値を受信した後にモバイルアプリケーションによって計算され、デバイスにより信号でＭＣＤに送信され、その距離は、受信したＲＳＳＩ値の平均に基づいて計算される。【選択図】図１Ａ
2014099857.tif 000002
【特許請求の範囲】
【請求項１】
デバイスであって、該デバイスは：
（ａ）デバイスが無線手段を介して位置を特定されるように無線信号を送受信するように構成される、無線通信構成要素、を含み；前記無線通信構成要素は：
（ｉ）前記無線通信構成要素にて受信される無線信号の信号強度を測定するための受信信号強度インジケータ（ＲＳＳＩ）モジュール、を含み、
ここで、デバイスは、前記無線手段を介してデバイスの位置を特定するのに適したモバイルアプリケーションを動かすモバイルコンピュータデバイス（ＭＣＤ）によって追跡されるように、構成され、
前記モバイルアプリケーションは、デバイスが前記ＭＣＤに無線で繋がれる場合、前記モバイルアプリケーションが、前記ＭＣＤからのデバイスの距離に対して、前記ＭＣＤ上のデバイスの描写を表示する機能を含み、
前記ＭＣＤからのデバイスの前記距離は、前記ＲＳＳＩモジュールにより計算される１と３の間のＲＳＳＩ値を受信した後に前記モバイルアプリケーションによって計算され、デバイスにより信号で前記ＭＣＤへと送信され、
前記距離は、受信した前記ＲＳＳＩ値の平均に基づいて計算される
ことを特徴とする、デバイス。
【請求項２】
前記距離は、前記ＭＣＤ上で測定される少なくとも１つの前記ＲＳＳＩ値に基づいて更に計算されることを特徴とする、請求項１に記載のデバイス。
【請求項３】
（ｃ）複数の指向性アンテナを更に含み、各々の該指向性アンテナは、独特な識別子を送信することを特徴とする、請求項１に記載のデバイス。
【請求項４】
各々の前記指向性アンテナは、少なくとも１つのＲＳＳＩ値を更に送信することを特徴とする、請求項３に記載のデバイス。
【請求項５】
前記モバイルアプリケーションは、デバイスが、前記指向性アンテナの各々からそれぞれ受信される前記ＲＳＳＩ値の相対的強度に基づいて、前記ＭＣＤに対して位置づけられる方向を計算し、ここで、最大の前記相対的強度は前記方向を示すことを特徴とする、請求項４に記載のデバイス。
【請求項６】
複数の前記指向性アンテナは、４つの基本的に位置付けられた前記指向性アンテナを含むことを特徴とする、請求項３に記載のデバイス。
【請求項７】
前記ＭＣＤからのデバイスの前記距離は、デバイス上で測定される３７の通信チャンネルの少なくとも１つに関する、デバイスから信号で送信される少なくとも１つのＲＳＳＩ値を受信した後に前記モバイルアプリケーションによって計算され、受信したＲＳＳＩ値の平均に基づいて前記距離が計算されることを特徴とする、請求項１に記載のデバイス。
【請求項８】
前記ＭＣＤからのデバイスの前記距離は、デバイスからビーコン上で測定される全４０のチャンネルの少なくとも１つに関する、デバイスから信号で送信される少なくとも１つのＲＳＳＩ値を受信した後に前記モバイルアプリケーションによって計算され、受信したＲＳＳＩ値の平均に基づいて前記距離が計算されることを特徴とする、請求項１に記載のデバイス。
【請求項９】
前記モバイルアプリケーションは、デバイスが、信号強度の情報に基づいて前記ＭＣＤに対して位置づけられる方向を計算することを特徴とする、請求項１に記載のデバイス。
【請求項１０】
前記モバイルアプリケーションは、相対位相情報に基づいて前記方向を更に計算することを特徴とする、請求項９に記載のデバイス。
【請求項１１】
前記モバイルアプリケーションは、デバイスが相対位相情報に基づいて前記ＭＣＤに対して位置づけられる方向を計算することを特徴とする、請求項１に記載のデバイス。
【請求項１２】
（ｂ）Ｘ線光子の検出の後に統合プロセッサーに信号を送信するのに適した、ＰＩＮフォトダイオードを更に含み、
ここで、前記プロセッサーは、前記信号を受信した後に、ローカルエリア無線通信（ＬＡＷＣ）伝達の送信を一時停止するように構成される
ことを特徴とする、請求項１に記載のデバイス。
【請求項１３】
（ｂ）予め定められた期間、検出された光が存在しない時に統合プロセッサーに信号を送信するのに適した、光検出器を更に含み、
ここで、前記プロセッサーは、前記信号を受信した後に、ローカルエリア無線通信（ＬＡＷＣ）伝達の送信を一時停止するように構成される
ことを特徴とする、請求項１に記載のデバイス。
【請求項１４】
前記プロセッサーは、予め定められた期間の後、及び移動装置からＬＡＷＣ信号を検出した後にのみ、前記ＬＡＷＣ伝達の送信を再開するように更に構成されることを特徴とする、請求項１２に記載のデバイス。
【請求項１５】
（ｂ）全指向性アンテナ；及び
（ｃ）３つの指向性アンテナ
を更に含み：
ここで、デバイスは、デバイスからの前記ＭＣＤの方向及び距離を検出することができる静止ユニットであるのに適している
ことを特徴とする、請求項１に記載のデバイス。
【請求項１６】
（ｄ）無線ローカルエリアネットワーク（ＷＬＡＮ）に無線で繋がれるのに適した、ＷｉＦｉモジュールを更に含むことを特徴とする、請求項１５に記載のデバイス。
【請求項１７】
前記ＭＣＤから前記無線通信構成要素にて受信される無線信号のＲＳＳＩ値は、前記無線通信構成要素から前記ＭＣＤに送信される応答信号の指定領域において広められることを特徴とする、請求項１に記載のデバイス。
【請求項１８】
デバイスは、広告モードを有し、ここで、前記広告モードにおいて前記無線通信構成要素は、３つの広告チャンネルにわたり、予め定められた間隔で、前記無線信号を送信するように構成されることを特徴とする、請求項１に記載のデバイス。
【請求項１９】
前記無線通信構成要素は、前記広告モードにおいて、３つの前記広告チャンネルの第１広告チャンネルだけにわたって第１の前記無線信号を送信し、予め定められた前記間隔の１つの後に３つの前記広告チャンネルの第２広告チャンネルだけにわたって第２無線信号を送信し、及び予め定められた前記間隔の更に１つの後に３つの前記広告チャンネルの第３広告チャンネルだけにわたって第３無線信号を送信することを特徴とする、請求項１８に記載のデバイス。
【請求項２０】
３つの前記広告チャンネルの各々は、前記広告チャンネルの各々から送信される前記無線信号のＲＳＳＩ値に基づいて監視されることを特徴とする、請求項１９に記載のデバイス。
【請求項２１】
前記無線通信構成要素は、予め決定された時間が、前記無線通信構成要素にて無線信号を受信することなく過ぎた場合に、予め定められた前記間隔の持続時間を増加させるように構成されることを特徴とする、請求項１８に記載のデバイス。
【請求項２２】
前記モバイルアプリケーションは、バーチャルリード機能を含み、ここで、前記モバイルアプリケーションは、前記ＭＣＤとデバイスの間の距離が予め定められた範囲を超えた時、及び予め定められた範囲より前に来るが、受信した前記ＲＳＳＩ値がほぼ一定に減少するときにのみ、警報を鳴らすことを特徴とする、請求項１に記載のデバイス。
【請求項２３】
（ｂ）機械的に作動する時にデバイスの処理構成要素に信号を送信するのに適した、圧電性音声増幅器を更に含み、ここで、前記圧電性音声増幅器の機械的動作は、前記処理構成要素を不活動状態から活動状態にすることを特徴とする、請求項１に記載のデバイス。
【請求項２４】
（ｂ）機械的に作動する時に、前記無線信号構成要素に前記無線信号を前記ＭＣＤへと送信させるのに適した、圧電部品を更に含むことを特徴とする、請求項１に記載のデバイス。
【請求項２５】
システムであって、該システムは、
（ａ）ローカルエリア無線通信（ＬＡＷＣ）信号を介して共に無線で繋がれる、複数の占有センサーユニット（ＯＳＵ）；及び
（ｂ）少なくとも１つのワイドエリア無線通信（ＷＡＷＣ）を利用可能なＯＳＵであって、リモートデータネットワークに対して前記ＷＡＷＣを利用可能なＯＳＵを無線でつなげるように構成されたＷＡＷＣ構成要素を含む、ＯＳＵ
を含み、
ここで、ＯＳＵの各々は：
（ｉ）ＬＡＷＣ信号を送受信するように構成される、無線通信構成要素；及び
（ｉｉ）前記無線通信構成要素にて受信される前記ＬＡＷＣ信号の信号強度を測定するための受信信号強度インジケータ（ＲＳＳＩ）モジュール、を含み、
及び、ＯＳＵの各々は、前記ＬＡＷＣ信号を送信する前記ＬＡＷＣを利用可能なモバイルデバイスを追跡するように構成される
ことを特徴とする、システム。
【請求項２６】
複数の前記占有センサーユニットの各々は、広告モードにおいて、予め定められた間隔で広告ＬＡＷＣ信号を送信するように構成され、ここで、複数の前記ＯＳＵは、同時に前記広告ＬＡＷＣ信号を各々送信するように同期されることを特徴とする、請求項２５に記載のシステム。
【請求項２７】
複数の前記占有センサーユニットの各々は、受信モードにおいて、与えられたＬＡＷＣ信号がいつ受信されるのかを登録するように構成され、ＯＳＵ間の受信時間の差異、及びＯＳＵの既知の相対的な間隔に基づいて、与えられた前記ＬＡＷＣ信号のソースの位置が計算されることを特徴とする、請求項２５に記載のシステム。
【請求項２８】
複数の前記占有センサーユニットの各々は、他の近接して位置づけられたＯＳＵの相対位置を登録し、その結果、前記ＯＳＵの再配置が、近接して位置づけられたＯＳＵによって登録されることを特徴とする、請求項２５に記載のシステム。
【請求項２９】
複数の前記ＯＳＵによって追跡される前記ＬＡＷＣを利用可能なモバイルデバイスは、複数の前記ＯＳＵを同期させるために使用されるべき、正確な時計読み取りを送信することを特徴とする、請求項２５に記載のシステム。
【請求項３０】
デバイスであって、該デバイスは：
（ａ）加速度計；
（ｂ）ＧＰＳチップセット；
（ｃ）Ｂｌｕｅｔｏｏｔｈチップセット；
（ｄ）無線周波数（ＲＦ）増幅器；及び
（ｅ）全指向性アンテナを含み、
ここで、前記加速度計は動作を検出し、前記ＧＰＳチップセットはスリープモードから起動モードに変えられ、起動モードにおいて、前記ＧＰＳチップセットは予め定められた間隔でＧＰＳ位置信号を送信し、予め定められた間隔の間にスタンバイモードに入り；
ここで、前記ＧＰＳ位置信号は、前記ＲＦ増幅器と前記全指向性アンテナに繋がれる前記Ｂｌｕｅｔｏｏｔｈチップセットによって送信され；及び
ここで、予め定められた前記間隔の間に、前記Ｂｌｕｅｔｏｏｔｈチップセットと前記ＲＦ増幅器はスタンバイモードに入る
ことを特徴とする、デバイス。
【発明の詳細な説明】
【技術分野】
【０００１】
本発明は、Ｂｌｕｅｔｏｏｔｈ（登録商標）通信能力を備えた、及び好ましくはＢｌｕｅｔｏｏｔｈ低エネルギー（Ｌｏｗ  Ｅｎｅｒｇｙ）（ＢＬＥ）通信能力を備えた、コインの大きさの取り付け自在のビーコン（本明細書では、「Ｓｔｉｃｋ−Ｎ−Ｆｉｎｄ」、「Ｓｔｉｃｋ−Ｎ−Ｆｉｎｄ  Ｂｅａｃｏｎ」、「ステッカービーコン」、「ｂｌｕｅｔｏｏｔｈステッカー」、「ビーコン」、又は「ステッカー」としても称される）に関するものである。ビーコンは、任意のデバイス、ヒト、動物などに接着又は付着され得、補助的なアプリケーションを動かすモバイルコンピュータ及び通信デバイスを使用して位置を特定され得る。
【背景技術】
【０００２】
定義
Ｂｌｕｅｔｏｏｔｈ低エネルギー（ＢＬＥ）は、Ｂｌｕｅｔｏｏｔｈ  ４．０  無線ラジオ技術の機能であり、短距離（５０メーター／１６０フィートまで）内での無線デバイスの、新しい、主に低出力の及び低遅延のアプリケーションを目的とする。これは、広範囲のアプリケーション及びより小さなフォームファクタデバイスを促進する。
【０００３】
ＢＬＥと典型的なＢｌｕｅｔｏｏｔｈの間の１つの重要な違いは、より単純で安価なラジオのチップセットを得るために、ＢＬＥは、４０のチャンネル、２ＭＨｚワイドのみを使用し、一方で典型的なＢｌｕｅｔｏｏｔｈは、７９のチャンネル、１ＭＨｚワイドを使用するということである。これらのチャンネルの３つは、無線ＬＡＮチャンネル間に正確に位置付けられ、デバイス発見及び接続設定のために使用される。これらチャンネル（「広告」チャンネルとしても知られる）は、他のデバイスを検索するため、又は接続しようとするデバイスにそれ自体の存在を促進するための技術によって使用される。比較すると、典型的な（Ｃｌａｓｓｉｃ）Ｂｌｕｅｔｏｏｔｈ技術は、同じタスクのために３２のチャンネルを使用する。この極端な減少は、消費電力を減らすため、ＢＬＥが送信中の時間を最小化するために使用するという１つ以上のトリックである。ＢＬＥは、その３つの広告チャンネルを使用する他のデバイスを詳しく調べるため、ほんの０．６乃至１．２ｍｓの間、スイッチを「オン」にしなくてはならない。典型的なＢｌｕｅｔｏｏｔｈは、代わりに、その３２のチャンネルをスキャンするため、２２．５ｍｓを必要とする。節電が重要である：ＢＬＥは、他のラジオを位置付けるため、典型的なＢｌｕｅｔｏｏｔｈ技術よりも１０乃至２０倍低い電力を消費する。
【０００４】
モバイルデバイスは、デバイスのＸ座標及びＹ座標、又はデバイスのＸ座標、Ｙ座標、及びＺ座標を正確に示し得る、ＧＰＳ機能、若しくは土曜の衛星ベースの測位機能のいずれかにより可能となる、携帯電話又は衛星電話であり得る。ＧＰＳ、ＧＬＯＮＡＳＳ、Ｇａｌｉｌｅｏ、又はＢｅｉｄｏｕのシステムを使用する、全地球的航法衛星システム（ＧＮＳＳ）受信器は、多くの用途において使用される。簡単にするために、用語「ＧＰＳ」は、本明細書において使用されるが、これは模範的な参照のみであることを理解されたい。ＧＰＳデバイスは、携帯電話機、又は携帯電話機に（有線又は無線で）繋がれた外部デバイスの何れかに統合され得る。
【０００５】
他の実施形態において、モバイルデバイスは、短距離又はローカルエリアの無線機能を有するか、又はそれしか有していない。前記モバイルデバイスの例は、次のものを含む：携帯電話（スマートフォン）、ＰＤＡ、タブレットコンピュータ、小型タブレット、ラップトップ、小型ラップトップなど。
【０００６】
「モバイルデバイス」、「スマートフォン」、「携帯電話」、「セル方式デバイス」、及びその同義語は、本明細書で互換的に使用される。「モバイルコンピュータデバイス（ＭＣＤ）」又は単に「モバイルデバイス」は、移動電話又は携帯電話などと特定されない限り、全てのモバイルデバイスの型を含むために使用される用語である。携帯電話は一般的に、少なくともセル方式の電話通信機能、演算機能、及び無線のローカル／短距離データ通信機能（例えば、Ｂｌｕｅｔｏｏｔｈ（商標）、ＲＦＩＤ、ＮＦＣ等）を備えた、携帯電話機を指す。ＧＰＳのような機能は、幾つかの実施形態において好ましい。本発明は、一般的に電話通信用に使用されず、又はそのような機能を欠くが、同じ機能を有するモバイルコンピュータプラットホームに等しく関係する。
【０００７】
大半のモバイルデバイスで容易に利用可能な無線技術の２つのタイプは、一般的に、ローカルエリア無線通信（Ｌｏｃａｌ  Ａｒｅａ  Ｗｉｒｅｌｅｓｓ  Ｃｏｍｍｕｎｉｃａｔｉｏｎ）（ＬＡＷＣ）技術とワイドエリア無線通信（Ｗｉｄｅ  Ａｒｅａ  Ｗｉｒｅｌｅｓｓ  Ｃｏｍｍｕｎｉｃａｔｉｏｎ）（ＷＡＷＣ）技術に分けることができる（前述の名称の要素は、コンピュータの技術用語、ローカルエリアネットワークとワイドエリアネットワークから引用されているが、２つの技術の間にいかなる推論もなされてはならない）。ＬＡＷＣとＷＡＷＣに関連する、用語「通信」は、相互通信又は片方向通信のみであり得る。通信媒体は、音波、電波などの電磁エネルギー、光波などである。ＬＡＷＣ技術の例は、Ｂｌｕｅｔｏｏｔｈ（商標）（ＢＴ）であるが、本明細書におけるＢｌｕｅｔｏｏｔｈ技術の使用は、単に例示的なものであり、ＲＦＩＤ、ＮＦＣ、ＩｒＤＡ、ＵＷＢ、及びその他のものに限定されない他の通信技術が、Ｂｌｕｅｔｏｏｔｈの代わりに利用され得ることを、理解されたい。ＷＡＷＣの例は、移動体通信、ＷＩＦＩ、及び衛星通信を含む。幾つかの例において、ＬＡＷＣとＷＡＷＣとの区別は、あまり明らかではないが、一般的に、与えられた定義は、本発明の範囲内で利用される技術のタイプの識別に十分であろう。
【０００８】
ＬＡＷＣを利用可能なデバイスが、自動的に、半自動的に及び／又は手動で、他の人又は実体と「接触した」情報を通過させる。本明細書で使用されるように、用語「接触」、「接近」、及び「近接」は、２者が物理的に非常に近接していることを指し、それは、（ＧＰＳ三角測量、セル方式座標認識等を使用して潜在的に計算される）２つの実体間の距離の範囲、又は（例えば、ＲＦＩＤリーダ又はＮＦＣ通信を使用して）２者間の直接の位置リンクを検出する、直接のＢｌｕｅｔｏｏｔｈ発見又は他の技術を開始する能力として定義され得る。近接は、短距離の通信技術のためのデータ通信機能の上位範囲として定義される。典型的な短距離技術及びその伝達／通信範囲の数は、以下に及ぶ。基本的なＢｌｕｅｔｏｏｔｈ技術は、およそ３０メーター又は１００フィートまで送信する。ＲＦＩＤ技術は、様々な因子に依存して、多くの異なる範囲を有する。典型的に、読み取り範囲は、およそ３と３００フィートの間（１−１００メーター）である。ＲＦＩＤリーダは、約３フィートからスマートカード内のタグを読み取ることができる；商品のパレットとケース上のタグは、およそ２０乃至３０フィートから読み取ることができ、電池式のタグ（例えば、料金徴収において使用されるタグ）は、およそ３００フィートまでである。ＮＦＣ技術は典型的に、４ｃｍと１．２ｍの間の距離／範囲にわたってデータを送信できる。
【発明の概要】
【０００９】
本発明に従い、スマートフォン／タブレットコンピュータ／ラップトップ用のモバイルアプリケーションに繋がれたＢｌｕｅｔｏｏｔｈ低エネルギー通信を使用する、コインの大きさの接着性のロケータービーコンが、提供される。このアプリケーションは、以下のものを含む様々な機能を提供する：デバイスとロケータービーコン間の距離を測定するレーダー画面；選択されたビーコンが、デバイスから予め定義された距離を超えた場合に、警報を鳴らすバーチャルリード（Ｖｉｒｔｕａｌ  Ｌｅａｓｈ）；選択されたビーコンが範囲に戻る場合に警報を鳴らす、Ｆｉｎｄ  Ｉｔ機能；及び、ビーコンの範囲内に入った場合に、モバイルデバイスに特定の変化を引き起こすことができ、例えば、会議室のドアに配置されたビーコンが、通り過ぎるモバイルデバイスを「Ｓｉｌｅｎｔ」モードにする、タスクランチャー（Ｔａｓｋ  Ｌａｕｎｃｈｅｒ）。
【００１０】
本発明に従って、（ａ）無線手段を介して位置を特定されるように構成されるビーコン、及び（ｂ）略平面にビーコンを付けるのに適した接着手段を含む、位置入力装置が提供され、ここで、ビーコンは、無線手段を介してビーコンの位置を特定するのに適したモバイルアプリケーションを動かすモバイルデバイスによって追跡されるように構成される。
【００１１】
また更なる機能に従い、モバイルアプリケーションは、レーダー画面機能を含み、ここで、ビーコンがモバイルデバイスに無線で繋がれる場合、モバイルアプリケーションは、モバイルデバイスからのビーコンの距離に対する、モバイルデバイス上のビーコンの描写（ｒｅｐｒｅｓｅｎｔａｔｉｏｎ）を表示する。
【００１２】
また更なる機能に従い、モバイルデバイスからのビーコンの距離は、ビーコンから少なくとも１つの受信信号強度インジケータ（ＲＳＳＩ）の値を受信する際に計算され、ここで、少なくとも１つのＲＳＳＩ値は、ビーコン上で計算される。更なる機能に従い、距離は、モバイルデバイス上で測定された少なくとも１つのＲＳＳＩ値に基づいて更に計算される。
【００１３】
また更なる機能に従い、モバイルデバイスからのビーコンの距離は、ビーコンから、ビーコン上で測定される１と３の間の受信信号強度インジケータ（ＲＳＳＩ）の値を受信した後に計算され、受信したＲＳＳＩ値に基づいて平均距離を計算する。
【００１４】
また更なる機能に従い、モバイルデバイスからのビーコンの距離は、ビーコンから、ビーコン上で測定される３７の通信の少なくとも１つに関する少なくとも１つの受信信号強度インジケータ（ＲＳＳＩ）の値を受信した後に計算され、受信したＲＳＳＩ値に基づいて平均距離を計算する。
【００１５】
また更なる機能に従い、モバイルデバイスからのビーコンの距離は、ビーコンから、ビーコン上で測定される全４０のチャンネルの少なくとも１つに関する少なくとも１つの受信信号強度インジケータ（ＲＳＳＩ）の値を受信した後に計算され、受信したＲＳＳＩ値に基づいて平均距離を計算する。
【００１６】
また更なる機能に従い、モバイルアプリケーションは、タスクランチャー機能を含み、ここで、モバイルデバイスは、予め定義された範囲内にあり、ビーコンは、モバイルデバイスに機能変化の影響を及ぼすように構成される。
【００１７】
また更なる機能に従い、機能変化は、次のものを含む群から選択される：警報の起動、通信受信に相対する警報モードの変化、機能設定の変化、及びモバイルデバイスのパワーダウン。
【００１８】
また更なる機能に従い、ビーコンは、アメリカの２５セント硬貨の直径にほぼ等しい直径と、１インチの１／８の厚みを有する。
【００１９】
また更なる機能に従い、モバイルアプリケーションは、ビーコンが、信号強度の情報に基づいてモバイルデバイスに対して位置づけられる方向を計算する。
【００２０】
また更なる機能に従い、モバイルアプリケーションは、ビーコンが、相対位相情報に基づいてモバイルデバイスに対して位置づけられる方向を計算する。
【００２１】
別の実施形態に従い、次のものを含む監視システムが提供される：（ａ）少なくとも１つのロケータービーコン；及び（ｂ）少なくとも１つのロケータービーコン又は複数のロケータービーコンを管理するモバイルアプリケーション。
【００２２】
別の実施形態に従い、次のものを含むデバイスが提供される：（ａ）デバイスが無線手段を介してその位置を特定できるように無線信号を送受信するように構成される、無線通信構成要素；無線通信構成要素は、（ｉ）無線通信構成要素にて受信される無線信号の信号強度を測定するための、受信信号強度インジケータ（ＲＳＳＩ）モジュールを含み、ここで、デバイスは、無線手段を介してデバイスの位置を特定するのに適したモバイルアプリケーションを動かすモバイルコンピュータデバイス（ＭＣＤ）によって追跡されるように構成され、モバイルアプリケーションは、デバイスがＭＣＤに無線で繋がれる場合、モバイルアプリケーションが、ＭＣＤからのデバイスの距離に対して、ＭＣＤ上のデバイスの描写を表示する機能を含み、ＭＣＤからのデバイスの距離は、ＲＳＳＩモジュールにより計算される１と３の間のＲＳＳＩ値を受信した後にモバイルアプリケーションによって計算され、デバイスにより信号でＭＣＤへと送信され、距離は、受信したＲＳＳＩ値の平均に基づいて計算される。
【００２３】
更なる機能に従い、距離は、ＭＣＤ上で測定される少なくとも１つのＲＳＳＩ値に基づいて更に計算される。
【００２４】
また更なる機能に従い、デバイスは、（ｃ）複数の指向性アンテナを含み、該指向性アンテナは、特有の識別子を送信する。
【００２５】
また更なる機能に従い、各々の指向性アンテナは、少なくとも１つのＲＳＳＩ値を更に送信する。
【００２６】
また更なる機能に従い、モバイルアプリケーションは、デバイスが、指向性アンテナの各々からそれぞれ受信されるＲＳＳＩ値の相対的強度に基づいて、ＭＣＤに対して位置づけられる方向を計算し、ここで、最大の相対的強度はその方向を示す。
【００２７】
また更なる機能に従い、複数の指向性アンテナは、４つの基本的に位置付けられた指向性アンテナを含む。
【００２８】
また更なる機能に従い、ＭＣＤからのデバイスの距離は、デバイス上で測定される３７の通信チャンネルの少なくとも１つに関する、デバイスから信号で送信される少なくとも１つのＲＳＳＩ値を受信した後にモバイルアプリケーションによって計算され、受信したＲＳＳＩ値の平均に基づいて距離が計算される。
【００２９】
また更なる機能に従い、ＭＣＤからのデバイスの距離は、デバイスからビーコン上で測定される全４０のチャンネルの少なくとも１つに関する、デバイスから信号で送信される少なくとも１つのＲＳＳＩ値を受信した後にモバイルアプリケーションによって計算され、受信したＲＳＳＩ値の平均に基づいて距離が計算される。
【００３０】
また更なる機能に従い、モバイルアプリケーションは、デバイスが、信号強度の情報に基づいてＭＣＤに対して位置づけられる方向を計算する。
【００３１】
また更なる機能に従い、モバイルアプリケーションは、相対位相情報に基づいて方向を更に計算する。
【００３２】
また更なる機能に従い、モバイルアプリケーションは、デバイスが相対位相情報に基づいてＭＣＤに対して位置づけられる方向を計算する。
【００３３】
また更なる機能に従い、デバイスは次のものを更に含む：（ｂ）Ｘ線光子の検出の後に統合プロセッサーに信号を送信するのに適した、ＰＩＮフォトダイオードであって、ここで、プロセッサーは、信号を受信した後に、ローカルエリア無線通信（ＬＡＷＣ）伝達の送信を一時停止するように構成される。
【００３４】
また更なる機能に従い、デバイスは次のものを更に含む：（ｂ）予め定められた期間、検出された光が存在しない時に統合プロセッサーに信号を送信するのに適した、光検出器であって、ここで、プロセッサーは、信号を受信した後に、ローカルエリア無線通信（ＬＡＷＣ）伝達の送信を一時停止するように構成される。
【００３５】
また更なる機能に従い、プロセッサーは、予め定められた期間の後、及び移動装置からＬＡＷＣ信号を検出した後にのみ、ＬＡＷＣ伝達の送信を再開するように更に構成される。
【００３６】
また更なる機能に従い、デバイスは次のものを更に含む：（ｂ）全指向性アンテナ；及び（ｃ）３つの指向性アンテナであり、ここで、デバイスは、デバイスからのＭＣＤの方向及び距離を検出することができる静止ユニットであるのに適している。
【００３７】
また更なる機能に従い、デバイスは、（ｄ）無線ローカルエリアネットワーク（ＷＬＡＮ）に無線で繋がれるのに適した、ＷｉＦｉモジュールを更に含む。
【００３８】
また更なる機能に従い、ＭＣＤから無線通信構成要素にて受信される無線信号のＲＳＳＩ値は、無線通信構成要素からＭＣＤに送信される応答信号の指定領域において広められる。
【００３９】
また更なる機能に従い、デバイスは、広告モード（Ａｄｖｅｒｔｉｓｉｎｇ  Ｍｏｄｅ）を有し、ここで、広告モードにおいて無線通信構成要素は、３つの広告チャンネルにわたり、予め定められた間隔で、無線信号を送信するように構成される。
【００４０】
また更なる機能に従い、無線通信構成要素は、広告モードにおいて、３つの広告チャンネルの第１広告チャンネルだけにわたって第１無線信号を送信し、予め定められた間隔の１つの後に３つの広告チャンネルの第２広告チャンネルだけにわたって第２無線信号を送信し、及び予め定められた間隔の更に１つの後に３つの広告チャンネルの第３広告チャンネルだけにわたって第３無線信号を送信する。
【００４１】
また更なる機能に従い、３つの広告チャンネルの各々は、広告チャンネルの各々から送信される無線信号のＲＳＳＩ値に基づいて監視される。
【００４２】
また更なる機能に従い、無線通信構成要素は、予め決定された時間が、無線通信構成要素にて無線信号を受信することなく過ぎた場合に、予め定められた間隔の持続時間を増加させるように構成される。
【００４３】
また更なる機能に従い、モバイルアプリケーションは、バーチャルリード機能を含み、ここで、モバイルアプリケーションは、ＭＣＤとデバイスの間の距離が予め定められた範囲を超えた時、及び予め定められた範囲より前に来るが、受信したＲＳＳＩ値がほぼ一定に減少するときにのみ、警報を鳴らす。
【００４４】
また更なる機能に従い、デバイスは次のものを更に含む：（ｂ）機械的に作動する時にデバイスの処理構成要素に信号を送信するのに適した、圧電性音声増幅器であり、ここで、圧電性音声増幅器の機械的動作は、処理構成要素を不活動状態から活動状態にする。
【００４５】
また更なる機能に従い、デバイスは次のものを更に含む：（ｂ）機械的に作動する時に、無線信号構成要素に無線信号をＭＣＤへと送信させるのに適した、圧電部品。
【００４６】
別の実施形態に従い、次のものを含むシステムが提供される：（ａ）ローカルエリア無線通信（ＬＡＷＣ）信号を介して共に無線で繋がれる、複数の占有センサーユニット（Ｏｃｃｕｐａｎｃｅｙ  Ｓｅｎｓｏｒ  Ｕｎｉｔｓ）（ＯＳＵ）；及び（ｂ）少なくとも１つのワイドエリア無線通信（ＷＡＷＣ）を利用可能なＯＳＵであって、リモートデータネットワークに対してＷＡＷＣを利用可能なＯＳＵを無線でつなげるように構成されたＷＡＷＣ構成要素を含むＯＳＵであり、ここで、ＯＳＵの各々は、（ｉ）ＬＡＷＣ信号を送受信するように構成される、無線通信構成要素；及び（ｉｉ）無線通信構成要素にて受信されるＬＡＷＣ信号の信号強度を測定するための受信信号強度インジケータ（ＲＳＳＩ）モジュールを含み、及び、ＯＳＵの各々は、ＬＡＷＣ信号を送信するＬＡＷＣを利用可能なモバイルデバイスを追跡するように構成される。
【００４７】
更なる機能に従い、複数の占有センサーユニットの各々は、広告モードにおいて、予め定められた間隔で広告ＬＡＷＣ信号を送信するように構成され、ここで、複数のＯＳＵは、同時に広告ＬＡＷＣ信号を各々送信するように同期される。
【００４８】
また更なる機能に従い、複数の占有センサーユニットの各々は、受信モードにおいて、与えられたＬＡＷＣ信号がいつ受信されるのかを登録するように構成され、ＯＳＵ間の受信時間の差異、及びＯＳＵの既知の相対的な間隔に基づいて、与えられたＬＡＷＣ信号のソースの位置が計算される。
【００４９】
また更なる機能に従い、複数の占有センサーユニットの各々は、他の近接して位置づけられたＯＳＵの相対位置を登録し、その結果、ＯＳＵの再配置が、近接して位置づけられたＯＳＵによって登録される。
【００５０】
また更なる機能に従い、複数のＯＳＵによって追跡されるＬＡＷＣを利用可能なモバイルデバイスは、複数のＯＳＵを同期させるために使用されるべき、正確な時計読み取りを送信する。
【００５１】
別の実施形態に従い、次のものを含むデバイスが提供される：（ａ）加速度計；（ｂ）ＧＰＳチップセット；（ｃ）Ｂｌｕｅｔｏｏｔｈチップセット；（ｄ）無線周波数（ＲＦ）増幅器；及び（ｅ）全指向性アンテナであり、ここで、加速度計は動作を検出し、ＧＰＳチップセットはスリープモードから起動モードに変えられ、起動モードにおいて、ＧＰＳチップセットは予め定められた間隔でＧＰＳ位置信号を送信し、予め定められた間隔の間にスタンバイモードに入り；ここで、ＧＰＳ位置信号は、ＲＦ増幅器と全指向性アンテナに繋がれるＢｌｕｅｔｏｏｔｈチップセットによって送信され；及び、予め定められた間隔の間に、ＢｌｕｅｔｏｏｔｈチップセットとＲＦ増幅器はスタンバイモードに入る。
【００５２】
本発明は、スマートフォンなどのモバイルデバイスのアプリケーションを使用して追跡され得る、約１００乃至１６０フィート（およそ３０乃至５０メートル）の通信範囲を有する、革新的なビーコンを開示する。このビーコンは、１年以上持続する電池を含む。電池は、それが付けられる表面からビーコンを除去することなく、交換され得る。
【００５３】
加えて、Ｓｔｉｃｋ−Ｎ−Ｆｉｎｄビーコンは、ビーコンが暗所においてさえも容易にその位置を特定されるのを可能にする、ブザーとライトを有する。
【図面の簡単な説明】
【００５４】
様々な実施形態が、ほんの一例として、添付図面の参照と共に、本明細書に記載される：
【図１Ａ】革新的なステッカービーコンの実施形態の正面図の絵の描写である。
【図１Ｂ】図１の実施形態の背面図の絵の描写である。
【図２】米国２５セント硬貨の隣に示される、本発明の革新的なビーコンステッカーの絵の描写である。
【図３Ａ】使用時の革新的なビーコンの絵の描写である。
【図３Ｂ】使用時の革新的なビーコンの絵の描写である。
【図３Ｃ】使用時の革新的なビーコンの絵の描写である。
【図３Ｄ】使用時の革新的なビーコンの絵の描写である。
【図４】革新的なステッカービーコンとキーリングフォブの実施形態の、半図式的な分解図である。
【図４Ａ】本発明のロケータービーコンの回路基板の更なる実施形態の略図である。
【図５】本発明のモバイルアプリケーションの革新的な「レーダー画面」機能を動かす、スマートフォンの部分的なスクリーンショットである。
【図６】革新的なモバイルアプリケーションの「Ｆｉｎｄ  Ｉｔ」機能を動かす、スマートフォンのスクリーンショットである。
【図７】革新的なモバイルアプリケーションの「バーチャルリード」機能を動かす、スマートフォンの部分的なスクリーンショットである。
【図８Ａ】荷物タグ（Ｌｕｇｇａｇｅ  Ｔａｇ）のモバイルアプリケーション（「Ｔａｇ  Ａｐｐ」）を動かす、スマートフォンのスクリーンショットである。
【図８Ｂ】荷物タグ（Ｌｕｇｇａｇｅ  Ｔａｇ）のモバイルアプリケーション（「Ｔａｇ  Ａｐｐ」）を動かす、スマートフォンのスクリーンショットである。
【図９】典型的なＭＣＤと通信状態にある、ＷｉＦｉのないＢＬＥ占有センサーのブロック図である。
【図１０】ＷｉＦｉ及び／又はセル方式のデータモデムを備えるＢＬＥ占有センサーの図である。
【図１１】ロケータータグを備えるＷｉＦｉ及び／又はセル方式のデータモデムを備えた、ＢＬＥ占有センサーの図である。
【図１２】ＷｉＦｉ又はセル方式のユニットを備える専有センサーのメッシュネットワークの図である。
【図１３】典型的なシナリオで使用されるＢＬＥタグの、典型的な絵の描写である。
【図１３Ａ】典型的なシナリオで使用されるＢＬＥタグの、典型的な絵の描写である。
【図１４】超小型のＢｌｕｅｔｏｏｔｈ  ＧＰＳ  ロケーターのブロック図である。
【発明を実施するための形態】
【００５５】
本発明に記載のＢｌｕｅｔｏｏｔｈを利用可能なビーコン及びモバイルアプリケーションの原理及び操作は、図面及びその説明を参照することにより、より良く理解され得る。
【００５６】
ビーコン
図面を参照すると、図１Ａは、人の指の間で保持される革新的なステッカービーコン（１０）の等角正面図の絵の描写を示す。図１Ｂは、ステッカービーコン（１０）の等角背面図である。図１Ａと１Ｂの両方を参照すると、ビーコン（１０）は、統合したスピーカーホール（１２）を含む。スピーカーホール（１２）は、統合したブザー（図示せず）から音が聞こえるのを可能にする。スピーカーホール（１２）はまた、起動時に、統合したＬＥＤ（何れも図示せず）が見えるのを可能にする。接着手段（１４）は、ビーコン（１０）の後に取り付けられた状態で可視可能である。ステッカービーコン（１０）は、接着剤（１４）により、実際に任意のほぼ平坦な面に取り付けられ得る。好ましくは、ステッカービーコンは、接着剤により所望の表面に取り外し出来ないように取り付けられる。接着支持体（１４）と合わさった相対的に小型のステッカー（１０）は、ステッカーが広範囲の状況で使用されるのを可能にする。
【００５７】
好ましくは、使用される接着剤は、３Ｍ（登録商標）ＶＨＢ（登録商標）、又は同じような接着剤である。３Ｍ（登録商標）ＶＨＢ（登録商標）は、表面の大部分に接着し、およそ１時間で全強度の結合を達成する。好ましくは、接着剤は、少なくとも次のものを含む表面に接着自在である：ガラス、塗面、金属、印刷／密封された木材及びコンクリート、外部及び過酷環境のアプリケーション、プラスチック、レザーなど。
【００５８】
図２は、米国２５セント硬貨の隣に示される、本発明の革新的なビーコンステッカーの絵の描写である。ステッカー（１０）の現在描かれた実施形態の大きさは、図２で描かれたステッカー（１０）と２５セント硬貨との間のコンテキストから明白である。
【００５９】
図３Ａ乃至３Ｄは、使用時の革新的なビーコンの絵の描写である。ビーコンは、米国２５セント硬貨と略同じ大きさであり（図２を参照）、１インチ（３．５ｍｍ）の１／８の厚みである。ビーコンの寸法は、デバイスがほとんどの物品に控目に取り付けられるのを可能にする。例えば、ステッカービーコン（１０）は、ＴＶのリモートコントロール（３２）（図３Ｃを参照）、キーのセット（３４）（フォブ（３０）に取り付けられた場合）（図３Ｂを参照）、ペット用カラー（３６）（図３Ａを参照、フォブ（３０）にも取り付けられる）、スーツケース（３８）（図３Ｄを参照）又は頻繁に求められる任意の他の物品に接着され得る。
【００６０】
図４は、革新的なステッカービーコン（１０）とキーリングフォブ（３０）の実施形態の、半図式的な分解図である。図中、フロントカバー（４０）は、スピーカーホール（４２）（図１のスピーカーホール（１２）の機能に類似するが、僅かに異なる機能を有する）を含む。バックカバー（４１）は、フロントカバー（４０）と一緒になって適度に密接して適用される。
【００６１】
丸型回路基板（４４）は、ステッカー（１０）のバック及びフロントのカバー（４０）／（４１）によって囲まれる。回路基板（４４）は、関連する処理ロジックの全てに影響を与えるための、コンピュータチップ（４６）を含む。このような処理デバイスは、マイクロプロセッサー、マイクロコントローラ、デジタルシグナルプロセッサー、マイクロコンピュータ、中央処理装置、フィールドプログラマブルゲートアレイ、プログラマブルロジックデバイス、ステートマシン、ロジック回路、アナログ回路、デジタル回路類、及び／又は回路及び／又は操作上の指示のハードコーディングに基づいて信号（アナログ及び／又はデジタル）を操作する任意のデバイスであり得る。無線通信構成要素（４８）は、全てのＢｌｕｅｔｏｏｔｈ及びＢＬＥに関連する機能性（例えば、信号／データの送受信など）に影響を与える。好ましくは、無線通信構成要素（４８）は、構成要素にて受信されるＲＳＳＩ値の信号強度を測定するためのＲＳＳＩモジュールを含む。幾つかの実施形態において、構成要素（４８）は、Ｂｌｕｅｔｏｏｔｈ通信に加えて、又はその場所において、無線通信の他のタイプ（当該技術分野において周知のもの全て）に影響を与えることができる。ＬＥＤ（５０）（又は他の照明手段）は、関連する又は対応する指示（以下に議論される）に従い、視覚的な警報（ソリッド光（ｓｏｌｉｄ  ｌｉｇｈｔ）の放出又は警報の点滅など）を発する。幾つかの実施形態において、ＬＥＤ（５０）からの光は、スピーカーホール（４２）を通じて可視可能である。他の実施形態において、ＬＥＤ（５０）からの照明は、フロントカバー（４０）、バックカバー（４１）、又は２者間の接続エリアの何れかの透明部分（示されない）を通じて可視可能である。オーディオ部品（５２）は、ステッカー（１０）がブザーなどの可聴音を発することを可能にする。照明機能と音機能の両方は、以下に更に詳しく記載されるように、ユーザーがビーコンを見つける能力を増強する。時計用電池又はボタンセルなどの電池（５４）は、基板（４４）に交換自在に取り付けられる。本発明の幾つかの好ましい実施形態において、電池（５４）は、１年間で１日につきおよそ３０分作動することが可能である。もちろん、電池寿命の耐用年数は、環境要因、使用、正確な電池のタイプ、製品などの無数の要因に依存する。電池（５４）の描かれた大きさと形状は、単に例示的なものであり、全く限定的なものではないことを、理解すべきである。さらに、回路基板（４４）上の前述の部品の何れかの、位置、形状、大きさなどは、指名された部品の単なる例示又は典型であり、限定するように意図されていない。回路基板（４４）は、追加の要素、指名された部品のバリエーション、及び／又は表わされた部品の組み合わせを含むことも、理解すべきである。それ故、描かれた部品は、記載された機能を満たすことが可能な部品の単なる典型である。
【００６２】
接着手段（１４）は、バックカバー（４１）に取り付けるのに適しており、更に、任意のほぼ平坦な表面に接着するのに適している。キーフォブ（又は、以下で称されるように「キーチェーンホルダー」、キーチェーンフォブ、キーリングフォブ、或いは単に「フォブ」）（５６）は、ステッカービーコン（１０）に随意に追加される。フォブ（５６）は、ステッカー（１０）を、使用可能な平坦な表面を有していない物品に取り付けることを可能にする。例えば、キーのセットは、ステッカーがフォブ（５６）に付けられず、キーリングに取り付けられない限り、Ｂｌｕｅｔｏｏｔｈステッカー（１０）を容易に収容することができない。フォブ（５６）は、フォブがキーリング、スレッド、ネックレスなどに取り付けられることを可能にするアイレット（５８）を含む。このことは、ステッカーを、任意のキーチェーンの穴が無くとも、非常に小さくすることが可能である。ステッカー（１０）は、接着剤（１４）によりフォブ（５６）に取り付けられる。本発明が円状に関して記載された一方で、同じ又は略類似の部品を収容可能な任意の適切な形状は、本発明の範囲内に含まれることが明らかとされた。
【００６３】
モバイルアプリケーション
モバイルアプリケーションは、好ましくは、スマートフォンなどのセルラー移動通信デバイスへの使用に適している。より好ましくは、アプリケーションは、Ｂｌｕｅｔｏｏｔｈ技術により利用可能にされるスマートフォンのへの使用に適し、もっとも好ましくはＢｌｕｅｔｏｏｔｈ低エネルギー（ＢＬＥ）機能により利用可能にされるモバイルデバイスへの使用に適している。もちろん、モバイルアプリケーションは、インストールされ、モバイルアプリケーション（例えば、ｉＰａｄ（商標）、ｉＰｏｄ（商標）、ｍｉｎｉ−ｉＰａｄ（商標）、タブレットコンピュータ、ＰＤＡなど）を支持するように設計及び構成される、任意のモバイル／手持ちのデバイスを動かすことができる。
【００６４】
更に、あまり好ましくは無いが、本発明の幾つかの実施形態において、モバイルアプリケーションは、Ｂｌｕｅｔｏｏｔｈ（バージョン１．０乃至３．０）だけでなく、Ｂｌｕｅｔｏｏｔｈ低エネルギー（バージョン４．０）によっても利用可能とされる、モバイルプラットフォーム（スマートフォン、ＰＤＡ、タブレットコンピュータなど）に支持される。このような実施形態において、デバイスによって位置を特定できる対応するビーコンはまた、代替的に、Ｂｌｕｅｔｏｏｔｈ１．０−３．０により利用可能とされ及び／又は適合する。
【００６５】
幾つかの更なる実施形態（示されず）において、ビーコンは、代替的又は付加的にＷｉＦｉにより利用可能とされ、ＷｉＦｉを使用してビーコンの位置を特定するのに適したモバイルアプリケーションの実施形態を使用して、ＷｉＦｉ信号を介してビーコンの追跡を可能にする。幾つかの実施形態において、ステッカー（１０）は、付加的及び／又は代替的に、セル方式音声（即ち、電話の）又はデータ（無線セル方式データ）通信に影響を与える（受信及び／又は送信）ことが可能な移動体通信構成要素を含む。幾つかの実施形態において、ステッカー（１０）は、代替的及び／又は付加的に、衛星通信及び／又はＧＰＳ通信（即ち、ＧＰＳ及び／又はＧＰＳのような衛星との通信）が可能な構成要素を含む。
【００６６】
革新的なモバイルアプリケーションは、ソフトウェア及び／又はファームウェア及び／又はハードウェア内に一体化され、コンピュータ読み取り可能なメモリー構成要素に保存される、コンピュータ読み取り可能な指示／ロジックを含む。このようなメモリー構成要素は、読み取り専用メモリー、ランダムアクセスメモリー、不揮発性メモリー、揮発性メモリー、スタティックメモリー、ダイナミックメモリー、フラッシュメモリー、キャッシュメモリー、及び／又はデジタル情報を保存する任意のデバイスであり得る。コンピュータ読み取り可能な指示／ロジックは、適切な処理ユニットによる処理であり得る。革新的なアプリケーションは、少なくとも以下の機能を含む：
【００６７】
レーダー画面
第１の機能は、単純なレーダー画面である。図５は、本発明のモバイルアプリケーションの「レーダー画面」機能を動かすスマートフォンの部分的なスクリーンショットである。革新的なアプリケーションを動かすモバイルデバイス（６０）の上でレーダー画面機能を起動させると、ビーコン／物品の幾つか又は全ては、レーダー型の画面（６２）の範囲内にある。もちろん、Ｂｌｕｅｔｏｏｔｈは方向を示すことができないため、レーダー画面（６２）は、モバイルデバイスからＳｔｉｃｋ−Ｎ−Ｆｉｎｄ（１０）までの距離を見積るが、方向を見積はしない。それ故、一旦求められる物品のビーコンがレーダー画面（６２）の上に現れ、その後特定の方向に進むと、電話（６０）がビーコンに近づく又は遠くに離れていくという何れかの指示を与える。この方法において、ユーザーは、ビーコン／物品の位置が特定されるまで、どれが適切な方向に従う及び移動するための正確な方向であるかを推定することができる（このことは、子どもが遊ぶホット／コールドゲーム（ｈｏｔ／ｃｏｌｄ  ｇａｍｅ）に良く似ており、そこでは、物品を隠し、探す人は、周知なように、ガイド（温かい、暖かいと近い、及び冷たい、冷たいと遠い）として様々な温度の携帯のヒントを使って、物品へと「導かれる」）。電話（６０）と対になる各ビーコン（１０）は、容易な認識のためネームタグ（６６）によりラベル付けされ得る。
【００６８】
Ｂｌｕｅｔｏｏｔｈステッカー（１０）と電話（６０）との間の距離は、受信信号強度インジケータ（ＲＳＳＩ）値を使用して測定される。ＲＳＳＩは、受信したラジオ信号に存在する電力の測定値である。１つの実施形態において、電話（６０）のＲＳＳＩ値は、距離の測定値を提供する。電話の信号受信が最適でないため、これは、あまり好ましい実施形態ではない。他のより好ましい実施形態において、ステッカー（１０）のＲＳＳＩレベルは、距離値のために測定される。ステッカー（１０）は、電話（６０）と対になり、ステッカー（１０）から電話（６０）までのＲＳＳＩレベルを測定する。ステッカー（１０）はその後、ｂｌｕｅｔｏｏｔｈにより電話（６０）へとデータを送信する。それ故、電話（６０）が、ステッカー（１０）と電話（６０）との間のおよその距離を表示すると、レーダー画面（６２）は、ステッカーにて測定されるＲＳＳＩ値を実際に表示し、その後、電話に送信する。ＲＳＳＩ値は電話にて測定されない。他の実施形態において、電話とステッカーの両方からのＲＳＳＩ値の任意の組み合わせは、より正確な結果を提供するために処理され得る。
【００６９】
幾つかの好ましい実施形態において、ロケータータグ（Ｌｏｃａｔｏｒ  Ｔａｇ）（１０）がアクティブスキャンの要求に応えると、スキャン要求信号（電話からタグに送信される）のＲＳＳＩ値は、タグ送信信号の指定又は「ネーム」の領域に一体化される。これは、電話がロケータータグをスキャンして検出すると、タグが送信する名前は、ｄＢ値における電話とタグの間の実際の予測距離を含み、このｄＢ値が由来したチャンネルを表示することができる。
【００７０】
幾つかの好ましい実施形態において、ロケータータグが、アクティブスキャン（Ａｃｔｉｖｅ  Ｓｃａｎ）要求を受信すると、どのチャンネルで最良の信号が測定されたかを計算し、ビーコンネーム、又は製品データにおいて、信号が測定された最良のチャンネル及びＲＳＳＩ値の一部として、スキャン応答として電話に応答する。
【００７１】
上述のように、Ｂｌｕｅｔｏｏｔｈ低エネルギーは、４０のチャンネルを使用する。４０のチャンネルの内、３７までのチャンネルが、アクティブコネクションの間に使用され、３つのチャンネルが、広告に使用される。チャンネルの各々に関する異なる信号減衰のため、通常、各チャンネルのＲＳＳＩ値の間に違いがある。それ故、更により好ましい実施形態において、革新的なアプリケーションは、各チャンネルについて独立して測定されるＲＳＳＩ値を使用し、平均値を受信するために値を組み合わせる。ＲＳＳＩ値上で実行される平均化操作は、各チャンネルの異なる機能を考慮する。平均値は、任意の単独のＲＳＳＩ値に関する結果よりも正確で、信頼できる。
【００７２】
平均化処理は、電話とステッカーの間にアクティブコネクションがある場合、３７までのチャンネル上で実行され得る。スキャン中、ステッカーは、３つの広告チャンネルの各々に関する異なるデータパケットを送信することができる。これは、電話が、３つの広告チャンネルに関して上述される同じ種類の処理を行えるようにする（即ち、３までのチャンネルからＲＳＳＩ値を受信する）。信号がステッカーと電話の間のアクティブコネクションに十分優れていない場合、電話のアプリケーションは、スキャンモードに戻り、広告チャンネルの少なくとも１つからのＲＳＳＩ値に基づいて距離を推定しようとするであろう。
【００７３】
別の実施形態において、ステッカーが広告モードにある場合、スキャン要求に対する送信された応答として、電話から送信されたパケットを使用して測定されたＲＳＳＩ値を送信することができる。これは、電話に対するステッカーの応答が、電話からのＲＳＳＩ測定値を含むことを意味する。
【００７４】
幾つかの実施形態において、上述の平均化処理は、４０の利用可能なチャンネルの何れかに対して行われ得る。つまり、ＲＳＳＩ値は、１と４０の間のチャンネルから受信され得、受信したＲＳＳＩ値から計算される平均値は、距離の最も正確な測定を提供するであろう。
【００７５】
別の実施形態において、ステッカーが広告モードにある場合、設計されるように全３つのチャンネルの広告を次々に送信する代わりに、ステッカーは、１つだけのチャンネルにおいて広告され、広告識別子の一部、又はビーコンネームの一部として、チャンネルネームを含む。その後、一時停止して、デバイス／電話が新しい広告を監視するのに十分な時間（例えば５０ｍｓ以上）待ち、その後、第２のチャンネルネームが埋め込まれた第２のチャンネル上で同じ広告を送信し、直ぐには任意の他の広告を送信しないが、例えば５０ｍｓ待って、その後、第３のチャンネルネームが埋め込まれた第３のチャンネル上で同じ広告を送信する。このスキームは、電話が全３つのチャンネルを混合及び平均化するのではなく、各個別のチャンネルのＲＳＳＩレベルを実際に表示することを可能にする。
【００７６】
これは、電話がどのチャンネルが最良か、及びどのチャンネルの周波数が遮断され、悪いものであるかを測定できるように、より優れた正確なＲＳＳＩ距離の推定を電話に提供する。
【００７７】
本発明の幾つかの実施形態において、ステッカーは、広告モードを有し、ここで、信号は電話によって拾い上げられ得る。電話がスキャニングモードである場合、電話は、ビーコンから信号を拾い上げる。ビーコンは、電話からのスキャン要求を受信する際に、近くの電話を検出する。ステッカーロジックに適応性のアルゴリズムを加えて、ＢＬＥデバイス（電話）がステッカーに対して可視可能にならない／それにより検出されない場合、その後、ステッカーは、その広告パケットを動的に調節する。それ故、電話が可視可能でない場合、ステッカーは、例えば、１０秒ごとに広告の間隔を調節できる。一旦デバイスがステッカーにより検出されると、ステッカーは、スキャニングＢＬＥデバイスによってエリアがどのくらい満たされたかにより、１００ｍｓ以上までの速度の間隔を調節する。
【００７８】
幾つかの実施形態において、ステッカーが電話に活動的に接続されると、ステッカーは接続モードに入る。接続モードにおいて、ステッカーは、他の３７の通信チャンネルにより電話と通信できる。
【００７９】
幾つかの特殊な場合において、３つの広告チャンネルはまた、送信通信モードにおける通信に使用され得る。幾つかの実施形態において、広告パケットは、１つのパケット内で複数のプロトコルを支援する。このような実施形態において、複数のプロトコルは全て、１つの広告パケット内にあり、又は広告チャンネルは、別個の広告パケットにおいて各々送信される、一連のプロトコル（インターリーブ）を支援する。例えば、１つのＡｄパケットは、プロトコルＡ、Ｂ、及びＣを含み；又はパケットのディジーチェーンにおいて：プロトコルＡ、次にＢ、次にＣ。模範的に、プロトコルＡはＮｏｋｉａと呼ばれ得、プロトコルＢはＡｐｐｌｅ社のｉＢｅａｃｏｎであり、ＣはＧｏｏｇｌｅ社のプロトコルであり得る。
【００８０】
異なるプロトコルを送信するための別の方法は、それらを組み合わせ、ほとんど遅れ無しに次々に各２以上のプロトコルの広告を送信することによるものである。この方法は電力を節約し、ラジオ、ＤＣ／ＤＣなどのように、既に電源オンの状態であり、電源オフを行い、その後再び電源オンを行う必要が無い。
【００８１】
異なるプロトコルを組みわせるための別の方法は、３つの異なる広告チャンネルに異なるプロトコル広告を送信することである。
【００８２】
チャンネル（３７）がＡｐｐｌｅ社のペイロードプロトコルを広告できるため、例えば、チャンネル（３８）はＧｏｏｇｌｅ社のペイロードプロトコルを広告でき、チャンネル（３９）はＮｏｋｉａ社のペイロードプロトコルを広告できる。
【００８３】
ＢＵＺＺ−ＦＬＡＳＨ
ビーコン（１０）の指示アイコン（６４）がレーダー画面（６２）上に現れると、ユーザーは、画面上の所望のビーコンアイコン（６４）をタッチ／タップし、言い換えれば選択して、対応するビーコンに指令信号を送信することができる。１つのこのような指令信号は、選択されたステッカーに聴覚的な雑音（例えば、ブザーを鳴らすなど）を発することを指示する。幾つかの実施形態において、スピーカー（５２）は、この聴覚的な機能を促進する。選択されたｂｌｕｅｔｏｏｔｈステッカー（１０）が雑音を鳴らすと、ユーザーはビーコンをより容易に位置付けることができる。
【００８４】
別の指令信号は、選択したビーコンに、点滅（即ち、ビーコン（１０）内のＬＥＤ（５０）を光らせる）などの照明の幾つかの形態を放出させることを指示する。「フラッシュ」機能は、雑音の発生が不都合又は無効である場合に有用である。もちろん、「バズ」機能又は「フラッシュ」機能は、別々に又は共にの何れかで使用され得る。
【００８５】
ＦＩＮＤ  ＩＴ
図６は、革新的なモバイルアプリケーションの「Ｆｉｎｄ  Ｉｔ」機能を動かすスマートフォン（６０）のスクリーンショットである。「Ｆｉｎｄ  ＩＴ」機能は、紛失したステッカー（１０）を探す時、即ち、ビーコンが電話（６０）の範囲内に無い時に使用される。ユーザーは、タグを付けた物品に関してスイッチ（７０）を選択することにより、所望の物品／ビーコン（６８）に関するｆｉｎｄ機能を起動する。一旦所望のビーコンが範囲内に戻ると、電話（６０）は警報を発する。警報は、ビーコンが範囲内に戻ったことをユーザーに知らせる。
【００８６】
Ｆｉｎｄ  Ｉｔ機能が有用であり得る例は、ユーザーがＳｔｉｃｋ−Ｎ−Ｆｉｎｄビーコン（１０）を、飛行機にチェックインされる１つの荷物（３８）に付ける時である。スーツケースがコンベアベルトに出始めると、ユーザーは、単に座って横側で快適に待つことができる。荷物が範囲内に入ると、電話（６０）は警報を発し、荷物（３８）が近くにあることをユーザーに信号で伝える。この時点でのみ、ユーザーは立ち上がり、荷物を取る必要がある。ユーザーはまた、自分の妻の車にＳｔｉｃｋ−Ｎ−Ｆｉｎｄ（１０）を付けることができる。一旦妻が私道に車を入れると、妻が入る前にユーザーは通知を受け、物を片付け、皿を洗浄する。
【００８７】
バーチャルリード
図７は、革新的なモバイルアプリケーションの「バーチャルリード」機能を動かす、スマートフォンの部分的なスクリーンショットである。バーチャルリード機能は、ユーザーに、選択したビーコン（１０）上に「バーチャルリード」を作らせることを可能にし、そのため、ビーコン（例えば、子どもの編み上げ靴に装着されたステッカー）が、電話（６０）から選択された近似距離（７２）から離れる場合、アプリケーションは電話から警報を発する。本質的に、バーチャルリード機能は、Ｆｉｎｄ  Ｉｔ機能とは対極にある。
【００８８】
異なるタイプの警報が選択され得、特有の警報は、各ビーコン（１０）に関して選択され得る（例えば、ハンドバッグが電話から離れている場合はチャイム音であるが、ペットが範囲外にある場合は、その後、メッセージが電話の画面上に点滅し、子どもが範囲外にいる場合は、その後、サイレン警報が発せられる）。幾つかの実施形態において、Ｖｉｒｔｕａｌ  Ｌｅａｓｈは、２方向機能であり、ここで、ビーコン（１０）と電話（６０）の両方は、警報を発することができる。例えば、ユーザーがポケットに自動車のキーを入れているが、電話を台所用テーブルに置き忘れた場合に、その後電話とステッカーの両方は、互いに範囲外にある場合に、音を鳴らす及び／又は点滅する。この方法において、家の中に電話を置き忘れているという事実をユーザーに警告するのは、ビーコンである。もちろん、２つの構成要素の１つだけに警報を起動させることが好ましい状況も存在する（例えば、電話に対する警報だけ起動させるが、子供の靴又はペットのカラーに接続されたビーコンに対する警報は起動させない）。
【００８９】
ＢＴ信号は２．４Ｇｈｚであるため、この信号は、ヒトに容易に吸収され、任意の物体などにより遮断又は反射され得る。これは、ユーザーが子ども、又は財布にリードを付け、その後自分の体により信号を遮断する場合、リードは壊れることがある。
【００９０】
家においても、自分のキーにあるステッカーにリードを付ける時、あなたが壁の裏に行き、又は何かがあなたと鍵の間に入る場合、これは、電話とステッカーに誤報を生じさせる。
【００９１】
この機能の別の実施形態において、電話は、ステッカーのＲＳＳＩ信号を追跡する。信号が、電話から離れて動く一定且つ固定した速度に相互に関連することができる、一定且つ固定された比率で弱まっていることに、アプリケーションが気付くと、その後、アプリケーションは、ステッカーが電話から離れ続ける場合に、ｖｉｒｔｕａｌ  ｌｅａｓｈがＸ秒で破損することを計算する。この情報により、ｌｅａｓｈが破損することをアプリケーションが検出すると、警報が本当であり、且つ、少なくとも実際に破損したという見込みが、増加する／確認される。
【００９２】
しかし、離れる物体の相互に関連する速度は、突然、理解できない速度で離れて行き、その後ｌｅａｓｈが破損して、ｌｅａｓｈが本当に破損したという見込みは減り、電話は接続を回復しようとする。この追加機能は、障害物から生じる誤報の割合を下げる。
【００９３】
遺失物推定器の方向：
遺失物の方向を知るのは、非常に難しく、重要である。アプリケーションのロケーター機能は、ＲＳＳＩ信号を表示する。ＲＳＳＩ信号は、フィート／メートルで距離に対しておおよそに相互に関連され得る。（実際の測定ではないが、電話と無くなったステッカーの間のおよその距離を示すことができる）
【００９４】
３６０度回転機能
人の腕は、約２−３フィートの長さである（身体の中心から手まで）。定地点の周囲で旋回する回転を始めることにより、ユーザーは、５乃至６フィートのあらゆる範囲の直径にて回転する。回転中、電話は、非常に速い速度：例えば１００ｍｓ以上でＲＳＳＩレベルを測定する。プロセッサー／アプリケーションロジックは、ＲＳＳＩ測定を、加速度計及びＧｙｒｏが組み込まれた電話と相互に関連付け得る。一旦３６０度の円が完了すると、アプリケーションは、ＲＳＳＩ信号が最も強かった方向を表示する。
【００９５】
追加の方法
大半の電話のＢＴアンテナは、いくぶん指向的であることが測定された。同じモデル内に、わずかな変化さえも存在する。この測定に基づき、特定の電話の指向的な品質をマッピングするため、キャリブレーション法が使用され得る：
【００９６】
電話にアプリケーションをダウンロードし、電話から約２０フィート離してステッカーを置く。キャリブレーションボタンを押し、ステッカーの方へ電話を向け、スタートを押す。
【００９７】
３６０度の円の中で電話を回転させる。
【００９８】
一旦円が完了し、電話が原位置に戻ると、キャリブレーションプロセスが完了する。
【００９９】
ステッカーの方へ電話を向けたため、電話のアプリケーションは、ステッカーの正確な方向を把握する。アプリケーションは、加速度計及びＧｙｒｏのデータにより受信されるＲＳＳＩに一致する。これは、電話がアンテナの指向的な品質のマップを作ることを可能にする。
【０１００】
その後、物品が無くなると、電話の周りを回転し、このマップに基づき、電話は、遺失物への方向を測定する。
【０１０１】
Ｌ字型方法
また、ユーザーは、Ｌ字型で歩くことができ、アプリケーションによって案内され、電話は、電話からステッカーまでの方向と距離を把握する。
【０１０２】
距離は、Ｌ字型に歩くときに信号変化を計算することによって計算され得る。さらに、方向は、上述のマッピングキャリブレーションを使用して計算され得る。
【０１０３】
タスクランチャー
革新的なアプリケーションの選択機能は、タスクランチャー機能である。タスクランチャーは、モバイルデバイスがビーコンの範囲内に来ると、特定の変化を引き起こすことが可能である。例えば、ビーコン（１０）は、会議室のドアに置かれ、その傍を通るモバイルデバイスを「サイレント」モードにし得る。
【０１０４】
指向性アンテナ（Ｅ）及び三角測量
図４Ａは、本発明のロケータービーコン（１０’）の回路基板（４４’）の更なる実施形態の概略図を描く。更に好ましい実施形態において、ビーコン（１０’）は、図４を参照すると記載されている回路基板（４４）の全ての構成要素を含み、４つの指向性アンテナ（８０）を更に含む。１つの指向性アンテナ（８０）は、回路基板（４４’）上の方位点の各々に位置付けられる。典型的に、上部アンテナ（８０Ｔ）は北に位置付けられ、下部アンテナ（８０Ｂ）は南に位置付けられ、右アンテナ（８０Ｒ）は東に位置付けられ、左アンテナ（８０Ｌ）は西に位置付けられる。もちろん、これら参照の名称及び位置は、単に例示的なものであり、他の位置で他の名前に置き換えられることもある。各アンテナは、異なるＭＡＣアドレス又はＩＤを送信し、その結果、電話／アプリケーションは、どのＭａｃアドレスが最高のＲＳＳＩ値を有していたかを計算できる。電話はその後、ステッカーに対して上、下、左、又は右にあるのかを把握する。
【０１０５】
複数の指向性アンテナ（即ち、２以上のアンテナ）を含む幾つかの実施形態において、上部カバー（４０）は、いかにステッカーが配向されるかを指示するインジケータマークを更に含む。ビーコンの配向が把握され、その後、指向性アンテナ（８０）の位置が把握されると、電話は、ビーコンが位置する方向を把握できる（以前の実施形態で言及されるように）。
【０１０６】
更なる実施形態において、アプリケーションは、距離関数に関して上述されるように、ステッカー及び／又は電話からのＲＳＳＩ値の様々な組み合わせを使用して、距離及び／又は方向を処理することができる。
【０１０７】
与えられたステッカーが多くの他のステッカーの近くに位置する場合、電話上のモバイルアプリケーションは、与えられたステッカーの位置を三角測量することが可能となり得る。
【０１０８】
他の実施形態において、信号強度及び位相情報が分析され、様々な技術を使用して処理される。位相測定の分析及び処理（ＭＩＭＯ，  ＢｅａｍＦｏｒｍｉｎｇ）は、距離と方向の両方の検出の精度を改善する。つまり、位相制御は、所望の方向への送信をより正確にする指向送信にわたって制御する。この技術を、複数のＭＡＣ／ＩＤ情報を送信する前述のアイデアと合わせると、スキャニング機能の指向的な精度が増す。
【０１０９】
２以上のアンテナを含む本発明の実施形態において、位相測定は、距離と方向の両方の精度を改善するために使用され得る。
【０１１０】
受信モードにおいて、信号の複素振幅を測定し（振幅及び位相）、個々のアンテナ機能（獲得、結合、指向性）を把握することにより、方向情報（到達角度、ＡＯＡ）を推定することができる。
【０１１１】
送信モードにおいて、各個別のアンテナに関する振幅、位相、又は送信された信号の両方を個々に制御することにより、複合アンテナの指向特性（配列）が修正され得る。このような操作は、異なる方向の異なるパケットの送信を可能にし、それにより、非指向的なレシーバーが、配列に対するその角度を把握することを可能にする。
【０１１２】
信号の制御は、移相器、利得制御ブロック、複合モジュレーターにより、ＲＦパス内で、又は、基底帯域レベルで同じものを制御するＭＩＭＯ性能を備えたチップセットを使用することにより、実施され得る。
【０１１３】
屋内位置を検出するための追加の方法は、各々が１つのアンテナを有する、非指向性ビーコンの配列を使用することである。ビーコンは、例えば、ユニットの各々に対する既知の距離／ＲＦパスの遅れを備えた基準送信機を使用することにより、時間同期される。その後、位置付けを必要とするソースデバイスから信号を受信すると、各ユニットは、ユニットへの信号の到達時間を測定する。ユニットが時間同期されるにつれ、到達時間のデータは、擬似距離データ（ＧＰＳに類似）に翻訳され得る。少なくとも４つのビーコンが信号を受信すると、情報は、ソース送信器の３Ｄ位置を計算するために使用され得る。
【０１１４】
１つのモバイルデバイスに対する複数のビーコンの取り扱い
革新的なアプリケーションは、複数のＳｔｉｃｋ−ｎ−Ｆｉｎｄビーコン（１０）を一斉に管理することができる。明確な上限は、モバイルアプリケーションによって設定されるが、特定の数（例えば、２０）を超えると、画面は散乱し過ぎて有効にならない。管理され得るビーコンの数は、アプリケーションを収容するプラットフォームによって変わり得る。アプリケーションは、同時に全てのビーコンを位置付けることができる。
【０１１５】
荷物タグ
商用の飛行機旅行後に上陸したばかりの人々は、移動コンベアベルト付近で待機し、自分の点検された手荷物を見失わないように集中しなければならず、荷物が通り過ぎてゆくにつれ、貴重な時間を消費する。他の場合、小さな子どもと多くの荷物を有する大家族は大抵、子どもと荷物を追跡し続けるのは難しく、結果的にどちらかだけになるということを分かっている。乗客が快適に座り（特に、疲れてイライラしている子どもと親）、自分の荷物が範囲内に来た時にスマートフォンに知らせてもらうならば、より良く、その結果、乗客はその後立ち上がり、より時間に効果的で都合の良い方法で荷物を回収することができる。更に、多くのバッグが似ているため、人々はよく、コンベアベルトを通って行くにつれて荷物を即座に識別するために自分のバッグに目に見える印をつけるため、特注のリボン及び他の識別子を使用する。最後に、複数の荷物を集めなければならない場合、１以上の荷物が無くなり、又はより共通するのは、ベルトの上に置き忘れてしまうことがある。
【０１１６】
荷物を追跡し、上述のＢｌｕｅｔｏｏｔｈを利用可能なロケーターステッカーによりスマートフォンに通知を受信することが、相対的に容易であろう。前述の製品によっても解決されない１つの問題は、Ｂｌｕｅｔｏｏｔｈ通信が商用の飛行機で常に認められていないということである。
【０１１７】
それ故、飛行中に「飛行機モード」（即ち、デバイスがＢｌｕｅｔｏｏｔｈ又は他の無線信号を送信しない状態）でＢｌｕｅｔｏｏｔｈ又は他の無線追跡デバイスを置くためのデバイス及び方法を有し、飛行機が着陸した時に送信器を再開することは、非常に有利なことである。このような配置は、とりわけ、電池寿命を節約するようにも機能する。
【０１１８】
本発明の荷物タグは、飛行機に積みこまれていて、それ故Ｂｌｕｅｔｏｏｔｈ伝達信号を切っていることを検出できなければならないことが、本明細書にて提唱される。更に、デバイスは、いつ飛行機が着陸して、Ｂｌｕｅｔｏｏｔｈ送信を再開するのが安全であるかを検出できなければならない。一旦、Ｂｌｕｅｔｏｏｔｈ信号の再開が安全であると測定されると、デバイスは、Ｂｌｕｅｔｏｏｔｈ信号を元に戻さねばならず、その結果、コンベアベルトの傍で待機する乗客は、回収のためバッグを検出できる。
【０１１９】
本明細書にて言及される例示的なデバイスは、単に本発明の可能な実施形態を提供するためのものであり、制限するようには意図されておらず、前記デバイスは、Ｂｌｕｅｔｏｏｔｈ低エネルギー近接／追跡タグであり、それは、スーツケース／荷物に作られるか、又は、修正されたロケータービーコンである荷物タグの形態などで、外部に取り付けられる。
【０１２０】
提唱される解決策は、荷物タグ内の電子センサーを使用して、荷物が飛行を始め、及び飛行を終えたことを検出する工程に関与する。
【０１２１】
飛行の開始の検出及びＢｌｕｅｔｏｏｔｈの不活動化
Ｂｌｕｅｔｏｏｔｈ送信器を切らなければならない時の１つの提案された検出方法は、あらゆる荷物がＸ線検査を受けるという事実に依存する（これは、大半の国際空港及び多くの国内空港において真実である）。ＲＦ及び可視光線から遮蔽される高速のＰＩＮフォトダイオードは、タグに統合される又は繋がれる。一旦Ｘ線ビームがＰＩＮフォトダイオードに当たると、荷物タグのプロセッサーに電圧信号を送信し、バッグが飛行機に搭載されているプロセス中にあることを示す。信号を受信すると、プロセッサーは、全てのローカルエリア無線通信（ＬＡＷＣ）伝達（定義を参照）を停止するように構成される。この時点で、プロセッサーは、任意のＢｌｕｅｔｏｏｔｈ伝達を切る。
【０１２２】
別の提案された方法は、荷物タグの内部に位置する光検知器を使用することである。一旦バッグが飛行機の貨物室に搭載されると、完全に真っ暗になる。典型的に、この暗闇を測定する２０分のタイマーは、プロセッサーに任意のＢｌｕｅｔｏｏｔｈ伝達をシャットダウンさせる。
【０１２３】
飛行の終わりの検出及びＢｌｕｅｔｏｏｔｈの再活性化
１つの例示的な方法は、任意のＢｌｕｅｔｏｏｔｈ又はＷｉＦｉの信号を監視する荷物タグに関与する。ＢｌｕｅｔｏｏｔｈとＷｉＦｉの両方が、同じ２．４ＧＨｚのＩＳＭ帯を使用するため、荷物タグはこのスペクトルをスキャンする。信号が無い場合、追跡タグは、（未だに）貨物倉内にあることを把握する（ＢｌｕｅｔｏｏｔｈとＷｉＦｉが、飛行が始まる前に使用不能でなければならないため）。たとえ荷物の中に信号があっても、タグから信号源までの距離は、一定であろう（別の荷物がＢｌｕｅｔｏｏｔｈ信号を発するデバイスを含んでいるとしても、タグと信号源の間の距離は、両方の荷物が貨物室内に置かれた後でも、一定のままであろう）。信号源のタグまでのおよその距離は、信号の受信信号強度インジケータ（ＲＳＳＩ）に基づいて測定され得る。信号のＲＳＳＩは、比較的一定のままであり、その後信号源は、同じ場所にあり、無視され得る。一旦荷物タグが貨物室から運び出されると、より多くのＢｌｕｅｔｏｏｔｈとＷｉＦｉの信号（変化する距離での）が検出され、追跡タグが現在、再び無線信号の送信を、安全に再開するエリアにあることを示す。潜在的に、前述の方法はまた、最初の場所にてＢｌｕｅｔｏｏｔｈ信号を不活動化する時を決定する同じ方法において使用され得る。
【０１２４】
モバイルアプリケーション機能
電話又は荷物タグからのＲＳＳＩ  Ｂｌｕｅｔｏｏｔｈ値を使用することにより、タグアプリケーション（スマートフォンなどのモバイルデバイスにインストールされ、タグを追跡するソフトウェアアプリケーション）は、電話と荷物の間の距離を近づけることができる（上記を参照）。アプリケーションは、荷物が範囲内にあると、ユーザーに警告する。ユーザーが警報を受け取ると、自分の荷物を回収するためにコンベアベルトに近づくことができる。
【０１２５】
図８Ａと８Ｂを参照すると、革新的なタグアプリケーションの描かれたスクリーンショット８００Ａ／８００Ｂがある。タグアプリケーションの１つの好ましい実施形態において、そばを通るスーツケースを乗せた回転式コンベア又はコンベアベルトが、携帯電話に表示される。描かれた実施形態において、荷物（８０２）のアニメ化された図が提供される。代替の実施形態において、アプリケーションは、スーツケースの実像を示す。アプリケーションは、バッグが任意の適切な方法で近づいてくることをユーザーに警告する。例えば、アプリケーションは、明るい色のバッグとして、及び／又は図８Ｂに描かれるように大きなチェックマーク（８０４）と共に、描かれた荷物を表示する。アプリケーションは、ＲＳＳＩ値に基づいて、又は上述のようにロケータービーコンを参照することにより、電話とバッグの間の距離を近づけることができる。別の実施形態において、アプリケーションは、携帯電話に統合されたカメラを起動し、ユーザーは、カメラを近付いてくる荷物に向けるよう指示される。アプリケーションはその後、画像法及び拡張現実方法（ａｕｇｍｅｎｔｅｄ  ｒｅａｌｉｔｙ  ｍｅｔｈｏｄ）を使用して、ディスプレイ内にタグ付けした荷物を「描く」。正確な荷物が、２つのデバイス間の距離の計算に基づき、又は幾つかの他の視線検出方法を使用して、識別される。
【０１２６】
別の典型的な実施形態において、アプリケーションは、赤色又は任意の他の特色のある荷物を画面上に表示し、バッグがもうすぐ出てくることをユーザーに示す。スーツケースが非常に接近してくると、アプリケーションは、赤色又は任意の他の色の或いは特色のあるスーツケースを表示し、スーツケースが傍に、又はすぐ目の前にあることをユーザーに警告する。
【０１２７】
幾つかの実施形態において、アプリケーションはさらに、ユーザーがスーツケース又は複数のスーツケースの写真を撮ることを可能にする（アプリケーションが多くのタグと対になり得るため）。スーツケースの描写（８０６）は、ユーザーが荷物を待っている時に画面上に表示される（例えば、図８Ｂを参照）。描写は、バッグが近づくにつれ、色を変化させ、又はより大きくなり得る（或いは、任意の他の効果）。
【０１２８】
ユーザーは、通知を追跡して得るため、複数のスーツケース又はタグを選択できる。ユーザーは、誰か近くにいるかどうか確認するため、ディスプレイ上のスーツケースの画面の間をスライドすることができる。スーツケースが近づくと、アプリケーションは、接近するスーツケースの描写を表示する。
【実施例】
【０１２９】
図８Ａにおいて、タグアプリケーションの例示的なスクリーンショット（８００Ａ）は、ユーザーに、対応する追跡タグを有するバッグの写真を撮るように指示する、ユーザーインターフェースを描く。画像は保存され、バッグに取り付けられた又は埋め込まれた追跡タグを独特に識別可能にするように必然的に関連付けられる。例えば、タグは、タグ上に印刷される識別バーコードを含み得る。バーコードは、Ｂｌｕｅｔｏｏｔｈ追跡タグのＭＡＣ  ＩＤなどの特別なタグの特有のＩＤを含む。撮影後、ユーザーは、アプリケーションのスキャニング機能によりバーコードをスキャンするよう指示される。スキャンされると、画像は、スキャンしたＭＡＣ  ＩＤに基づいてタグに関連付けられる。
【０１３０】
図８Ｂは、タグアプリケーションの検索機能の例示的なスクリーンショット（８００Ｂ）を示す。この図において、画面は、（上記のような）バッグ（８０６）の画像、及びバッグの１つが「描かれた」又は強調されたコンベアベルト上にあるバッグ（８０２）のアニメーションを表示する（この場合、目立つチェックマークと共に表示される）。実際のバッグのおよその位置は、説明的に画面上に表示され、バッグが近づき、およそどれくらい近くにあるかをユーザーに示す。
【０１３１】
占有センサーユニット
図９−１２を参照すると、本明細書には、占有センサーユニット（ＯＳＵ）の様々な実施形態が提供され、それは、携帯電話などの１以上のモバイルデバイスと接続する、静的ユニットである。適用可能な場所で、同じ参照番号が、図９−１２の類似の構成要素を参照して使用されている。図９は、例示的なＭＣＤと通信状態にある、ＷｉＦｉの無いＢＬＥ占有センサーのブロック図を描く。明瞭さのため、Ｗｉ−Ｆｉは一般的に、電気電子技術者協会（ＩＥＥＥ）の８０２．１１標準に基づく任意の無線ローカルエリアネットワーク（ＷＬＡＮ）製品として見なされる。本発明の直接の実施形態において、占有センサーユニット（９００）は、ほぼ、小型の携帯電話用ウォールチャージャーの大きさである。本発明の１つの実施形態において、壁にある電力コンセント（ＡＣ）へのユニットプラグは、両方ともコンセントにより充電され、フェースプレートにより適所で保持される。代替の実施形態において、センサーは、電池内に作られる、ステッカー又は独立型のビーコンである。
【０１３２】
ＯＳＵ（９００）は、スイッチを介してトランシーバモジュール／チップ（示されず）に接続される、４本のアンテナを備えた無線トランシーバー（示されず）を有する。好ましくは、無線技術はＢｌｕｅｔｏｏｔｈである。より好ましくは、技術はＢＬＥである。幾つかの実施形態において、他の近接無線技術（例えば、ＮＦＣ、ＲＦＩＤなど）が使用されるが、ＷｉＦｉは使用されない。アンテナのうち３本は、指向性アンテナ（９０２）である。指向性アンテナの各々は、異なる方向を指す。１本のアンテナは、ユニットの左を差し、１本はユニットの右を差し、一本はユニットの前を指す。１つの実施形態において、指向性アンテナは、後に反射器を備えた単純なワイヤーであり、ワイヤーを指向性アンテナとする。好ましくは、アンテナはまた、アンテナが指すユニットの側部の更に近くに位置付けられる（即ち、ユニットの左手側に位置付けられる左向きアンテナ、右手方向に位置付けられる右向きアンテナなど）。４本のアンテナは、全指向性アンテナ（９０４）である。
【０１３３】
図１０は、ＢＬＥ占有センサー（１０００）の第２実施形態の略図であり、ここで、センサーは更に、ＷｉＦｉモジュール（ＩＥＥＥ  ８０２．１１標準に基づいてトランシーバー及びアンテナを含む）及び／又はセル方式のデータモデムを含む。本発明の第２実施形態において、ユニットは、それ自体のアンテナ（１００２）を備えたＷｉｆｉモジュールを含む。更なる代替的な実施形態において、Ｗｉｆｉモジュールは、Ｂｌｕｅｔｏｏｔｈ全指向性アンテナ（９０４）を備えたアンテナを共有する。
【０１３４】
Ｗｉｆｉモジュールは、ローカルＷｉｆｉルーターに接続し、そこからクラウドサーバー又はＬＡＮサーバーに接続する。更なる実施形態において、ユニットは、付加的に又は代替的に、ＷｉＦｉのルーター又は信号が無いエリア内でクラウドに接続するために使用される、セル方式のモデムを含む。
【０１３５】
使用例／ＢＴビーコン−ＯＳＵ（Ｗｉｆｉが無い）
多くのＢＴビーコンは、スーパーマーケットに置かれる。スマートフォン（９１０）などのモバイルデバイスは、スーパーマーケットのモバイルアプリケーション（ａｐｐ）を動かす。ユーザーは、アプリケーション内にショッピングリストを入力する。アプリケーションは、店の地図によりプログラム化され、そこでは、各ビーコンが位置付けられる。潜在的に、地図／位置は、スーパーマーケットサーバーへのＷｉｆｉ接続を介して、又は、クラウドサーバーからのセル方式のモデムを介して、アプリケーションが動く各時間に、アプリケーション上で更新され得る。
【０１３６】
アプリケーションは、電話にビーコンをスキャンするように指示し、ビーコンの検出された位置の情報を受信する。ビーコンＩＤが最も強い信号であることに関する適正情報を得ることにより、アプリケーションは、スーパーマーケット内の電話の位置、及び買い物客のガイド／補助を測定できる（図１０を参照）。
【０１３７】
潜在的に、スーパーマーケットサーバー（又はクラウドサーバー）は、店の中の異なるエリア、例えば、管理者があまりに多くのミルクの在庫を抱えていると把握しているときに、ミルクのクーポンに関連するアプリケーションにプッシュ通知を行うことができる。アプリケーションを動かす電話を持つ任意のユーザーは、ミルクの前に立つとクーポンを得ることができる。
【０１３８】
実施例１：Ｗｉｆｉ  Ｂｌｕｅｔｏｏｔｈ  Ｂｒｉｄｇｅ  ＯＳＵ
図１１は、図１Ａのロケータータグとの無線通信状態にある、図１０のＯＳＵを描く。病院等の典型的なシナリオにおいて、あらゆるカート、携帯用Ｘ線撮影装置、超音波機器などは、Ｂｌｕｅｔｏｏｔｈタグによりタグ付けされ得る。同様に、医師自身はまた、これらタグを運び、個人の携帯電話上で病院のモバイルアプリケーション（Ａｐｐ）を動かし得る（図１０を参照）。占有センサーは、Ｗｉｆｉモジュールを介して病院サーバーに接続する。
【０１３９】
総合病院の周りに十分な占有センサーを置くことにより、サーバーは、略常に、各物品が床面高さ及び部屋に位置する場所を把握することができる。病院の任意の従業員は、スマートフォン、タブレット、又はＰＣによりタグ付けされたものを直ぐに発見できる。同様に、医師は、容易に位置付けられ、（映画で見られるように）医師を絶えず呼び出す必要性を回避する。
【０１４０】
コストをさらに下げるため、図１２に示されるユニットのメッシュネットワークは、総合病院内に設置され得る。図１２は、互いのＬＡＷＣ接近内に配され、それによりメッシュネットワークを作る、ＯＳＵのネットワークを描く。メッシュネットワークにおいて、ユニット（６）だけが、略図に示されるように、ＷｉＦｉを利用可能なユニットがサーバー又はクラウドに中継される必要な情報を受け取るまで、ＷｉＦｉを利用可能とされ（又はセル方式のモデムを含む）、規則的な占有センサーユニットは、互いに通信する（即ち、１つのＯＳＵから第二のＯＳＵにデータを送信し、ＷｉＦｉを利用可能なＯＳＵに近づく）。
【０１４１】
この解決策の別の実施形態において、デバイス又は電話は、ビーコンを検出し、検出されたビーコン情報をサーバーに送信し、そのため、ＷｉＦｉユニットは必要とされない。
【０１４２】
実施例２：Ｗｉｆｉ  Ｂｌｕｅｔｏｏｔｈ  Ｂｒｉｄｇｅ  占有センサーユニット
ＯＳＵは、オフィスの入り口に設置される。どの従業員も、Ｂｌｕｅｔｏｏｔｈタグを持ち、又はスマートフォン上で会社のアプリケーションを動かす。従業員が中に入ると、ＯＳＵは、従業員が移動する方向を検出し、その情報をサーバーに送信する。サーバーが方向情報を受信すると従業員が入ったか出たかを計算し（又は、ビーコン自体が計算を行う）、この情報を記録する。オフィスの周囲により多くのセンサーを置くことにより、従業員の位置付け、及び彼らがいつどこに行ったのかを把握するのが容易となる。
【０１４３】
地球座標
幾つかの実施形態において、特に静的タグのため（それだけではない）、タグの最上の特有のユーザー識別（ｍａｓｔｅｒ  Ｕｎｉｑｕｅ  Ｕｓｅｒ  Ｉｄｅｎｔｉｆｉｃａｔｉｏｎ）（ＵＵＩＤ）の一部として、地球座標が使用される。少なくとも２つの利点が、座標をＵＵＩＤの一部とすることを可能にし、又は、サーバーのタグＩＤを地球座標に関連付けることによって、得られる：
（ｉ）屋内、そこでは、ＧＰＳが無く、電話はその正確な座標を直ちに把握する。これは、Ｇｏｏｇｌｅマップ、Ｇｏｏｇｌｅ広告、又はＧｒｏｕｐｏｎ或いはＦａｃｅｂｏｏｋの広告のようなアプリケーション又は広告は、屋内でさえも、携帯電話の正確な位置を把握することを意味する。これは、約１平方マイルの精度を有するＣｅｌｌ  ｔｏｗｅｒ  ｔｒｉａｎｇｕｌａｔｉｏｎの使用方法による改善である。
（ｉｉ）ＵＵＩＤの一部として座標を使用し、又はサーバーに座標を保存してそれをビーコンＩＤ／ＵＵＩＤに関連付けることにより、座標と実際の携帯電話三角測量エリアを比較することによってビーコンのスプーフィング又はハッキングの回避を助ける。それらが一致すると、ビーコンはほぼ右のエリアにあることを意味する。
【０１４４】
そのため、例えば、ＮＹＣに置かれるビーコン、ＵＵＩＤは、ＮＹＣ中の正確なピンポイントのＵＵＩＤのＧＰＳ座標が４０．６７００°Ｎ、７３．９４００°Ｗであれば、４０６７００７３９４００で始まる。
【０１４５】
別の解決策は、電話がエリア内にある時に、ＵＵＩＤ又はＭＡＣのアドレスがオンラインで座標に関連付けられるように、ＵＵＩＤを座標と一致させ、サーバー上に座標を確保することである。オンラインでの座標の確保は、ステッカー側部の上で電力をあまり使用せずに適切な座標の確認を可能にし、エラーが生じた場合に非常に容易に調節可能となる。
【０１４６】
暗号化ベースのビーコン
ビーコンのスプーフィングを回避するために、ビーコンは、電話のモバイルアプリケーションがビーコンを認証し、送信信号が本物のビーコン／タグから来ていることを把握できるように、暗号化され得る。
【０１４７】
今日、ｉＯＳ又はＡｎｄｒｏｉｄのモバイルプラットフォームの単純なアプリケーションにより、２つの電話が、別々の店で展開され得る。１つの電話は、店Ａ内でビーコンを聞き、セル方式のデータによりビーコン情報を店Ｂの他の電話に送信する。店Ｂの電話はそのデータを受け取り、それを電話の中から送信して、店Ａの実際のビーコンを装う。
【０１４８】
それ故、暗号化の少なくとも以下の２つの方法が、ビーコンの仕様に含まれる：
（ｉ）接続及び認証：ビーコンは、対とすることなく電話に接続し、暗号化キーを交換するだけである。これに伴う問題は、接続に多少秒数がかかるということである。ビーコンが１００ｍｓの間隔で動く場合、約１−２秒続く接続が行われるのに１秒もかからない。これは許容可能であるが、より大きな電池を備えたビーコンを必要とする。
（ｉｉ）周期的なＵＵＩＤ変化：各ビーコンは、特有のＩＤを得る。特有のＩＤを備えるバーコードを配する、又は特有のＩＤを備えるバーコードをプログラム化することによる。各ビーコンは、電池が挿入されるとカウントを始めるタイマーを有する。各ビーコンは内部時計を動かし、予め定めた時間デルタ又は特定の時間（例えば、毎日午前２：２５）に基づいてＵＵＩＤを変化させる。
【０１４９】
ビーコンをセットアップすると、プロビジョニングアプリケーションは、バーコードの特有のＩＤを読み取るか、又はビーコンから特有のＩＤを得て、ビーコンのタイマー時間も得る。アプリケーションはその後、プロビジョニングサーバーに接続し、特有のＩＤと対応するタイマー稼働時間を登録する。サーバーはその後、秘密キーをビーコンに割り当てる。アプリケーションはその後、特有の秘密キーによりビーコンをプログラム化する。ビーコンはその後、秘密キー及び特有のＩＤによりタイマー時間を細切れにする。これは、時間に基づいて絶えず変化するＩＤを作る。クラウド上のサーバーは、正確なＵＵＩＤ、キーを把握し、ビーコンを認証することができる。ビーコンの内部時計が正確でない場合、メッシュネットワーク（図１２を参照）は、全てのビーコンの同期を保つように要求される。この網形は、長い範囲を有するマスタービーコン（以下を参照）により管理され得る。ビーコンから細切れにされたＩＤを送信することが可能であり、一部のＩＤは暗号化されない。これにより、サーバーはＩＤをより速く解読できるようになる。
【０１５０】
ビーコン間で、広告伝達の正確な時間を同期することにより、移動対象（歩く人）の電話は、更に正確な位置と歩く方向を把握する。パケットの既知の同期化が無い場合、１秒につき１．３メーターで歩く人は、各秒で１００ｍｓのビーコンにおける間隔伝達により、エリア内の全てのビーコンから１０のパケットを得る。しかし、１秒につき１０（各々１ｍｓ続く）が、同期した正確な時間で全ての中に入る場合、電話は、正確なミリ秒、成人の速度で計算し、より良く自分の位置を把握することができる。
【０１５１】
ビーコンを同期させるために、マスタービーコンは、各ビーコンにＴＸのタイムスロットを伝えるように存在しなければならず、それをクラウドサーバーに通知し、結果、アプリケーションが把握する。
【０１５２】
電話の節電
幾つかの実施形態において、電話のスキャン周期は、位置、及び存在する実際のビーコンに基づいて変化する。屋内位置ビーコンは、実際の座標を含むＵＵＩＤのような特定の機能を有する。電話が屋内位置ビーコンを検出しない時、スキャン速度は、非常に保守的なレジメン、例えば、５秒のスキャン、１分の休止；又は１０秒のスキャン、２分の休止に後退する。
【０１５３】
しかし、電話が屋内ビーコンを検出する（即ち、ストア、モール、スーパーマーケット、レストランなどに入る）場合、電話は、スキャンレジメンを拡大し、より多くの電池を使用する。平均的な人が、１日につき平均２時間、（ビーコンがインストールされる）買い物位置の上に「止まる」ことを仮定すると、１０秒のスキャン、２０秒の休止に対する電池の増強は、より多くの電池を使用するが、電池を消耗しない。
【０１５４】
各ビーコンはまた、ビーコンと電話の間を区別することができる。ビーコンが任意の近くにある電話を検出しない時、処理ユニットは、電池を節約するため、（例えば）約１０乃至１５秒ごとに、そのＴＸ  ａｄ  間隔を低下させる。
【０１５５】
各ビーコンは、範囲内にあるビーコンと互いに「トークする」ことができ、ユニットが好ましくは同期され、システムの１つの潜在的な実施形態は、他の電話／デバイスが近くで検出される場合、他のビーコンに「伝える」各ビーコンを含む。一旦電話／デバイスが近くに見られると、メッシュネットワークを使用してシステムを起動させ、各ビーコンはその後、そのＴＸ  ａｄ  間隔を増大させる。
【０１５６】
好ましい実施形態において、ビーコンは、非作動時間中にシャットダウンし、それにより節約を行うために、作動時間及び非作動時間の間に異なって、プログラム化された行動を取り得る。
【０１５７】
電話の節電するための別の解決策は、アプリケーション又はＯＳの一部にジオフェンシングを作ることである。店の周りにジオフェンスを作ることにより、一旦電話がこの店のエリア内に入ると、電話のＢＴスキャンが増加され得、そのため、他のビーコンを誘発するためにマスタービーコンを必要とすることが、回避され得る。
【０１５８】
ｘ秒ごとの、ビーコン間のメッシュネットワークにより、ビーコンは、互いに同期するため、指定された時間スロットで互いに通信する。規則的なＡｄ送信パケットの間で、ステッカーは、エリア内の全てのステッカーに同期パケットを送信する。この同期パケットは、正確な時間、及び同期時間スロットを含み、そのため任意の他のステッカーは、同期パケットを同時に再送信しない。
【０１５９】
典型的な各同期パケットは、更に以下の情報を含む：
１．正確な時間
２．ステッカーのためのＴＸに対する個々の同期パケット時間
３．エリア内の可視可能なＢＬＥデバイスの数（部屋にある電話など）
４．特別な時間でのファームウェアアップデートのためのコール、及び実際のファームウェアのためのサブキャリヤ
５．暗号キー
６．ビジネスの時間、及び異なる広告パケット間隔のセッティング／変更のためのタイマー
７．個々の広告パケットのタイムスロット。これは、システムが各ビーコンのタイムスロットを把握することを意味する
８．システム時間の同期を保つための外部接続による特別なビーコンの支援。マスタービーコンは、このシステムに加えられ得る。
【０１６０】
マスタービーコンは、非常に正確なクリスタルを使用する、又はこのビーコンをＧＰＳを備えた窓の近くに置く、正確なクロックを有する。ＧＰＳを使用して、ビーコンは非常に正確な時間を得ることができる。マスタービーコンは、ＢＴライン出力上の２０ｄＢの増幅器及び高利得ＢＴアンテナを使用して、ディジーチェーンスキームにおいてエリア内にある全てのステッカーと通信し、又はエリア内の全てのビーコンと直接通信し、及び、ビーコンを正確な同期化において及び正確な時間により保つことができる。
【０１６１】
マスタービーコンはまた、Ｗｉｆｉ又はセル方式のデータを介してインターネットに接続し、認証キー及び暗号キーを含むクラウドサーバーから同期化情報を得ることができる。更なる実施形態において、マスタービーコンは、ファームウェアアップデートを回収するために、インターネットへのゲートウェイとして機能し、他のビーコンに通される他の情報を受信し及び／又は診断の情報をサーバーに送信することができる。
【０１６２】
ＲＳＳＩ距離の推定器：
我々は、キャリブレーション、及びＲＳＳＩと実際の距離の一致に基づき、ビーコンと電話の間のおよその距離を計算することができる。しかし、これは信号品質に基づくので、異なった電話の保持、又は信号を遮断する人／物により、信号が干渉及び修正され得、信号をより良く又はより悪くしてしまう。より良いゲージ距離のため、ＲＳＳＩ信号がより強く又はより弱くなっているか確認するために、アルゴリズムが動かされる。デルタが固定される場合、つまり（ｍｅａｎｉｎｇ  ｔｈａｔ  ｓａｙ）、信号が安定した方法でより強くなっていく場合、この安定した方法は、  定速でステッカーに近づく人を一致させ、ステッカーは、ｘｘ秒で人がどこにいるかを予測し、その評価に従い、新たな通知をプッシュし、又は、電話にてイベントを起動するためにそのパケットのコンテンツを修正する。この機能は、電話ライブラリにも有り得る。
【０１６３】
提唱されたデバイスライブラリ（スキャンのための送受話器の機能）
ホットエリア周囲のジオフェンシング：ホットエリアの周囲にジオフェンスを作ることにより、送受話器上のアプリケーション又はＯＳ内で、電話は、ジオフェンス内に位置付けられたときに、より速い速度でＢＬＥデバイスをスキャンすることになる。これはつまり、アプリケーションがショッピングモールの周囲にジオフェンスを有する場合、ユーザーがショッピングモールの周囲のこのジオフェンスに近づく又は入ると、電話の中にあるＢＬＥスキャナーは、長時間スキャンを行い、一方で電話がこのジオフェンスの外に出ると、短時間でスキャンを行い、スキャンの間にＢＬＥを長時間スリープ状態にする。
【０１６４】
適応性のスキャン：スキャンの間に、送受話器デバイスが任意の既知のビーコンプロトコル（例えば、ｉＢｅａｃｏｎ、ＳＮＦビーコンなど）によりＢＬＥを確認すると、前記デバイスは、より素早く且つより長く、スキャンを始めるであろう。これは、電池保存を可能にする。ユーザーが店の中にいて、電話がビーコンを確認すると、電話は、より素早く且つより長くスキャンを行う。ユーザーがエリアに存在し、電話が任意の既知のビーコンを検出しなくなると、電話はスキャンレジメンを縮小する。
【０１６５】
特別なビーコントリガー：送受話器デバイスが、カスタムＵＵＩＤ又は特別な  ａｄ  パケットにより特別なステッカーを確認すると、これは、ステッカーが可視可能である限り、送受話器デバイスにより早いスキャンを行わせる。ステッカーが可視可能でない場合、ステッカーはスキャンを短く減少させ、スキャンの間の間隔を長くする。
【０１６６】
損失したタグのサーバー支援
ユーザーは、Ｌｏｓｔ  Ｓｔｉｃｋｅｒ  Ｓｅｒｖｅｒ（ＬＳＳ）によりアプリケーションを登録し、暗号キーを受信し、サーバーに保存する。安全な暗号化したＢｌｕｅｔｏｏｔｈリンクを介して電話を接続すると、電話はこのキーを受け、それをサーバーに送信する。サーバーは、両方のキーを保持する。典型的に、サーバーからステッカー情報を追跡、又は得るために、ユーザーは、例えば、損失したタグの残りの既知の部分を表示するために、ログイン手順を実行することを要求される。
【０１６７】
別の実施形態において、アプリケーションを動かし、電話に「属しない」タグを検出するＢｌｕｅｔｏｏｔｈチャンネルをスキャンする電話は、ステッカーＵＵＩＤをサーバーに送信し、タイムスタンプにより、ＧＰＳ、又はセル方式の三角測量に基づいて、電話の位置を送信する。
【０１６８】
ステッカーの所有者のみが、ステッカーの位置を確認できる。
【０１６９】
そのため、１人のユーザーがステッカーを無くし、別の電話が（Ｂｌｕｅｔｏｏｔｈを介して）そのステッカーを「発見」した場合、見つかった電話のアプリケーションは、無くなったステッカーの情報をサーバーに自動的に（及び見つかった電話の所有者に知らせることなく）送信する。無くなったステッカーの所有者は、ステッカーが見つかったサーバーから通知を受信する。
【０１７０】
更なる機能は、無くなったステッカーの警報機能である。ユーザーは、アプリケーション内から、又はログインサーバーを介して、無くなったステッカーの選択のみを必要とし、ステッカーが、アプリケーションを動かす任意の電話によって検出されると、ユーザーは通知を得る。
【０１７１】
私物品のジオフェンシング
アプリケーションの機能は、ユーザーに、通常一日中持ち歩く物品の選択を可能にする。電話は、私物品を検出し、いつものように及び上述のようにその位置をサーバーに送信する。加えて、電話はまた、電話自体の位置をサーバーに送信する。
【０１７２】
ユーザーがエリアを離れ、電話が前述のジオフェンスの外側にある新たな位置にあるが、ステッカーは電話と一緒ではないことをサーバーが登録する場合、サーバーは、私物品が取り残されたことをユーザーに通知する警報を送信する。
【０１７３】
実際の暗号化及びサーバーの動作がどのようなものかに関する追加情報：
どのステッカーも、特有のＭＡＣアドレスとＵＵＩＤの組み合わせである、特有のＩＤを有する。アプリケーションがステッカーに接続すると、アプリケーションは、ステッカーＩＤの暗号化したバージョンを読み取ることができる。ユーザーが特定のステッカーを追跡できるようにするため、ユーザーは、自身のアカウントにログインし、ステッカーに接続し、その後、自身のアカウントをステッカーに登録又は結合しなければならない。ステッカーの結合又は登録の手順は、以下の手順から成る：
【０１７４】
ＩＤパケットは、ステッカーから読み取られる。ＩＤパケットは、ステッカーの特有のＩＤ、８つのセキュリティチェックバイト（ｓｅｃｕｒｉｔｙ  ｃｈｅｃｋ  ｂｙｔｅｓ）、及びステッカーがその特有のＩＤを明らかにした時間の数、及びステッカーがそれぞれ再起動した時間の数を表わす２つの整数から成る。全体のパケットは、ハードコードしたキーを使用し、その後パケット自体の初めの半分及び次の半分を使用する、二層暗号化を使用して暗号化される。手順は、８つのセキュリティバイトの生成において、ハードコードしたキーと共にパケットｉｄ自体を埋め込むことを確実にする。
【０１７５】
ＩＤパケットは、予想通り（ａｓ  ｉｓ）サーバーに送信される。サーバーは、パケットがＳｔｉｃｋＮＦｉｎｄステッカーによって作られたことを確認するため、それを解読し、その後、解読したＩＤパケットから、ＩＤ読み取りカウンター（ＩＤ  Ｒｅａｄｓ  Ｃｏｕｎｔｅｒ）及びステッカースタートアップカウンター（ｓｔｉｃｋｅｒ  Ｓｔａｒｔｕｐｓ  Ｃｏｕｎｔｅｒ）を抽出する。残りの２つのカウンターは、許可されたステッカーを登録するため、捕捉したパケットの再利用を防ぐために使用される。
【０１７６】
ＩＤパケットを確認した後、サーバーは、特有の２４バイトのキーを作り、このキーによりアプリケーションに応答する。アプリケーションはその後、このキーをステッカーに書き出す。書き出し処理が上手くいくと、ステッカーは、特定のビーコンパケットを送信し始める。各ビーコンパケットは、ステッカースタートアップカウンター、及びステッカーによって作られたこの種のビーコンパケットの数と共に、以前に特定したキーから成る。全体のパケットは、特定したキーの最初の１６バイトを使用して暗号化される。
【０１７７】
アプリケーションが、特定しビーコンパケットの１つと遭遇する時は常に、全体のパケットをサーバーに送信する。サーバーはその後、受信したパケットを解読して、予測した解読されたパケットの仕様を保存することができる保存キーの中を調べることにより、対応するステッカーを検索する。ステッカースタートアップフィールド及びビーコンパケットカウンターは、ステッカー位置の誤った報告を防ぐために、以前に使用したビーコンパケットの再使用を防ぐため使用される。
【０１７８】
サーバーは、Ｓｔｉｃｋｎｆｉｎｄステッカー暗号化キー及びネームを保存する：ユーザーが新たなステッカーと電話を対にすると、電話上でローカルにペアリングキー（ｐａｒｉｎｇ  ｋｅｙ）を保存する代わりに、アプリケーションは、それをクラウドに保存し、ステッカーのＵＵＩＤをユーザーネーム／パスワード及びその暗号化キーに関連付ける。更に、サーバーはまた、このＵＵＩＤを、ユーザーが与えた選択したネーム、即ち、キーなどに関連付けることができる。
【０１７９】
人々は非常に頻繁に携帯電話を変える傾向があるため、自身の信用証書によるユーザーログインは、新しい電話にスキャン範囲内からステッカーネームを識別させ、ステッカーと電話を対にするのに必要な暗号化キーをダウンロードすることにより、それを電話と対にさせることを可能にする。
【０１８０】
セキュリティ保護：
近接に基づく対形成機能は、他の人が、ユーザーの所有者を追跡するために誰かの既存のステッカーと対を形成しないこと、または、所有者が近くにいるときに警報が鳴らないことを保証するために利用される。このことは、ユーザーがステッカーと対になるには、ステッカーの１フィート内にいなければならないことを意味する。したがって、第二者が（ユーザーが近くにいるときに警報を追跡するまたは発するために）１フィート以上離れたユーザーのステッカーと対になりたければ、ステッカー内部のファームウェアは対の形成を許可しない。１フィート以内に近接するユーザーのみが、ステッカーと対になることを認められる。
【０１８１】
スリーピングモード／出荷モード（Ｓｈｉｐｐｉｎｇ  Ｍｏｄｅ）：
ステッカーがブザーとして圧電性の音声増幅器を使用するので、ステッカーは、電池を節約するために電源を切ったラジオとともに出荷される。
【０１８２】
ステッカーを使い始めるためにステッカーを「起こし」たいとき、ユーザーはステッカーを二回タップする必要があり、タップすることで圧電部品からの信号が生成され、ＣＰＵを起こし、ラジオをつけさせる。
【０１８３】
対になった電話を見つけるために圧電部品も使用される。電話が失われた／誤って置かれた場合、ユーザーはステッカーを三度タップするだけでよい。この動作は、ブロードキャストパケットを、電話の背景で実行中のアプリケーションまたはサービスが確認するＡｌｅｒｔパケットに変更する。ブロードキャストパケットによって電話のリンガーが鳴る。
【０１８４】
例えば、小売店などの場所に近接ビーコン（ＯＳＵ）を設置するとき、該ビーコンは多くの理由から特定の場所に置かれる。例えば、ＯＳＵは、消費者統計、思案時間（製品を見る時間）を監視し、オファーを出し、または、後の使用のためなどに電話に情報を保存させるために、使用され得る。情報は、分析のために（例えば、通りすがりの買い物客の興味をつかむための広告の成功／失敗と、その後の、ユーザーデータとレジの伝票データなどを相互参照することによって変更を行う際の成功／失敗）、および、将来のクーポンなどのために、商店主に伝えられる。
【０１８５】
この目的のために、ビーコンは正しい場所、製品の近く、あるいは、所望の場所に置かれなければならない。生じる恐れのある問題は、商店経営者、掃除人、包装業者などが取付け具を移動させるため、ビーコンを異なる場所に移動させてしまい、したがって、監視とクーポンの売り込み（Ｃｏｕｐｏｎ  ｐｕｓｈ）が正しく行われず、あるいは、有効に行われないということである。
【０１８６】
１つの好ましい解決策では、付近のビーコンが見当たらないか、または、移動したとき、第１のビーコンがサーバーに伝えられる規則的な／特別なデータパケットの一部に、行方の知れないビーコンに関する情報を送るように、それぞれのビーコンは付近のビーコンを「記憶する」。逆に、あるビーコンが、付近のビーコンがすべて異なることを認識すると、そのビーコンはサーバーにレポートを送り、ビーコンが移動したということをサーバーに通知する。その後、サーバーは、新しいビーコンを支給するか、あるいは、新しい支給のための通知を送ることができる。
【０１８７】
新しいビーコンが設置され、検知された付近のビーコンが、今まで見当たらなかったまたは誤って置かれたビーコンによって以前から知られていたビーコンと一致した場合、サーバーは新しいビーコンが古いビーコンに取って代わったと想定することができる。
【０１８８】
ビーコンは、同期したメッシュネットワークを使用して互いに「聞く」ことができる。ビーコンは、互いに適合し、それぞれのビーコンによって自動的に作成されたタイムスロットに基づいて、互いに同期することができる。
【０１８９】
システムのネットワーク化されたビーコンの同期を維持するためには、非常に正確な時計が必要である。システムがマスタービーコンを含んでいない場合、正確な時計の読み取りはエンドユーザーの電話接続を介してサーバーから送られる。
【０１９０】
ビーコンの電池を節約するための方法
ブルートゥースビーコンは、送信する際よりもむしろ受信する際に、より多くの電力を消費する。消費量を減らす方法は、ビーコンと電話が遠く離れている場合：
ａ．ビーコンは広告パケットを送る。
ｂ．遠隔電話はスキャンし、スキャン要求で応える。
ｃ．ビーコンは信号ＲＳＳＩを測定し、特定のあらかじめ定められたレベル以下の信号で、電話があまりにも遠くにあることが確定すると、ビーコンは電話を無視する（ビーコンは、５０マイクロ秒かかることもあり得る電話の応答を待たず、むしろ、８マイクロ秒しかかからない電話応答の後にＲＳＳＩのチェックを待つ）
ｄ．電話が近くにある場合、ビーコンはＲＳＳＩ  ＲＸから完全パケット受信モードに切り替わる。
【０１９１】
ショップタグ（ＳＨＯＰ  ＴＡＧ）
図１３は、典型的なシナリオでの使用におけるＢＬＥタグの典型的な図による描写である。典型的なシナリオでは、ＢＬＥタグは店の管理のためのシステムの一部として使用される。タグ上の情報には、相補的なアプリケーションを実行するスマートフォンなどのモバイルコンピュータおよび通信のプラットフォーム／デバイスによってアクセスすることができる。革新的なショップタグは、もっと大きなシステム（例えば、店内の在庫システム（ｉｎ−ｓｔｏｒｅ  ｉｎｖｅｎｔｏｒｙ  ａｎｄ  ｓａｌｅｓ  ｓｙｓｔｅｍ））の一部として、ＢＬＥ（または他のＬＡＷＣ）を使用可能なコンピュータデバイスによって、（例えば、棚卸する目的などのために）追跡されることができる。
【０１９２】
商品を特定および追跡する容易な方法としてＲＦＩＤを用いる衣服の店内の棚卸と追跡は、当該技術分野で知られている。他方では、ＲＦＩＤは、技術的な制限と同様に、物流の制限と物理的な制限の両方に関して制約のある技術である。ＲＦＩＤタグは、作業場にアクセスするために用いられるＩＤタグとして作業場や、追跡目的のために倉庫などの至るところにある。両方の一般的なケースでは、ＲＦＩＤは、最大で約１メーターに限定され、それを超えるとタグを読むこと／タグにアクセスすることができない。さらに、ＲＦＩＤタグを読むためには、指定の高価なデバイスが必要になる。モバイルＲＦＩＤ（Ｍ−ＲＦＩＤ）のための技術は一般的な使用を享受しておらず、モバイルデバイスのほとんどで利用できない。直近のイノベーションは、既存の店内ＲＦＩＤ衣類用ハードタグ（ｈａｒｄ  ｔａｇ）に加えられるＢｌｕｅｔｏｏｔｈショップタグを開示している。好ましくは、Ｂｌｕｅｔｏｏｔｈタグは、機能性を増やすためにＢＬＥ技術（ＢＬＥタグ）を使用する。ハードタグとＢＬＥの解決策を組み合わせることによって、ハードタグとドアセンサーの既存のインフラを維持することを可能にしつつ、新しいレベルの店の在庫管理を加え、客の態度や滞在時間を獲得し、より良い買い物体験を客に提供する。
【０１９３】
Ｂｌｕｅｔｏｏｔｈ低エネルギーを駆使することで、店のそれぞれの品物は個々のＩＤを得て、品物に関する情報がタグに保存される。タグは、万引きを防ぐために、品物を守るための簡単な手段も提供する。例えば、品物が店から盗まれると、ドアの警報が鳴る。それぞれのタグが管理システムによって自動的に感知可能であるため、タグは在庫を管理するのに役立つ。Ｂｌｕｅｔｏｏｔｈ  Ｌｏｗ  Ｅｎｅｒｇｙは、約１００フィートの領域にわたって在庫を管理することを可能にする。ＢＬＥを使用可能な任意のコンピュータデバイスは、いつでも在庫状況を把握することができる。最新の在庫情報は、システムサーバーで、および／または、クラウド／ウェブで容易に入手可能である。
【０１９４】
さらに、図１３に描かれるように、さらに詳しい情報を提供するために、タグは買物客からアクセス可能である。ユーザーモバイルアプリケーション（ａｐｐ）は、店内で使用するために、買物客によってダウンロードされる。ほとんどの最新の電話はＢＬＥを使用可能であり、買物客は特定の品物を見つけ、店がその特定の大きさや色などを扱っているかどうかを知ることができる。
【０１９５】
例えば、衣料品店は、様々な衣料品を扱っており、そのうちのいくつかは展示され、保管され、同じチェーンの姉妹店にある。例えば、ある特別なドレスは、任意の店で３つの色と６つのサイズが入手可能であってもよく、４番目の色または７番目のサイズの同じドレスが姉妹店で保管されていたり、姉妹店でのみ入手可能だったりすることもある。
【０１９６】
買物客は、近接検出の機能を用いて、衣類に近づくだけで衣類の情報を得ることができる。アプリケーションは、その店がユーザーのサイズの商品を持っているかどうか検索して確かめることができ、ユーザーが近接検出の機能を用いて正しい色またはサイズを見つけるのを助ける。アプリケーションは、システムサーバーまたはクラウド（いずれかまたは両方が上に議論されるような在庫データを含む）にアクセスすることができる。したがって、ユーザーが店内で商品を探しているとき、ユーザーはその商品が別の店で現在入手可能かどうかも知ることができる。
【０１９７】
本発明によれば、スマートフォン／タブレットコンピュータ／ラップトップ／および、携帯型またはモバイルのコンピュータデバイス（６０）用のモバイルアプリケーションにつながれたＢｌｕｅｔｏｏｔｈまたはＢｌｕｅｔｏｏｔｈ低エネルギー通信を用いる、コインの大きさのショップタグ（１０’）が提供される。そのアプリケーションは、デバイスとタグの間の距離を決定するためのレーダースクリーンを含む近接機能と、選択されたタグが範囲に入ると警報を鳴らすＦｉｎｄ  ｉｔ機能を含む様々な機能を提供する。衣料品のそれぞれの品物は、ＵＵＩＤを含むショップタグ（１０’）で標識化される。ユーザーは、電話で直接、所望の品物の色とサイズを含む、実際の在庫をスキャンして見ることができる。特定のサイズ／色／ブランドまたは衣料品の他の品物を探すとき、ユーザーは、モバイルアプリケーション上で所望の品物を選択することができ、電話はその品物がどこにあるかを示す。モバイルデバイスが選択された品物に近接すると、対応するタグは、点滅し始めるか、あるいは、ブザーを鳴らし始める。指向性アンテナは、距離だけでなく、レーダースクリーン機能指向性を与える。ユーザーのモバイルアプリケーションは、ＷｉＦｉを介して管理システムサーバーと、セルラー／データモデムを介してチェーン店のクラウドと通信する。もちろん、システムの代替的な構造が可能である。
【０１９８】
本発明は、スマートフォンなどのモバイルデバイス上のアプリケーションを使用して追跡することができる、約１００〜１６０フィート（およそ３０〜５０メートル）の通信範囲を有する革新的なＢＬＥタグを開示している。タグは、約３年間続く電池を含んでいる。電池は、タグが取り付けられる（例えば、タグは磁気セキュリティタグまたは同様の機構に取り付けることができる）表面からタグを取り除くことなく交換可能である。さらに、タグはブザーとライトを備えることができ、多くの品物のなかでタグを容易に位置を見つけることを可能にしている。
【０１９９】
図１３Ａは、上の図４Ａに関して詳述したロケータータグ（１０’）の回路基板（４４’）の実施形態の概略図を描く。
【０２００】
マネージャーアプリケーション（Ｍａｎａｇｅｒ  Ａｐｐｌｉｃａｔｉｏｎ）
店側には、管理者のコンピュータで実行される管理システムは、在庫を管理するためのデータ収集機能と、選択されたタグがセンサーからのあらかじめ定義された距離を超えると警報が鳴るバーチャルリード（Ｖｉｒｔｕａｌ  Ｌｅａｓｈ）機能を含んでいる（例えば、管理コンピュータまたはレジのＢＬＥセンサーからの距離として計算されてもよい店の周辺をタグが越えるとき、警報を鳴らすように構成された万引き防止機能）。
【０２０１】
マネージャーアプリケーションは、Ｂｌｕｅｔｏｏｔｈまたは好ましくはＢＬＥ技術を含む、コンピュータデバイス上で実行される。典型的には、店の経営者は、ｉＰａｄなどに管理アプリケーションをロードし、正確な在庫情報を得るために店をスキャンすることができる。管理アプリケーションはその後、在庫状況についてサーバーを更新する。管理アプリケーションは注文を仕入先へと処理し、これは自動的に行われる。
【０２０２】
バーチャルリード
バーチャルリードの機能は、経営者が、選択されたタグ（１０’）上に「バーチャルリード」を作成することを可能にし、その結果、タグが特定の範囲を越えて移動すると、アプリケーションは警報を発する。本質的には、バーチャルリード機能は、Ｆｉｎｄ  ｉｔ  機能とは正反対である。使用時、バーチャルリード機能は、品物が支払いをすることなく（あるいはタグを取り外すことなく）店から持ち去られた場合に警報が鳴る、盗難防止機構として機能することができる。盗難防止センサーは、タグが行き過ぎて警報が鳴るかどうかを決定することができる。店の出口では、ＯＳＵは、出口を通過する品物について指向性アンテナでスキャンする。サイレンが鳴ることもあり、あるいは、店の経営者が警報を鳴らすこともあり、あるいはモールの警察に駆けつけてもらうこともできる。
【０２０３】
ＢＬＵトラッカー（Ｔｒａｃｋｅｒ）
図１４は、本発明の超小型Ｂｌｕｅｔｏｏｔｈ  ＧＰＳロケーターのブロック図である。革新的なＧＰＳロケーターは、Ｂｌｕｅｔｏｏｔｈ送信機を使用して、その位置を送信する。典型的なＧＰＳ受信機は電力消費量が高く、したがって、モバイルデバイスにインストールされると、かなり短時間で電池を消費する。
【０２０４】
さらに、デバイスが別のデバイスにその位置を送信するために、Ｂｌｕｅｔｏｏｔｈ通信を使用している場合、デバイス間の距離は、Ｂｌｕｅｔｏｏｔｈ信号の強度が小さいため、しばしば数フィートに制限される。
【０２０５】
本発明は、運動を検知したときにのみデバイスを起動させ、移動していないときには電池の電力を節約する、内蔵型の加速度計を用いることによって、前述の問題を解決することを目標としている。加速度計を起動することにより、デバイスは、充電する必要なく、最大で２か月間、動作することが可能となる。デバイスは、信号が約２０００フィートの距離に到達するのを可能にするような方法で、Ｂｌｕｅｔｏｏｔｈ信号を増幅する、改良型ＲＦ増幅器および全指向性アンテナも利用する。
【０２０６】
本発明のトラッカー（１００）は、外部の充電器に接続されると電池（１２０）を充電する、電源回路（１１０）を含んでいる。典型的には、空の状態から完全な状態まで電池を充電すると、およそ１時間かかる。加速度計（１３０）はデバイスの運動を検知する。デバイスが動いているときは常に、ＧＰＳアンテナ（１５０）を介してＧＰＳサテライトからＧＰＳ位置を得るために、ＧＰＳチップセット（１４０）は、一定間隔（例えば、６０秒ごと）で起動される。ひとたびＧＰＳ位置が得られると、ＧＰＳチップセット（１４０）は、あらかじめ決められた間隔の持続時間のあいだ、スタンバイモードに入り、それによって、電力をほとんど消費しない。加速度計（１３０）が運動を検知しない場合、ＧＰＳチップセット（１４０）はスリープモードに入り、電力をまったく消費しない。
【０２０７】
描かれた典型的な実施形態では、デバイス（１００）は、規則的なあらかじめ決められた間隔（すなわち、１秒）で最新のＧＰＳ位置を送信するために、２．４ＧＨｚのＲＦ増幅器（１７０）と全指向性アンテナ（１８０）に動作可能につながれた、Ｂｌｕｅｔｏｏｔｈ  ４．０チップセット（１６０）を使用する。位置信号を送信した後、増幅器の構成要素は、電力消費を減らすために、間隔の持続時間のあいだ電源を切る。別のＢｌｕｅｔｏｏｔｈデバイスと対になるためにデバイスＩＤを送信する通常のＢｌｕｅｔｏｏｔｈデバイスとは違って、Ｂｌｕｅｔｏｏｔｈ  ４．０チップセット（１６０）は、デバイスＩＤの代わりにＧＰＳ位置を送信し、その結果、受信デバイス（例えば、携帯電話）は、トラッカーと対になる必要はない。ユーザーは、周囲のＢｌｕｅｔｏｏｔｈデバイスを監視しさえすればよく、Ｂｌｕｅｔｏｏｔｈ送信機から情報のたった１つのパケットを受信するだけで、ユーザーにデバイスの位置が知らされる。それぞれのＧＰＳロケーターデバイスは、異なる暗号でそのＧＰＳ位置を送信することができる。これにより、デバイスの所有者だけが、その位置を見て、他のデバイスからの「クロストーク」の干渉を防ぐことができる。
【０２０８】
ユーザーは、ＧＰＳロケーターデバイスと連動するように設計された特別なアプリケーションを、自分の携帯電話にダウンロードすることができる。典型的には、そのアプリケーションによって、ユーザーは、あらかじめ決められたデバイスの暗号に従って同期し、地図上でデバイスの位置を見て、特定の点からのＧＰＳロケーターデバイスの距離があらかじめ定められた距離を超えたときなどは常に警報を鳴らすことができる。
【０２０９】
デバイスがＧＰＳを受信できず、位置を得られない屋内の場合については、アプリケーションは、Ｂｌｕｅｔｏｏｔｈの信号強度に応じて、デバイスの推定された距離を計算して表示することもできる。ユーザーは携帯電話を（３６０度の方向転換を行って）回転させ、携帯電話のアンテナパターンと指向性方向（電話の加速度計またはコンパスセンサーを使用して）を知り、アプリケーションはさらに、ユーザーに対するデバイスの推測される方向を計算して表示する。現在のユーザーの位置とＧＰＳロケーターデバイスの位置のグラフィック表示は、自分がデバイスに近づきつつあるのか、離れつつあるのかをユーザーが見分けることができるような方法で動的に更新される。
【０２１０】
小型のＧＰＳロケーターデバイスは、ペットの首輪またはリード、子どもの靴、リュックサックなどに、該デバイスを取り付けることを可能にする。この場合のデバイスは、屋外での使用のために設計されている（すなわち、硬く水封式である）。
【０２１１】
本発明は限られた数の実施形態に関して記載されてきたが、本発明の多くの変更、修飾および他の適用がなされてもよいことが理解されよう。したがって、後に続く請求項で詳述されるような請求項にかかる発明は、本明細書に記載された実施形態には限定されない。
【０２１２】
客がカウンターの前にいるかレジの前に立っているかどうか知る方法：５０センチほどの相対的に短い距離をおいて（客に直接沿うようにして）順に２つのビーコンを置くことによって、電話は２つのビーコンを検出する。電話に近い方の１つであるビーコンＡをカウンターの端に置き、もう１つのビーコンであるビーコンＢを最初のビーコンから５０センチ離しておく。すべてのデバイス、客の電話、ビーコンＡ、ビーコンＢが、１本の直線上に置かれる。
【０２１３】
距離が長ければ長いほど、ＲＳＳＩ値は変化し、距離が長ければ長いほど、ＲＳＳＩ値は変化しないので、電話はビーコンＡを非常に近い（例えば、−６０ｄＢＭ）と検出し、ビーコンＢは−７０ｄＢＭと検出するだろう。電話が、カウンターでビーコンを設定する際に測定されるものと一致またはほぼ一致する、ビーコンＡとビーコンＢの間の既知の違いを検知すると、電話はそれがカウンター／キャッシャーの前にあると認証することができる。離れた位置にいる店の誰かが、非常に類似したＲＳＳＩ値のビーコンＡとＢの双方を検知するであろう。
【図１Ａ】
2014099857.tif 000003
【図１Ｂ】
2014099857.tif 000004
【図２】
2014099857.tif 000005
【図３Ａ】
2014099857.tif 000006
【図３Ｂ】
2014099857.tif 000007
【図３Ｃ】
2014099857.tif 000008
【図３Ｄ】
2014099857.tif 000009
【図４】
2014099857.tif 000010
【図４Ａ】
2014099857.tif 000011
【図５】
2014099857.tif 000012
【図６】
2014099857.tif 000013
【図７】
2014099857.tif 000014
【図８Ａ】
2014099857.tif 000015
【図８Ｂ】
2014099857.tif 000016
【図９】
2014099857.tif 000017
【図１０】
2014099857.tif 000018
【図１１】
2014099857.tif 000019
【図１２】
2014099857.tif 000020
【図１３】
2014099857.tif 000021
【図１３Ａ】
2014099857.tif 000022
【図１４】
2014099857.tif 000023
【外国語明細書】
ＡＰＰＬＩＣＡＴＩＯＮ  ＦＯＲ  ＰＡＴＥＮＴ  
Ｔｉｔｌｅ：        Ｌｏｃａｔｏｒ  Ｂｅａｃｏｎ  ａｎｄ  Ｒａｄａｒ  Ａｐｐｌｉｃａｔｉｏｎ  ｆｏｒ  Ｍｏｂｉｌｅ  Ｄｅｖｉｃｅ
ＦＩＥＬＤ  ＡＮＤ  ＢＡＣＫＧＲＯＵＮＤ  ＯＦ  ＴＨＥ  ＩＮＶＥＮＴＩＯＮ
Ｔｈｅ  ｐｒｅｓｅｎｔ  ｉｎｖｅｎｔｉｏｎ  ｒｅｌａｔｅｓ  ｔｏ  ａ  ｃｏｉｎ  ｓｉｚｅｄ  ａｔｔａｃｈａｂｌｅ  ｂｅａｃｏｎ  （ａｌｓｏ  ｒｅｆｅｒｒｅｄ  ｔｏ  ｈｅｒｅｉｎ  ａｓ  ‘Ｓｔｉｃｋ−Ｎ−Ｆｉｎｄ’，  ‘Ｓｔｉｃｋ−Ｎ−Ｆｉｎｄ  Ｂｅａｃｏｎ’，  ‘ｓｔｉｃｋｅｒ  ｂｅａｃｏｎ’，  ‘ｂｌｕｅｔｏｏｔｈ  ｓｔｉｃｋｅｒ’，  ‘ｂｅａｃｏｎ’，  ｏｒ  ‘ｓｔｉｃｋｅｒ’）  ｅｑｕｉｐｐｅｄ  ｗｉｔｈ  Ｂｌｕｅｔｏｏｔｈ  ｃｏｍｍｕｎｉｃａｔｉｏｎ  ａｂｉｌｉｔｉｅｓ  ａｎｄ  ｐｒｅｆｅｒａｂｌｙ  ｗｉｔｈ  Ｂｌｕｅｔｏｏｔｈ  Ｌｏｗ  Ｅｎｅｒｇｙ  （ＢＬＥ）  ｃｏｍｍｕｎｉｃａｔｉｏｎ  ａｂｉｌｉｔｉｅｓ．  Ｔｈｅ  ｂｅａｃｏｎ  ｃａｎ  ｂｅ  ａｄｈｅｒｅｄ  ｏｒ  ａｔｔａｃｈｅｄ  ｔｏ  ａｎｙ  ｄｅｖｉｃｅ，  ｐｅｒｓｏｎ  ｏｒ  ａｎｉｍａｌ，  ｅｔｃ．  ａｎｄ  ｃａｎ  ｂｅ  ｌｏｃａｔｅｄ  ｕｓｉｎｇ  ａ  ｍｏｂｉｌｅ  ｃｏｍｐｕｔｉｎｇ  ａｎｄ  ｃｏｍｍｕｎｉｃａｔｉｏｎｓ  ｄｅｖｉｃｅ  ｒｕｎｎｉｎｇ  ａ  ｃｏｍｐｌｅｍｅｎｔａｒｙ  ａｐｐｌｉｃａｔｉｏｎ．
ＤＥＦＩＮＩＴＩＯＮＳ  
Ｂｌｕｅｔｏｏｔｈ  Ｌｏｗ  Ｅｎｅｒｇｙ  （ＢＬＥ）  ｉｓ  ａ  ｆｅａｔｕｒｅ  ｏｆ  Ｂｌｕｅｔｏｏｔｈ  ４．０  ｗｉｒｅｌｅｓｓ  ｒａｄｉｏ  ｔｅｃｈｎｏｌｏｇｙ，  ａｉｍｅｄ  ａｔ  ｎｅｗ，  ｐｒｉｎｃｉｐａｌｌｙ  ｌｏｗ−ｐｏｗｅｒ  ａｎｄ  ｌｏｗ−ｌａｔｅｎｃｙ，  ａｐｐｌｉｃａｔｉｏｎｓ  ｆｏｒ  ｗｉｒｅｌｅｓｓ  ｄｅｖｉｃｅｓ  ｗｉｔｈｉｎ  ａ  ｓｈｏｒｔ  ｒａｎｇｅ  （ｕｐ  ｔｏ  ５０  ｍｅｔｅｒｓ  ／  １６０  ｆｅｅｔ）．  Ｔｈｉｓ  ｆａｃｉｌｉｔａｔｅｓ  ａ  ｗｉｄｅ  ｒａｎｇｅ  ｏｆ  ａｐｐｌｉｃａｔｉｏｎｓ  ａｎｄ  ｓｍａｌｌｅｒ  ｆｏｒｍ  ｆａｃｔｏｒ  ｄｅｖｉｃｅｓ．
Ｏｎｅ  ｉｍｐｏｒｔａｎｔ  ｄｉｆｆｅｒｅｎｃｅ  ｂｅｔｗｅｅｎ  ＢＬＥ  ａｎｄ  Ｃｌａｓｓｉｃ  Ｂｌｕｅｔｏｏｔｈ  ｉｓ  ｔｈａｔ，  ｔｏ  ｏｂｔａｉｎ  ｓｉｍｐｌｅｒ  ａｎｄ  ｃｈｅａｐｅｒ  ｒａｄｉｏ  ｃｈｉｐｓｅｔｓ，  ＢＬＥ  ｕｓｅｓ  ｏｎｌｙ  ４０  ｃｈａｎｎｅｌｓ，  ２  ＭＨｚ  ｗｉｄｅ，  ｗｈｉｌｅ  Ｃｌａｓｓｉｃ  Ｂｌｕｅｔｏｏｔｈ  ｕｓｅｓ  ７９  ｃｈａｎｎｅｌｓ，  １  ＭＨｚ  ｗｉｄｅ．  Ｔｈｒｅｅ  ｏｆ  ｔｈｅｓｅ  ｃｈａｎｎｅｌｓ，  ｗｈｉｃｈ  ａｒｅ  ｌｏｃａｔｅｄ  ｅｘａｃｔｌｙ  ｂｅｔｗｅｅｎ  ｔｈｅ  Ｗｉｒｅｌｅｓｓ  ＬＡＮ  ｃｈａｎｎｅｌｓ，  ａｒｅ  ｕｓｅｄ  ｆｏｒ  ｄｅｖｉｃｅ  ｄｉｓｃｏｖｅｒｙ  ａｎｄ  ｃｏｎｎｅｃｔｉｏｎ  ｓｅｔｕｐ．  Ｔｈｅｓｅ  ｃｈａｎｎｅｌｓ  （ａｌｓｏ  ｋｎｏｗｎ  ａｓ  “ａｄｖｅｒｔｉｓｉｎｇ”  ｃｈａｎｎｅｌｓ）  ａｒｅ  ｕｓｅｄ  ｂｙ  ｔｈｅ  ｔｅｃｈｎｏｌｏｇｙ  ｔｏ  ｓｅａｒｃｈ  ｆｏｒ  ｏｔｈｅｒ  ｄｅｖｉｃｅｓ  ｏｒ  ｐｒｏｍｏｔｅ  ｉｔｓ  ｏｗｎ  ｐｒｅｓｅｎｃｅ  ｔｏ  ｄｅｖｉｃｅｓ  ｔｈａｔ  ｍｉｇｈｔ  ｂｅ  ｌｏｏｋｉｎｇ  ｔｏ  ｍａｋｅ  ａ  ｃｏｎｎｅｃｔｉｏｎ．  Ｉｎ  ｃｏｍｐａｒｉｓｏｎ，  Ｃｌａｓｓｉｃ  Ｂｌｕｅｔｏｏｔｈ  ｔｅｃｈｎｏｌｏｇｙ  ｕｓｅｓ  ３２  ｃｈａｎｎｅｌｓ  ｆｏｒ  ｔｈｅ  ｓａｍｅ  ｔａｓｋ．  Ｔｈｉｓ  ｄｒａｓｔｉｃ  ｒｅｄｕｃｔｉｏｎ  ｉｓ  ｏｎｅ  ｍｏｒｅ  ｔｒｉｃｋ  ｔｈａｔ  ＢＬＥ  ｕｓｅｓ  ｔｏ  ｍｉｎｉｍｉｚｅ  ｔｉｍｅ  ｏｎ  ａｉｒ，  ｓｏ  ａｓ  ｔｏ  ｒｅｄｕｃｅ  ｐｏｗｅｒ  ｃｏｎｓｕｍｐｔｉｏｎ．  ＢＬＥ  ｈａｓ  ｔｏ  ｓｗｉｔｃｈ  “ｏｎ”  ｆｏｒ  ｊｕｓｔ  ０．６  ｔｏ  １．２  ｍｓ  ｔｏ  ｓｃａｎ  ｆｏｒ  ｏｔｈｅｒ  ｄｅｖｉｃｅｓ  ｕｓｉｎｇ  ｉｔｓ  ｔｈｒｅｅ  ａｄｖｅｒｔｉｓｉｎｇ  ｃｈａｎｎｅｌｓ．  Ｃｌａｓｓｉｃ  Ｂｌｕｅｔｏｏｔｈ，  ｉｎｓｔｅａｄ，  ｒｅｑｕｉｒｅｓ  ２２．５  ｍｓ  ｔｏ  ｓｃａｎ  ｉｔｓ  ３２  ｃｈａｎｎｅｌｓ．  Ｔｈｅ  ｐｏｗｅｒ  ｓａｖｉｎｇｓ  ａｒｅ  ｓｉｇｎｉｆｉｃａｎｔ：  ＢＬＥ  ｃｏｎｓｕｍｅｓ  １０  ｔｏ  ２０  ｔｉｍｅｓ  ｌｅｓｓ  ｐｏｗｅｒ  ｔｈａｎ  Ｃｌａｓｓｉｃ  Ｂｌｕｅｔｏｏｔｈ  ｔｅｃｈｎｏｌｏｇｙ  ｔｏ  ｌｏｃａｔｅ  ｏｔｈｅｒ  ｒａｄｉｏｓ．  
Ｔｈｅ  ｍｏｂｉｌｅ  ｄｅｖｉｃｅ  ｃａｎ  ｂｅ  ａ  ｃｅｌｌｕｌａｒ  ｏｒ  ｓａｔｅｌｌｉｔｅ  ｐｈｏｎｅ  ｅｎａｂｌｅｄ  ｗｉｔｈ  ｅｉｔｈｅｒ  ＧＰＳ  ｃａｐａｂｉｌｉｔｉｅｓ  ｏｒ  ｓｉｍｉｌａｒ  ｓａｔｅｌｌｉｔｅ−ｂａｓｅｄ  ｐｏｓｉｔｉｏｎｉｎｇ  ｃａｐａｂｉｌｉｔｉｅｓ  ｔｈａｔ  ｃａｎ  ｐｉｎ−ｐｏｉｎｔ  ｔｈｅ  Ｘ  ａｎｄ  Ｙ  ｃｏｏｒｄｉｎａｔｅｓ  ｏｒ  Ｘ，  Ｙ  ａｎｄ  Ｚ  ｃｏｏｒｄｉｎａｔｅｓ  ｏｆ  ｔｈｅ  ｄｅｖｉｃｅ．  Ｇｌｏｂａｌ  Ｎａｖｉｇａｔｉｏｎ  Ｓａｔｅｌｌｉｔｅ  Ｓｙｓｔｅｍ  （ＧＮＳＳ）  ｒｅｃｅｉｖｅｒｓ，  ｕｓｉｎｇ  ｔｈｅ  ＧＰＳ，  ＧＬＯＮＡＳＳ，  Ｇａｌｉｌｅｏ  ｏｒ  Ｂｅｉｄｏｕ  ｓｙｓｔｅｍ，  ａｒｅ  ｕｓｅｄ  ｉｎ  ｍａｎｙ  ａｐｐｌｉｃａｔｉｏｎｓ．  Ｆｏｒ  ｓｉｍｐｌｉｃｉｔｙ  ｓａｋｅ，  ｔｈｅ  ｔｅｒｍ  ＧＰＳ  ｗｉｌｌ  ｂｅ  ｕｓｅｄ  ｉｎ  ｔｈｉｓ  ｄｏｃｕｍｅｎｔ  ｂｕｔ  ｉｔ  ｉｓ  ｔｏ  ｂｅ  ｕｎｄｅｒｓｔｏｏｄ  ｔｈａｔ  ｔｈｉｓ  ｉｓ  ｏｎｌｙ  ａｎ  ｅｘｅｍｐｌａｒｙ  ｒｅｆｅｒｅｎｃｅ．  Ｔｈｅ  ＧＰＳ  ｄｅｖｉｃｅ  ｍａｙ  ｅｉｔｈｅｒ  ｂｅ  ｉｎｔｅｇｒａｔｅｄ  ｉｎｔｏ  ｔｈｅ  ｍｏｂｉｌｅ  ｈａｎｄｓｅｔ  ｏｒ  ａｎ  ｅｘｔｅｒｎａｌ  ｄｅｖｉｃｅ  ｃｏｕｐｌｅｄ  （ｗｉｒｅｄ  ｏｒ  ｗｉｒｅｌｅｓｓ）  ｔｏ  ｔｈｅ  ｈａｎｄｓｅｔ．
Ｉｎ  ｏｔｈｅｒ  ｅｍｂｏｄｉｍｅｎｔｓ，  ｔｈｅ  ｍｏｂｉｌｅ  ｄｅｖｉｃｅ  ｈａｓ  ｏｒ  ｏｎｌｙ  ｈａｓ  ｓｈｏｒｔ  ｒａｎｇｅ  ｏｒ  ｌｏｃａｌ−ａｒｅａ  ｗｉｒｅｌｅｓｓ  ｃａｐａｂｉｌｉｔｉｅｓ．  Ｅｘａｍｐｌｅｓ  ｏｆ  ｓｕｃｈ  ｍｏｂｉｌｅ  ｄｅｖｉｃｅｓ  ｉｎｃｌｕｄｅ：  ｍｏｂｉｌｅ  ｐｈｏｎｅｓ  （ｓｍａｒｔｐｈｏｎｅｓ），  ＰＤＡｓ，  ｔａｂｌｅｔ  ｃｏｍｐｕｔｅｒｓ，  ｍｉｎｉ−ｔａｂｌｅｔｓ，  ｌａｐｔｏｐｓ，  ｍｉｎｉ−ｌａｐｔｏｐｓ  ａｎｄ  ｍｏｒｅ．
‘Ｍｏｂｉｌｅ  ｄｅｖｉｃｅ’，  ‘ｓｍａｒｔ  ｐｈｏｎｅ’，  ‘ｃｅｌｌ−ｐｈｏｎｅ’，  ‘ｃｅｌｌｕｌａｒ  ｄｅｖｉｃｅ’  ａｎｄ  ｓｉｍｉｌａｒ  ｔｅｒｍｓ  ａｒｅ  ｕｓｅｄ  ｉｎｔｅｒｃｈａｎｇｅａｂｌｙ  ｈｅｒｅ．  ‘Ｍｏｂｉｌｅ  Ｃｏｍｐｕｔｉｎｇ  Ｄｅｖｉｃｅ  （ＭＣＤ）’  ｏｒ  ｓｉｍｐｌｙ  ‘ｍｏｂｉｌｅ  ｄｅｖｉｃｅ’  ｉｓ  ａ  ｔｅｒｍ  ｕｓｅｄ  ｔｏ  ｉｎｃｌｕｄｅ  ａｌｌ  ｔｙｐｅｓ  ｏｆ  ｍｏｂｉｌｅ  ｄｅｖｉｃｅｓ  ｕｎｌｅｓｓ  ｓｐｅｃｉｆｉｅｄ  ａｓ  ａ  ｍｏｂｉｌｅ  ｐｈｏｎｅ  ｏｒ  ｃｅｌｌ  ｐｈｏｎｅ  ｅｔｃ．  Ｍｏｂｉｌｅ  ｐｈｏｎｅ  ｇｅｎｅｒａｌｌｙ  ｒｅｆｅｒｓ  ｔｏ  ａ  ｍｏｂｉｌｅ  ｈａｎｄｓｅｔ  ｗｉｔｈ  ａｔ  ｌｅａｓｔ  ｃｅｌｌｕａｒ  ｔｅｌｅｐｈｏｎｉｃ  ｃｏｍｍｕｎｉｃａｔｉｏｎｓ  ｃａｐａｂｉｌｉｔｉｅｓ，  ｃｏｍｐｕｔｉｎｇ  ｃａｐａｂｉｌｉｔｉｅｓ，  ａｎｄ  ｗｉｒｅｌｅｓｓ  ｌｏｃａｌ／ｓｈｏｒｔ−ｒａｎｇｅ  ｄａｔａ  ｃｏｍｍｕｎｉｃａｔｉｏｎ  ｃａｐａｂｉｌｉｔｉｅｓ  （ｅ．ｇ．  Ｂｌｕｅｔｏｏｔｈ（Ｔｒａｄｅｍａｒｋ），  ＲＦＩＤ，  ＮＦＣ  ｅｔｃ．）．  ＧＰＳ−ｌｉｋｅ  ｃａｐａｂｉｌｉｔｉｅｓ  ａｒｅ  ｐｒｅｆｅｒｒｅｄ  ｉｎ  ｓｏｍｅ  ｅｍｂｏｄｉｍｅｎｔｓ．  Ｔｈｅ  ｃｕｒｒｅｎｔ  ｉｎｖｅｎｔｉｏｎ  ｐｅｒｔａｉｎｓ  ｅｑｕａｌｌｙ  ｔｏ  ｍｏｂｉｌｅ  ｃｏｍｐｕｔｉｎｇ  ｐｌａｔｆｏｒｍｓ  ｈａｖｉｎｇ  ｔｈｅ  ｓａｍｅ  ｃａｐａｂｉｌｉｔｉｅｓ，  ｅｖｅｎ  ｔｈｏｓｅ  ｎｏｔ  ｇｅｎｅｒａｌｌｙ  ｕｓｅｄ  ｆｏｒ  ｔｅｌｅｐｈｏｎｉｃ  ｃｏｍｍｕｎｉｃａｔｉｏｎｓ  ｏｒ  ｅｖｅｎ  ｌａｃｋｉｎｇ  ｓｕｃｈ  ｆｅａｔｕｒｅｓ．
Ｔｈｅ  ｔｗｏ  ｔｙｐｅｓ  ｏｆ  ｗｉｒｅｌｅｓｓ  ｔｅｃｈｎｏｌｏｇｉｅｓ  ｒｅａｄｉｌｙ  ａｖａｉｌａｂｌｅ  ｏｎ  ｍｏｓｔ  ｍｏｂｉｌｅ  ｄｅｖｉｃｅｓ  ｃａｎ  ｇｅｎｅｒａｌｌｙ  ｂｅ  ｄｉｖｉｄｅｄ  ｉｎｔｏ  Ｌｏｃａｌ  Ａｒｅａ  Ｗｉｒｅｌｅｓｓ  Ｃｏｍｍｕｎｉｃａｔｉｏｎ  （ＬＡＷＣ）  ｔｅｃｈｎｏｌｏｇｙ  ａｎｄ  Ｗｉｄｅ  Ａｒｅａ  Ｗｉｒｅｌｅｓｓ  Ｃｏｍｍｕｎｉｃａｔｉｏｎ  （ＷＡＷＣ）  ｔｅｃｈｎｏｌｏｇｙ  （ｅｌｅｍｅｎｔｓ  ｏｆ  ｔｈｅ  ａｆｏｒｅｍｅｎｔｉｏｎｅｄ  ｎａｍｅｓ  ａｒｅ  ｂｏｒｒｏｗｅｄ  ｆｒｏｍ  ｔｈｅ  ｃｏｍｐｕｔｅｒ  ｔｅｃｈｎｏｌｏｇｙ  ｔｅｒｍｉｎｏｌｏｇｙ  Ｌｏｃａｌ  Ａｒｅａ  Ｎｅｔｗｏｒｋｓ  ａｎｄ  Ｗｉｄｅ  Ａｒｅａ  Ｎｅｔｗｏｒｋｓ，  ａｌｔｈｏｕｇｈ  ｎｏ  ｉｎｆｅｒｅｎｃｅｓ  ｓｈｏｕｌｄ  ｂｅ  ｍａｄｅ  ｂｅｔｗｅｅｎ  ｔｈｅ  ｔｗｏ  ｔｅｃｈｎｏｌｏｇｉｅｓ）．  Ｔｈｅ  ｔｅｒｍ  ‘ｃｏｍｍｕｎｉｃａｔｉｏｎ’  ｗｉｔｈ  ｒｅｆｅｒｅｎｃｅ  ｔｏ  ＬＡＷＣ  ａｎｄ  ＷＡＷＣ  ｃａｎ  ｂｅ  ｔｗｏ−ｗａｙ  ｃｏｍｍｕｎｉｃａｔｉｏｎ  ｏｒ  ｏｎｌｙ  ｏｎｅ−ｗａｙ  ｃｏｍｍｕｎｉｃａｔｉｏｎ．  Ｔｈｅ  ｃｏｍｍｕｎｉｃａｔｉｏｎ  ｍｅｄｉｕｍ  ｍａｙ  ｂｅ  ｓｏｕｎｄ  ｗａｖｅｓ，  ｅｌｅｃｔｒｏｍａｇｎｅｔｉｃ  ｅｎｅｒｇｙ  ｓｕｃｈ  ａｓ  ｒａｄｉｏ  ｗａｖｅｓ，  ｌｉｇｈｔ  ｗａｖｅｓ  ａｎｄ  ｔｈｅ  ｌｉｋｅ．  Ａｎ  ｅｘａｍｐｌｅ  ｏｆ  ｔｈｅ  ＬＡＷＣ  ｔｅｃｈｎｏｌｏｇｙ  ｉｓ  Ｂｌｕｅｔｏｏｔｈ（Ｔｒａｄｅｍａｒｋ）  （ＢＴ），  ｂｕｔ  ｉｔ  ｉｓ  ｕｎｄｅｒｓｔｏｏｄ  ｔｈａｔ  ｔｈｅ  ｕｓｅ  ｏｆ  Ｂｌｕｅｔｏｏｔｈ  ｔｅｃｈｎｏｌｏｇｙ  ｈｅｒｅｉｎ  ｉｓ  ｍｅｒｅｌｙ  ｅｘｅｍｐｌａｒｙ  ａｎｄ  ｔｈａｔ  ｏｔｈｅｒ  ｃｏｍｍｕｎｉｃａｔｉｏｎ  ｔｅｃｈｎｏｌｏｇｉｅｓ  ｓｕｃｈ  ａｓ，  ｂｕｔ  ｎｏｔ  ｌｉｍｉｔｅｄ  ｔｏ，  ＲＦＩＤ，  ＮＦＣ  ，  ＩｒＤＡ，  ＵＷＢ  ａｎｄ  ｏｔｈｅｒｓ  ｍａｙ  ｂｅ  ｅｍｐｌｏｙｅｄ  ｉｎ  ｐｌａｃｅ  ｏｆ  Ｂｌｕｅｔｏｏｔｈ．  Ｅｘａｍｐｌｅｓ  ｏｆ  ＷＡＷＣ  ｉｎｃｌｕｄｅ  ｃｅｌｌｕｌａｒ  ｃｏｍｍｕｎｉｃａｔｉｏｎ，ＷＩＦＩ  ａｎｄ  ｓａｔｅｌｌｉｔｅ  ｃｏｍｍｕｎｉｃａｔｉｏｎ．  Ｉｎ  ｓｏｍｅ  ｉｎｓｔａｎｃｅｓ  ｔｈｅ  ｄｉｓｔｉｎｃｔｉｏｎ  ｂｅｔｗｅｅｎ  ＬＡＷＣ  ａｎｄ  ＷＡＷＣ  ｍａｙ  ｎｏｔ  ｂｅ  ｓｏ  ｃｌｅａｒ，  ｂｕｔ  ｉｎ  ｇｅｎｅｒａｌ  ｔｈｅ  ｇｉｖｅｎ  ｄｅｆｉｎｉｔｉｏｎｓ  ｗｉｌｌ  ｓｕｆｆｉｃｅ  ｔｏ  ｄｉｓｔｉｎｇｕｉｓｈ  ｂｅｔｗｅｅｎ  ｔｅｃｈｎｏｌｏｇｙ  ｔｙｐｅｓ  ｅｍｐｌｏｙｅｄ  ｗｉｔｈｉｎ  ｔｈｅ  ｓｃｏｐｅ  ｏｆ  ｔｈｅ  ｉｎｖｅｎｔｉｏｎ．
Ｔｈｅ  ＬＡＷＣ  ｅｎａｂｌｅｄ  ｄｅｖｉｃｅ  ｐａｓｓｅｓ  ｉｎｆｏｒｍａｔｉｏｎ  “ｏｎ  ｃｏｎｔａｃｔ”  ｗｉｔｈ  ｏｔｈｅｒ  ｐｅｏｐｌｅ  ｏｒ  ｅｎｔｉｔｉｅｓ  ａｕｔｏｍａｔｉｃａｌｌｙ，  ｓｅｍｉ−ａｕｔｏｍａｔｉｃａｌｌｙ  ａｎｄ／ｏｒ  ｍａｎｕａｌｌｙ．  Ｔｈｅ  ｔｅｒｍｓ  “ｃｏｎｔａｃｔ”，  “ｖｉｃｉｎｉｔｙ”  ａｎｄ  “ｐｒｏｘｉｍｉｔｙ”，  ａｓ  ｕｓｅｄ  ｈｅｒｅｉｎ，  ｒｅｆｅｒ  ｔｏ  ｐｈｙｓｉｃａｌｌｙ  ｃｌｏｓｅ  ｐｒｏｘｉｍｉｔｙ  ｂｅｔｗｅｅｎ  ｔｗｏ  ｐａｒｔｉｅｓ，  ｗｈｉｃｈ  ｃａｎ  ｂｅ  ｄｅｆｉｎｅｄ  ａｓ  ａ  ｒａｎｇｅ  ｏｆ  ｄｉｓｔａｎｃｅ  ｂｅｔｗｅｅｎ  ｔｈｅ  ｔｗｏ  ｅｎｔｉｔｉｅｓ  （ｐｏｔｅｎｔｉａｌｌｙ  ｃａｌｃｕｌａｔｅｄ  ｕｓｉｎｇ  ＧＰＳ  ｔｒｉａｎｇｕｌａｔｉｏｎ，  ｃｅｌｌｕｌａｒ  ｃｏｏｒｄｉｎａｔｅ  ｒｅｃｏｇｎｉｔｉｏｎ，  ｅｔｃ．）  ｏｒ  ｔｈｅ  ａｂｉｌｉｔｙ  ｔｏ  ｉｎｉｔｉａｔｅ  ｄｉｒｅｃｔ  Ｂｌｕｅｔｏｏｔｈ  ｄｉｓｃｏｖｅｒｙ  ｏｒ  ｏｔｈｅｒ  ｔｅｃｈｎｏｌｏｇｙ  ｔｈａｔ  ｄｅｔｅｃｔｓ  ａ  ｄｉｒｅｃｔ  ｌｏｃａｔｉｏｎ  ｌｉｎｋ  ｂｅｔｗｅｅｎ  ｔｗｏ  ｐｅｏｐｌｅ  （ｅ．ｇ．  ｕｓｉｎｇ  ＲＦＩＤ  ｒｅａｄｅｒ  ｏｒ  ＮＦＣ  ｃｏｍｍｕｎｉｃａｔｉｏｎ）．  Ｐｒｏｘｉｍｉｔｙ  ｉｓ  ｄｅｆｉｎｅｄ  ａｓ  ｔｈｅ  ｕｐｐｅｒ  ｒａｎｇｅ  ｏｆ  ｄａｔａ  ｃｏｍｍｕｎｉｃａｔｉｏｎ  ｃａｐａｂｉｌｉｔｉｅｓ  ｆｏｒ  ｓｈｏｒｔ−ｒａｎｇｅ  ｃｏｍｍｕｎｉｃａｔｉｏｎ  ｔｅｃｈｎｏｌｏｇｙ．  Ｔｈｅ  ｎｕｍｂｅｒ  ｏｆ  ｅｘｅｍｐｌａｒｙ  ｓｈｏｒｔ−ｒａｎｇｅ  ｔｅｃｈｎｏｌｏｇｉｅｓ  ａｎｄ  ｔｈｅｉｒ  ｔｒａｎｓｍｉｓｓｉｏｎ／ｃｏｍｍｕｎｉｃａｔｉｏｎ  ｒａｎｇｅｓ  ｆｏｌｌｏｗ．  Ｂａｓｉｃ  Ｂｌｕｅｔｏｏｔｈ  ｔｅｃｈｎｏｌｏｇｙ  ｔｒａｎｓｍｉｔｓ  ｕｐ  ｔｏ  ａｐｐｒｏｘｉｍａｔｅｌｙ  ３０  ｍｅｔｅｒｓ  ｏｒ  １００  ｆｅｅｔ．  ＲＦＩＤ  ｔｅｃｈｎｏｌｏｇｙ  ｈａｓ  ａ  ｎｕｍｂｅｒ  ｏｆ  ｄｉｆｆｅｒｅｎｔ  ｒａｎｇｅｓ，  ｄｅｐｅｎｄｉｎｇ  ｏｎ  ｖａｒｉｏｕｓ  ｆａｃｔｏｒｓ．  Ｔｙｐｉｃａｌｌｙ，  ｔｈｅ  ｒｅａｄ  ｒａｎｇｅ  ｉｓ  ａｐｐｒｏｘｉｍａｔｅｌｙ  ｂｅｔｗｅｅｎ  ３  ａｎｄ  ３００  ｆｅｅｔ  （１−１００  ｍｅｔｅｒｓ）．  ＲＦＩＤ  ｒｅａｄｅｒｓ  ｃａｎ  ｒｅａｄ  ｔａｇｓ  ｉｎ  ｓｍａｒｔ  ｃａｒｄｓ  ｆｒｏｍ  ａｂｏｕｔ  ３  ｆｅｅｔ；  ｔａｇｓ  ｏｎ  ｐａｌｌｅｔｓ  ａｎｄ  ｃａｓｅｓ  ｏｆ  ｇｏｏｄｓ  ｃａｎ  ｂｅ  ｒｅａｄ  ｆｒｏｍ  ａｐｐｒｏｘｉｍａｔｅｌｙ  ２０−３０  ｆｅｅｔ  ａｎｄ  ｂａｔｔｅｒｙ−ｐｏｗｅｒｅｄ  ｔａｇｓ  （ｅ．ｇ．  ｔａｇｓ  ｕｓｅｄ  ｉｎ  ｔｏｌｌ  ｃｏｌｌｅｃｔｉｏｎ）  ｕｐ  ｔｏ  ａｐｐｒｏｘｉｍａｔｅｌｙ  ３００  ｆｅｅｔ．  ＮＦＣ  ｔｅｃｈｎｏｌｏｇｙ  ｃａｎ  ｔｙｐｉｃａｌｌｙ  ｔｒａｎｓｍｉｔ  ｄａｔａ  ｏｖｅｒ  ａ  ｄｉｓｔａｎｃｅ／ｒａｎｇｅ  ｏｆ  ｂｅｔｗｅｅｎ  ４ｃｍ  ａｎｄ  １．２ｍ．  
ＳＵＭＭＡＲＹ  ＯＦ  ＴＨＥ  ＩＮＶＥＮＴＩＯＮ
Ａｃｃｏｒｄｉｎｇ  ｔｏ  ｔｈｅ  ｐｒｅｓｅｎｔ  ｉｎｖｅｎｔｉｏｎ  ｔｈｅｒｅ  ｉｓ  ｐｒｏｖｉｄｅｄ  ａ  ｃｏｉｎ  ｓｉｚｅｄ，  ａｄｈｅｓｉｖｅ，  ｌｏｃａｔｏｒ  ｂｅａｃｏｎ  ｕｓｉｎｇ  Ｂｌｕｅｔｏｏｔｈ  Ｌｏｗ  Ｅｎｅｒｇｙ  ｃｏｍｍｕｎｉｃａｔｉｏｎ  ｃｏｕｐｌｅｄ  ｗｉｔｈ  ａ  ｍｏｂｉｌｅ  ａｐｐｌｉｃａｔｉｏｎ  ｆｏｒ  ａ  ｓｍａｒｔｐｈｏｎｅ／Ｔａｂｌｅｔ  ｃｏｍｐｕｔｅｒ／Ｌａｐｔｏｐ．  Ｔｈｅ  ａｐｐｌｉｃａｔｉｏｎ  ｏｆｆｅｒｓ  ｖａｒｉｏｕｓ  ｆｅａｔｕｒｅｓ  ｉｎｃｌｕｄｉｎｇ：  ａ  ｒａｄａｒ  ｓｃｒｅｅｎ  ｆｏｒ  ｄｅｔｅｒｍｉｎｉｎｇ  ｄｉｓｔａｎｃｅ  ｂｅｔｗｅｅｎ  ｄｅｖｉｃｅ  ａｎｄ  ｌｏｃａｔｏｒ  ｂｅａｃｏｎ；  ａ  Ｖｉｒｔｕａｌ  Ｌｅａｓｈ，  ｗｈｉｃｈ  ｓｏｕｎｄｓ  ａｎ  ａｌａｒｍ  ｉｆ  ａ  ｓｅｌｅｃｔｅｄ  ｂｅａｃｏｎ  ｇｏｅｓ  ｂｅｙｏｎｄ  ａ  ｐｒｅｄｅｆｉｎｅｄ  ｄｉｓｔａｎｃｅ  ｆｒｏｍ  ｔｈｅ  ｄｅｖｉｃｅ；  ａ  Ｆｉｎｄ  Ｉｔ  ｆｅａｔｕｒｅ  ｗｈｉｃｈ  ｓｏｕｎｄｓ  ａｎ  ａｌａｒｍ  ｗｈｅｎ  ａ  ｓｅｌｅｃｔｅｄ  ｂｅａｃｏｎ  ｃｏｍｅｓ  ｂａｃｋ  ｉｎｔｏ  ｒａｎｇｅ；  ａｎｄ  ａ  Ｔａｓｋ  Ｌａｕｎｃｈｅｒ  ｗｈｉｃｈ  ｉｓ  ｃａｐａｂｌｅ  ｏｆ  ｃａｕｓｉｎｇ  ｃｅｒｔａｉｎ  ｃｈａｎｇｅｓ  ｔｏ  ｍｏｂｉｌｅ  ｄｅｖｉｃｅｓ  ｗｈｅｎ  ｔｈｅｙ  ｃｏｍｅ  ｗｉｔｈｉｎ  ｒａｎｇｅ  ｏｆ  ｔｈｅ  ｂｅａｃｏｎ，  ｅ．ｇ．  ａ  ｂｅａｃｏｎ  ｐｌａｃｅｄ  ａｔ  ｔｈｅ  ｄｏｏｒ  ｔｏ  ａ  ｃｏｎｆｅｒｅｎｃｅ  ｒｏｏｍ  ｃａｕｓｅｓ  ｍｏｂｉｌｅ  ｄｅｖｉｃｅｓ  ｐａｓｓｉｎｇ  ｂｙ  ｔｏ  ｇｏ  ｉｎｔｏ  ’Ｓｉｌｅｎｔ’  ｍｏｄｅ．
Ａｃｃｏｒｄｉｎｇ  ｔｏ  ｔｈｅ  ｐｒｅｓｅｎｔ  ｉｎｖｅｎｔｉｏｎ  ｔｈｅｒｅ  ｉｓ  ｐｒｏｖｉｄｅｄ  ａ  ｌｏｃａｔｏｒ  ｄｅｖｉｃｅ  ｉｎｃｌｕｄｉｎｇ  （ａ）  ａ  ｂｅａｃｏｎ，  ｃｏｎｆｉｇｕｒｅｄ  ｔｏ  ｂｅ  ｌｏｃａｔｅｄ  ｖｉａ  ａ  ｗｉｒｅｌｅｓｓ  ｍｅａｎｓ；  ａｎｄ  （ｂ）  ａｎ  ａｄｈｅｓｉｖｅ  ｍｅａｎｓ，  ａｄａｐｔｅｄ  ｔｏ  ａｄｈｅｒｅ  ｔｈｅ  ｂｅａｃｏｎ  ｔｏ  ａ  ｓｕｂｓｔａｎｔｉａｌｌｙ  ｆｌａｔ  ｓｕｒｆａｃｅ，  ｗｈｅｒｅｉｎ  ｔｈｅ  ｂｅａｃｏｎ  ｉｓ  ｃｏｎｆｉｇｕｒｅｄ  ｔｏ  ｂｅ  ｔｒａｃｋｅｄ  ｂｙ  ａ  ｍｏｂｉｌｅ  ｄｅｖｉｃｅ  ｒｕｎｎｉｎｇ  ａ  ｍｏｂｉｌｅ  ａｐｐｌｉｃａｔｉｏｎ  ａｄａｐｔｅｄ  ｔｏ  ｌｏｃａｔｅ  ｔｈｅ  ｂｅａｃｏｎ  ｖｉａ  ｔｈｅ  ｗｉｒｅｌｅｓｓ  ｍｅａｎｓ．
Ａｃｃｏｒｄｉｎｇ  ｔｏ  ｓｔｉｌｌ  ｆｕｒｔｈｅｒ  ｆｅａｔｕｒｅｓ  ｔｈｅ  ｍｏｂｉｌｅ  ａｐｐｌｉｃａｔｉｏｎ  ｉｎｃｌｕｄｅｓ  ａ  Ｒａｄａｒ  Ｓｃｒｅｅｎ  ｆｅａｔｕｒｅ，  ｗｈｅｒｅｉｎ  ｗｈｅｎ  ｔｈｅ  ｂｅａｃｏｎ  ｉｓ  ｗｉｒｅｌｅｓｓｌｙ  ｃｏｕｐｌｅｄ  ｔｏ  ｔｈｅ  ｍｏｂｉｌｅ  ｄｅｖｉｃｅ，  ｔｈｅ  ｍｏｂｉｌｅ  ａｐｐｌｉｃａｔｉｏｎ  ｄｉｓｐｌａｙｓ  ａ  ｒｅｐｒｅｓｅｎｔａｔｉｏｎ  ｏｆ  ｔｈｅ  ｂｅａｃｏｎ  ｏｎ  ｔｈｅ  ｍｏｂｉｌｅ  ｄｅｖｉｃｅ  ｒｅｌａｔｉｖｅ  ｔｏ  ａ  ｄｉｓｔａｎｃｅ  ｏｆ  ｔｈｅ  ｂｅａｃｏｎ  ｆｒｏｍ  ｔｈｅ  ｍｏｂｉｌｅ  ｄｅｖｉｃｅ．
Ａｃｃｏｒｄｉｎｇ  ｔｏ  ｓｔｉｌｌ  ｆｕｒｔｈｅｒ  ｆｅａｔｕｒｅｓ  ｔｈｅ  ｄｉｓｔａｎｃｅ  ｏｆ  ｔｈｅ  ｂｅａｃｏｎ  ｆｒｏｍ  ｔｈｅ  ｍｏｂｉｌｅ  ｄｅｖｉｃｅ  ｉｓ  ｃａｌｃｕｌａｔｅｄ  ｕｐｏｎ  ｒｅｃｅｉｖｉｎｇ  ａｔ  ｌｅａｓｔ  ｏｎｅ  Ｒｅｃｅｉｖｅｄ  Ｓｉｇｎａｌ  Ｓｔｒｅｎｇｔｈ  Ｉｎｄｉｃａｔｏｒ  （ＲＳＳＩ）  ｖａｌｕｅ  ｆｒｏｍ  ｔｈｅ  ｂｅａｃｏｎ，  ｗｈｅｒｅｉｎ  ｔｈｅ  ａｔ  ｌｅａｓｔ  ｏｎｅ  ＲＳＳＩ  ｖａｌｕｅ  ｉｓ  ｍｅａｓｕｒｅｄ  ｏｎ  ｔｈｅ  ｂｅａｃｏｎ．  Ａｃｃｏｒｄｉｎｇ  ｔｏ  ｆｕｒｔｈｅｒ  ｆｅａｔｕｒｅｓ，  ｔｈｅ  ｄｉｓｔａｎｃｅ  ｉｓ  ｆｕｒｔｈｅｒ  ｃａｌｃｕｌａｔｅｄ  ｂａｓｅｄ  ｏｎ  ａｔ  ｌｅａｓｔ  ｏｎｅ  ＲＳＳＩ  ｖａｌｕｅ  ｍｅａｓｕｒｅｄ  ｏｎ  ｔｈｅ  ｍｏｂｉｌｅ  ｄｅｖｉｃｅ．
Ａｃｃｏｒｄｉｎｇ  ｔｏ  ｓｔｉｌｌ  ｆｕｒｔｈｅｒ  ｆｅａｔｕｒｅｓ  ｔｈｅ  ｄｉｓｔａｎｃｅ  ｏｆ  ｔｈｅ  ｂｅａｃｏｎ  ｆｒｏｍ  ｔｈｅ  ｍｏｂｉｌｅ  ｄｅｖｉｃｅ  ｉｓ  ｃａｌｃｕｌａｔｅｄ  ｕｐｏｎ  ｒｅｃｅｉｖｉｎｇ  ｂｅｔｗｅｅｎ  ｏｎｅ  ａｎｄ  ｔｈｒｅｅ  Ｒｅｃｅｉｖｅｄ  Ｓｉｇｎａｌ  Ｓｔｒｅｎｇｔｈ  Ｉｎｄｉｃａｔｏｒ  （ＲＳＳＩ）  ｖａｌｕｅｓ，  ｍｅａｓｕｒｅｄ  ｏｎ  ｔｈｅ  ｂｅａｃｏｎ，  ｆｒｏｍ  ｔｈｅ  ｂｅａｃｏｎ  ａｎｄ  ｃａｌｃｕｌａｔｉｎｇ  ａｎ  ａｖｅｒａｇｅ  ｄｉｓｔａｎｃｅ  ｂａｓｅｄ  ｏｎ  ｔｈｅ  ｒｅｃｅｉｖｅｄ  ＲＳＳＩ  ｖａｌｕｅｓ．
Ａｃｃｏｒｄｉｎｇ  ｔｏ  ｓｔｉｌｌ  ｆｕｒｔｈｅｒ  ｆｅａｔｕｒｅｓ  ｔｈｅ  ｄｉｓｔａｎｃｅ  ｏｆ  ｔｈｅ  ｂｅａｃｏｎ  ｆｒｏｍ  ｔｈｅ  ｍｏｂｉｌｅ  ｄｅｖｉｃｅ  ｉｓ  ｃａｌｃｕｌａｔｅｄ  ｕｐｏｎ  ｒｅｃｅｉｖｉｎｇ  ａｔ  ｌｅａｓｔ  ｏｎｅ  Ｒｅｃｅｉｖｅｄ  Ｓｉｇｎａｌ  Ｓｔｒｅｎｇｔｈ  Ｉｎｄｉｃａｔｏｒ  （ＲＳＳＩ）  ｖａｌｕｅ  ｆｏｒ  ａｔ  ｌｅａｓｔ  ｏｎｅ  ｏｆ  ｔｈｅ  ｔｈｉｒｔｙ  ｓｅｖｅｎ  ｃｏｍｍｕｎｉｃａｔｉｏｎ  ｃｈａｎｎｅｌｓ  ｍｅａｓｕｒｅｄ  ｏｎ  ｔｈｅ  ｂｅａｃｏｎ  ｆｒｏｍ  ｔｈｅ  ｂｅａｃｏｎ  ａｎｄ  ｃａｌｃｕｌａｔｉｎｇ  ａｎ  ａｖｅｒａｇｅ  ｄｉｓｔａｎｃｅ  ｂａｓｅｄ  ｏｎ  ｔｈｅ  ｒｅｃｅｉｖｅｄ  ＲＳＳＩ  ｖａｌｕｅｓ．
Ａｃｃｏｒｄｉｎｇ  ｔｏ  ｓｔｉｌｌ  ｆｕｒｔｈｅｒ  ｆｅａｔｕｒｅｓ  ｔｈｅ  ｄｉｓｔａｎｃｅ  ｏｆ  ｔｈｅ  ｂｅａｃｏｎ  ｆｒｏｍ  ｔｈｅ  ｍｏｂｉｌｅ  ｄｅｖｉｃｅ  ｉｓ  ｃａｌｃｕｌａｔｅｄ  ｕｐｏｎ  ｒｅｃｅｉｖｉｎｇ  ａｔ  ｌｅａｓｔ  ｏｎｅ  Ｒｅｃｅｉｖｅｄ  Ｓｉｇｎａｌ  Ｓｔｒｅｎｇｔｈ  Ｉｎｄｉｃａｔｏｒ  （ＲＳＳＩ）  ｖａｌｕｅ  ｆｏｒ  ａｔ  ｌｅａｓｔ  ｏｎｅ  ｏｆ  ａｌｌ  ４０  ｃｈａｎｎｅｌｓ  ｍｅａｓｕｒｅｄ  ｏｎ  ｔｈｅ  ｂｅａｃｏｎ  ｆｒｏｍ  ｔｈｅ  ｂｅａｃｏｎ  ａｎｄ  ｃａｌｃｕｌａｔｉｎｇ  ａｎ  ａｖｅｒａｇｅ  ｄｉｓｔａｎｃｅ  ｂａｓｅｄ  ｏｎ  ｔｈｅ  ｒｅｃｅｉｖｅｄ  ＲＳＳＩ  ｖａｌｕｅｓ．
Ａｃｃｏｒｄｉｎｇ  ｔｏ  ｓｔｉｌｌ  ｆｕｒｔｈｅｒ  ｆｅａｔｕｒｅｓ  ｔｈｅ  ｍｏｂｉｌｅ  ａｐｐｌｉｃａｔｉｏｎ  ｉｎｃｌｕｄｅｓ  ａ  ｔａｓｋ  ｌａｕｎｃｈｅｒ  ｆｅａｔｕｒｅ，  ｗｈｅｒｅｉｎ  ｗｈｅｎ  ｔｈｅ  ｍｏｂｉｌｅ  ｄｅｖｉｃｅ  ｉｓ  ｗｉｔｈｉｎ  ａ  ｐｒｅｄｅｆｉｎｅｄ  ｒａｎｇｅ，  ｔｈｅ  ｂｅａｃｏｎ  ｉｓ  ｃｏｎｆｉｇｕｒｅｄ  ｔｏ  ｅｆｆｅｃｔ  ａ  ｆｕｎｃｔｉｏｎａｌ  ｃｈａｎｇｅ  ｏｎ  ｔｈｅ  ｍｏｂｉｌｅ  ｄｅｖｉｃｅ．
Ａｃｃｏｒｄｉｎｇ  ｔｏ  ｓｔｉｌｌ  ｆｕｒｔｈｅｒ  ｆｅａｔｕｒｅｓ  ｔｈｅ  ｆｕｎｃｔｉｏｎａｌ  ｃｈａｎｇｅ  ｉｓ  ｓｅｌｅｃｔｅｄ  ｆｒｏｍ  ｔｈｅ  ｇｒｏｕｐ  ｉｎｃｌｕｄｉｎｇ：  ａｃｔｉｖａｔｉｎｇ  ａｎ  ａｌｅｒｔ，  ｃｈａｎｇｉｎｇ  ａｎ  ａｌｅｒｔ  ｍｏｄｅ  ｖｉｓ−a−ｖｉｓ  ｒｅｃｅｉｖｉｎｇ  ｃｏｍｍｕｎｉｃａｔｉｏｎｓ，  ｃｈａｎｇｉｎｇ  ａ  ｆｕｎｃｔｉｏｎａｌ  ｓｅｔｔｉｎｇ，  ａｎｄ  ｐｏｗｅｒｉｎｇ  ｄｏｗｎ  ｔｈｅ  ｍｏｂｉｌｅ  ｄｅｖｉｃｅ．
Ａｃｃｏｒｄｉｎｇ  ｔｏ  ｓｔｉｌｌ  ｆｕｒｔｈｅｒ  ｆｅａｔｕｒｅｓ  ｔｈｅ  ｂｅａｃｏｎ  ｈａｓ  ａ  ｄｉａｍｅｔｅｒ  ａｐｐｒｏｘｉｍａｔｅｌｙ  ｅｑｕｉｖａｌｅｎｔ  ｔｏ  ａ  ｄｉａｍｅｔｅｒ  ｏｆ  ａｎ  Ａｍｅｒｉｃａｎ  Ｑｕａｒｔｅｒ  Ｄｏｌｌａｒ  ｃｏｉｎ  ａｎｄ  ａ  ｔｈｉｃｋｎｅｓｓ  ｏｆ  １／８  ｏｆ  ａｎ  ｉｎｃｈ．
Ａｃｃｏｒｄｉｎｇ  ｔｏ  ｓｔｉｌｌ  ｆｕｒｔｈｅｒ  ｆｅａｔｕｒｅｓ  ｔｈｅ  ｍｏｂｉｌｅ  ａｐｐｌｉｃａｔｉｏｎ  ｃａｌｃｕｌａｔｅｓ  ａ  ｄｉｒｅｃｔｉｏｎ  ｉｎ  ｗｈｉｃｈ  ｔｈｅ  ｂｅａｃｏｎ  ｉｓ  ｌｏｃａｔｅｄ  ｒｅｌａｔｉｖｅ  ｔｏ  ｔｈｅ  ｍｏｂｉｌｅ  ｄｅｖｉｃｅ  ｂａｓｅｄ  ｏｎ  ｓｉｇｎａｌ  ｓｔｒｅｎｇｔｈ  ｉｎｆｏｒｍａｔｉｏｎ．
Ａｃｃｏｒｄｉｎｇ  ｔｏ  ｓｔｉｌｌ  ｆｕｒｔｈｅｒ  ｆｅａｔｕｒｅｓ  ｔｈｅ  ｍｏｂｉｌｅ  ａｐｐｌｉｃａｔｉｏｎ  ｃａｌｃｕｌａｔｅｓ  ａ  ｄｉｒｅｃｔｉｏｎ  ｉｎ  ｗｈｉｃｈ  ｔｈｅ  ｂｅａｃｏｎ  ｉｓ  ｌｏｃａｔｅｄ  ｒｅｌａｔｉｖｅ  ｔｏ  ｔｈｅ  ｍｏｂｉｌｅ  ｄｅｖｉｃｅ  ｂａｓｅｄ  ｏｎ  ｒｅｌａｔｉｖｅ  ｐｈａｓｅ  ｉｎｆｏｒｍａｔｉｏｎ．
Ａｃｃｏｒｄｉｎｇ  ｔｏ  ａｎｏｔｈｅｒ  ｅｍｂｏｄｉｍｅｎｔ  ｔｈｅｒｅ  ｉｓ  ｐｒｏｖｉｄｅｄ  ａ  ｍｏｎｉｔｏｒｉｎｇ  ｓｙｓｔｅｍ  ｉｎｃｌｕｄｉｎｇ：  （ａ）  ａｔ  ｌｅａｓｔ  ｏｎｅ  ｌｏｃａｔｏｒ  ｂｅａｃｏｎ；  ａｎｄ  （ｂ）  ａ  ｍｏｂｉｌｅ  ａｐｐｌｉｃａｔｉｏｎ  ｆｏｒ  ｍａｎａｇｉｎｇ  ｔｈｅ  ａｔ  ｌｅａｓｔ  ｏｎｅ  ｌｏｃａｔｏｒ  ｂｅａｃｏｎ  ｏｒ  ａ  ｐｌｕｒａｌｉｔｙ  ｏｆ  ｌｏｃａｔｏｒ  ｂｅａｃｏｎｓ．
Ａｃｃｏｒｄｉｎｇ  ｔｏ  ａｎｏｔｈｅｒ  ｅｍｂｏｄｉｍｅｎｔ  ｔｈｅｒｅ  ｉｓ  ｐｒｏｖｉｄｅｄ  ａ  ｄｅｖｉｃｅ  ｉｎｃｌｕｄｉｎｇ：  （ａ）  ａ  ｗｉｒｅｌｅｓｓ  ｃｏｍｍｕｎｉｃａｔｉｏｎｓ  ｃｏｍｐｏｎｅｎｔ，  ｃｏｎｆｉｇｕｒｅｄ  ｔｏ  ｓｅｎｄ  ａｎｄ  ｒｅｃｅｉｖｅ  ｗｉｒｅｌｅｓｓ  ｓｉｇｎａｌｓ  ｓｕｃｈ  ｔｈａｔ  ｔｈｅ  ｄｅｖｉｃｅ  ｉｓ  ｌｏｃａｔａｂｌｅ  ｖｉａ  ａ  ｗｉｒｅｌｅｓｓ  ｍｅａｎｓ；  ｔｈｅ  ｗｉｒｅｌｅｓｓ  ｃｏｍｍｕｎｉｃａｔｉｏｎｓ  ｃｏｍｐｏｎｅｎｔ  ｉｎｃｌｕｄｉｎｇ：    （ｉ）  ａ  Ｒｅｃｅｉｖｅｄ  Ｓｉｇｎａｌ  Ｓｔｒｅｎｇｔｈ  Ｉｎｄｉｃａｔｏｒ  （ＲＳＳＩ）  ｍｏｄｕｌｅ  ｆｏｒ  ｍｅａｓｕｒｉｎｇ  ｓｉｇｎａｌ  ｓｔｒｅｎｇｔｈ  ｏｆ  ａ  ｗｉｒｅｌｅｓｓ  ｓｉｇｎａｌ  ｒｅｃｅｉｖｅｄ  ａｔ  ｔｈｅ  ｗｉｒｅｌｅｓｓ  ｃｏｍｍｕｎｉｃａｔｉｏｎｓ  ｃｏｍｐｏｎｅｎｔ，  ｗｈｅｒｅｉｎ  ｔｈｅ  ｄｅｖｉｃｅ  ｉｓ  ｃｏｎｆｉｇｕｒｅｄ  ｔｏ  ｂｅ  ｔｒａｃｋｅｄ  ｂｙ  ａ  ｍｏｂｉｌｅ  ｃｏｍｐｕｔｉｎｇ  ｄｅｖｉｃｅ  （ＭＣＤ）  ｒｕｎｎｉｎｇ  ａ  ｍｏｂｉｌｅ  ａｐｐｌｉｃａｔｉｏｎ  ａｄａｐｔｅｄ  ｔｏ  ｌｏｃａｔｅ  ｔｈｅ  ｄｅｖｉｃｅ  ｖｉａ  ｔｈｅ  ｗｉｒｅｌｅｓｓ  ｍｅａｎｓ，  ｗｈｅｒｅｉｎ  ｔｈｅ  ｍｏｂｉｌｅ  ａｐｐｌｉｃａｔｉｏｎ  ｉｎｃｌｕｄｅｓ  ａ  ｆｅａｔｕｒｅ，  ｗｈｅｒｅｉｎ  ｗｈｅｎ  ｔｈｅ  ｄｅｖｉｃｅ  ｉｓ  ｗｉｒｅｌｅｓｓｌｙ  ｃｏｕｐｌｅｄ  ｔｏ  ｔｈｅ  ＭＣＤ，  ｔｈｅ  ｍｏｂｉｌｅ  ａｐｐｌｉｃａｔｉｏｎ  ｄｉｓｐｌａｙｓ  ａ  ｒｅｐｒｅｓｅｎｔａｔｉｏｎ  ｏｆ  ｔｈｅ  ｄｅｖｉｃｅ  ｏｎ  ｔｈｅ  ＭＣＤ，  ｒｅｌａｔｉｖｅ  ｔｏ  ａ  ｄｉｓｔａｎｃｅ  ｏｆ  ｔｈｅ  ｄｅｖｉｃｅ  ｆｒｏｍ  ｔｈｅ  ＭＣＤ，  ｗｈｅｒｅｉｎ  ｔｈｅ  ｄｉｓｔａｎｃｅ  ｏｆ  ｔｈｅ  ｄｅｖｉｃｅ  ｆｒｏｍ  ｔｈｅ  ＭＣＤ  ｉｓ  ｃａｌｃｕｌａｔｅｄ  ｂｙ  ｔｈｅ  ｍｏｂｉｌｅ  ａｐｐｌｉｃａｔｉｏｎ  ｕｐｏｎ  ｒｅｃｅｉｖｉｎｇ  ｂｅｔｗｅｅｎ  ｏｎｅ  ａｎｄ  ｔｈｒｅｅ  ＲＳＳＩ  ｖａｌｕｅｓ，  ｍｅａｓｕｒｅｄ  ｂｙ  ｔｈｅ  ＲＳＳＩ  ｍｏｄｕｌｅ，  ａｎｄ  ｓｅｎｔ  ｉｎ  ａ  ｓｉｇｎａｌ  ｂｙ  ｔｈｅ  ｄｅｖｉｃｅ  ｔｏ  ｔｈｅ  ＭＣＤ，  ｗｈｅｒｅｉｎ  ｔｈｅ  ｄｉｓｔａｎｃｅ  ｉｓ  ｃａｌｃｕｌａｔｅｄ  ｂａｓｅｄ  ａｎ  ａｖｅｒａｇｅ  ｏｆ  ｔｈｅ  ｒｅｃｅｉｖｅｄ  ＲＳＳＩ  ｖａｌｕｅｓ．
Ａｃｃｏｒｄｉｎｇ  ｔｏ  ｆｕｒｔｈｅｒ  ｆｅａｔｕｒｅｓ  ｔｈｅ  ｄｉｓｔａｎｃｅ  ｉｓ  ｆｕｒｔｈｅｒ  ｃａｌｃｕｌａｔｅｄ  ｂａｓｅｄ  ｏｎ  ａｔ  ｌｅａｓｔ  ｏｎｅ  ｔｈｅ  ＲＳＳＩ  ｖａｌｕｅ  ｍｅａｓｕｒｅｄ  ｏｎ  ｔｈｅ  ＭＣＤ．
Ａｃｃｏｒｄｉｎｇ  ｔｏ  ｓｔｉｌｌ  ｆｕｒｔｈｅｒ  ｆｅａｔｕｒｅｓ  ｔｈｅ  ｄｅｖｉｃｅ  ｆｕｒｔｈｅｒ  ｉｎｃｌｕｄｅｓ  （ｃ）  ａ  ｐｌｕｒａｌｉｔｙ  ｏｆ  ｄｉｒｅｃｔｉｏｎａｌ  ａｎｔｅｎｎａｅ，  ｗｈｅｒｅｉｎ  ｅａｃｈ  ｔｈｅ  ｄｉｒｅｃｔｉｏｎａｌ  ａｎｔｅｎｎａ  ｔｒａｎｓｍｉｔｓ  ａ  ｕｎｉｑｕｅ  ｉｄｅｎｔｉｆｉｅｒ．    
Ａｃｃｏｒｄｉｎｇ  ｔｏ  ｓｔｉｌｌ  ｆｕｒｔｈｅｒ  ｆｅａｔｕｒｅｓ  ｅａｃｈ  ｔｈｅ  ｄｉｒｅｃｔｉｏｎａｌ  ａｎｔｅｎｎａ  ｆｕｒｔｈｅｒ  ｔｒａｎｓｍｉｔｓ  ａｔ  ｌｅａｓｔ  ｏｎｅ  ＲＳＳＩ  ｖａｌｕｅ．
Ａｃｃｏｒｄｉｎｇ  ｔｏ  ｓｔｉｌｌ  ｆｕｒｔｈｅｒ  ｆｅａｔｕｒｅｓ  ｔｈｅ  ｍｏｂｉｌｅ  ａｐｐｌｉｃａｔｉｏｎ  ｃａｌｃｕｌａｔｅｓ  ａ  ｄｉｒｅｃｔｉｏｎ  ｉｎ  ｗｈｉｃｈ  ｔｈｅ  ｄｅｖｉｃｅ  ｉｓ  ｌｏｃａｔｅｄ  ｒｅｌａｔｉｖｅ  ｔｏ  ｔｈｅ  ＭＣＤ  ｂａｓｅｄ  ｏｎ  ｒｅｌａｔｉｖｅ  ｓｔｒｅｎｇｔｈｓ  ｏｆ  ｔｈｅ  ＲＳＳＩ  ｖａｌｕｅｓ  ｒｅｃｅｉｖｅｄ  ｒｅｓｐｅｃｔｉｖｅｌｙ  ｆｒｏｍ  ｅａｃｈ  ｏｆ  ｔｈｅ  ｄｉｒｅｃｔｉｏｎａｌ  ａｎｔｅｎｎａｅ，  ｗｈｅｒｅｉｎ  ａ  ｈｉｇｈｅｓｔ  ｔｈｅ  ｒｅｌａｔｉｖｅ  ｓｔｒｅｎｇｔｈ  ｉｎｄｉｃａｔｅｓ  ｔｈｅ  ｄｉｒｅｃｔｉｏｎ．    
Ａｃｃｏｒｄｉｎｇ  ｔｏ  ｓｔｉｌｌ  ｆｕｒｔｈｅｒ  ｆｅａｔｕｒｅｓ  ｔｈｅ  ｐｌｕｒａｌｉｔｙ  ｏｆ  ｄｉｒｅｃｔｉｏｎａｌ  ａｎｔｅｎｎａｅ  ｉｎｃｌｕｄｅｓ  ｆｏｕｒ  ｃａｒｄｉｎａｌｌｙ  ｌｏｃａｔｅｄ  ｔｈｅ  ｄｉｒｅｃｔｉｏｎａｌ  ａｎｔｅｎｎａｅ．
Ａｃｃｏｒｄｉｎｇ  ｔｏ  ｓｔｉｌｌ  ｆｕｒｔｈｅｒ  ｆｅａｔｕｒｅｓ  ｔｈｅ  ｄｉｓｔａｎｃｅ  ｏｆ  ｔｈｅ  ｄｅｖｉｃｅ  ｆｒｏｍ  ｔｈｅ  ＭＣＤ  ｉｓ  ｃａｌｃｕｌａｔｅｄ  ｂｙ  ｔｈｅ  ｍｏｂｉｌｅ  ａｐｐｌｉｃａｔｉｏｎ  ｕｐｏｎ  ｒｅｃｅｉｖｉｎｇ  ａｔ  ｌｅａｓｔ  ｏｎｅ  ＲＳＳＩ  ｖａｌｕｅ  ｓｅｎｔ  ｉｎ  ａ  ｓｉｇｎａｌ  ｆｒｏｍ  ｔｈｅ  ｄｅｖｉｃｅ，  ｆｏｒ  ａｔ  ｌｅａｓｔ  ｏｎｅ  ｏｆ  ｔｈｉｒｔｙ  ｓｅｖｅｎ  ｃｏｍｍｕｎｉｃａｔｉｏｎ  ｃｈａｎｎｅｌｓ  ｍｅａｓｕｒｅｄ  ｏｎ  ｔｈｅ  ｄｅｖｉｃｅ，  ａｎｄ  ｃａｌｃｕｌａｔｉｎｇ  ｔｈｅ  ｄｉｓｔａｎｃｅ  ｂａｓｅｄ  ｏｎ  ａｎ  ａｖｅｒａｇｅ  ｏｆ  ｔｈｅ  ｒｅｃｅｉｖｅｄ  ＲＳＳＩ  ｖａｌｕｅｓ．
Ａｃｃｏｒｄｉｎｇ  ｔｏ  ｓｔｉｌｌ  ｆｕｒｔｈｅｒ  ｆｅａｔｕｒｅｓ  ｔｈｅ  ｄｉｓｔａｎｃｅ  ｏｆ  ｔｈｅ  ｄｅｖｉｃｅ  ｆｒｏｍ  ｔｈｅ  ＭＣＤ  ｉｓ  ｃａｌｃｕｌａｔｅｄ  ｂｙ  ｔｈｅ  ｍｏｂｉｌｅ  ａｐｐｌｉｃａｔｉｏｎ  ｕｐｏｎ  ｒｅｃｅｉｖｉｎｇ  ａｔ  ｌｅａｓｔ  ｏｎｅ  ＲＳＳＩ  ｖａｌｕｅ  ｓｅｎｔ  ｉｎ  ａ  ｓｉｇｎａｌ  ｆｒｏｍ  ｔｈｅ  ｄｅｖｉｃｅ，  ｆｏｒ  ａｔ  ｌｅａｓｔ  ｏｎｅ  ｏｆ  ａｌｌ  ４０  ｃｈａｎｎｅｌｓ  ｍｅａｓｕｒｅｄ  ｏｎ  ｔｈｅ  ｂｅａｃｏｎ  ｆｒｏｍ  ｔｈｅ  ｄｅｖｉｃｅ，  ａｎｄ  ｃａｌｃｕｌａｔｉｎｇ  ｔｈｅ  ｄｉｓｔａｎｃｅ  ｂａｓｅｄ  ｏｎ  ａｎ  ａｖｅｒａｇｅ  ｏｆ  ｔｈｅ  ｒｅｃｅｉｖｅｄ  ＲＳＳＩ  ｖａｌｕｅｓ．
Ａｃｃｏｒｄｉｎｇ  ｔｏ  ｓｔｉｌｌ  ｆｕｒｔｈｅｒ  ｆｅａｔｕｒｅｓ  ｔｈｅ  ｍｏｂｉｌｅ  ａｐｐｌｉｃａｔｉｏｎ  ｃａｌｃｕｌａｔｅｓ  ａ  ｄｉｒｅｃｔｉｏｎ  ｉｎ  ｗｈｉｃｈ  ｔｈｅ  ｄｅｖｉｃｅ  ｉｓ  ｌｏｃａｔｅｄ  ｒｅｌａｔｉｖｅ  ｔｏ  ｔｈｅ  ＭＣＤ  ｂａｓｅｄ  ｏｎ  ｓｉｇｎａｌ  ｓｔｒｅｎｇｔｈ  ｉｎｆｏｒｍａｔｉｏｎ．
Ａｃｃｏｒｄｉｎｇ  ｔｏ  ｓｔｉｌｌ  ｆｕｒｔｈｅｒ  ｆｅａｔｕｒｅｓ  ｔｈｅ  ｍｏｂｉｌｅ  ａｐｐｌｉｃａｔｉｏｎ  ｆｕｒｔｈｅｒ  ｃａｌｃｕｌａｔｅｓ  ｔｈｅ  ｄｉｒｅｃｔｉｏｎ  ｂａｓｅｄ  ｏｎ  ｒｅｌａｔｉｖｅ  ｐｈａｓｅ  ｉｎｆｏｒｍａｔｉｏｎ．
Ａｃｃｏｒｄｉｎｇ  ｔｏ  ｓｔｉｌｌ  ｆｕｒｔｈｅｒ  ｆｅａｔｕｒｅｓ  ｔｈｅ  ｍｏｂｉｌｅ  ａｐｐｌｉｃａｔｉｏｎ  ｃａｌｃｕｌａｔｅｓ  ａ  ｄｉｒｅｃｔｉｏｎ  ｉｎ  ｗｈｉｃｈ  ｔｈｅ  ｄｅｖｉｃｅ  ｉｓ  ｌｏｃａｔｅｄ  ｒｅｌａｔｉｖｅ  ｔｏ  ｔｈｅ  ＭＣＤ  ｂａｓｅｄ  ｏｎ  ｒｅｌａｔｉｖｅ  ｐｈａｓｅ  ｉｎｆｏｒｍａｔｉｏｎ．
Ａｃｃｏｒｄｉｎｇ  ｔｏ  ｓｔｉｌｌ  ｆｕｒｔｈｅｒ  ｆｅａｔｕｒｅｓ  ｔｈｅ  ｄｅｖｉｃｅ  ｆｕｒｔｈｅｒ  ｉｎｃｌｕｄｅｓ：  （ｂ）  ａ  ＰＩＮ  ｐｈｏｔｏｄｉｏｄｅ，  ａｄａｐｔｅｄ  ｔｏ  ｓｅｎｄ  ａ  ｓｉｇｎａｌ  ｔｏ  ａｎ  ｉｎｔｅｇｒａｔｅｄ  ｐｒｏｃｅｓｓｏｒ  ｕｐｏｎ  ｄｅｔｅｃｔｉｏｎ  ｏｆ  Ｘ−ｒａｙ  ｐｈｏｔｏｎｓ，  ｗｈｅｒｅｉｎ  ｔｈｅ  ｐｒｏｃｅｓｓｏｒ，  ｕｐｏｎ  ｒｅｃｅｉｖｉｎｇ  ｔｈｅ  ｓｉｇｎａｌ，  ｉｓ  ｃｏｎｆｉｇｕｒｅｄ  ｔｏ  ｓｕｓｐｅｎｄ  ｓｅｎｄｉｎｇ  ｌｏｃａｌ  ａｒｅａ  ｗｉｒｅｌｅｓｓ  ｃｏｍｍｕｎｉｃａｔｉｏｎ  （ＬＡＷＣ）  ｔｒａｎｓｍｉｓｓｉｏｎｓ．
Ａｃｃｏｒｄｉｎｇ  ｔｏ  ｓｔｉｌｌ  ｆｕｒｔｈｅｒ  ｆｅａｔｕｒｅｓ  ｔｈｅ  ｄｅｖｉｃｅ  ｆｕｒｔｈｅｒ  ｉｎｃｌｕｄｅｓ：  （ｂ）  ａ  ｐｈｏｔｏｄｅｔｅｃｔｏｒ，  ａｄａｐｔｅｄ  ｔｏ  ｓｅｎｄ  ａ  ｓｉｇｎａｌ  ｔｏ  ａｎ  ｉｎｔｅｇｒａｔｅｄ  ｐｒｏｃｅｓｓｏｒ  ｕｐｏｎ  ａｎ  ａｂｓｅｎｃｅ  ｏｆ  ｄｅｔｅｃｔｅｄ  ｌｉｇｈｔ  ｆｏｒ  ａ  ｐｒｅｄｅｆｉｎｅｄ  ｐｅｒｉｏｄ，  ｗｈｅｒｅｉｎ  ｔｈｅ  ｐｒｏｃｅｓｓｏｒ，  ｕｐｏｎ  ｒｅｃｅｉｖｉｎｇ  ｔｈｅ  ｓｉｇｎａｌ，  ｉｓ  ｃｏｎｆｉｇｕｒｅｄ  ｔｏ  ｓｕｓｐｅｎｄ  ｓｅｎｄｉｎｇ  ｌｏｃａｌ  ａｒｅａ  ｗｉｒｅｌｅｓｓ  ｃｏｍｍｕｎｉｃａｔｉｏｎ  （ＬＡＷＣ）  ｔｒａｎｓｍｉｓｓｉｏｎｓ．
Ａｃｃｏｒｄｉｎｇ  ｔｏ  ｓｔｉｌｌ  ｆｕｒｔｈｅｒ  ｆｅａｔｕｒｅｓ  ｔｈｅ  ｐｒｏｃｅｓｓｏｒ  ｉｓ  ｆｕｒｔｈｅｒ  ｃｏｎｆｉｇｕｒｅｄ  ｔｏ  ｒｅｓｕｍｅ  ｓｅｎｄｉｎｇ  ｔｈｅ  ＬＡＷＣ  ｔｒａｎｓｍｉｓｓｉｏｎｓ  ａｆｔｅｒ  ａ  ｐｒｅｄｅｆｉｎｅｄ  ｐｅｒｉｏｄ  ｏｆ  ｔｉｍｅ  ａｎｄ  ｏｎｌｙ  ｕｐｏｎ  ｄｅｔｅｃｔｉｎｇ  ＬＡＷＣ  ｓｉｇｎａｌｓ  ｆｒｏｍ  ｍｏｖｉｎｇ  ｄｅｖｉｃｅｓ．
Ａｃｃｏｒｄｉｎｇ  ｔｏ  ｓｔｉｌｌ  ｆｕｒｔｈｅｒ  ｆｅａｔｕｒｅｓ  ｔｈｅ  ｄｅｖｉｃｅ  ｆｕｒｔｈｅｒ  ｉｎｃｌｕｄｅｓ：  （ｂ）  ａｎ  ｏｍｎｉ−ｄｉｒｅｃｔｉｏｎａｌ  ａｎｔｅｎｎａ；  ａｎｄ  （ｃ）  ｔｈｒｅｅ  ｄｉｒｅｃｔｉｏｎａｌ  ａｎｔｅｎｎａｓ，  ｗｈｅｒｅｉｎ  ｔｈｅ  ｄｅｖｉｃｅ  ｉｓ  ａｄａｐｔｅｄ  ｔｏ  ｂｅ  ａ  ｓｔａｔｉｃ  ｕｎｉｔ  ｃａｐａｂｌｅ  ｏｆ  ｄｅｔｅｃｔｉｎｇ  ａ  ｄｉｒｅｃｔｉｏｎ  ａｎｄ  ｄｉｓｔａｎｃｅ  ｏｆ  ｔｈｅ  ＭＣＤ  ｆｒｏｍ  ｔｈｅ  ｄｅｖｉｃｅ．
Ａｃｃｏｒｄｉｎｇ  ｔｏ  ｓｔｉｌｌ  ｆｕｒｔｈｅｒ  ｆｅａｔｕｒｅｓ  ｔｈｅ  ｄｅｖｉｃｅ  ｆｕｒｔｈｅｒ  ｉｎｃｌｕｄｅｓ  （ｄ）  ａ  ＷｉＦｉ  ｍｏｄｕｌｅ，  ａｄａｐｔｅｄ  ｔｏ  ｂｅ  ｗｉｒｅｌｅｓｓｌｙ  ｃｏｕｐｌｅｄ  ｔｏ  ａ  ｗｉｒｅｌｅｓｓ  ｌｏｃａｌ  ａｒｅａ  ｎｅｔｗｏｒｋ  （ＷＬＡＮ）．
Ａｃｃｏｒｄｉｎｇ  ｔｏ  ｓｔｉｌｌ  ｆｕｒｔｈｅｒ  ｆｅａｔｕｒｅｓ  ａｎ  ＲＳＳＩ  ｖａｌｕｅ  ｏｆ  ａ  ｗｉｒｅｌｅｓｓ  ｓｉｇｎａｌ  ｒｅｃｅｉｖｅｄ  ａｔ  ｔｈｅ  ｗｉｒｅｌｅｓｓ  ｃｏｍｍｕｎｉｃａｔｉｏｎｓ  ｃｏｍｐｏｎｅｎｔ  ｆｒｏｍ  ｔｈｅ  ＭＣＤ  ｉｓ  ｂｒｏａｄｃａｓｔ  ｉｎ  ａ  ｄｅｓｉｇｎａｔｉｏｎ  ｆｉｅｌｄ  ｏｆ  ａ  ｒｅｓｐｏｎｓｅ  ｓｉｇｎａｌ  ｓｅｎｔ  ｔｏ  ｔｈｅ  ＭＣＤ  ｆｒｏｍ  ｔｈｅ  ｗｉｒｅｌｅｓｓ  ｃｏｍｍｕｎｉｃａｔｉｏｎｓ  ｃｏｍｐｏｎｅｎｔ．
Ａｃｃｏｒｄｉｎｇ  ｔｏ  ｓｔｉｌｌ  ｆｕｒｔｈｅｒ  ｆｅａｔｕｒｅｓ  ｔｈｅ  ｄｅｖｉｃｅ  ｈａｓ  ａｎ  Ａｄｖｅｒｔｉｓｉｎｇ  Ｍｏｄｅ  ｗｈｅｒｅｉｎ  ｗｈｅｎ  ｉｎ  ｔｈｅ  ａｄｖｅｒｔｉｓｉｎｇ  ｍｏｄｅ  ｔｈｅ  ｗｉｒｅｌｅｓｓ  ｃｏｍｍｕｎｉｃａｔｉｏｎｓ  ｃｏｍｐｏｎｅｎｔ  ｉｓ  ｃｏｎｆｉｇｕｒｅｄ  ｔｏ  ｓｅｎｄ  ｗｉｒｅｌｅｓｓ  ｓｉｇｎａｌｓ，  ａｔ  ｐｒｅｄｅｆｉｎｅｄ  ｉｎｔｅｒｖａｌｓ，  ｏｖｅｒ  ｔｈｒｅｅ  ａｄｖｅｒｔｉｓｉｎｇ  ｃｈａｎｎｅｌｓ．
Ａｃｃｏｒｄｉｎｇ  ｔｏ  ｓｔｉｌｌ  ｆｕｒｔｈｅｒ  ｆｅａｔｕｒｅｓ  ｔｈｅ  ｗｉｒｅｌｅｓｓ  ｃｏｍｍｕｎｉｃａｔｉｏｎｓ  ｃｏｍｐｏｎｅｎｔ，  ｉｎ  ｔｈｅ  ａｄｖｅｒｔｉｓｉｎｇ  ｍｏｄｅ，  ｓｅｎｄｓ  ａ  ｆｉｒｓｔ  ｔｈｅ  ｗｉｒｅｌｅｓｓ  ｓｉｇｎａｌ  ｏｖｅｒ  ｏｎｌｙ  ａ  ｆｉｒｓｔ  ｏｆ  ｔｈｅ  ｔｈｒｅｅ  ａｄｖｅｒｔｉｓｉｎｇ  ｃｈａｎｎｅｌｓ，  ａｎｄ  ａｆｔｅｒ  ｏｎｅ  ｏｆ  ｔｈｅ  ｐｒｅｄｅｆｉｎｅｄ  ｉｎｔｅｒｖａｌｓ  ｓｅｎｄｓ  ａ  ｓｅｃｏｎｄ  ｗｉｒｅｌｅｓｓ  ｓｉｇｎａｌ  ｏｖｅｒ  ｏｎｌｙ  ａ  ｓｅｃｏｎｄ  ｏｆ  ｔｈｅ  ｔｈｒｅｅ  ａｄｖｅｒｔｉｓｉｎｇ  ｃｈａｎｎｅｌｓ，  ａｎｄ  ａｆｔｅｒ  ａｎ  ａｄｄｉｔｉｏｎａｌ  ｏｎｅ  ｏｆ  ｔｈｅ  ｐｒｅｄｅｆｉｎｅｄ  ｉｎｔｅｒｖａｌｓ  ｓｅｎｄｓ  ａ  ｔｈｉｒｄ  ｗｉｒｅｌｅｓｓ  ｓｉｇｎａｌ  ｏｖｅｒ  ｏｎｌｙ  ａ  ｔｈｉｒｄ  ｏｆ  ｔｈｅ  ｔｈｒｅｅ  ａｄｖｅｒｔｉｓｉｎｇ  ｃｈａｎｎｅｌｓ．
Ａｃｃｏｒｄｉｎｇ  ｔｏ  ｓｔｉｌｌ  ｆｕｒｔｈｅｒ  ｆｅａｔｕｒｅｓ  ｅａｃｈ  ｏｆ  ｔｈｅ  ｔｈｒｅｅ  ａｄｖｅｒｔｉｓｉｎｇ  ｃｈａｎｎｅｌｓ  ｉｓ  ｍｏｎｉｔｏｒｅｄ  ｂａｓｅｄ  ｏｎ  ａｎ  ＲＳＳＩ  ｖａｌｕｅ  ｏｆ  ｔｈｅ  ｗｉｒｅｌｅｓｓ  ｓｉｇｎａｌｓ  ｓｅｎｔ  ｆｒｏｍ  ｅａｃｈ  ｏｆ  ｔｈｅ  ａｄｖｅｒｔｉｓｉｎｇ  ｃｈａｎｎｅｌｓ．
Ａｃｃｏｒｄｉｎｇ  ｔｏ  ｓｔｉｌｌ  ｆｕｒｔｈｅｒ  ｆｅａｔｕｒｅｓ  ｔｈｅ  ｗｉｒｅｌｅｓｓ  ｃｏｍｍｕｎｉｃａｔｉｏｎ  ｃｏｍｐｏｎｅｎｔ  ｉｓ  ｃｏｎｆｉｇｕｒｅｄ  ｔｏ  ｉｎｃｒｅａｓｅ  ａ  ｄｕｒａｔｉｏｎ  ｏｆ  ｔｈｅ  ｐｒｅｄｅｆｉｎｅｄ  ｉｎｔｅｒｖａｌｓ  ｗｈｅｎ  ａ  ｐｒｅｄｅｔｅｒｍｉｎｅｄ  ａｍｏｕｎｔ  ｏｆ  ｔｉｍｅ  ｈａｓ  ｐａｓｓｅｄ  ｗｉｔｈｏｕｔ  ｒｅｃｅｉｖｉｎｇ  ａ  ｗｉｒｅｌｅｓｓ  ｓｉｇｎａｌ  ａｔ  ｔｈｅ  ｗｉｒｅｌｅｓｓ  ｃｏｍｍｕｎｉｃａｔｉｏｎｓ  ｃｏｍｐｏｎｅｎｔ．
Ａｃｃｏｒｄｉｎｇ  ｔｏ  ｓｔｉｌｌ  ｆｕｒｔｈｅｒ  ｆｅａｔｕｒｅｓ  ｔｈｅ  ｍｏｂｉｌｅ  ａｐｐｌｉｃａｔｉｏｎ  ｉｎｃｌｕｄｅｓ  ａ  ｖｉｒｔｕａｌ  ｌｅａｓｈ  ｆｅａｔｕｒｅ  ｗｈｅｒｅｉｎ  ｔｈｅ  ｍｏｂｉｌｅ  ａｐｐｌｉｃａｔｉｏｎ  ｓｏｕｎｄｓ  ａｎ  ａｌａｒｍ  ｗｈｅｎ  ｔｈｅ  ｄｉｓｔａｎｃｅ  ｂｅｔｗｅｅｎ  ｔｈｅ  ＭＣＤ  ａｎｄ  ｔｈｅ  ｄｅｖｉｃｅ  ｉｓ  ｂｅｙｏｎｄ  ａ  ｐｒｅｄｅｆｉｎｅｄ  ｒａｎｇｅ  ａｎｄ  ｏｎｌｙ  ｗｈｅｎ  ｐｒｅｃｅｄｅｄ  ｂｕｔ  ａ  ｓｕｂｓｔａｎｔｉａｌｌｙ  ｃｏｎｓｔａｎｔ  ｄｅｃｒｅａｓｅ  ｏｆ  ｔｈｅ  ｒｅｃｅｉｖｅｄ  ＲＳＳＩ  ｖａｌｕｅｓ．
Ａｃｃｏｒｄｉｎｇ  ｔｏ  ｓｔｉｌｌ  ｆｕｒｔｈｅｒ  ｆｅａｔｕｒｅｓ  ｔｈｅ  ｄｅｖｉｃｅ  ｆｕｒｔｈｅｒ  ｉｎｃｌｕｄｅｓ：  （ｂ）  ａ  ｐｉｅｚｏｅｌｅｃｔｒｉｃ  ａｕｄｉｏ  ａｍｐｌｉｆｉｅｒ，  ａｄａｐｔｅｄ  ｔｏ  ｓｅｎｄ  ａ  ｓｉｇｎａｌ  ｔｏ  ａ  ｐｒｏｃｅｓｓｉｎｇ  ｃｏｍｐｏｎｅｎｔ  ｏｆ  ｔｈｅ  ｄｅｖｉｃｅ  ｗｈｅｎ  ｍｅｃｈａｎｉｃａｌｌｙ  ａｃｔｕａｔｅｄ，  ｗｈｅｒｅｉｎ  ｍｅｃｈａｎｉｃａｌ  ａｃｔｕａｔｉｏｎ  ｏｆ  ｔｈｅ  ｐｉｅｚｏｅｌｅｃｔｒｉｃ  ａｕｄｉｏ  ａｍｐｌｉｆｉｅｒ  ｃａｕｓｅｓ  ｔｈｅ  ｐｒｏｃｅｓｓｉｎｇ  ｃｏｍｐｏｎｅｎｔ  ｔｏ  ｇｏ  ｆｒｏｍ  ａｎ  ｉｎａｃｔｉｖｅ  ｓｔａｔｅ  ｔｏ  ａｎ  ａｃｔｉｖｅ  ｓｔａｔｅ．
Ａｃｃｏｒｄｉｎｇ  ｔｏ  ｓｔｉｌｌ  ｆｕｒｔｈｅｒ  ｆｅａｔｕｒｅｓ  ｔｈｅ  ｄｅｖｉｃｅ  ｆｕｒｔｈｅｒ  ｉｎｃｌｕｄｅｓ：  （ｂ）  ａ  ｐｉｅｚｏｅｌｅｃｔｒｉｃ  ｃｏｍｐｏｎｅｎｔ，  ａｄａｐｔｅｄ  ｔｏ  ｃａｕｓｅ  ｔｈｅ  ｗｉｒｅｌｅｓｓ  ｃｏｍｍｕｎｉｃａｔｉｏｎｓ  ｃｏｍｐｏｎｅｎｔ  ｔｏ  ｓｅｎｄ  ａ  ｗｉｒｅｌｅｓｓ  ｓｉｇｎａｌ  ｔｏ  ｔｈｅ  ＭＣＤ  ｗｈｅｎ  ｍｅｃｈａｎｉｃａｌｌｙ  ａｃｔｕａｔｅｄ．
Ａｃｃｏｒｄｉｎｇ  ｔｏ  ａｎｏｔｈｅｒ  ｅｍｂｏｄｉｍｅｎｔ  ｔｈｅｒｅ  ｉｓ  ｐｒｏｖｉｄｅｄ  ａ  ｓｙｓｔｅｍ  ｉｎｃｌｕｄｉｎｇ：  （ａ）  ａ  ｐｌｕｒａｌｉｔｙ  ｏｆ  Ｏｃｃｕｐａｎｃｙ  Ｓｅｎｓｏｒ  Ｕｎｉｔｓ  （ＯＳＵ）  ｗｉｒｅｌｅｓｓｌｙ  ｃｏｕｐｌｅｄ  ｔｏｇｅｔｈｅｒ  ｖｉａ  ｌｏｃａｌ  ａｒｅａ  ｗｉｒｅｌｅｓｓ  ｃｏｍｍｕｎｉｃａｔｉｏｎ  （ＬＡＷＣ）  ｓｉｇｎａｌｓ；  ａｎｄ  （ｂ）  ａ  ｌｅａｓｔ  ｏｎｅ  ｗｉｄｅ  ａｒｅａ  ｗｉｒｅｌｅｓｓ  ｃｏｍｍｕｎｉｃａｔｉｏｎ  （ＷＡＷＣ）  ｅｎａｂｌｅｄ  ＯＳＵ  ｉｎｃｌｕｄｉｎｇ  ａ  ＷＡＷＣ  ｃｏｍｐｏｎｅｎｔ  ｃｏｎｆｉｇｕｒｅｄ  ｔｏ  ｗｉｒｅｌｅｓｓｌｙ  ｃｏｕｐｌｅ  ｔｈｅ  ＷＡＷＣ  ｅｎａｂｌｅｄ  ＯＳＵ  ｔｏ  ａ  ｒｅｍｏｔｅ  ｄａｔａ  ｎｅｔｗｏｒｋ，
ｗｈｅｒｅｉｎ  ｅａｃｈ  ｏｆ  ｔｈｅ  ＯＳＵ  ｉｎｃｌｕｄｅｓ：  （ｉ）  ａ  ｗｉｒｅｌｅｓｓ  ｃｏｍｍｕｎｉｃａｔｉｏｎｓ  ｃｏｍｐｏｎｅｎｔ，  ｃｏｎｆｉｇｕｒｅｄ  ｔｏ  ｓｅｎｄ  ａｎｄ  ｒｅｃｅｉｖｅ  ＬＡＷＣ  ｓｉｇｎａｌｓ；  ａｎｄ  （ｉｉ）  ａ  Ｒｅｃｅｉｖｅｄ  Ｓｉｇｎａｌ  Ｓｔｒｅｎｇｔｈ  Ｉｎｄｉｃａｔｏｒ  （ＲＳＳＩ）  ｍｏｄｕｌｅ  ｆｏｒ  ｍｅａｓｕｒｉｎｇ  ｓｉｇｎａｌ  ｓｔｒｅｎｇｔｈ  ｏｆ  ｔｈｅ  ＬＡＷＣ  ｓｉｇｎａｌｓ  ｒｅｃｅｉｖｅｄ  ａｔ  ｔｈｅ  ｗｉｒｅｌｅｓｓ  ｃｏｍｍｕｎｉｃａｔｉｏｎｓ  ｃｏｍｐｏｎｅｎｔ，  ａｎｄ  ｉｓ  ｃｏｎｆｉｇｕｒｅｄ  ｔｏ  ｔｒａｃｋ  ａ  ＬＡＷＣ−ｅｎａｂｌｅ  ｍｏｂｉｌｅ  ｄｅｖｉｃｅ  ｔｒａｎｓｍｉｔｔｉｎｇ  ｔｈｅ  ＬＡＷＣ  ｓｉｇｎａｌｓ．
Ａｃｃｏｒｄｉｎｇ  ｔｏ  ｆｕｒｔｈｅｒ  ｆｅａｔｕｒｅｓ  ｅａｃｈ  ｏｆ  ｔｈｅ  ｐｌｕｒａｌｉｔｙ  ｏｆ  Ｏｃｃｕｐａｎｃｙ  Ｓｅｎｓｏｒ  Ｕｎｉｔｓ  ｉｓ  ｃｏｎｆｉｇｕｒｅｄ，  ｉｎ  ａｎ  ａｄｖｅｒｔｉｓｉｎｇ  ｍｏｄｅ，  ｔｏ  ｓｅｎｄ  ａｎ  ａｄｖｅｒｔｉｓｉｎｇ  ＬＡＷＣ  ｓｉｇｎａｌ  ａｔ  ａ  ｐｒｅｄｅｆｉｎｅｄ  ｔｉｍｅ  ｉｎｔｅｒｖａｌ，  ａｎｄ  ｗｈｅｒｅｉｎ  ｔｈｅ  ｐｌｕｒａｌｉｔｙ  ｏｆ  ＯＳＵ  ａｒｅ  ｓｙｎｃｈｒｏｎｉｚｅｄ  ｔｏ  ｅａｃｈ  ｓｅｎｄ  ｔｈｅ  ａｄｖｅｒｔｉｓｉｎｇ  ＬＡＷＣ  ｓｉｇｎａｌ  ａｔ  ｔｈｅ  ｓａｍｅ  ｔｉｍｅ．
Ａｃｃｏｒｄｉｎｇ  ｔｏ  ｓｔｉｌｌ  ｆｕｒｔｈｅｒ  ｆｅａｔｕｒｅｓ  ｅａｃｈ  ｏｆ  ｔｈｅ  ｐｌｕｒａｌｉｔｙ  ｏｆ  Ｏｃｃｕｐａｎｃｙ  Ｓｅｎｓｏｒ  Ｕｎｉｔｓ  ｉｓ  ｃｏｎｆｉｇｕｒｅｄ，  ｉｎ  ａ  ｒｅｃｅｉｖｉｎｇ  ｍｏｄｅ，  ｔｏ  ｒｅｇｉｓｔｅｒ  ｗｈｅｎ  ａ  ｇｉｖｅｎ  ｔｈｅ  ＬＡＷＣ  ｓｉｇｎａｌ  ｉｓ  ｒｅｃｅｉｖｅｄ，  ａｎｄ  ｂａｓｅｄ  ｏｎ  ｒｅｃｅｉｖｅｄ−ｔｉｍｅ  ｄｉｆｆｅｒｅｎｔｉａｌｓ  ｂｅｔｗｅｅｎ  ｔｈｅ  ＯＳＵ，  ａｎｄ  ｋｎｏｗｎ  ｒｅｌａｔｉｖｅ  ｓｐａｃｉｎｇ  ｏｆ  ｔｈｅ  ＯＳＵ，  ａ  ｌｏｃａｔｉｏｎ  ｏｆ  ａ  ｓｏｕｒｃｅ  ｏｆ  ｔｈｅ  ｇｉｖｅｎ  ＬＡＷＣ  ｓｉｇｎａｌ  ｉｓ  ｃａｌｃｕｌａｔｅｄ．
Ａｃｃｏｒｄｉｎｇ  ｔｏ  ｓｔｉｌｌ  ｆｕｒｔｈｅｒ  ｆｅａｔｕｒｅｓ  ｅａｃｈ  ｏｆ  ｔｈｅ  ｐｌｕｒａｌｉｔｙ  ｏｆ  ｏｃｃｕｐａｎｃｙ  ｓｅｎｓｏｒ  ｕｎｉｔｓ  ｒｅｇｉｓｔｅｒｓ  ａ  ｒｅｌａｔｉｖｅ  ｌｏｃａｔｉｏｎ  ｏｆ  ｏｔｈｅｒ  ｐｒｏｘｉｍａｌｌｙ  ｌｏｃａｔｅｄ  ＯＳＵｓ  ｓｕｃｈ  ｔｈａｔ  ｒｅｌｏｃａｔｉｏｎ  ｏｆ  ａｎ  ＯＳＵ  ｉｓ  ｒｅｇｉｓｔｅｒｅｄ  ｂｙ  ｐｒｏｘｉｍａｌｌｙ  ｌｏｃａｔｅｄ  ＯＳＵｓ．
Ａｃｃｏｒｄｉｎｇ  ｔｏ  ｓｔｉｌｌ  ｆｕｒｔｈｅｒ  ｆｅａｔｕｒｅｓ  ＬＡＷＣ−ｅｎａｂｌｅｄ  ｍｏｂｉｌｅ  ｄｅｖｉｃｅ  ｔｒａｃｋｅｄ  ｂｙ  ｔｈｅ  ｐｌｕｒａｌｉｔｙ  ｏｆ  ＯＳＵｓ  ｓｅｎｄｓ  ａｎ  ａｃｃｕｒａｔｅ  ｃｌｏｃｋ  ｒｅａｄｉｎｇ  ｔｏ  ｂｅ  ｕｓｅｄ  ｔｏ  ｓｙｎｃｈｒｏｎｉｚｅ  ｔｈｅ  ｐｌｕｒａｌｉｔｙ  ｏｆ  ＯＳＵｓ．
Ａｃｃｏｒｄｉｎｇ  ｔｏ  ａｎｏｔｈｅｒ  ｅｍｂｏｄｉｍｅｎｔ  ｔｈｅｒｅ  ｉｓ  ｐｒｏｖｉｄｅｄ  ａ  ｄｅｖｉｃｅ  ｉｎｃｌｕｄｉｎｇ：  （ａ）  ａｎ  ａｃｃｅｌｅｒｏｍｅｔｅｒ；  （ｂ）  ａ  ＧＰＳ  ｃｈｉｐｓｅｔ；  （ｃ）  ａ  Ｂｌｕｅｔｏｏｔｈ  ｃｈｉｐｓｅｔ；  （ｄ）  ａ  ｒａｄｉｏ  ｆｒｅｑｕｅｎｃｙ  （ＲＦ）  ａｍｐｌｉｆｉｅｒ；  ａｎｄ  （ｅ）  ａｎ  ｏｍｎｉ  ｄｉｒｅｃｔｉｏｎａｌ  ａｎｔｅｎｎａ，  ｗｈｅｒｅｉｎ  ｗｈｅｎ  ｔｈｅ  ａｃｃｅｌｅｒｏｍｅｔｅｒ  ｄｅｔｅｃｔｓ  ｍｏｔｉｏｎ，  ｔｈｅ  ＧＰＳ  ｃｈｉｐｓｅｔ  ｉｓ  ｃｏｎｖｅｒｔｅｄ  ｆｒｏｍ  ａ  ｓｌｅｅｐ  ｍｏｄｅ  ｔｏ  ａｎ  ａｃｔｉｖｅ  ｍｏｄｅ，  ｉｎ  ｔｈｅ  ａｃｔｉｖｅ  ｍｏｄｅ，  ｔｈｅ  ＧＰＳ  ｃｈｉｐｓｅｔ  ｔｒａｎｓｍｉｔｓ  ＧＰＳ  ｌｏｃａｔｉｏｎ  ｓｉｇｎａｌｓ  ａｔ  ｐｒｅｄｅｆｉｎｅｄ  ｉｎｔｅｒｖａｌｓ  ａｎｄ  ｅｎｔｅｒｓ  ａ  ｓｔａｎｄｂｙ  ｍｏｄｅ  ｄｕｒｉｎｇ  ｔｈｅ  ｐｒｅｄｅｆｉｎｅｄ  ｉｎｔｅｒｖａｌｓ；  ｗｈｅｒｅｉｎ  ｔｈｅ  ＧＰＳ  ｌｏｃａｔｉｏｎ  ｓｉｇｎａｌｓ  ａｒｅ  ｔｒａｎｓｍｉｔｔｅｄ  ｂｙ  ｔｈｅ  Ｂｌｕｅｔｏｏｔｈ  ｃｈｉｐｓｅｔ  ｃｏｕｐｌｅｄ  ｔｏ  ｔｈｅ  ＲＦ  ａｍｐｌｉｆｉｅｒ  ａｎｄ  ｔｈｅ  ｏｍｎｉ  ｄｉｒｅｃｔｉｏｎａｌ  ａｎｔｅｎｎａ；  ａｎｄ  ｗｈｅｒｅｉｎ  ｄｕｒｉｎｇ  ｔｈｅ  ｐｒｅｄｅｆｉｎｅｄ  ｉｎｔｅｒｖａｌｓ，  ｔｈｅ  Ｂｌｕｅｔｏｏｔｈ  ｃｈｉｐｓｅｔ  ａｎｄ  ｔｈｅ  ＲＦ  ａｍｐｌｉｆｉｅｒ  ｅｎｔｅｒ  ａ  ｓｔａｎｄｂｙ  ｍｏｄｅ．
Ｔｈｅ  ｐｒｅｓｅｎｔ  ｉｎｖｅｎｔｉｏｎ  ｄｉｓｃｌｏｓｅｓ  ａｎ  ｉｎｎｏｖａｔｉｖｅ  ｂｅａｃｏｎ  ｔｈａｔ  ｈａｓ  ａ  ｃｏｍｍｕｎｉｃａｔｉｎｇ  ｒａｎｇｅ  ｏｆ  ａｂｏｕｔ  １００  ｔｏ  １６０  ｆｅｅｔ  （ａｐｐｒｏｘｉｍａｔｅｌｙ  ３０  ｔｏ  ５０  ｍｅｔｅｒｓ）  ｗｈｉｃｈ  ｃａｎ  ｂｅ  ｔｒａｃｋｅｄ  ｕｓｉｎｇ  ａｎ  ａｐｐｌｉｃａｔｉｏｎ  ｏｎ  ａ  ｍｏｂｉｌｅ  ｄｅｖｉｃｅ  ｓｕｃｈ  ａｓ  ａ  ｓｍａｒｔ  ｐｈｏｎｅ．  Ｔｈｅ  ｂｅａｃｏｎ  ｉｎｃｌｕｄｅｓ  ａ  ｂａｔｔｅｒｙ  ｔｈａｔ  ｌａｓｔｓ  ｆｏｒ  ｏｖｅｒ  ａ  ｙｅａｒ．  Ｂａｔｔｅｒｙ  ｃａｎ  ｂｅ  ｒｅｐｌａｃｅｄ  ｗｉｔｈｏｕｔ  ｒｅｍｏｖｉｎｇ  ｔｈｅ  ｂｅａｃｏｎ  ｆｒｏｍ  ｔｈｅ  ｓｕｒｆａｃｅ  ｔｏ  ｗｈｉｃｈ  ｉｔ  ｉｓ  ａｄｈｅｒｅｄ．  
Ａｄｄｉｔｉｏｎａｌｌｙ  ｔｈｅ  Ｓｔｉｃｋ−Ｎ−Ｆｉｎｄ  ｂｅａｃｏｎｓ  ｈａｖｅ  ａ  ｂｕｚｚｅｒ  ａｎｄ  ｌｉｇｈｔ，  ａｌｌｏｗｉｎｇ  ｔｈｅ  ｂｅａｃｏｎ  ｔｏ  ｂｅ  ｌｏｃａｔｅｄ  ｅａｓｉｌｙ  ｅｖｅｎ  ｉｎ  ｔｈｅ  ｄａｒｋ．
ＢＲＩＥＦ  ＤＥＳＣＲＩＰＴＩＯＮ  ＯＦ  ＴＨＥ  ＤＲＡＷＩＮＧＳ
Ｖａｒｉｏｕｓ  ｅｍｂｏｄｉｍｅｎｔｓ  ａｒｅ  ｈｅｒｅｉｎ  ｄｅｓｃｒｉｂｅｄ，  ｂｙ  ｗａｙ  ｏｆ  ｅｘａｍｐｌｅ  ｏｎｌｙ，  ｗｉｔｈ  ｒｅｆｅｒｅｎｃｅ  ｔｏ  ｔｈｅ  ａｃｃｏｍｐａｎｙｉｎｇ  ｄｒａｗｉｎｇｓ，  ｗｈｅｒｅｉｎ：
ＦＩＧ．  １Ａ  ｉｓ  ａ  ｐｉｃｔｏｒｉａｌ  ｄｅｐｉｃｔｉｏｎ  ｏｆ  ａ  ｆｒｏｎｔ  ｖｉｅｗ  ｏｆ  ａｎ  ｅｍｂｏｄｉｍｅｎｔ  ｏｆ  ｔｈｅ  ｉｎｎｏｖａｔｉｖｅ  ｓｔｉｃｋｅｒ  ｂｅａｃｏｎ；
ＦＩＧ．  １Ｂ  ｉｓ  ａ  ｐｉｃｔｏｒｉａｌ  ｄｅｐｉｃｔｉｏｎ  ｏｆ  ａ  ｂａｃｋ  ｖｉｅｗ  ｏｆ  ｔｈｅ  ｅｍｂｏｄｉｍｅｎｔ  ｏｆ  Ｆｉｇ．１；
ＦＩＧ．  ２  ｉｓ  ａ  ｐｉｃｔｏｒｉａｌ  ｒｅｐｒｅｓｅｎｔａｔｉｏｎ  ｏｆ  ｔｈｅ  ｉｎｎｏｖａｔｉｖｅ  ｂｅａｃｏｎ  ｓｔｉｃｋｅｒ  ｏｆ  ｔｈｅ  ｉｍｍｅｄｉａｔｅ  ｉｎｖｅｎｔｉｏｎ  ｓｈｏｗｎ  ｎｅｘｔ  ｔｏ  ａ  ＵＳ  ｑｕａｒｔｅｒ  Ｄｏｌｌａｒ  ｃｏｉｎ；
ＦＩＧ．  ３Ａ−３Ｄ  ａｒｅ  ｐｉｃｔｏｒｉａｌ  ｄｅｐｉｃｔｉｏｎｓ  ｏｆ  ｔｈｅ  ｉｎｎｏｖａｔｉｖｅ  ｂｅａｃｏｎ  ｉｎ  ｕｓｅ；
ＦＩＧ．  ４  ｉｓ  ａ  ｓｅｍｉ−ｓｃｈｅｍａｔｉｃ  ｅｘｐｌｏｄｅｄ  ｖｉｅｗ  ｏｆ  ａｎ  ｅｍｂｏｄｉｍｅｎｔ  ｏｆ  ｔｈｅ  ｉｎｎｏｖａｔｉｖｅ  ｓｔｉｃｋｅｒ  ｂｅａｃｏｎ  ａｎｄ  ａ  ｋｅｙ−ｒｉｎｇ  ｆｏｂ；
ＦＩＧ．  ４Ａ  ｉｓ  ａ  ｓｃｈｅｍａｔｉｃ  ｄｉａｇｒａｍ  ｏｆ  ａ  ｆｕｒｔｈｅｒ  ｅｍｂｏｄｉｍｅｎｔ  ｏｆ  ｃｉｒｃｕｉｔ  ｂｏａｒｄ  ｏｆ  ａ  ｌｏｃａｔｏｒ  ｂｅａｃｏｎ  ｏｆ  ｔｈｅ  ｉｍｍｅｄｉａｔｅ  ｉｎｖｅｎｔｉｏｎ；
ＦＩＧ．  ５  ｉｓ  ａ  ｐａｒｔｉａｌ  ｓｃｒｅｅｎ  ｓｈｏｔ  ｏｆ  ａ  ｓｍａｒｔ  ｐｈｏｎｅ  ｒｕｎｎｉｎｇ  ａｎ  ｉｎｎｏｖａｔｉｖｅ  ‘Ｒａｄａｒ  Ｓｃｒｅｅｎ’  ｆｅａｔｕｒｅ  ｏｆ  ｔｈｅ  ｍｏｂｉｌｅ  ａｐｐｌｉｃａｔｉｏｎ  ｏｆ  ｔｈｅ  ｐｒｅｓｅｎｔ  ｉｎｖｅｎｔｉｏｎ；
ＦＩＧ．  ６  ｉｓ  ａ  ｓｃｒｅｅｎ  ｓｈｏｔ  ｏｆ  ａ  ｓｍａｒｔ  ｐｈｏｎｅ  ｒｕｎｎｉｎｇ  ａ  ‘Ｆｉｎｄ  Ｉｔ’  ｆｅａｔｕｒｅ  ｏｆ  ｔｈｅ  ｉｎｎｏｖａｔｉｖｅ  ｍｏｂｉｌｅ  ａｐｐｌｉｃａｔｉｏｎ；  
ＦＩＧ．  ７  ｉｓ  ａ  ｐａｒｔｉａｌ  ｓｃｒｅｅｎ  ｓｈｏｔ  ｏｆ  ａ  ｓｍａｒｔ  ｐｈｏｎｅ  ｒｕｎｎｉｎｇ  ａ  ‘Ｖｉｒｔｕａｌ  Ｌｅａｓｈ’  ｆｅａｔｕｒｅ  ｏｆ  ｔｈｅ  ｉｎｎｏｖａｔｉｖｅ  ｍｏｂｉｌｅ  ａｐｐｌｉｃａｔｉｏｎ；
ＦＩＧ．  ８Ａ／Ｂ  ａｒｅ  ｓｃｒｅｅｎ  ｓｈｏｔｓ  ｏｆ  ａ  ｓｍａｒｔ  ｐｈｏｎｅ  ｒｕｎｎｉｎｇ  ａ  Ｌｕｇｇａｇｅ  Ｔａｇ  ｍｏｂｉｌｅ  ａｐｐｌｉｃａｔｉｏｎ  （“Ｔａｇ  Ａｐｐ”）；
ＦＩＧ．  ９  ｉｓ  ａ  ｂｌｏｃｋ  ｄｉａｇｒａｍ  ｆｏｒ  ＢＬＥ  ｏｃｃｕｐａｎｃｙ  ｓｅｎｓｏｒ  ｗｉｔｈｏｕｔ  ＷｉＦｉ，  ｉｎ  ｃｏｍｍｕｎｉｃａｔｉｏｎ  ｗｉｔｈ  ａｎ  ｅｘｅｍｐｌａｒｙ  ＭＣＤ；
ＦＩＧ．  １０  ｉｓ  ａ  ｄｉａｇｒａｍ  ｆｏｒ  ＢＬＥ  ｏｃｃｕｐａｎｃｙ  ｓｅｎｓｏｒ  ｗｉｔｈ  ＷｉＦｉ  ａｎｄ／ｏｒ  Ｃｅｌｌｕｌａｒ  Ｄａｔａ  Ｍｏｄｅｍ；
ＦＩＧ．  １１  ｉｓ  ａ  ｄｉａｇｒａｍ  ｆｏｒ  ＢＬＥ  ｏｃｃｕｐａｎｃｙ  ｓｅｎｓｏｒ  ｗｉｔｈ  ＷｉＦｉ  ａｎｄ／ｏｒ  Ｃｅｌｌｕｌａｒ  Ｄａｔａ  Ｍｏｄｅｍ  ｗｉｔｈ  ａ  Ｌｏｃａｔｏｒ  Ｔａｇ；
ＦＩＧ．  １２  ｉｓ  ａ  ｄｉａｇｒａｍ  ｏｆ  Ｍｅｓｈ  Ｎｅｔｗｏｒｋ  ｏｆ  ｏｃｃｕｐａｎｃｙ  ｓｅｎｓｏｒｓ  ｗｉｔｈ  ｏｎｌｙ  ｏｎｅ  ＷｉＦｉ  ｏｒ  Ｃｅｌｌｕｌａｒ  ｕｎｉｔ；
ＦＩＧ．  １３  ｉｓ  ａｎ  ｅｘｅｍｐｌａｒｙ  ｐｉｃｔｏｒｉａｌ  ｄｅｐｉｃｔｉｏｎ  ｏｆ  ａ  ＢＬＥ  Ｔａｇ  ｉｎ  ｕｓｅ  ｉｎ  ａｎ  ｅｘｅｍｐｌａｒｙ  ｓｃｅｎａｒｉｏ；  
ＦＩＧ．  １４  ｉｓ  ａ  ｂｌｏｃｋ  ｄｉａｇｒａｍ  ｏｆ  ａｎ  ｕｌｔｒａ  ｓｍａｌｌ  Ｂｌｕｅｔｏｏｔｈ  ＧＰＳ  ｌｏｃａｔｏｒ．
ＤＥＳＣＲＩＰＴＩＯＮ  ＯＦ  ＴＨＥ  ＰＲＥＦＥＲＲＥＤ  ＥＭＢＯＤＩＭＥＮＴＳ
Ｔｈｅ  ｐｒｉｎｃｉｐｌｅｓ  ａｎｄ  ｏｐｅｒａｔｉｏｎ  ｏｆ  ａ  Ｂｌｕｅｔｏｏｔｈ  ｅｎａｂｌｅｄ  ｂｅａｃｏｎ  ａｎｄ  ｍｏｂｉｌｅ  ａｐｐ  ａｃｃｏｒｄｉｎｇ  ｔｏ  ｔｈｅ  ｐｒｅｓｅｎｔ  ｉｎｖｅｎｔｉｏｎ  ｍａｙ  ｂｅ  ｂｅｔｔｅｒ  ｕｎｄｅｒｓｔｏｏｄ  ｗｉｔｈ  ｒｅｆｅｒｅｎｃｅ  ｔｏ  ｔｈｅ  ｄｒａｗｉｎｇｓ  ａｎｄ  ｔｈｅ  ａｃｃｏｍｐａｎｙｉｎｇ  ｄｅｓｃｒｉｐｔｉｏｎ．
ＢＥＡＣＯＮ
Ｒｅｆｅｒｒｉｎｇ  ｎｏｗ  ｔｏ  ｔｈｅ  ｄｒａｗｉｎｇｓ，  Ｆｉｇｕｒｅ  １Ａ  ｉｌｌｕｓｔｒａｔｅｓ  ａ  ｐｉｃｔｏｒｉａｌ  ｄｅｐｉｃｔｉｏｎ  ｏｆ  ａｎ  ｉｓｏｍｅｔｒｉｃ  ｆｒｏｎｔ  ｖｉｅｗ  ｏｆ  ａｎ  ｉｎｎｏｖａｔｉｖｅ  ｓｔｉｃｋｅｒ  ｂｅａｃｏｎ  １０  ｈｅｌｄ  ｂｅｔｗｅｅｎ  ａ  ｐｅｒｓｏｎ’ｓ  ｆｉｎｇｅｒｓ．  Ｆｉｇｕｒｅ  １Ｂ  ｉｓ  ａｎ  ｉｓｏｍｅｔｒｉｃ  ｂａｃｋ  ｖｉｅｗ  ｏｆ  ｓｔｉｃｋｅｒ  ｂｅａｃｏｎ  １０．  Ｒｅｆｅｒｒｉｎｇ  ｔｏ  ｂｏｔｈ  Ｆｉｇｕｒｅｓ  １Ａ  ａｎｄ  １Ｂ，  ｂｅａｃｏｎ  １０  ｉｎｃｌｕｄｅ  ｉｎｔｅｇｒａｔｅｄ  ｓｐｅａｋｅｒ  ｈｏｌｅｓ  １２．  Ｓｐｅａｋｅｒ  ｈｏｌｅｓ  １２  ａｌｌｏｗ  ｓｏｕｎｄ  ｆｒｏｍ  ａｎ  ｉｎｔｅｇｒａｔｅｄ  ｂｕｚｚｅｒ  （ｎｏｔ  ｓｈｏｗｎ  ｈｅｒｅ）  ｔｏ  ｂｅ  ｈｅａｒｄ．  Ｓｐｅａｋｅｒ  ｈｏｌｅｓ  １２  ａｌｓｏ  ａｌｌｏｗ  ａｎ  ｉｎｔｅｇｒａｔｅｄ  ＬＥＤ  （ｎｏｔ  ｓｈｏｗｎ  ｈｅｒｅ  ｅｉｔｈｅｒ）  ｔｏ  ｂｅ  ｓｅｅｎ  ｗｈｅｎ  ａｃｔｉｖｅ．  Ａｎ  ａｄｈｅｓｉｖｅ  ｍｅａｎｓ  １４  ｉｓ  ｖｉｓｉｂｌｅ  ｍｏｕｎｔｅｄ  ｏｎ  ｔｈｅ  ｂａｃｋ  ｏｆ  ｂｅａｃｏｎ  １０．  Ｓｔｉｃｋｅｒ  ｂｅａｃｏｎ  １０  ｃａｎ  ｂｅ  ａｔｔａｃｈｅｄ  ｔｏ  ｖｉｒｔｕａｌｌｙ  ａｎｙ  ｓｕｂｓｔａｎｔｉａｌｌｙ  ｆｌａｔ  ｓｕｒｆａｃｅ  ｗｉｔｈ  ｔｈｅ  ａｉｄ  ｏｆ  ａｄｈｅｓｉｖｅ  １４．  Ｐｒｅｆｅｒａｂｌｙ，  ｔｈｅ  ｓｔｉｃｋｅｒ  ｂｅａｃｏｎ  ｉｓ  ｎｏｎ−ｒｅｍｏｖｅａｂｌｙ  ａｔｔａｃｈｅｄ  ｔｏ  ｔｈｅ  ｄｅｓｉｒｅｄ  ｓｕｒｆａｃｅ  ｖｉａ  ｔｈｅ  ａｄｈｅｓｉｖｅ．  Ｔｈｅ  ｒｅｌａｔｉｖｅｌｙ  ｓｍａｌｌ  ｓｉｚｅ  ｏｆ  ｓｔｉｃｋｅｒ  １０  ｔｏｇｅｔｈｅｒ  ｗｉｔｈ  ａｄｈｅｓｉｖｅ  ｂａｃｋｉｎｇ  １４  ａｌｌｏｗｓ  ｔｈｅ  ｓｔｉｃｋｅｒ  ｔｏ  ｂｅ  ｕｓｅｄ  ｉｎ  ａ  ｗｉｄｅ  ｖａｒｉｅｔｙ  ｏｆ  ｓｉｔｕａｔｉｏｎｓ．    
Ｐｒｅｆｅｒａｂｌｙ  ｔｈｅ  ａｄｈｅｓｉｖｅ  ｕｓｅｄ  ｉｓ  ３Ｍ（Ｒｅｇｉｓｔｅｒｅｄ  Ｔｒａｄｅｍａｒｋ）ＶＨＢ（Ｒｅｇｉｓｔｅｒｅｄ  Ｔｒａｄｅｍａｒｋ）ｏｒ  ｅｑｕｉｖａｌｅｎｔ  ａｄｈｅｓｉｖｅ．  ３Ｍ（Ｒｅｇｉｓｔｅｒｅｄ  Ｔｒａｄｅｍａｒｋ）  ＶＨＢ（Ｒｅｇｉｓｔｅｒｅｄ  Ｔｒａｄｅｍａｒｋ）  ａｄｈｅｒｅｓ  ｔｏ  ｍｏｓｔ  ｓｕｒｆａｃｅｓ  ａｎｄ  ａｃｈｉｅｖｅｓ  ａ  ｆｕｌｌ  ｓｔｒｅｎｇｔｈ  ｂｏｎｄ  ｉｎ  ａｐｐｒｏｘｉｍａｔｅｌｙ  ｏｎｅ  ｈｏｕｒ．  Ｐｒｅｆｅｒａｂｌｙ  ｔｈｅ  ａｄｈｅｓｉｖｅ  ｉｓ  ｃａｐａｂｌｅ  ｏｆ  ａｄｈｅｒｉｎｇ  ｔｏ  ｓｕｒｆａｃｅｓ  ｉｎｃｌｕｄｉｎｇ  ａｔ  ｌｅａｓｔ：  ｇｌａｓｓ，  ｐａｉｎｔｅｄ  ｓｕｒｆａｃｅｓ，  ｍｅｔａｌ，  ｐａｉｎｔｅｄ／ｓｅａｌｅｄ  ｗｏｏｄ  ＆  ｃｏｎｃｒｅｔｅ，  ｏｕｔｄｏｏｒ  ＆  ｈａｒｓｈ  ｅｎｖｉｒｏｎｍｅｎｔａｌ  ａｐｐｌｉｃａｔｉｏｎｓ，  ｐｌａｓｔｉｃｓ，  ｌｅａｔｈｅｒ，  ｅｔｃ．
Ｆｉｇｕｒｅ  ２  ｉｓ  ａ  ｐｉｃｔｏｒｉａｌ  ｒｅｐｒｅｓｅｎｔａｔｉｏｎ  ｏｆ  ｔｈｅ  ｉｎｎｏｖａｔｉｖｅ  ｂｅａｃｏｎ  ｓｔｉｃｋｅｒ  ｏｆ  ｔｈｅ  ｉｍｍｅｄｉａｔｅ  ｉｎｖｅｎｔｉｏｎ  ｓｈｏｗｎ  ｎｅｘｔ  ｔｏ  ａ  ＵＳ  ｑｕａｒｔｅｒ  Ｄｏｌｌａｒ  ｃｏｉｎ．  Ｔｈｅ  ｓｉｚｅ  ｏｆ  ｔｈｅ  ｃｕｒｒｅｎｔｌｙ  ｄｅｐｉｃｔｅｄ  ｅｍｂｏｄｉｍｅｎｔ  ｏｆ  ｓｔｉｃｋｅｒ  １０  ｉｓ  ｃｌｅａｒ  ｆｒｏｍ  ｔｈｅ  ｃｏｎｔｅｘｔ  ｏｆ  ｔｈｅ  ｃｏｍｐａｒｉｓｏｎ  ｂｅｔｗｅｅｎ  ｓｔｉｃｋｅｒ  １０  ａｎｄ  ａ  ｑｕａｒｔｅｒ  Ｄｏｌｌａｒ  ｃｏｉｎ  ２０  ｄｅｐｉｃｔｅｄ  ｉｎ  Ｆｉｇ．  ２．
Ｆｉｇｕｒｅｓ  ３Ａ  ｔｏ  ３Ｄ  ａｒｅ  ｐｉｃｔｏｒｉａｌ  ｄｅｐｉｃｔｉｏｎｓ  ｏｆ  ｔｈｅ  ｉｎｎｏｖａｔｉｖｅ  ｂｅａｃｏｎ  ｉｎ  ｕｓｅ．  Ｔｈｅ  ｂｅａｃｏｎ  ｉｓ  ａｂｏｕｔ  ｔｈｅ  ｓｉｚｅ  ｏｆ  ａｎ  Ａｍｅｒｉｃａｎ  Ｑｕａｒｔｅｒ  Ｄｏｌｌａｒ  ｃｏｉｎ  （ｓｅｅ  Ｆｉｇ．  ２）  ａｎｄ  １／８  ｏｆ  ａｎ  ｉｎｃｈ  （３．５ｍｍ）  ｔｈｉｃｋ．  Ｔｈｅ  ｄｉｍｅｎｓｉｏｎｓ  ｏｆ  ｔｈｅ  ｂｅａｃｏｎ  ａｌｌｏｗ  ｔｈｅ  ｄｅｖｉｃｅ  ｔｏ  ｂｅ  ａｔｔａｃｈｅｄ  ｕｎｏｂｔｒｕｓｉｖｅｌｙ  ｔｏ  ｍｏｓｔ  ｏｂｊｅｃｔｓ．  Ｆｏｒ  ｅｘａｍｐｌｅ，  ｓｔｉｃｋｅｒ  ｂｅａｃｏｎ  １０  ｃａｎ  ｂｅ  ａｄｈｅｒｅｄ  ｔｏ  ａ  ＴＶ  ｒｅｍｏｔｅ  ｃｏｎｔｒｏｌ  ３２  （ｓｅｅ  Ｆｉｇ．  ３Ｃ），  ａ  ｓｅｔ  ｏｆ  ｋｅｙｓ  ３４  （ｗｈｅｎ  ｍｏｕｎｔｅｄ  ｏｎ  ａ  ｆｏｂ  ３０）  （ｓｅｅ  Ｆｉｇ．  ３Ｂ），  ａ  ｐｅｔ  ｃｏｌｌａｒ  ３６  （ｓｅｅ  Ｆｉｇ．  ３Ａ  −  ａｌｓｏ  ｍｏｕｎｔｅｄ  ｏｎ  ａ  ｆｏｂ  ３０），  ａ  ｓｕｉｔｃａｓｅ  ３８  （ｓｅｅ  Ｆｉｇ．  ３Ｄ）  ｏｒ  ａｎｙ  ｏｔｈｅｒ  ｏｂｊｅｃｔ  ｔｈａｔ  ｉｓ  ｏｆｔｅｎ  ｌｏｏｋｅｄ  ｆｏｒ．
Ｆｉｇｕｒｅ  ４  ｉｓ  ａ  ｓｅｍｉ−ｓｃｈｅｍａｔｉｃ  ｅｘｐｌｏｄｅｄ  ｖｉｅｗ  ｏｆ  ａｎ  ｅｍｂｏｄｉｍｅｎｔ  ｏｆ  ｔｈｅ  ｉｎｎｏｖａｔｉｖｅ  ｓｔｉｃｋｅｒ  ｂｅａｃｏｎ  １０  ａｎｄ  ａ  ｋｅｙ−ｒｉｎｇ  ｆｏｂ  ３０．  Ｉｎ  ｔｈｅ  Ｆｉｇｕｒｅ，  ａ  ｆｒｏｎｔ  ｃｏｖｅｒ  ４０  ｉｎｃｌｕｄｅｓ  ｓｐｅａｋｅｒ  ｈｏｌｅｓ  ４２  （ｓｉｍｉｌａｒ  ｉｎ  ｆｕｎｃｔｉｏｎ  ｔｏ  ｓｐｅａｋｅｒ  ｈｏｌｅ  １２  ｏｆ  Ｆｉｇ．  １，  ａｌｔｈｏｕｇｈ  ｈａｖｉｎｇ  ａ  ｓｌｉｇｈｔｌｙ  ｄｉｆｆｅｒｅｎｔ  ｃｏｎｆｉｇｕｒａｔｉｏｎ）．  Ａ  ｂａｃｋ  ｃｏｖｅｒ  ４１  ｉｓ  ａｄａｐｔｅｄ  ｆｉｔｔｉｎｇｌｙ  ｃｌｏｓｅ  ｔｏｇｅｔｈｅｒ  ｗｉｔｈ  ｆｒｏｎｔ  ｃｏｖｅｒ  ４０．  
Ａ  ｒｏｕｎｄ  ｃｉｒｃｕｉｔ  ｂｏａｒｄ  ４４  ｉｓ  ｅｎｃｌｏｓｅｄ  ｂｙ  ｂａｃｋ  ａｎｄ  ｆｒｏｎｔ  ｃｏｖｅｒｓ  ４０／４１  ｏｆ  ｔｈｅ  ｓｔｉｃｋｅｒ  １０．  Ｃｉｒｃｕｉｔ  ｂｏａｒｄ  ４４  ｉｎｃｌｕｄｅｓ  ａ  ｃｏｍｐｕｔｉｎｇ  ｃｈｉｐ  ４６  ｆｏｒ  ｅｆｆｅｃｔｉｎｇ  ａｌｌ  ｏｆ  ｔｈｅ  ｒｅｌｅｖａｎｔ  ｐｒｏｃｅｓｓｉｎｇ  ｌｏｇｉｃ．  Ｓｕｃｈ  ａ  ｐｒｏｃｅｓｓｉｎｇ  ｄｅｖｉｃｅ  ｍａｙ  ｂｅ  ａ  ｍｉｃｒｏｐｒｏｃｅｓｓｏｒ，  ｍｉｃｒｏ−ｃｏｎｔｒｏｌｌｅｒ，  ｄｉｇｉｔａｌ  ｓｉｇｎａｌ  ｐｒｏｃｅｓｓｏｒ，  ｍｉｃｒｏｃｏｍｐｕｔｅｒ，  ｃｅｎｔｒａｌ  ｐｒｏｃｅｓｓｉｎｇ  ｕｎｉｔ，  ｆｉｅｌｄ  ｐｒｏｇｒａｍｍａｂｌｅ  ｇａｔｅ  ａｒｒａｙ，  ｐｒｏｇｒａｍｍａｂｌｅ  ｌｏｇｉｃ  ｄｅｖｉｃｅ，  ｓｔａｔｅ  ｍａｃｈｉｎｅ，  ｌｏｇｉｃ  ｃｉｒｃｕｉｔｒｙ，  ａｎａｌｏｇ  ｃｉｒｃｕｉｔｒｙ，  ｄｉｇｉｔａｌ  ｃｉｒｃｕｉｔｒｙ，  ａｎｄ／ｏｒ  ａｎｙ  ｄｅｖｉｃｅ  ｔｈａｔ  ｍａｎｉｐｕｌａｔｅｓ  ｓｉｇｎａｌｓ  （ａｎａｌｏｇ  ａｎｄ／ｏｒ  ｄｉｇｉｔａｌ）  ｂａｓｅｄ  ｏｎ  ｈａｒｄ  ｃｏｄｉｎｇ  ｏｆ  ｔｈｅ  ｃｉｒｃｕｉｔｒｙ  ａｎｄ／ｏｒ  ｏｐｅｒａｔｉｏｎａｌ  ｉｎｓｔｒｕｃｔｉｏｎｓ．  Ａ  ｗｉｒｅｌｅｓｓ  ｃｏｍｍｕｎｉｃａｔｉｏｎ  ｃｏｍｐｏｎｅｎｔ  ４８  ｅｆｆｅｃｔｓ  ａｌｌ  Ｂｌｕｅｔｏｏｔｈ  ａｎｄ  ＢＬＥ  ｒｅｌａｔｅｄ  ｆｕｎｃｔｉｏｎａｌｉｔｙ  （ｅ．ｇ．  ｓｅｎｄｉｎｇ  ａｎｄ  ｒｅｃｅｉｖｉｎｇ  ｓｉｇｎａｌｓ／ｄａｔａ  ｅｔｃ．）．  Ｐｒｅｆｅｒａｂｌｙ，  ｗｉｒｅｌｅｓｓ  ｃｏｍｍｕｎｉｃａｔｉｏｎ  ｃｏｍｐｏｎｅｎｔ  ４８  ｉｎｃｌｕｄｅｓ  ａｎ  ＲＳＳＩ  ｍｏｄｕｌｅ  ｆｏｒ  ｍｅａｓｕｒｉｎｇ  ｔｈｅ  ｓｉｇｎａｌ  ｓｔｒｅｎｇｔｈ  ｏｆ  ＲＳＳＩ  ｖａｌｕｅｓ  ｒｅｃｅｉｖｅｄ  ａｔ  ｔｈｅ  ｃｏｍｐｏｎｅｎｔ．  Ｉｎ  ｓｏｍｅ  ｅｍｂｏｄｉｍｅｎｔｓ，  ｃｏｍｐｏｎｅｎｔ  ４８  ｉｓ  ｃａｐａｂｌｅ  ｏｆ  ｅｆｆｅｃｔｉｎｇ  ｏｔｈｅｒ  ｔｙｐｅｓ  ｏｆ  ｗｉｒｅｌｅｓｓ  ｃｏｍｍｕｎｉｃａｔｉｏｎ  （ａｌｌ  ｗｅｌｌ  ｋｎｏｗｎ  ｉｎ  ｔｈｅ  ａｒｔ）  ｉｎ  ａｄｄｉｔｉｏｎ  ｔｏ，  ｏｒ  ｉｎ  ｐｌａｃｅ  ｏｆ，  Ｂｌｕｅｔｏｏｔｈ  ｃｏｍｍｕｎｉｃａｔｉｏｎ．  Ａｎ  ＬＥＤ  ５０  （ｏｒ  ｏｔｈｅｒ  ｉｌｌｕｍｉｎａｔｉｏｎ  ｍｅａｎｓ）  ｅｍｉｔ  ａ  ｖｉｓｕａｌ  ａｌｅｒｔ  （ｓｕｃｈ  ａｓ  ｅｍｉｔｔｉｎｇ  ａ  ｓｏｌｉｄ  ｌｉｇｈｔ  ｏｒ  ｆｌａｓｈｉｎｇ  ａｌｅｒｔ）  ｉｎ  ａｃｃｏｒｄａｎｃｅ  ｗｉｔｈ  ｒｅｌｅｖａｎｔ  ｏｒ  ｃｏｒｒｅｓｐｏｎｄｉｎｇ  ｉｎｓｔｒｕｃｔｉｏｎｓ  （ｄｉｓｃｕｓｓｅｄ  ｂｅｌｏｗ）．  Ｉｎ  ｓｏｍｅ  ｅｍｂｏｄｉｍｅｎｔｓ，  ｌｉｇｈｔ  ｆｒｏｍ  ＬＥＤ  ５０  ｉｓ  ｖｉｓｉｂｌｅ  ｔｈｒｏｕｇｈ  ｓｐｅａｋｅｒ  ｈｏｌｅｓ  ４２．  Ｉｎ  ｏｔｈｅｒ  ｅｍｂｏｄｉｍｅｎｔｓ，  ｉｌｌｕｍｉｎａｔｉｏｎ  ｆｒｏｍ  ＬＥＤ  ５０  ｉｓ  ｖｉｓｉｂｌｅ  ｔｈｒｏｕｇｈ  ａ  ｔｒａｎｓｐａｒｅｎｔ  ｓｅｃｔｉｏｎ  （ｎｏｔ  ｓｈｏｗｎ）  ｏｆ  ｅｉｔｈｅｒ  ｆｒｏｎｔ  ｃｏｖｅ���  ４０  ｏｒ  ｂａｃｋ  ｃｏｖｅｒ  ４１  ｏｒ  ａｒｅａ  ｏｆ  ｃｏｎｎｅｃｔｉｏｎ  ｂｅｔｗｅｅｎ  ｔｈｅ  ｔｗｏ．  Ａｎ  ａｕｄｉｏ  ｃｏｍｐｏｎｅｎｔ  ５２  ｅｎａｂｌｅｓ  ｓｔｉｃｋｅｒ  １０  ｔｏ  ｅｍｉｔ  ａｎ  ａｕｄｉｂｌｅ  ｓｏｕｎｄ  ｓｕｃｈ  ａｓ  ａ  ｂｕｚｚｅｒ．  Ｂｏｔｈ  ｔｈｅ  ｉｌｌｕｍｉｎａｔｉｏｎ  ｆｕｎｃｔｉｏｎ  ａｎｄ  ｓｏｕｎｄ  ｆｕｎｃｔｉｏｎ  ｅｎｈａｎｃｅ  ｔｈｅ  ｕｓｅｒ’ｓ  ａｂｉｌｉｔｙ  ｔｏ  ｆｉｎｄ  ｔｈｅ  ｂｅａｃｏｎ，  ａｓ  ｗｉｌｌ  ｂｅ  ｄｉｓｃｕｓｓｅｄ  ｉｎ  ｆｕｒｔｈｅｒ  ｄｅｔａｉｌ  ｂｅｌｏｗ．  Ａ  ｂａｔｔｅｒｙ  ５４，  ｓｕｃｈ  ａｓ  ａ  ｗａｔｃｈ  ｂａｔｔｅｒｙ  ｏｒ  ｂｕｔｔｏｎ  ｃｅｌｌ，  ｉｓ  ｒｅｐｌａｃｅａｂｌｙ  ａｔｔａｃｈｅｄ  ｔｏ  ｂｏａｒｄ  ４４．  Ｉｎ  ｓｏｍｅ  ｐｒｅｆｅｒｒｅｄ  ｅｍｂｏｄｉｍｅｎｔｓ  ｏｆ  ｔｈｅ  ｉｎｖｅｎｔｉｏｎ  ｂａｔｔｅｒｙ  ５４  ｉｓ  ｃａｐａｂｌｅ  ｏｆ  ｗｏｒｋｉｎｇ  ａｐｐｒｏｘｉｍａｔｅｌｙ  ｔｈｉｒｔｙ  ｍｉｎｕｔｅｓ  ｐｅｒ  ｄａｙ  ｆｏｒ  ｏｎｅ  ｙｅａｒ．  Ｏｆ  ｃｏｕｒｓｅ  ｔｈｅ  ｌｏｎｇｅｖｉｔｙ  ｏｆ  ｔｈｅ  ｂａｔｔｅｒｙ  ｌｉｆｅ  ｉｓ  ｄｅｐｅｎｄｅｎｔ  ｏｎ  ａ  ｍｙｒｉａｄ  ｏｆ  ｆａｃｔｏｒｓ  ｓｕｃｈ  ａｓ  ｅｎｖｉｒｏｎｍｅｎｔａｌ  ｆａｃｔｏｒｓ，  ｕｓｅ，  ｅｘａｃｔ  ｂａｔｔｅｒｙ  ｔｙｐｅ，  ｍａｎｕｆａｃｔｕｒｅ  ａｎｄ  ｍａｎｙ  ｍｏｒｅ．  Ｉｔ  ｉｓ  ｔｏ  ｂｅ  ｕｎｄｅｒｓｔｏｏｄ  ｔｈａｔ  ｔｈｅ  ｄｅｐｉｃｔｅｄ  ｓｉｚｅ  ａｎｄ  ｓｈａｐｅ  ｏｆ  ｂａｔｔｅｒｙ  ５４  ａｒｅ  ｍｅｒｅｌｙ  ｅｘｅｍｐｌａｒｙ  ａｎｄ  ｉｎ  ｎｏ  ｗａｙ  ｌｉｍｉｔｉｎｇ．  Ｆｕｒｔｈｅｒｍｏｒｅ，  ｔｈｅ  ｌｏｃａｔｉｏｎ，  ｓｈａｐｅ，  ｓｉｚｅ，  ｅｔｃ．  ｏｆ  ａｎｙ  ｏｆ  ｔｈｅ  ａｆｏｒｅｍｅｎｔｉｏｎｅｄ  ｃｏｍｐｏｎｅｎｔｓ  ｏｎ  ｃｉｒｃｕｉｔ  ｂｏａｒｄ  ４４  ａｒｅ  ｍｅｒｅｌｙ  ｅｘｅｍｐｌａｒｙ  ｏｒ  ｒｅｐｒｅｓｅｎｔａｔｉｖｅ  ｏｆ  ｔｈｅ  ｎａｍｅｄ  ｃｏｍｐｏｎｅｎｔｓ  ａｎｄ  ｎｏｔ  ｉｎｔｅｎｄｅｄ  ｔｏ  ｂｅ  ｌｉｍｉｔｉｎｇ．  Ｉｔ  ｉｓ  ａｌｓｏ  ｔｏ  ｂｅ  ｕｎｄｅｒｓｔｏｏｄ  ｔｈａｔ  ｃｉｒｃｕｉｔ  ｂｏａｒｄ  ４４  ｉｎｃｌｕｄｅｓ  ａｄｄｉｔｉｏｎａｌ  ｅｌｅｍｅｎｔｓ  ａｎｄ／ｏｒ  ｖａｒｉａｔｉｏｎｓ  ｏｆ  ｔｈｅ  ｎａｍｅｄ  ｃｏｍｐｏｎｅｎｔｓ  ａｎｄ／ｏｒ  ｃｏｍｂｉｎａｔｉｏｎｓ  ｏｆ  ｔｈｅ  ｒｅｐｒｅｓｅｎｔｅｄ  ｃｏｍｐｏｎｅｎｔｓ．  Ｔｈｅｒｅｆｏｒｅ，  ｔｈｅ  ｄｅｐｉｃｔｅｄ  ｃｏｍｐｏｎｅｎｔｓ  ａｒｅ  ｍｅｒｅｌｙ  ｒｅｐｒｅｓｅｎｔａｔｉｖｅ  ｏｆ  ｃｏｍｐｏｎｅｎｔｓ  ｃａｐａｂｌｅ  ｏｆ  ｆｕｌｆｉｌｌｉｎｇ  ｔｈｅ  ｄｅｓｃｒｉｂｅｄ  ｆｕｎｃｔｉｏｎｓ．
Ａｄｈｅｓｉｖｅ  ｍｅａｎｓ  １４  ｉｓ  ａｄａｐｔｅｄ  ｔｏ  ｂｅ  ａｔｔａｃｈｅｄ  ｔｏ  ｂａｃｋ  ｃｏｖｅｒ  ４１  ａｎｄ  ｆｕｒｔｈｅｒ  ａｄａｐｔｅｄ  ｔｏ  ａｄｈｅｒｅ  ｔｏ  ａｌｍｏｓｔ  ａｎｙ  ｓｕｂｓｔａｎｔｉａｌｌｙ  ｆｌａｔ  ｓｕｒｆａｃｅ．  Ａ  ｋｅｙ  ｆｏｂ  （ｏｒ  ‘ｋｅｙｃｈａｉｎ  ｈｏｌｄｅｒ’，  ｋｅｙｃｈａｉｎ  ｆｏｂ，  ｋｅｙ−ｒｉｎｇ  ｆｏｂ  ｏｒ  ｓｉｍｐｌｙ  ‘ｆｏｂ’  ａｓ  ｒｅｆｅｒｒｅｄ  ｔｏ  ｈｅｒｅｉｎａｆｔｅｒ）  ５６  ｉｓ  ａｎ  ｏｐｔｉｏｎａｌ  ａｄｄｉｔｉｏｎ  ｔｏ  ｓｔｉｃｋｅｒ  ｂｅａｃｏｎ  １０．  Ｆｏｂ  ５６  ａｌｌｏｗｓ  ｓｔｉｃｋｅｒ  １０  ｔｏ  ｂｅ  ａｔｔａｃｈｅｄ  ｔｏ  ｏｂｊｅｃｔｓ  ｔｈａｔ  ｄｏ  ｎｏｔ  ｈａｖｅ  ｕｓｅａｂｌｅ  ｆｌａｔ  ｓｕｒｆａｃｅｓ．  Ｆｏｒ  ｅｘａｍｐｌｅ，  ａ  ｓｅｔ  ｏｆ  ｋｅｙｓ  ｃａｎｎｏｔ  ｃｏｍｆｏｒｔａｂｌｙ  ｈｏｕｓｅ  ａ  Ｂｌｕｅｔｏｏｔｈ  ｓｔｉｃｋｅｒ  １０  ｕｎｌｅｓｓ  ｔｈｅ  ｓｔｉｃｋｅｒ  ｉｓ  ａｔｔａｃｈｅｄ  ｔｏ  ｆｏｂ  ５６  ａｎｄ  ｍｏｕｎｔｅｄ  ｏｎ  ｔｈｅ  ｋｅｙ−ｒｉｎｇ．  Ｆｏｂ  ５６  ｉｎｃｌｕｄｅｓ  ａｎ  ｅｙｅｌｅｔ  ５８  ｗｈｉｃｈ  ａｌｌｏｗｓ  ｔｈｅ  ｆｏｂ  ｔｏ  ｂｅ  ｍｏｕｎｔｅｄ  ｏｎ  ａ  ｋｅｙ−ｒｉｎｇ，  ｔｈｒｅａｄ，  ｎｅｃｋｌａｃｅ  ｅｔｃ．  Ｔｈｉｓ  ｅｎａｂｌｅｓ  ｔｈｅ  ｓｔｉｃｋｅｒ  ｔｏ  ｂｅ  ｖｅｒｙ  ｓｍａｌｌ，  ｗｉｔｈｏｕｔ  ａｎｙ  ｋｅｙｃｈａｉｎ  ｈｏｌｅ．  Ｓｔｉｃｋｅｒ  １０  ｉｓ  ｍｏｕｎｔｅｄ  ｏｎ  ｆｏｂ  ５６  ｗｉｔｈ  ａｄｈｅｓｉｖｅ  １４．  Ｗｈｉｌｅ  ｔｈｅ  ｉｎｖｅｎｔｉｏｎ  ｈａｓ  ｂｅｅｎ  ｄｅｓｃｒｉｂｅｄ  ｗｉｔｈ  ｒｅｓｐｅｃｔ  ｔｏ  ａ  ｒｏｕｎｄ  ｆｏｒｍ，  ｉｔ  ｉｓ  ｍａｄｅ  ｃｌｅａｒ  ｔｈａｔ  ａｎｙ  ａｐｐｒｏｐｒｉａｔｅ  ｓｈａｐｅ  ｔｈａｔ  ｉｓ  ｃａｐａｂｌｅ  ｏｆ  ｈｏｕｓｉｎｇ  ｔｈｅ  ｓａｍｅ  ｏｒ  ｓｕｂｓｔａｎｔｉａｌｌｙ  ｓｉｍｉｌａｒ  ｃｏｍｐｏｎｅｎｔｓ  ｉｓ  ｉｎｃｌｕｄｅｄ  ｗｉｔｈｉｎ  ｔｈｅ  ｓｃｏｐｅ  ｏｆ  ｔｈｅ  ｉｎｖｅｎｔｉｏｎ．
ＭＯＢＩＬＥ  ＡＰＰＬＩＣＡＴＩＯＮ
Ｔｈｅ  ｍｏｂｉｌｅ  ａｐｐｌｉｃａｔｉｏｎ  ｉｓ  ｐｒｅｆｅｒａｂｌｙ  ａｄａｐｔｅｄ  ｆｏｒ  ｕｓｅ  ｏｎ  ａ  ｃｅｌｌｕｌａｒ  ｍｏｂｉｌｅ  ｃｏｍｍｕｎｉｃａｔｉｏｎ  ｄｅｖｉｃｅ  ｓｕｃｈ  ａｓ  ａ  ｓｍａｒｔ  ｐｈｏｎｅ．  Ｍｏｒｅ  ｐｒｅｆｅｒａｂｌｙ，  ｔｈｅ  ａｐｐｌｉｃａｔｉｏｎ  ｉｓ  ａｄａｐｔｅｄ  ｆｏｒ  ｕｓｅ  ｏｎ  ａ  ｓｍａｒｔ  ｐｈｏｎｅ  ｅｎａｂｌｅｄ  ｗｉｔｈ  Ｂｌｕｅｔｏｏｔｈ  ｔｅｃｈｎｏｌｏｇｙ，  ａｎｄ  ｍｏｓｔ  ｐｒｅｆｅｒａｂｌｙ  ｗｉｔｈ  ａ  ｍｏｂｉｌｅ  ｄｅｖｉｃｅ  ｅｎａｂｌｅｄ  ｗｉｔｈ  Ｂｌｕｅｔｏｏｔｈ  Ｌｏｗ  Ｅｎｅｒｇｙ  （ＢＬＥ）  ｃａｐａｂｉｌｉｔｉｅｓ．  Ｏｆ  ｃｏｕｒｓｅ，  ｔｈｅ  ｍｏｂｉｌｅ  ａｐｐｌｉｃａｔｉｏｎ  ｃａｎ  ｂｅ  ｉｎｓｔａｌｌｅｄ  ａｎｄ  ｒｕｎ  ｏｎ  ａｎｙ  ｍｏｂｉｌｅ／ｈａｎｄｈｅｌｄ  ｄｅｖｉｃｅ  ｄｅｓｉｇｎｅｄ  ａｎｄ  ｃｏｎｆｉｇｕｒｅｄ  ｔｏ  ｓｕｐｐｏｒｔ  ｔｈｅ  ｍｏｂｉｌｅ  ａｐｐｌｉｃａｔｉｏｎ  （ｅ．ｇ．  ｉＰａｄ（Ｔｒａｄｅｍａｒｋ），  ｉＰｏｄ（Ｔｒａｄｅｍａｒｋ），  ｍｉｎｉ−ｉＰａｄ（Ｔｒａｄｅｍａｒｋ），  ｔａｂｌｅｔ  ｃｏｍｐｕｔｅｒ，  ＰＤＡ  ａｎｄ  ｔｈｅ  ｌｉｋｅ）．  
Ｆｕｒｔｈｅｒｍｏｒｅ，  ａｌｔｈｏｕｇｈ  ｌｅｓｓ  ｐｒｅｆｅｒａｂｌｅ，  ｉｎ  ｓｏｍｅ  ｅｍｂｏｄｉｍｅｎｔｓ  ｏｆ  ｔｈｅ  ｉｎｖｅｎｔｉｏｎ，  ｔｈｅ  ｍｏｂｉｌｅ  ａｐｐｌｉｃａｔｉｏｎ  ｉｓ  ｓｕｐｐｏｒｔｅｄ  ｏｎ  ｍｏｂｉｌｅ  ｐｌａｔｆｏｒｍｓ  （ｓｍａｒｔ  ｐｈｏｎｅｓ，  ＰＤＡｓ，  Ｔａｂｌｅｔ  ｃｏｍｐｕｔｅｒｓ  ｅｔｃ．）  ｗｈｉｃｈ  ａｒｅ  ｏｎｌｙ  Ｂｌｕｅｔｏｏｔｈ  （ｖｅｒｓｉｏｎｓ  １．０  ｔｏ  ３．０）  ｅｎａｂｌｅｄ，  ｎｏｔ  Ｂｌｕｅｔｏｏｔｈ  Ｌｏｗ  Ｅｎｅｒｇｙ  （ｖｅｒｓｉｏｎ  ４．０）  ｅｎａｂｌｅｄ．  Ｉｎ  ｓｕｃｈ  ｅｍｂｏｄｉｍｅｎｔｓ，  ｔｈｅ  ｃｏｒｒｅｓｐｏｎｄｉｎｇ  ｂｅａｃｏｎ（ｓ）  ｌｏｃａｔａｂｌｅ  ｂｙ  ｔｈｅ  ｄｅｖｉｃｅｓ  ａｒｅ  ａｌｓｏ／ａｌｔｅｒｎａｔｉｖｅｌｙ  Ｂｌｕｅｔｏｏｔｈ  １．０  −  ３．０  ｅｎａｂｌｅｄ  ａｎｄ／ｏｒ  ｃｏｍｐａｔｉｂｌｅ．  
Ｉｎ  ｓｏｍｅ  ｆｕｒｔｈｅｒ  ｅｍｂｏｄｉｍｅｎｔｓ  （ｎｏｔ  ｓｈｏｗｎ），  ｔｈｅ  ｂｅａｃｏｎ  ｉｓ  ａｌｔｅｒｎａｔｉｖｅｌｙ  ｏｒ  ａｄｄｉｔｉｏｎａｌｌｙ  ＷｉＦｉ  ｅｎａｂｌｅｄ，  ａｌｌｏｗｉｎｇ  ｔｈｅ  ｂｅａｃｏｎ  ｔｏ  ｂｅ  ｔｒａｃｋｅｄ  ｖｉａ  ｔｈｅ  ＷｉＦｉ  ｓｉｇｎａｌ  ｕｓｉｎｇ  ａｎ  ｅｍｂｏｄｉｍｅｎｔ  ｏｆ  ｔｈｅ  ｍｏｂｉｌｅ  ａｐｐｌｉｃａｔｉｏｎ  ａｄａｐｔｅｄ  ｔｏ  ｌｏｃａｔｅ  ｔｈｅ  ｂｅａｃｏｎ  ｕｓｉｎｇ  ＷｉＦｉ．  Ｉｎ  ｓｏｍｅ  ｅｍｂｏｄｉｍｅｎｔｓ  ｓｔｉｃｋｅｒ  １０  ａｄｄｉｔｉｏｎａｌｌｙ  ａｎｄ／ｏｒ  ａｌｔｅｒｎａｔｉｖｅｌｙ  ｉｎｃｌｕｄｅｓ  ａ  ｃｅｌｌｕｌａｒ  ｃｏｍｍｕｎｉｃａｔｉｏｎｓ  ｃｏｍｐｏｎｅｎｔ  ｃａｐａｂｌｅ  ｏｆ  ｅｆｆｅｃｔｉｎｇ  （ｒｅｃｅｉｖｉｎｇ  ａｎｄ／ｏｒ  ｓｅｎｄｉｎｇ）  ｃｅｌｌｕｌａｒ  ｖｏｉｃｅ  （ｉ．ｅ．  ｔｅｌｅｐｈｏｎｉｃ）  ｏｒ  ｄａｔａ  （ｗｉｒｅｌｅｓｓ  ｃｅｌｌｕｌａｒ  ｄａｔａ）  ｃｏｍｍｕｎｉｃａｔｉｏｎ．  Ｉｎ  ｓｏｍｅ  ｅｍｂｏｄｉｍｅｎｔｓ，  ｓｔｉｃｋｅｒ  １０  ａｌｔｅｒｎａｔｉｖｅｌｙ  ａｎｄ／ｏｒ  ａｄｄｉｔｉｏｎａｌｌｙ  ｉｎｃｌｕｄｅｓ  ａ  ｃｏｍｐｏｎｅｎｔ  ｃａｐａｂｌｅ  ｏｆ  ｓａｔｅｌｌｉｔｅ  ａｎｄ／ｏｒ  ＧＰＳ  ｃｏｍｍｕｎｉｃａｔｉｏｎ  （ｉ．ｅ．  ｃｏｍｍｕｎｉｃａｔｉｏｎ  ｗｉｔｈ  ａ  ＧＰＳ  ａｎｄ／ｏｒ  ＧＰＳ−ｌｉｋｅ  ｓａｔｅｌｌｉｔｅｓ）．
Ｔｈｅ  ｉｎｎｏｖａｔｉｖｅ  ｍｏｂｉｌｅ  ａｐｐｌｉｃａｔｉｏｎ  ｉｎｃｌｕｄｅｓ  ｃｏｍｐｕｔｅｒ−ｒｅａｄａｂｌｅ  ｉｎｓｔｒｕｃｔｉｏｎ／  ｌｏｇｉｃ  ｅｍｂｏｄｉｅｄ  ｉｎ  ｓｏｆｔｗａｒｅ  ａｎｄ／ｏｒ  ｆｉｒｍｗａｒｅ  ａｎｄ／ｏｒ  ｈａｒｄｗａｒｅ  ａｎｄ  ｓｔｏｒｅｄ  ｏｎ  ｃｏｍｐｕｔｅｒ−ｒｅａｄａｂｌｅ  ｍｅｍｏｒｙ  ｃｏｍｐｏｎｅｎｔ．  Ｓｕｃｈ  ａ  ｍｅｍｏｒｙ  ｃｏｍｐｏｎｅｎｔ  ｍａｙ  ｂｅ  ａ  ｒｅａｄ−ｏｎｌｙ  ｍｅｍｏｒｙ，  ｒａｎｄｏｍ  ａｃｃｅｓｓ  ｍｅｍｏｒｙ，  ｎｏｎ−ｖｏｌａｔｉｌｅ  ｍｅｍｏｒｙ，  ｖｏｌａｔｉｌｅ  ｍｅｍｏｒｙ，  ｓｔａｔｉｃ  ｍｅｍｏｒｙ，  ｄｙｎａｍｉｃ  ｍｅｍｏｒｙ，  ｆｌａｓｈ  ｍｅｍｏｒｙ，  ｃａｃｈｅ  ｍｅｍｏｒｙ，  ａｎｄ／ｏｒ  ａｎｙ  ｄｅｖｉｃｅ  ｔｈａｔ  ｓｔｏｒｅｓ  ｄｉｇｉｔａｌ  ｉｎｆｏｒｍａｔｉｏｎ．  Ｔｈｅ  ｃｏｍｐｕｔｅｒ−ｒｅａｄａｂｌｅ  ｉｎｓｔｒｕｃｔｉｏｎｓ／ｌｏｇｉｃ  ｃａｎ  ｂｅ  ｐｒｏｃｅｓｓ  ｂｙ  ａｎ  ａｐｐｒｏｐｒｉａｔｅ  ｐｒｏｃｅｓｓｉｎｇ  ｕｎｉｔ．  Ｔｈｅ  ｉｎｎｏｖａｔｉｖｅ  ａｐｐｌｉｃａｔｉｏｎ  ｉｎｃｌｕｄｅｓ，  ａｔ  ｌｅａｓｔ  ｔｈｅ  ｆｏｌｌｏｗｉｎｇ  ｆｅａｔｕｒｅｓ：
ＲＡＤＡＲ  ＳＣＲＥＥＮ
Ｔｈｅ  ｆｉｒｓｔ  ｆｅａｔｕｒｅ  ｉｓ  ａ  ｓｉｍｐｌｅ  Ｒａｄａｒ  Ｓｃｒｅｅｎ．  Ｆｉｇｕｒｅ  ５  ｉｓ  ａ  ｐａｒｔｉａｌ  ｓｃｒｅｅｎ  ｓｈｏｔ  ｏｆ  ａ  ｓｍａｒｔ  ｐｈｏｎｅ  ｒｕｎｎｉｎｇ  ａ  ‘Ｒａｄａｒ  Ｓｃｒｅｅｎ’  ｆｅａｔｕｒｅ  ｏｆ  ｔｈｅ  ｍｏｂｉｌｅ  ａｐｐｌｉｃａｔｉｏｎ  ｏｆ  ｔｈｅ  ｐｒｅｓｅｎｔ  ｉｎｖｅｎｔｉｏｎ．  Ｗｈｅｎ  ａｃｔｉｖａｔｉｎｇ  ｔｈｅ  Ｒａｄａｒ  Ｓｃｒｅｅｎ  ｆｅａｔｕｒｅ  ｏｎ  ａ  ｍｏｂｉｌｅ  ｄｅｖｉｃｅ  ６０  ｒｕｎｎｉｎｇ  ｔｈｅ  ｉｎｎｏｖａｔｉｖｅ  ａｐｐｌｉｃａｔｉｏｎ，  ｓｏｍｅ  ｏｒ  ａｌｌ  ｏｆ  ｔｈｅ  ｂｅａｃｏｎｓ／ｏｂｊｅｃｔｓ  ｉｎ  ｒａｎｇｅ  ｏｎ  ａ  ｒａｄａｒ−ｔｙｐｅ  ｓｃｒｅｅｎ  ６２．  Ｏｆ  ｃｏｕｒｓｅ，  ａｓ  Ｂｌｕｅｔｏｏｔｈ  ｃａｎｎｏｔ  ｓｈｏｗ  ｄｉｒｅｃｔｉｏｎ，  ｒａｄａｒ  ｓｃｒｅｅｎ  ６２  ａｐｐｒｏｘｉｍａｔｅｓ  ｔｈｅ  ｄｉｓｔａｎｃｅ  ｆｒｏｍ  ｔｈｅ  ｍｏｂｉｌｅ  ｄｅｖｉｃｅ  ｔｏ  Ｓｔｉｃｋ−Ｎ−Ｆｉｎｄ  １０，  ｂｕｔ  ｎｏｔ  ｔｈｅ  ｄｉｒｅｃｔｉｏｎ．  Ｔｈｅｒｅｆｏｒｅ，  ｏｎｃｅ  ｔｈｅ  ｂｅａｃｏｎ  ｏｆ  ｔｈｅ  ｏｂｊｅｃｔ  ｂｅｉｎｇ  ｓｏｕｇｈｔ  ａｐｐｅａｒｓ  ｏｎ  Ｒａｄａｒ  Ｓｃｒｅｅｎ  ６２，  ｔｈｅｎ  ｗａｌｋｉｎｇ  ｉｎ  ａ  ｓｐｅｃｉｆｉｃ  ｄｉｒｅｃｔｉｏｎ，  ｗｉｌｌ  ｇｉｖｅ  ａｎ  ｉｎｄｉｃａｔｉｏｎ  ｏｆ  ｗｈｅｔｈｅｒ  ｐｈｏｎｅ  ６０  ｉｓ  ｃｏｍｉｎｇ  ｃｌｏｓｅｒ  ｔｏ  ｔｈｅ  ｂｅａｃｏｎ  ｏｒ  ｍｏｖｉｎｇ  ｆａｒｔｈｅｒ  ａｗａｙ．  Ｉｎ  ｔｈｉｓ  ｍａｎｎｅｒ，  ｔｈｅ  ｕｓｅｒ  ｉｓ  ａｂｌｅ  ｔｏ  ｄｅｄｕｃｅ  ｗｈｉｃｈ  ｄｉｒｅｃｔｉｏｎ  ｉｓ  ｔｈｅ  ｃｏｒｒｅｃｔ  ｄｉｒｅｃｔｉｏｎ  ｔｏ  ｆｏｌｌｏｗ  ａｎｄ  ｍｏｖｅ  ｉｎ  ｔｈｅ  ａｐｐｒｏｐｒｉａｔｅ  ｄｉｒｅｃｔｉｏｎ  ｕｎｔｉｌ  ｔｈｅ  ｂｅａｃｏｎ  ／  ｏｂｊｅｃｔ  ｉｓ  ｌｏｃａｔｅｄ  （ｖｅｒｙ  ｍｕｃｈ  ｌｉｋｅ  ｔｈｅ  ｈｏｔ／ｃｏｌｄ  ｇａｍｅ  ｃｈｉｌｄｒｅｎ  ｐｌａｙ，  ｗｈｅｒｅ  ａｎ  ｏｂｊｅｃｔ  ｉｓ  ｈｉｄｄｅｎ  ａｎｄ  ｔｈｅ  ｓｅｅｋｅｒ  ｉｓ  ‘ｄｉｒｅｃｔｅｄ’  ｔｏ  ｔｈｅ  ｏｂｊｅｃｔ  ｗｉｔｈ  ｈｉｎｔｓ  ｉｎ  ｔｈｅ  ｆｏｒｍ  ｏｆ  ｖａｒｙｉｎｇ  ｄｅｇｒｅｅｓ  ｏｆ  ｔｅｍｐｅｒａｔｕｒｅ  ａｓ  ａ  ｇｕｉｄｅ：  ｗａｒｍ，  ｈｏｔ  ｂｅｉｎｇ  ｃｌｏｓｅ  ａｎｄ  ｃｏｏｌ，  ｃｏｌｄ  ｂｅｉｎｇ  ｆａｒ  −  ａｓ  ｉｓ  ｗｅｌｌ  ｋｎｏｗｎ）．  Ｅａｃｈ  ｂｅａｃｏｎ  １０  ｔｈａｔ  ｉｓ  ｐａｉｒｅｄ  ｗｉｔｈ  ｐｈｏｎｅ  ６０  ｃａｎ  ｂｅ  ｌａｂｅｌｅｄ  ｗｉｔｈ  ａ  ｎａｍｅ  ｔａｇ  ６６  ｆｏｒ  ｅａｓｙ  ｒｅｃｏｇｎｉｔｉｏｎ．  
Ｄｉｓｔａｎｃｅ  ｂｅｔｗｅｅｎ  Ｂｌｕｅｔｏｏｔｈ  ｓｔｉｃｋｅｒ  １０  ａｎｄ  ｐｈｏｎｅ  ６０  ｉｓ  ｍｅａｓｕｒｅｄ  ｕｓｉｎｇ  Ｒｅｃｅｉｖｅｄ  Ｓｉｇｎａｌ  Ｓｔｒｅｎｇｔｈ  Ｉｎｄｉｃａｔｏｒ  （ＲＳＳＩ）  ｖａｌｕｅｓ．  ＲＳＳＩ  ｉｓ  ａ  ｍｅａｓｕｒｅｍｅｎｔ  ｏｆ  ｔｈｅ  ｐｏｗｅｒ  ｐｒｅｓｅｎｔ  ｉｎ  ａ  ｒｅｃｅｉｖｅｄ  ｒａｄｉｏ  ｓｉｇｎａｌ．  Ｉｎ  ｏｎｅ  ｅｍｂｏｄｉｍｅｎｔ，  ｔｈｅ  ＲＳＳＩ  ｖａｌｕｅｓ  ｏｆ  ｐｈｏｎｅ  ６０  ｐｒｏｖｉｄｅ  ｔｈｅ  ｄｉｓｔａｎｃｅ  ｍｅａｓｕｒｅｍｅｎｔ．  Ｔｈｉｓ  ｉｓ  ａ  ｌｅｓｓ  ｐｒｅｆｅｒｒｅｄ  ｅｍｂｏｄｉｍｅｎｔ，  ａｓ  ｐｈｏｎｅ  ｓｉｇｎａｌ  ｒｅｃｅｐｔｉｏｎ  ｉｓ  ｎｏｔ  ｏｐｔｉｍａｌ．  Ｉｎ  ｏｔｈｅｒ，  ｍｏｒｅ  ｐｒｅｆｅｒｒｅｄ  ｅｍｂｏｄｉｍｅｎｔｓ，  ＲＳＳＩ  ｌｅｖｅｌｓ  ｏｎ  ｓｔｉｃｋｅｒ  １０  ａｒｅ  ｍｅａｓｕｒｅｄ  ｆｏｒ  ｄｉｓｔａｎｃｅ  ｖａｌｕｅｓ．  Ｓｔｉｃｋｅｒ  １０  ｉｓ  ｐａｉｒｅｄ  ｔｏ  ｐｈｏｎｅ  ６０  ａｎｄ  ｍｅａｓｕｒｅｓ  ＲＳＳＩ  ｌｅｖｅｌｓ  ｆｒｏｍ  ｓｔｉｃｋｅｒ  １０  ｔｏ  ｐｈｏｎｅ  ６０．  Ｓｔｉｃｋｅｒ  １０  ｔｈｅｎ  ｓｅｎｄｓ  ｔｈｅ  ｄａｔａ  ｏｖｅｒ  ｂｌｕｅｔｏｏｔｈ  ｔｏ  ｐｈｏｎｅ  ６０．  Ｔｈｅｒｅｆｏｒｅ，  ｗｈｅｎ  ｐｈｏｎｅ  ６０  ｄｉｓｐｌａｙｓ  ｔｈｅ  ａｐｐｒｏｘｉｍａｔｅ  ｄｉｓｔａｎｃｅ  ｂｅｔｗｅｅｎ  ｓｔｉｃｋｅｒ  １０  ａｎｄ  ｐｈｏｎｅ  ６０，  ｒａｄａｒ−ｓｃｒｅｅｎ  ６２  ｉｓ  ｒｅａｌｌｙ  ｄｉｓｐｌａｙｉｎｇ  ｔｈｅ  ＲＳＳＩ  ｖａｌｕｅｓ  ｍｅａｓｕｒｅｄ  ａｔ  ｔｈｅ  ｓｔｉｃｋｅｒ，  ｔｈｅｎ  ｓｅｎｔ  ｔｏ  ｐｈｏｎｅ．  Ｎｏｔ  ｔｈｅ  ＲＳＳＩ  ｖａｌｕｅｓ  ｍｅａｓｕｒｅｄ  ａｔ  ｔｈｅ  ｐｈｏｎｅ．  Ｉｎ  ｏｔｈｅｒ  ｅｍｂｏｄｉｍｅｎｔｓ  ａｎｙ  ｃｏｍｂｉｎａｔｉｏｎ  ｏｆ  ＲＳＳＩ  ｖａｌｕｅｓ  ｆｒｏｍ  ｂｏｔｈ  ｔｈｅ  ｐｈｏｎｅ  ａｎｄ  ｔｈｅ  ｓｔｉｃｋｅｒ  ｃａｎ  ｂｅ  ｐｒｏｃｅｓｓｅｄ  ｔｏ  ｐｒｏｖｉｄｅ  ａ  ｍｏｒｅ  ａｃｃｕｒａｔｅ  ｒｅｓｕｌｔ．
Ｉｎ  ｓｏｍｅ  ｐｒｅｆｅｒｒｅｄ  ｅｍｂｏｄｉｍｅｎｔｓ，  ｗｈｅｎ  ｔｈｅ  Ｌｏｃａｔｏｒ  Ｔａｇ  １０  ｒｅｐｌｉｅｓ  ｔｏ  ａｎ  ａｃｔｉｖｅ  ｓｃａｎ  ｒｅｑｕｅｓｔ，  ｔｈｅ  ＲＳＳＩ  ｖａｌｕｅ  ｏｆ  ｔｈｅ  ｓｃａｎ  ｒｅｑｕｅｓｔ  ｓｉｇｎａｌ  （ｓｅｎｔ  ｆｒｏｍ  ｔｈｅ  ｐｈｏｎｅ  ｔｏ  ｔｈｅ  Ｔａｇ），  ｉｓ  ｅｍｂｅｄｄｅｄ  ｉｎ  ｔｈｅ  ｄｅｓｉｇｎａｔｉｏｎ  ｏｒ  ‘Ｎａｍｅ’  ｆｉｅｌｄ  ｏｆ  ｔｈｅ  Ｔａｇ  ｂｒｏａｄｃａｓｔ  ｓｉｇｎａｌ．  Ｔｈｉｓ  ｍｅａｎｓ  ｔｈａｔ  ｗｈｅｎ  ａ  ｐｈｏｎｅ  ｓｃａｎｓ  ａｎｄ  ｄｅｔｅｃｔｓ  ａ  Ｌｏｃａｔｏｒ  Ｔａｇ，  ｔｈｅ  ｎａｍｅ  ｔｈａｔ  ｔｈｅ  Ｔａｇ  ｂｒｏａｄｃａｓｔｓ  ｃｏｎｔａｉｎｓ  ｔｈｅ  ａｃｔｕａｌ  ｅｓｔｉｍａｔｅｄ  ｄｉｓｔａｎｃｅ  ｂｅｔｗｅｅｎ  ｔｈｅ  ｐｈｏｎｅ  ａｎｄ  ｔｈｅ  Ｔａｇ  ｉｎ  ｄＢ  ｖａｌｕｅｓ  ａｎｄ  ｃａｎ  ｄｉｓｐｌａｙ  ｔｈｅ  Ｃｈａｎｎｅｌ  ｔｈａｔ  ｔｈｉｓ  ｄＢ  ｖａｌｕｅｓ  ｗａｓ  ｆｒｏｍ．
Ｉｎ  ｓｏｍｅ  ｐｒｅｆｅｒｒｅｄ  ｅｍｂｏｄｉｍｅｎｔｓ，  ｗｈｅｎ  ｔｈｅ  Ｌｏｃａｔｏｒ  Ｔａｇ  ｒｅｃｅｉｖｅｓ  ａｎ  Ａｃｔｉｖｅ  Ｓｃａｎ  ｒｅｑｕｅｓｔ，  ｉｔ  ｃａｎ  ｃａｌｃｕｌａｔｅ  ｗｈｉｃｈ  ｃｈａｎｎｅｌ  ｔｈｅ  ｂｅｓｔ  Ｓｉｇｎａｌ  ｗａｓ  ｍｅａｓｕｒｅｄ  ｏｎ，  ａｎｄ  ｒｅｐｌｙ  ｔｏ  ｔｈｅ  ｐｈｏｎｅ  ａｓ  ａ  Ｓｃａｎ  ｒｅｐｌｙ，  ａｓ  ｐａｒｔ  ｏｆ  ｔｈｅ  Ｂｅａｃｏｎ  ｎａｍｅ，  ｏｒ  ｉｎ  ｔｈｅ  ｍａｎｕｆａｃｔｕｒｅｓ  ｄａｔａ，  ｔｈｅ  ｂｅｓｔ  Ｃｈａｎｎｅｌ  ｔｈｅ  ｓｉｇｎａｌ  ｗａｓ  ｍｅａｓｕｒｅｄ  ａｎｄ  ｔｈｅ  ＲＳＳＩ  ｖａｌｕｅ．  
Ａｓ  ｍｅｎｔｉｏｎｅｄ  ａｂｏｖｅ，  Ｂｌｕｅｔｏｏｔｈ  Ｌｏｗ  Ｅｎｅｒｇｙ  ｕｓｅｓ  ４０  ｃｈａｎｎｅｌｓ．  Ｏｕｔ  ｏｆ  ｔｈｏｓｅ  ４０  ｃｈａｎｎｅｌｓ，  ｕｐ  ｔｏ  ３７  ｃｈａｎｎｅｌｓ  ａｒｅ  ｕｓｅｄ  ｄｕｒｉｎｇ  ａｎ  ａｃｔｉｖｅ  ｃｏｎｎｅｃｔｉｏｎ  ａｎｄ  ３  ｃｈａｎｎｅｌｓ  ａｒｅ  ｕｓｅｄ  ｆｏｒ  ａｄｖｅｒｔｉｓｉｎｇ．  Ｂｅｃａｕｓｅ  ｏｆ  ｄｉｆｆｅｒｅｎｔ  ｓｉｇｎａｌ  ａｔｔｅｎｕａｔｉｏｎ  ｆｏｒ  ｅａｃｈ  ｏｆ  ｔｈｏｓｅ  ｃｈａｎｎｅｌｓ  ｔｈｅｒｅ  ｉｓ  ｕｓｕａｌｌｙ  ａ  ｄｉｆｆｅｒｅｎｃｅ  ｂｅｔｗｅｅｎ  ｔｈｅ  ＲＳＳＩ  ｖａｌｕｅｓ  ｏｆ  ｅａｃｈ  ｃｈａｎｎｅｌ．  Ｔｈｅｒｅｆｏｒｅ，  ｉｎ  ａｎ  ｅｖｅｎ  ｍｏｒｅ  ｐｒｅｆｅｒａｂｌｅ  ｅｍｂｏｄｉｍｅｎｔ，  ｔｈｅ  ｉｎｎｏｖａｔｉｖｅ  ａｐｐｌｉｃａｔｉｏｎ  ｕｓｅｓ  ＲＳＳＩ  ｖａｌｕｅｓ  ｍｅａｓｕｒｅｄ  ｉｎｄｅｐｅｎｄｅｎｔｌｙ  ｆｏｒ  ｅａｃｈ  ｃｈａｎｎｅｌ  ａｎｄ  ｃｏｍｂｉｎｅｓ  ｔｈｅ  ｖａｌｕｅｓ  ｉｎ  ｏｒｄｅｒ  ｔｏ  ｒｅｃｅｉｖｅ  ａｎ  ａｖｅｒａｇｅ  ｖａｌｕｅ．  Ｔｈｅ  ａｖｅｒａｇｉｎｇ  ｏｐｅｒａｔｉｏｎ  ｐｅｒｆｏｒｍｅｄ  ｏｎ  ｔｈｅ  ＲＳＳＩ  ｖａｌｕｅｓ  ｔａｋｅｓ  ｉｎｔｏ  ａｃｃｏｕｎｔ  ｔｈｅ  ｄｉｆｆｅｒｅｎｔ  ｃｈａｒａｃｔｅｒｉｓｔｉｃｓ  ｏｆ  ｅａｃｈ  ｃｈａｎｎｅｌ．  Ｔｈｅ  ａｖｅｒａｇｅ  ｖａｌｕｅ  ｉｓ  ｍｏｒｅ  ａｃｃｕｒａｔｅ  ａｎｄ  ｒｅｌｉａｂｌｅ  ｔｈａｎ  ｒｅｓｕｌｔｓ  ｆｏｒ  ａｎｙ  ｓｉｎｇｌｅ  ＲＳＳＩ  ｖａｌｕｅ．    
Ｔｈｅ  ａｖｅｒａｇｉｎｇ  ｐｒｏｃｅｓｓ  ｃａｎ  ｂｅ  ｐｅｒｆｏｒｍｅｄ  ｏｎ  ｕｐ  ｔｏ  ３７  ｃｈａｎｎｅｌｓ  ｗｈｅｎ  ｔｈｅｒｅ  ｉｓ  ａｎ  ａｃｔｉｖｅ  ｃｏｎｎｅｃｔｉｏｎ  ｂｅｔｗｅｅｎ  ｔｈｅ  ｐｈｏｎｅ  ａｎｄ  ｔｈｅ  ｓｔｉｃｋｅｒ．  Ｄｕｒｉｎｇ  ｓｃａｎｎｉｎｇ，  ｔｈｅ  ｓｔｉｃｋｅｒ  ｃａｎ  ｔｒａｎｓｍｉｔ  ｄｉｆｆｅｒｅｎｔ  ｄａｔａ  ｐａｃｋｅｔｓ  ｆｏｒ  ｅａｃｈ  ｏｆ  ｔｈｅ  ３  ａｄｖｅｒｔｉｓｉｎｇ  ｃｈａｎｎｅｌｓ．  Ｔｈｉｓ  ｅｎａｂｌｅｓ  ｔｈｅ  ｐｈｏｎｅ  ｔｏ  ｄｏ  ｔｈｅ  ｓａｍｅ  ｋｉｎｄ  ｏｆ  ｐｒｏｃｅｓｓｉｎｇ  ｍｅｎｔｉｏｎｅｄ  ａｂｏｖｅ，  ｆｏｒ  ｔｈｏｓｅ  ３  ａｄｖｅｒｔｉｓｉｎｇ  ｃｈａｎｎｅｌｓ  （ｉ．ｅ．  ｒｅｃｅｉｖｉｎｇ  ＲＳＳＩ  ｖａｌｕｅｓ  ｆｒｏｍ  ｕｐ  ｔｏ  ３  ｃｈａｎｎｅｌｓ）．  Ｉｎ  ｔｈｅ  ｅｖｅｎｔ  ｔｈａｔ  ｔｈｅ  ｓｉｇｎａｌ  ｉｓ  ｎｏｔ  ｇｏｏｄ  ｅｎｏｕｇｈ  ｆｏｒ  ａｎ  ａｃｔｉｖｅ  ｃｏｎｎｅｃｔｉｏｎ  ｂｅｔｗｅｅｎ  ｔｈｅ  Ｓｔｉｃｋｅｒ  ａｎｄ  ｔｈｅ  Ｐｈｏｎｅ，  ｔｈｅ  ａｐｐｌｉｃａｔｉｏｎ  ｉｎ  ｔｈｅ  ｐｈｏｎｅ  ｗｉｌｌ  ｆａｌｌ  ｂａｃｋ  ｔｏ  ｓｃａｎ  ｍｏｄｅ，  ａｎｄ  ｔｒｙ  ｔｏ  ｅｓｔｉｍａｔｅ  ｄｉｓｔａｎｃｅ  ｂａｓｅｄ  ｏｎ  ＲＳＳＩ  ｖａｌｕｅｓ  ｆｒｏｍ  ａｔ  ｌｅａｓｔ  ｏｎｅ  ｏｆ  ｔｈｅ  ａｄｖｅｒｔｉｓｉｎｇ  ｃｈａｎｎｅｌｓ．
Ｉｎ  ａｎｏｔｈｅｒ  ｅｍｂｏｄｉｍｅｎｔ，  ｉｆ  ｔｈｅ  ｓｔｉｃｋｅｒ  ｉｓ  ｉｎ  ｔｈｅ  ａｄｖｅｒｔｉｓｉｎｇ  ｍｏｄｅ  ｉｔ  ｃａｎ  ｂｒｏａｄｃａｓｔ  ｔｈｅ  ＲＳＳＩ  ｖａｌｕｅｓ  ｍｅａｓｕｒｅｄ  ｕｓｉｎｇ  ｔｈｅ  ｐａｃｋｅｔｓ  ｓｅｎｔ  ｆｒｏｍ  ｔｈｅ  ｐｈｏｎｅ，  ａｓ  ａ  ｂｒｏａｄｃａｓｔｅｄ  ｒｅｓｐｏｎｓｅ  ｔｏ  ｔｈｅ  ｓｃａｎ  ｒｅｑｕｅｓｔ．  Ｔｈｉｓ  ｍｅａｎｓ  ｔｈｅ  Ｓｔｉｃｋｅｒ  ｒｅｓｐｏｎｓｅ  ｔｏ  ｔｈｅ  ｐｈｏｎｅ  ｗｏｕｌｄ  ｃｏｎｔａｉｎ  ｔｈｅ  ＲＳＳＩ  ｍｅａｓｕｒｅｍｅｎｔ  ｆｒｏｍ  ｔｈｅ  ｐｈｏｎｅ．
Ｉｎ  ｓｏｍｅ  ｅｍｂｏｄｉｍｅｎｔｓ  ｔｈｅ  ａｖｅｒａｇｉｎｇ  ｐｒｏｃｅｄｕｒｅ  ｍｅｎｔｉｏｎｅｄ  ａｂｏｖｅ  ｃａｎ  ｂｅ  ｄｏｎｅ  ｏｎ  ａｎｙ  ｏｆ  ｔｈｅ  ４０  ａｖａｉｌａｂｌｅ  ｃｈａｎｎｅｌｓ．  Ｔｈａｔ  ｉｓ  ｔｏ  ｓａｙ  ｔｈａｔ  ＲＳＳＩ  ｖａｌｕｅｓ  ｃａｎ  ｂｅ  ｒｅｃｅｉｖｅｄ  ｆｒｏｍ  ｂｅｔｗｅｅｎ  １  ａｎｄ  ４０  ｃｈａｎｎｅｌｓ  ａｎｄ  ａｎ  ａｖｅｒａｇｅ  ｖａｌｕｅ  ｃａｌｃｕｌａｔｅｄ  ｆｒｏｍ  ｔｈｅ  ｒｅｃｅｉｖｅｄ  ＲＳＳＩ  ｖａｌｕｅｓ  ｗｉｌｌ  ｇｉｖｅ  ｔｈｅ  ｍｏｓｔ  ａｃｃｕｒａｔｅ  ｍｅａｓｕｒｅ  ｏｆ  ｄｉｓｔａｎｃｅ．
Ｉｎ  ａｎｏｔｈｅｒ  ｅｍｂｏｄｉｍｅｎｔ，  ｉｆ  ｔｈｅ  ｓｔｉｃｋｅｒ  ｉｓ  ｉｎ  ｔｈｅ  ａｄｖｅｒｔｉｓｉｎｇ  ｍｏｄｅ，  ｉｎｓｔｅａｄ  ｏｆ  ｔｒａｎｓｍｉｔｔｉｎｇ  ｔｈｅ  ａｄｖｅｒｔｉｓｉｎｇ  ｉｎ  ａｌｌ  ３  ｃｈａｎｎｅｌｓ  ｏｎｅ  ａｆｔｅｒ  ａｎｏｔｈｅｒ  ａｓ  ｄｅｓｉｇｎｅｄ，  ｉｔ  ｃａｎ  ａｄｖｅｒｔｉｓｅ  ｉｎ  ｏｎｌｙ  ｏｎｅ  Ｃｈａｎｎｅｌ，  ｉｎｃｌｕｄｅ  ｔｈｅ  Ｃｈａｎｎｅｌ  ｎａｍｅ，  ａｓ  ｐａｒｔ  ｏｆ  ｔｈｅ  ａｄｖｅｒｔｉｓｉｎｇ  ｉｄｅｎｔｉｆｉｅｒ，  ｏｒ  ｐａｒｔ  ｏｆ  ｔｈｅ  Ｂｅａｃｏｎ  ｎａｍｅ．  Ｔｈｅｎ  ｐａｕｓｅ  Ｗａｉｔ  ｅｎｏｕｇｈ  ｔｉｍｅ  ｓｏ  ｔｈａｔ  ｔｈｅ  ｄｅｖｉｃｅ  ／  ｐｈｏｎｅ  ｗｉｌｌ  ｍｏｎｉｔｏｒ  ｆｏｒ  ｎｅｗ  ａｄｖｅｒｔｉｓｅｍｅｎｔ，（Ｓａｙ  ５０ｍｓ  ｏｒ  ｍｏｒｅ）  ａｎｄ  ｔｈｅｎ  ｔｒａｎｓｍｉｔ  ｔｈｅ  ｓａｍｅ  ａｄｖｅｒｔｉｓｅｍｅｎｔ  ｂｕｔ  ｏｎ  ｔｈｅ  ｓｅｃｏｎｄ  ｃｈａｎｎｅｌ，  ｗｉｔｈ  ｔｈｅ  ｓｅｃｏｎｄ  ｃｈａｎｎｅｌ  ｎａｍｅ  ｅｍｂｅｄｄｅｄ  ，  ａｎｄ  ｎｏｔ  ｔｒａｎｓｍｉｔ  ａｎｙ  ｏｔｈｅｒ  ａｄｖｅｒｔｉｓｅｍｅｎｔ  ｉｍｍｅｄｉａｔｅｌｙ，  ｂｕｔ  ｗａｉｔ  ｓａｙ  ５０ｍｓ，  ｔｈｅｎ  ｔｒａｎｓｍｉｔ  ｔｈｅ  ｓａｍｅ  ａｄｖｅｒｔｉｓｅｍｅｎｔ  ｂｕｔ  ｏｎ  ｔｈｅ  ｔｈｉｒｄ  ｃｈａｎｎｅｌ，  ｗｉｔｈ  ｔｈｅ  Ｔｈｉｒｄ  ｃｈａｎｎｅｌ  ｎａｍｅ  ｅｍｂｅｄｄｅｄ．  Ｔｈｉｓ  Ｓｃｈｅｍｅ  ｗｏｕｌｄ  ａｌｌｏｗ  ｔｈｅ  ｐｈｏｎｅ  ｎｏｔ  ｔｏ  ｍｉｘ  ａｎｄ  ａｖｅｒａｇｅ  ａｌｌ  ３  ｃｈａｎｎｅｌｓ，  ｂｕｔ  ｔｏ  ａｃｔｕａｌｌｙ  ｄｉｓｐｌａｙ  ｔｈｅ  ｒｅａｌ  ＲＳＳＩ  ｌｅｖｅｌ  ｏｆ  ｅａｃｈ  ｉｎｄｉｖｉｄｕａｌ  ｃｈａｎｎｅｌ．
Ｔｈｉｓ  ｗｏｕｌｄ  ｇｉｖｅ  ａ  ｍｕｃｈ  ｂｅｔｔｅｒ  ａｃｃｕｒａｃｙ  ＲＳＳＩ  ｄｉｓｔａｎｃｅ  ｅｓｔｉｍａｔｅ  ｔｏ  ｔｈｅ  ｐｈｏｎｅ，  ａｓ  ｔｈｅ  ｐｈｏｎｅ  ｃａｎ  ｄｅｔｅｒｍｉｎｅ  ｗｈａｔ  Ｃｈａｎｎｅｌ  ｉｓ  ｂｅｓｔ，  ａｎｄ  ｗｈａｔ  ｃｈａｎｎｅｌ  ｉｔｓ  ｆｒｅｑｕｅｎｃｙ  ｍｉｇｈｔ  ｂｅ  ｂｌｏｃｋｅｄ  ｏｒ  ｂａｄ．
Ｉｎ  ｓｏｍｅ  ｅｍｂｏｄｉｍｅｎｔｓ  ｏｆ  ｔｈｅ  ｉｎｖｅｎｔｉｏｎ，  ｔｈｅ  ｓｔｉｃｋｅｒ  ｈａｓ  ａｎ  Ａｄｖｅｒｔｉｓｉｎｇ  Ｍｏｄｅ  ｗｈｅｒｅ  ｔｈｅ  ｓｉｇｎａｌ  ｃａｎ  ｂｅ  ｐｉｃｋｅｄ  ｕｐ  ｂｙ  ｔｈｅ  ｐｈｏｎｅ．  Ｗｈｅｎ  ｔｈｅ  ｐｈｏｎｅ  ｉｓ  ｉｎ  ｓｃａｎｎｉｎｇ  ｍｏｄｅ  ｉｔ  ｐｉｃｋｓ  ｕｐ  ｔｈｅ  ｓｉｇｎａｌ  ｆｒｏｍ  ｔｈｅ  ｂｅａｃｏｎ．  Ｔｈｅ  Ｂｅａｃｏｎ  ｄｅｔｅｃｔｓ  ｎｅａｒｂｙ  ｐｈｏｎｅｓ  ｗｈｅｎ  ｉｔ  ｒｅｃｅｉｖｅｓ  ａ  Ｓｃａｎ  ｒｅｑｕｅｓｔ  ｆｒｏｍ  ｔｈｅ  ｐｈｏｎｅ．  Ａｄｄｉｎｇ  ａｎ  ａｄａｐｔｉｖｅ  ａｌｇｏｒｉｔｈｍ  ｔｏ  ｔｈｅ  Ｓｔｉｃｋｅｒ  ｌｏｇｉｃ，  ｉｆ  ｎｏ  ＢＬＥ  ｄｅｖｉｃｅｓ  （Ｐｈｏｎｅｓ）  ａｒｅ  ｖｉｓｉｂｌｅ  ｔｏ／ｄｅｔｅｃｔｅｄ  ｂｙ  ｔｈｅ  ｓｔｉｃｋｅｒ，  ｔｈｅｎ  ｔｈｅ  ｓｔｉｃｋｅｒ  ｄｙｎａｍｉｃａｌｌｙ  ａｄｊｕｓｔｓ  ｉｔｓ  ａｄｖｅｒｔｉｓｅｍｅｎｔ  ｐａｃｋｅｔｓ．  Ｔｈｅｒｅｆｏｒｅ，  ｉｆ  ｎｏ  ｐｈｏｎｅｓ  ａｒｅ  ｖｉｓｉｂｌｅ，  ｔｈｅ  ｓｔｉｃｋｅｒ  ｃａｎ  ａｄｊｕｓｔ  ｔｈｅ  ｉｎｔｅｒｖａｌ  ａｄｖｅｒｔｉｓｅｍｅｎｔ  ｔｏ  ｅｖｅｒｙ  １０  ｓｅｃｏｎｄｓ，  ｆｏｒ  ｅｘａｍｐｌｅ．  Ｏｎｃｅ  ｄｅｖｉｃｅｓ  ａｒｅ  ｄｅｔｅｃｔｅｄ  ｂｙ  ｔｈｅ  Ｓｔｉｃｋｅｒ，  ｉｔ  ｗｉｌｌ  ａｄｊｕｓｔ  ｔｈｅ  ｉｎｔｅｒｖａｌ  ｒａｔｅ  ｕｐ  ｔｏ  １００ｍｓ  ｏｒ  ｆａｓｔｅｒ，  ｄｅｐｅｎｄｉｎｇ  ｏｎ  ｈｏｗ  ｓａｔｕｒａｔｅｄ  ｔｈｅ  ａｒｅａ  ｉｓ  ｗｉｔｈ  ｓｃａｎｎｉｎｇ  ＢＬＥ  ｄｅｖｉｃｅｓ．
Ｉｎ  ｓｏｍｅ  ｅｍｂｏｄｉｍｅｎｔｓ，  ｗｈｅｎ  ｔｈｅ  ｓｔｉｃｋｅｒ  ｉｓ  ａｃｔｉｖｅｌｙ  ｃｏｎｎｅｃｔｅｄ  ｔｏ  ｔｈｅ  ｐｈｏｎｅ，  ｔｈｅ  ｓｔｉｃｋｅｒ  ｉｓ  ｉｎ  ａ  Ｃｏｎｎｅｃｔｉｖｉｔｙ  Ｍｏｄｅ．  Ｉｎ  ｔｈｅ  ｃｏｎｎｅｃｔｉｖｉｔｙ  ｍｏｄｅ，  ｔｈｅ  ｓｔｉｃｋｅｒ  ｃａｎ  ｃｏｍｍｕｎｉｃａｔｅ  ｗｉｔｈ  ｔｈｅ  ｐｈｏｎｅ  ｏｖｅｒ  ｔｈｅ  ｏｔｈｅｒ  ３７  ｃｏｍｍｕｎｉｃａｔｉｏｎ  ｃｈａｎｎｅｌｓ．  
Ｉｎ  ｓｏｍｅ  ｓｐｅｃｉａｌ  ｃａｓｅｓ  ｔｈｅ  ｔｈｒｅｅ  ａｄｖｅｒｔｉｓｉｎｇ  ｃｈａｎｎｅｌｓ  ｃａｎ  ａｌｓｏ  ｂｅ  ｕｓｅｄ  ｆｏｒ  ｃｏｍｍｕｎｉｃａｔｉｏｎ  ｉｎ  ｂｒｏａｄｃａｓｔ  ｃｏｍｍｕｎｉｃａｔｉｏｎ  ｍｏｄｅ．  Ｉｎ  ｓｏｍｅ  ｅｍｂｏｄｉｍｅｎｔｓ，  ｔｈｅ  ａｄｖｅｒｔｉｓｅｍｅｎｔ  ｐａｃｋｅｔ  ｓｕｐｐｏｒｔｓ  ｍｕｌｔｉｐｌｅ  ｐｒｏｔｏｃｏｌｓ  ｉｎ  ｏｎｅ  ｐａｃｋｅｔ．  Ｉｎ  ｓｕｃｈ  ｅｍｂｏｄｉｍｅｎｔｓ，  ｔｈｅ  ｍｕｌｔｉｐｌｅ  ｐｒｏｔｏｃｏｌｓ  ａｒｅ  ａｌｌ  ｉｎ  ｏｎｅ  ａｄｖｅｒｔｉｓｅｍｅｎｔ  ｐａｃｋｅｔ，  ｏｒ  ｔｈｅ  ａｄｖｅｒｔｉｓｉｎｇ  ｃｈａｎｎｅｌ  ｓｕｐｐｏｒｔｓ  ａ  ｃｈａｉｎ  ｏｆ  ｐｒｏｔｏｃｏｌｓ  （Ｉｎｔｅｒｌｅａｖｅ），  ｅａｃｈ  ｓｅｎｔ  ｉｎ  ａ  ｓｅｐａｒａｔｅ  ａｄｖｅｒｔｉｓｅｍｅｎｔ  ｐａｃｋｅｔ．  Ｆｏｒ  ｅｘａｍｐｌｅ，  ｏｎｅ  Ａｄ  ｐａｃｋｅｔ  ｃｏｎｔａｉｎｓ  ｐｒｏｔｏｃｏｌ  Ａ，  Ｂ  ａｎｄ  Ｃ；  ｏｒ  ｉｎ  Ｄａｉｓｙ  ｃｈａｉｎ  ｏｆ  ｐａｃｋｅｔｓ：  Ｐｒｏｔｏｃｏｌ  Ａ，  ｔｈｅｎ  Ｂ  ｔｈｅｎ  Ｃ．  Ｅｘｅｍｐｌａｒｉｌｙ，  Ｐｒｏｔｏｃｏｌ  Ａ  ｃａｎ  ｂｅ  ｓａｙ，  Ｎｏｋｉａ，  ｐｒｏｔｏｃｏｌ  Ｂ  ｃａｎ  ｂｅ  Ａｐｐｌｅ’ｓ  ｉＢｅａｃｏｎ，  ａｎｄ  Ｃ  ｂｅ  Ｇｏｏｇｌｅ’ｓ  ｐｒｏｔｏｃｏｌ．
Ａｎｏｔｈｅｒ  ｍｅｔｈｏｄ  ｆｏｒ  ｔｒａｎｓｍｉｔｔｉｎｇ  ｄｉｆｆｅｒｅｎｔ  Ｐｒｏｔｏｃｏｌｓ，  ｉｓ  ｂｙ  ｃｏｍｂｉｎｉｎｇ  ｔｈｅｍ  ａｎｄ  ｓｅｎｄｉｎｇ  ａｄｖｅｒｔｉｓｅｍｅｎｔ  ｏｆ  ｅａｃｈ  ２  ｏｒ  ｍｏｒｅ  ｐｒｏｔｏｃｏｌｓ  ｏｎｅ  ａｆｔｅｒ  ｔｈｅ  ｏｔｈｅｒ  ｗｉｔｈ  ａｌｍｏｓｔ  ｎｏ  ｄｅｌａｙ．  Ｔｈｉｓ  ｍｅｔｈｏｄ  ｓａｖｅｓ  ｐｏｗｅｒ，  ａｓ  ｔｈｅ  ｒａｄｉｏ，  ＤＣ／ＤＣ  ｅｔｃ  ａｒｅ  ａｌｒｅａｄｙ  ｏｎ，  ａｎｄ  ｄｏ  ｎｏｔ  ｎｅｅｄ  ｔｏ  ｐｏｗｅｒ  ｏｆｆ，  ｔｈｅｎ  ｏｎ  ａｇａｉｎ．
Ａｎｏｔｈｅｒ  ｍｅｔｈｏｄ  ｆｏｒ  ｃｏｍｂｉｎｇ  ｄｉｆｆｅｒｅｎｔ  ｐｒｏｔｏｃｏｌｓ，  ｉｓ  ｓｅｎｄｉｎｇ  ｄｉｆｆｅｒｅｎｔ  ｐｒｏｔｏｃｏｌ  ａｄｖｅｒｔｉｓｅｍｅｎｔｓ  ｏｎ  ｔｈｅ  ３  ｄｉｆｆｅｒｅｎｔ  ａｄｖｅｒｔｉｓｅｍｅｎｔ  ｃｈａｎｎｅｌｓ．
Ｓｏ  Ｃｈａｎｎｅｌ  ３７  ｃａｎ  ａｄｖｅｒｔｉｓｅ  Ａｐｐｌｅ’ｓ  ｐａｙｌｏａｄ  ｐｒｏｔｏｃｏｌ，  Ｃｈａｎｎｅｌ  ３８  ｃａｎ  ａｄｖｅｒｔｉｓｅ  Ｇｏｏｇｌｅ  ｐａｙｌｏａｄ  ｐｒｏｔｏｃｏｌ，  ａｎｄ  ｃｈａｎｎｅｌ  ３９  ｃａｎ  ａｄｖｅｒｔｉｓｅ  Ｎｏｋｉａ  ｐａｙｌｏａｄ  ｐｒｏｔｏｃｏｌ  ｆｏｒ  ｅｘａｍｐｌｅ．  
ＢＵＺＺ  −  ＦＬＡＳＨ
Ｗｈｅｎ  ａｎ  ｉｎｄｉｃａｔｉｏｎ  ｉｃｏｎ  ６４  ｏｆ  ａ  ｂｅａｃｏｎ  １０  ａｐｐｅａｒｓ  ｏｎ  ｒａｄａｒ  ｓｃｒｅｅｎ  ６２，  ａ  ｕｓｅｒ  ｃａｎ  ｔｏｕｃｈ／ｔａｐ  ｏｒ  ｏｔｈｅｒｗｉｓｅ  ｓｅｌｅｃｔ  ａ  ｄｅｓｉｒｅｄ  ｂｅａｃｏｎ−ｉｃｏｎ  ６４  ｏｎ  ｔｈｅ  ｓｃｒｅｅｎ  ａｎｄ  ｓｅｎｄ  ａ  ｃｏｍｍａｎｄ  ｓｉｇｎａｌ  ｔｏ  ｔｈｅ  ｃｏｒｒｅｓｐｏｎｄｉｎｇ  ｂｅａｃｏｎ．  Ｏｎｅ  ｓｕｃｈ  ｃｏｍｍａｎｄ  ｓｉｇｎａｌ  ｉｎｓｔｒｕｃｔｓ  ｔｈｅ  ｓｅｌｅｃｔｅｄ  ｓｔｉｃｋｅｒ  ｔｏ  ｅｍｉｔ  ａｎ  ａｕｄｉｔｏｒｙ  ｎｏｉｓｅ  （ｅ．ｇ．  ｍａｋｅ  ａ  ｂｕｚｚｉｎｇ  ｓｏｕｎｄ  ｏｒ  ｔｈｅ  ｌｉｋｅ）．  Ｉｎ  ｓｏｍｅ  ｅｍｂｏｄｉｍｅｎｔｓ，  ｓｐｅａｋｅｒ  ５２  ｆａｃｉｌｉｔａｔｅｓ  ｔｈｉｓ  ａｕｄｉｔｏｒｙ  ｆｕｎｃｔｉｏｎ．  Ｗｈｅｎ  ｔｈｅ  ｓｅｌｅｃｔｅｄ  ｂｌｕｅｔｏｏｔｈ  ｓｔｉｃｋｅｒ  １０  ｍａｋｅｓ  ａ  ｎｏｉｓｅ，  ｔｈｅ  ｕｓｅｒ  ｃａｎ  ｍｏｒｅ  ｅａｓｉｌｙ  ｌｏｃａｔｅ  ｔｈｅ  ｂｅａｃｏｎ．  
Ａｎｏｔｈｅｒ  ｃｏｍｍａｎｄ  ｓｉｇｎａｌ  ｉｎｓｔｒｕｃｔｓ  ａ  ｓｅｌｅｃｔｅｄ  ｂｅａｃｏｎ  １０  ｔｏ  ｅｍｉｔ  ｓｏｍｅ  ｆｏｒｍ  ｏｆ  ｉｌｌｕｍｉｎａｔｉｏｎ  ｓｕｃｈ  ａｓ  ｆｌａｓｈｉｎｇ  （ｉ．ｅ．  ｌｉｇｈｔ  ｕｐ  ＬＥＤ  ５０  ｉｎ  ｂｅａｃｏｎ  １０）．  Ｔｈｅ  ‘ｆｌａｓｈ’  ｆｕｎｃｔｉｏｎ  ｉｓ  ｕｓｅｆｕｌ  ｗｈｅｎ  ｍａｋｉｎｇ  ａ  ｎｏｉｓｅ  ｉｓ  ｅｉｔｈｅｒ  ｉｎｃｏｎｖｅｎｉｅｎｔ  ｏｒ  ｉｎｅｆｆｅｃｔｉｖｅ．  Ｏｆ  ｃｏｕｒｓｅ  ｔｈｅ  ‘ｂｕｚｚ’  ｆｕｎｃｔｉｏｎ  ｏｒ  ‘ｆｌａｓｈ’  ｆｕｎｃｔｉｏｎ  ｃａｎ  ｂｅ  ｕｓｅｄ  ｅｉｔｈｅｒ  ｓｅｐａｒａｔｅｌｙ  ｏｒ  ｔｏｇｅｔｈｅｒ．  
ＦＩＮＤ  ＩＴ
Ｆｉｇｕｒｅ  ６  ｉｓ  ａ  ｓｃｒｅｅｎ  ｓｈｏｔ  ｏｆ  ａ  ｓｍａｒｔ  ｐｈｏｎｅ  ６０  ｒｕｎｎｉｎｇ  ａ  ‘Ｆｉｎｄ  Ｉｔ’  ｆｅａｔｕｒｅ  ｏｆ  ｔｈｅ  ｉｎｎｏｖａｔｉｖｅ  ｍｏｂｉｌｅ  ａｐｐｌｉｃａｔｉｏｎ．  Ｔｈｅ  “Ｆｉｎｄ  ＩＴ”  Ｆｅａｔｕｒｅ  ｉｓ  ｕｓｅｄ  ｗｈｅｎ  ｓｅａｒｃｈｉｎｇ  ｆｏｒ  ａ  ｍｉｓｓｉｎｇ  ｓｔｉｃｋｅｒ  １０，  ｉ．ｅ．  ｗｈｅｎ  ｔｈｅ  ｂｅａｃｏｎ  ｉｓ  ｎｏｔ  ｉｎ  ｒａｎｇｅ  ｏｆ  ｐｈｏｎｅ  ６０．  Ａ  ｕｓｅｒ  ａｃｔｉｖａｔｅｓ  ａ  ｆｉｎｄ  ｆｅａｔｕｒｅ  ｆｏｒ  ａ  ｄｅｓｉｒｅｄ  ｏｂｊｅｃｔ／ｂｅａｃｏｎ  ６８  ｂｙ  ｓｅｌｅｃｔｉｎｇ  ａ  ｓｗｉｔｃｈ  ７０  ｆｏｒ  ｔｈｅ  ｔａｇｇｅｄ  ｏｂｊｅｃｔ．  Ｏｎｃｅ  ｔｈｅ  ｄｅｓｉｒｅｄ  ｂｅａｃｏｎ  ｃｏｍｅｓ  ｂａｃｋ  ｉｎｔｏ  ｒａｎｇｅ，  ｔｈｅｎ  ｐｈｏｎｅ  ６０  ｉｓｓｕｅｓ  ａｎ  ａｌｅｒｔ．  Ｔｈｅ  ａｌｅｒｔ  ｎｏｔｉｆｉｅｓ  ｔｈｅ  ｕｓｅｒ  ｔｈａｔ  ｔｈｅ  ｂｅａｃｏｎ  ｉｓ  ｂａｃｋ  ｉｎ  ｒａｎｇｅ．  
Ａｎ  ｅｘａｍｐｌｅ  ｗｈｅｒｅ  ｔｈｅ  Ｆｉｎｄ  Ｉｔ  ｆｅａｔｕｒｅ  ｃａｎ  ｂｅ  ｕｓｅｆｕｌ  ｉｓ  ｗｈｅｎ  ａ  ｕｓｅｒ  ｓｔｉｃｋｓ  ａ  Ｓｔｉｃｋ−Ｎ−Ｆｉｎｄ  ｂｅａｃｏｎ  １０  ｏｎ  ａ  ｐｉｅｃｅ  ｏｆ  ｂａｇｇａｇｅ  ３８  （ｓｅｅ  Ｆｉｇ．  ３Ｄ）  ｗｈｉｃｈ  ｉｓ  ｃｈｅｃｋｅｄ−ｉｎ  ｏｎ  ａ  ｆｌｉｇｈｔ．  Ｗｈｅｎ  ｔｈｅ  ｓｕｉｔｃａｓｅｓ  ｓｔａｒｔ  ｃｏｍｉｎｇ  ｏｕｔ  ｏｎｔｏ  ｔｈｅ  ｃｏｎｖｅｙｅｒ  ｂｅｌｔ，  ｔｈｅ  ｕｓｅｒ  ｃａｎ  ｓｉｍｐｌｙ  ｓｉｔ  ｄｏｗｎ  ａｎｄ  ｗａｉｔ  ｃｏｍｆｏｒｔａｂｌｙ  ｏｎ  ｔｈｅ  ｓｉｄｅ．  Ｗｈｅｎ  ｔｈｅ  ｐｉｅｃｅ  ｏｆ  ｂａｇｇａｇｅ  ｃｏｍｅｓ  ｉｎｔｏ  ｒａｎｇｅ，  ｐｈｏｎｅ  ６０  ｉｓｓｕｅｓ  ａｎ  ａｌｅｒｔ，  ｓｉｇｎａｌｉｎｇ  ｔｏ  ｔｈｅ  ｕｓｅｒ  ｔｈａｔ  ｂａｇｇａｇｅ  ３８  ｉｓ  ｎｅａｒ．  Ｏｎｌｙ  ａｔ  ｔｈｉｓ  ｐｏｉｎｔ  ｄｏｅｓ  ｔｈｅ  ｕｓｅｒ  ｎｅｅｄ  ｔｏ  ｇｅｔ  ｕｐ，  ａｎｄ  ｔａｋｅ  ｔｈｅ  ｌｕｇｇａｇｅ．  Ａ  ｕｓｅｒ  ｃａｎ  ａｌｓｏ  ｓｔｉｃｋ  ａ  Ｓｔｉｃｋ−Ｎ−Ｆｉｎｄ  １０  ｏｎ  ｈｉｓ  ｗｉｆｅ’ｓ  ｃａｒ．  Ｏｎｃｅ  ｓｈｅ  ｐｕｌｌｓ  ｉｎｔｏ  ｔｈｅ  ｄｒｉｖｅｗａｙ，  ｔｈｅ  ｕｓｅｒ  ｇｅｔｓ  ａ  ｎｏｔｉｆｉｃａｔｉｏｎ，  ｃｌｅａｎｓ  ｈｉｓ  ｍｅｓｓ，  ａｎｄ  ｇｏｅｓ  ｔｏ  ｗａｓｈ  ｄｉｓｈｅｓ  ｂｅｆｏｒｅ  ｓｈｅ  ｃｏｍｅｓ  ｉｎ．
ＶＩＲＴＵＡＬ  ＬＥＡＳＨ
Ｆｉｇｕｒｅ  ７  ｉｓ  ａ  ｐａｒｔｉａｌ  ｓｃｒｅｅｎ  ｓｈｏｔ  ｏｆ  ａ  ｓｍａｒｔ  ｐｈｏｎｅ  ｒｕｎｎｉｎｇ  ａ  ‘Ｖｉｒｔｕａｌ  Ｌｅａｓｈ’  ｆｅａｔｕｒｅ  ｏｆ  ｔｈｅ  ｉｎｎｏｖａｔｉｖｅ  ｍｏｂｉｌｅ  ａｐｐｌｉｃａｔｉｏｎ．  Ｔｈｅ  Ｖｉｒｔｕａｌ  Ｌｅａｓｈ  ｆｅａｔｕｒｅ  ａｌｌｏｗｓ  ａ  ｕｓｅｒ  ｔｏ  ｃｒｅａｔｅ  ａ  ‘ｖｉｒｔｕａｌ  ｌｅａｓｈ’  ｏｎ  ａ  ｓｅｌｅｃｔｅｄ  ｂｅａｃｏｎ  １０，  ｓｏ  ｔｈａｔ  ｉｆ  ｔｈｅ  ｂｅａｃｏｎ  （ｅ．ｇ．  ａ  ｓｔｉｃｋｅｒ  ｔｈｒｅａｄｅｄ  ｏｎ  ｔｈｅ  ｓｈｏｅ  ｌａｃｅｓ  ｏｆ  ａ  ｃｈｉｌｄ）  ｍｏｖｅｓ  ｆａｒｔｈｅｒ  ａｗａｙ  ｔｈａｎ  ａ  ｓｅｌｅｃｔｅｄ  ａｐｐｒｏｘｉｍａｔｅ  ｄｉｓｔａｎｃｅ  ７２  ｆｒｏｍ  ｐｈｏｎｅ  ６０，  ｔｈｅ  ａｐｐｌｉｃａｔｉｏｎ  ｉｓｓｕｅｓ  ａｎ  ａｌａｒｍ  ｆｒｏｍ  ｔｈｅ  ｐｈｏｎｅ．  Ｉｎ  ｅｓｓｅｎｃｅ，  ｔｈｅ  Ｖｉｒｔｕａｌ  Ｌｅａｓｈ  ｆｅａｔｕｒｅ  ｉｓ  ｔｈｅ  ｏｐｐｏｓｉｔｅ  ｏｆ  ｔｈｅ  Ｆｉｎｄ  Ｉｔ  ｆｅａｔｕｒｅ．
Ｄｉｆｆｅｒｅｎｔ  ｔｙｐｅｓ  ｏｆ  ａｌａｒｍｓ  ｃａｎ  ｂｅ  ｓｅｌｅｃｔｅｄ  ａｎｄ  ｕｎｉｑｕｅ  ａｌａｒｍｓ  ｃａｎ  ｂｅ  ｓｅｌｅｃｔｅｄ  ｆｏｒ  ｅａｃｈ  ｂｅａｃｏｎ  １０  （ｅ．ｇ．  ａ  ｃｈｉｍｅ  ｓｏｕｎｄｓ  ｉｆ  ｙｏｕｒ  ｈａｎｄｂａｇ  ｉｓ  ｄｉｓｔａｎｃｅｄ  ｆｒｏｍ  ｙｏｕｒ  ｐｈｏｎｅ，  ｂｕｔ  ｗｈｅｎ  ａ  ｐｅｔ  ｉｓ  ｏｕｔ  ｏｆ  ｒａｎｇｅ，  ｔｈｅｎ  ａ  ｍｅｓｓａｇｅ  ｆｌａｓｈｅｓ  ｏｎ  ｔｈｅ  ｓｃｒｅｅｎ  ｏｆ  ｔｈｅ  ｐｈｏｎｅ  ａｎｄ  ｉｆ  ａ  ｃｈｉｌｄ  ｉｓ  ｏｕｔ  ｏｆ  ｒａｎｇｅ  ｔｈｅｎ  ａ  ｓｉｒｅｎ  ａｌａｒｍ  ｉｓ  ｉｓｓｕｅｄ）．  Ｉｎ  ｓｏｍｅ  ｐｒｅｆｅｒｒｅｄ  ｅｍｂｏｄｉｍｅｎｔｓ，  Ｖｉｒｔｕａｌ  Ｌｅａｓｈ  ｉｓ  ａ  ｔｗｏ  ｗａｙ  ｆｕｎｃｔｉｏｎ，  ｗｈｅｒｅ  ｂｏｔｈ  ｂｅａｃｏｎ  １０  ａｎｄ  ｐｈｏｎｅ  ６０，  ｃａｎ  ｉｓｓｕｅ  ａｎ  ａｌｅｒｔ．  Ｆｏｒ  ｅｘａｍｐｌｅ，  ｓｈｏｕｌｄ  ａ  ｕｓｅｒ  ｈａｖｅ  ｃａｒ  ｋｅｙｓ  ｉｎ  ｈｉｓ  ｐｏｃｋｅｔ  ｂｕｔ  ｌｅａｖｅ  ｔｈｅ  ｐｈｏｎｅ  ｏｎ  ｔｈｅ  ｋｉｔｃｈｅｎ  ｔａｂｌｅ，  ｔｈｅｎ  ｂｏｔｈ  ｔｈｅ  ｐｈｏｎｅ  ａｎｄ  ｓｔｉｃｋｅｒ  ｗｉｌｌ  ｂｕｚｚ  ａｎｄ／ｏｒ  ｆｌａｓｈ  ｗｈｅｎ  ｏｕｔ  ｏｆ  ｒａｎｇｅ  ｆｒｏｍ  ｅａｃｈ  ｏｔｈｅｒ．  Ｉｎ  ｔｈｉｓ  ｍａｎｎｅｒ，  ｉｔ  ｉｓ  ｔｈｅ  ｂｅａｃｏｎ  ｔｈａｔ  ａｌｅｒｔｓ  ｔｈｅ  ｕｓｅｒ  ｔｏ  ｆａｃｔ  ｔｈａｔ  ｈｅ  ｈａｓ  ｌｅｆｔ  ｔｈｅ  ｐｈｏｎｅ  ｉｎ  ｔｈｅ  ｈｏｕｓｅ．  Ｏｆ  ｃｏｕｒｓｅ  ｔｈｅｒｅ  ａｒｅ  ｓｉｔｕａｔｉｏｎｓ  ｗｈｅｒｅ  ｉｔ  ｉｓ  ｐｒｅｆｅｒａｂｌｅ  ｔｏ  ａｃｔｉｖｅ  ｔｈｅ  ａｌａｒｍ  ｏｎ  ｏｎｌｙ  ｏｎｅ  ｏｆ  ｔｈｅ  ｔｗｏ  ｃｏｍｐｏｎｅｎｔｓ  （ｅ．ｇ．  ｏｎｌｙ  ａｃｔｉｖａｔｅ  ａｌｅｒｔｓ  ｏｎ  ｔｈｅ  ｐｈｏｎｅ  ｂｕｔ  ｎｏｔ  ｏｎ  ａ  ｂｅａｃｏｎ  ｃｏｎｎｅｃｔｅｄ  ｔｏ  ａ  ｃｈｉｌｄ’ｓ  ｓｈｏｅ  ｏｒ  ａ  ｐｅｔ  ｃｏｌｌａｒ）．
Ｂｅｃａｕｓｅ  ＢＴ  ｓｉｇｎａｌ  ｉｓ  ｏｎ  ２．４Ｇｈｚ，  ｔｈｉｓ  ｓｉｇｎａｌ  ｃａｎ  ｅａｓｉｌｙ  ｂｅ  ａｂｓｏｒｂｅｄ  ｂｙ  ｈｕｍａｎｓ，  ｂｌｏｃｋｅｄ  ｏｒ  ｒｅｆｌｅｃｔｅｄ  ｂｙ  ａｎｙ  ｏｂｊｅｃｔ  ｅｔｃ．  Ｔｈｉｓ  ｍｅａｎｓ  ｔｈａｔ  ｉｆ  ａ  ｕｓｅｒ  ｃｒｅａｔｅｓ  ａ  ｌｅａｓｈ  ｗｉｔｈ  ｈｉｓ  ｋｉｄｓ，  ｏｒ  ｗａｌｌｅｔ，  ａｎｄ  ｔｈｅｎ  ｂｌｏｃｋｓ  ｔｈｅ  ｓｉｇｎａｌ  ｗｉｔｈ  ｈｉｓ  ｂｏｄｙ，  ｔｈｅ  ｌｅａｓｈ  ｃａｎ  ｂｅ  ｂｒｏｋｅｎ．
Ａｌｓｏ  ｉｎ  ａ  ｈｏｍｅ，  ｗｈｅｎ  ｙｏｕ  ｃｒｅａｔｅ  ａ  ｌｅａｓｈ  ｗｉｔｈ  ａ  ｓｔｉｃｋｅｒ  ｉｎ  ｙｏｕｒ  ｋｅｙｓ，  ｉｆ  ｙｏｕ  ｇｏ  ｂｅｈｉｎｄ  ａ  ｗａｌｌ，  ｏｒ  ｓｏｍｅｔｈｉｎｇ  ｃｏｍｅｓ  ｉｎ  ｂｅｔｗｅｅｎ  ｙｏｕ  ａｎｄ  ｔｈｅ  ｋｅｙｓ，  ｔｈｉｓ  ｗｉｌｌ  ｃａｕｓｅ  ａ  ｆａｌｓｅ  ａｌａｒｍ  ｏｎ  ｂｏｔｈ  ｔｈｅ  ｐｈｏｎｅ  ａｎｄ  ｓｔｉｃｋｅｒ．
Ｉｎ  ａｎｏｔｈｅｒ  ｅｍｂｏｄｉｍｅｎｔ  ｏｆ  ｔｈｅ  ｆｅａｔｕｒｅ，  ｔｈｅ  ｐｈｏｎｅ  ｔｒａｃｋｓ  ｔｈｅ  ＲＳＳＩ  ｓｉｇｎａｌ  ｏｆ  ｔｈｅ  ｓｔｉｃｋｅｒ．  ｉｆ  ｔｈｅ  ａｐｐ  ｎｏｔｉｃｅｓ  ｔｈａｔ  ｔｈｅ  ｓｉｇｎａｌ  ｉｓ  ｗｅａｋｅｎｉｎｇ  ａｔ  ａ  ｓｔｅａｄｙ  ａｎｄ  ｆｉｘｅｄ  ｒａｔｉｏ  ｔｈａｔ  ｃａｎ  ｂｅ  ｃｏｒｒｅｌａｔｅｄ  ｔｏ  ａ  ｓｔｅａｄｙ  ａｎｄ  ｆｉｘ  ｓｐｅｅｄ  ｍｏｖｉｎｇ  ａｗａｙ  ｆｒｏｍ  ｔｈｅ  ｐｈｏｎｅ，  ｔｈｅｎ  ｔｈｅ  ａｐｐ  ｃａｌｃｕｌａｔｅｓ  ｔｈａｔ  ｔｈｅ  ｖｉｒｔｕａｌ  ｌｅａｓｈ  ｗｉｌｌ  ｂｅ  ｂｒｏｋｅｎ  ｉｎ  Ｘ  ｓｅｃｏｎｄｓ  ｓｈｏｕｌｄ  ｔｈｅ  ｓｔｉｃｋｅｒ  ｃｏｎｔｉｎｕｅ  ｔｏ  ｍｏｖｅ  ａｗａｙ  ｆｒｏｍ  ｔｈｅ  ｐｈｏｎｅ．  Ｗｉｔｈ  ｔｈｉｓ  ｉｎｆｏｒｍａｔｉｏｎ，  ｗｈｅｎ  ｔｈｅ  ａｐｐ  ｄｅｔｅｃｔｓ  ｔｈａｔ  ｔｈｅ  ｌｅａｓｈ  ｉｓ  ｂｒｏｋｅｎ，  ｔｈｅ  ｌｉｋｅｌｉｈｏｏｄ  ｔｈａｔ  ｔｈｅ  ａｌｅｒｔ  ｉｓ  ｔｒｕｅ  ａｎｄ  ｔｈａｔ  ｔｈｅ  ｌｅａｓｔ  ｈａｓ  ｉｎｄｅｅｄ  ｂｅｅｎ  ｂｒｏｋｅ  ｉｓ  ｉｎｃｒｅａｓｅｄ／ｃｏｎｆｉｒｍｅｄ．  
Ｂｕｔ  ｉｆ  ｔｈｅ  ｃｏｒｒｅｌａｔｅｄ  Ｓｐｅｅｄ  ｏｆ  ｔｈｅ  ｏｂｊｅｃｔ  ｍｏｖｉｎｇ  ａｗａｙ，  ｓｕｄｄｅｎｌｙ  ｍｏｖｅｓ  ａｗａｙ  ａｔ  ｓｐｅｅｄｓ  ｔｈａｔ  ｄｏｎ’ｔ  ｍａｋｅ  ｓｅｎｓｅ，  ａｎｄ  ｔｈｅｎ  ｔｈｅ  ｌｅａｓｈ  ｉｓ  ｂｒｏｋｅｎ，  ｔｈｅ  ｌｉｋｅｌｉｈｏｏｄ  ｔｈａｔ  ｔｈｅ  ｌｅａｓｈ  ｗａｓ  ｔｒｕｌｙ  ｂｒｏｋｅｎ  ｄｅｃｒｅａｓｅｓ  ａｎｄ  ｔｈｅ  ｐｈｏｎｅ  ｗｉｌｌ  ｔｒｙ  ｔｏ  ｒｅ−ｅｓｔａｂｌｉｓｈ  ａ  ｌｉｎｋ．  Ｔｈｉｓ  ａｄｄｉｔｉｏｎａｌ  ｆｅａｔｕｒｅ  ｌｏｗｅｒｓ  ｔｈｅ  ｒａｔｅ  ｏｆ  ｆａｌｓｅ  ａｌｅｒｔｓ  ｓｔｅｍｍｉｎｇ  ｆｒｏｍ  ｏｂｓｔｒｕｃｔｉｏｎｓ．
Ｄｉｒｅｃｔｉｏｎ  ｏｆ  ｌｏｓｔ  ｉｔｅｍ  ｅｓｔｉｍａｔｏｒ：
Ｉｔ  ｉｓ  ｖｅｒｙ  ｈａｒｄ  ａｎｄ  ｉｍｐｏｒｔａｎｔ  ｔｏ  ｋｎｏｗ  ｔｈｅ  ｄｉｒｅｃｔｉｏｎ  ｏｆ  ａ  ｌｏｓｔ  ｉｔｅｍ．  Ｔｈｅ  ｌｏｃａｔｏｒ  ｆｅａｔｕｒｅ  ｏｆ  ｔｈｅ  ａｐｐ  ｄｉｓｐｌａｙｓ  ｔｈｅ  ＲＳＳＩ  ｓｉｇｎａｌ．  Ｔｈｅ  ＲＳＳＩ  Ｓｉｇｎａｌ  ｃａｎ  ｂｅ  ｒｏｕｇｈｌｙ  ｃｏｒｒｅｌａｔｅｄ  ｔｏ  ｄｉｓｔａｎｃｅ  ｉｎ  ｆｅｅｔ／ｍｅｔｅｒｓ．  （Ｉｔ  ｉｓ  ｎｏｔ  ａｎ  ａｃｔｕａｌ  ｄｅｔｅｒｍｉｎａｔｉｏｎ  ｂｕｔ  ｃａｎ  ｓｈｏｗ  ａｎ  ａｐｐｒｏｘｉｍａｔｅ  ｄｉｓｔａｎｃｅ  ｂｅｔｗｅｅｎ  ｔｈｅ  ｐｈｏｎｅ  ａｎｄ  ｔｈｅ  ｌｏｓｔ  Ｓｔｉｃｋｅｒ．）
Ｔｈｅ  ３６０  Ｔｕｒｎ  Ｆｅａｔｕｒｅ
Ａ  ｈｕｍａｎ  ａｒｍ  ｉｓ  ａｂｏｕｔ  ２−３  ｆｅｅｔ  ｌｏｎｇ  （ｃｅｎｔｅｒ  ｏｆ  ｂｏｄｙ  ｔｏ  ｈａｎｄ）．  Ｂｙ  ｓｔａｒｔｉｎｇ  ａ  ｃｉｒｃｕｌａｒ  ｔｕｒｎ  ａｒｏｕｎｄ  ａ  ｆｉｘｅｄ  ｓｐｏｔ，  ａ  ｕｓｅｒ  ｗｉｌｌ  ｔｕｒｎ  ａｔ  ａ  ｄｉａｍｅｔｅｒ  ｔｈａｔ  ｃａｎ  ｂｅ  ａｎｙｗｈｅｒｅ  ５  ｔｏ  ６  ｆｅｅｔ．  Ｗｈｉｌｅ  ｔｕｒｎｉｎｇ，  ｔｈｅ  ｐｈｏｎｅ  ｍｅａｓｕｒｅｓ  ＲＳＳＩ  ｌｅｖｅｌｓ  ａｔ  ａ  ｖｅｒｙ  ｆａｓｔ  ｒａｔｅ：  ｅ．ｇ．  １００ｍｓ  ｏｒ  ｆａｓｔｅｒ．  Ｔｈｅ  ｐｒｏｃｅｓｓｏｒ／ａｐｐ  ｌｏｇｉｃ  ｃｏｒｒｅｌａｔｅｓ  ｔｈｅ  ＲＳＳＩ  ｍｅａｓｕｒｅｍｅｎｔｓ  ｗｉｔｈ  ｔｈｅ  ｐｈｏｎｅ’ｓ  ｂｕｉｌｔ  ｉｎ  Ａｃｃｅｌｅｒｏｍｅｔｅｒ  ａｎｄ  Ｇｙｒｏ．  Ｏｎｃｅ  ｔｈｅ  ３６０  ｄｅｇｒｅｅ  ｃｉｒｃｌｅ  ｉｓ  ｃｏｍｐｌｅｔｅｄ，  ｔｈｅ  ａｐｐ  ｄｉｓｐｌａｙｓ  ａ  ｄｉｒｅｃｔｉｏｎ  ｉｎ  ｗｈｉｃｈ  ｔｈｅ  ＲＳＳＩ  ｓｉｇｎａｌ  ｗａｓ  ｔｈｅ  ｓｔｒｏｎｇｅｓｔ．
Ａｄｄｉｔｉｏｎａｌ  Ｍｅｔｈｏｄ
Ｉｔ  ｈａｓ  ｂｅｅｎ  ｄｅｔｅｒｍｉｎｅｄ  ｔｈａｔ  ｔｈｅ  ＢＴ  ａｎｔｅｎｎａｅ  ｉｎ  ｍｏｓｔ  ｐｈｏｎｅｓ  ａｒｅ  ｓｏｍｅｗｈａｔ  ｄｉｒｅｃｔｉｏｎａｌ．  Ｔｈｅｒｅ  ａｒｅ  ｅｖｅｎ  ｓｌｉｇｈｔ  ｃｈａｎｇｅｓ  ｗｉｔｈｉｎ  ｔｈｅ  ｓａｍｅ  ｍｏｄｅｌ．  Ｂａｓｅｄ  ｏｎ  ｔｈｉｓ  ｄｅｔｅｒｍｉｎａｔｉｏｎ，  ａ  ｃａｌｉｂｒａｔｉｏｎ  ｍｅｔｈｏｄ  ｃａｎ  ｂｅ  ｕｓｅｄ  ｔｏ  ｍａｐ  ｔｈｅ  ｄｉｒｅｃｔｉｏｎａｌ  ｑｕａｌｉｔｉｅｓ  ｏｆ  ｔｈｅ  ｐａｒｔｉｃｕｌａｒ  ｐｈｏｎｅ：  
Ｄｏｗｎｌｏａｄ  ｔｈｅ  ａｐｐ  ｔｏ  ｔｈｅ  ｐｈｏｎｅ  ａｎｄ  ｐｌａｃｅ  ａ  ｓｔｉｃｋｅｒ  ａｂｏｕｔ  ２０  ｆｅｅｔ  ａｗａｙ  ｆｒｏｍ  ｔｈｅ  ｐｈｏｎｅ．  Ｐｒｅｓｓ  ｔｈｅ  ｃａｌｉｂｒａｔｉｏｎ  ｂｕｔｔｏｎ，  ｐｏｉｎｔ  ｔｈｅ  ｐｈｏｎｅ  ｔｏｗａｒｄｓ  ｔｈｅ  ｓｔｉｃｋｅｒ  ａｎｄ  ｐｒｅｓｓ  ｓｔａｒｔ．  
Ｔｕｒｎ  ｔｈｅ  ｐｈｏｎｅ  ｉｎ  ａ  ３６０  ｄｅｇｒｅｅ  ｃｉｒｃｌｅ．  
Ｏｎｃｅ  ｔｈｅ  ｃｉｒｃｌｅ  ｉｓ  ｃｏｍｐｌｅｔｅｄ  ａｎｄ  ｔｈｅ  ｐｈｏｎｅ  ｉｓ  ｂａｃｋ  ｉｎ  ｔｈｅ  ｏｒｉｇｉｎａｌ  ｐｏｓｉｔｉｏｎ  ｔｈｅ  ｃａｌｉｂｒａｔｉｏｎ  ｐｒｏｃｅｓｓ  ｉｓ  ｃｏｍｐｌｅｔｅ．
Ｔｈｅ  ｐｈｏｎｅ’ｓ  ａｐｐ  ｋｎｏｗｓ  ｔｈｅ  ｅｘａｃｔ  ｄｉｒｅｃｔｉｏｎ  ｏｆ  ｔｈｅ  ｓｔｉｃｋｅｒ，  ｂｅｃａｕｓｅ  ｙｏｕ  ｐｏｉｎｔｅｄ  ｔｈｅ  ｐｈｏｎｅ  ｔｏ  ｔｈｅ  ｓｔｉｃｋｅｒ．  Ｔｈｅ  ａｐｐ  ｉｔ  ｗｉｌｌ  ｍａｔｃｈ  ｔｈｅ  ＲＳＳＩ  ｒｅｃｅｉｖｅｄ  ｗｉｔｈ  ｔｈｅ  Ａｃｃｅｌｅｒｏｍｅｔｅｒ  ａｎｄ  Ｇｙｒｏ  ｄａｔａ．  Ｔｈｉｓ  ｗｉｌｌ  ｅｎａｂｌｅ  ｔｈｅ  ｐｈｏｎｅ  ｔｏ  ｃｒｅａｔｅ  ａ  ｍａｐ  ｏｆ  ｔｈｅ  ａｎｔｅｎｎａ’ｓ  ｄｉｒｅｃｔｉｏｎａｌ  ｑｕａｌｉｔｉｅｓ．
Ｔｈｅｎ  ｗｈｅｎ  ａｎ  ｉｔｅｍ  ｉｓ  ｌｏｓｔ，  ｊｕｓｔ  ｔｕｒｎ  ａｒｏｕｎｄ  ｗｉｔｈ  ｔｈｅ  ｐｈｏｎｅ，  ａｎｄ  ｂａｓｅｄ  ｏｎ  ｔｈｉｓ  ｍａｐ，  ｔｈｅ  ｐｈｏｎｅ  ｗｉｌｌ  ｄｅｔｅｒｍｉｎｅ  ｔｈｅ  ｄｉｒｅｃｔｉｏｎ  ｔｏ  ｔｈｅ  ｌｏｓｔ  ｉｔｅｍ．
Ｌ−ｓｈａｐｅｄ  ｍｅｔｈｏｄ
Ａｌｓｏ，  ａ  ｕｓｅｒ  ｃａｎ  ｗａｌｋ  ｉｎ  ａｎ  Ｌ  ｓｈａｐｅ，  ｂｅｉｎｇ  ｇｕｉｄｅｄ  ｂｙ  ｔｈｅ  ａｐｐ，  ａｎｄ  ｔｈｅ  ｐｈｏｎｅ  ｗｉｌｌ  ｋｎｏｗ  ｔｈｅ  ｄｉｒｅｃｔｉｏｎ  ａｎｄ  ｄｉｓｔａｎｃｅ  ｆｒｏｍ  ｔｈｅ  ｐｈｏｎｅ  ｔｏ  ｔｈｅ  ｓｔｉｃｋｅｒ．
Ｄｉｓｔａｎｃｅ  ｃａｎ  ｂｅ  ｃａｌｃｕｌａｔｅｄ  ｂｙ  ｃａｌｃｕｌａｔｉｎｇ  ｔｈｅ  ｓｉｇｎａｌ  ｃｈａｎｇｅ  ｗｈｅｎ  ｗａｌｋｉｎｇ  ｔｈｅ  Ｌ  ｓｈａｐｅ．  Ｆｕｒｔｈｅｒｍｏｒｅ，  ｔｈｅ  ｄｉｒｅｃｔｉｏｎ  ｃａｎ  ｂｅ  ｃａｌｃｕｌａｔｅｄ  ｕｓｉｎｇ  ｔｈｅ  Ｍａｐｐｉｎｇ  ｃａｌｉｂｒａｔｉｏｎ  ｍｅｎｔｉｏｎｅｄ  ａｂｏｖｅ．
ＴＡＳＫ  ＬＡＵＮＣＨＥＲ
Ａｎ  ｏｐｔｉｏｎａｌ  ｆｅａｔｕｒｅ  ｏｆ  ｔｈｅ  ｉｎｎｏｖａｔｉｖｅ  ａｐｐｌｉｃａｔｉｏｎ  ｉｓ  ａ  Ｔａｓｋ  Ｌａｕｎｃｈｅｒ  Ｆｅａｔｕｒｅ．    Ｔａｓｋ  Ｌａｕｎｃｈｅｒ  ｉｓ  ｃａｐａｂｌｅ  ｏｆ  ｃａｕｓｉｎｇ  ｃｅｒｔａｉｎ  ｃｈａｎｇｅｓ  ｔｏ  ｍｏｂｉｌｅ  ｄｅｖｉｃｅｓ  ｗｈｅｎ  ｔｈｅｙ  ｃｏｍｅ  ｗｉｔｈｉｎ  ｒａｎｇｅ  ｏｆ  ｔｈｅ  ｂｅａｃｏｎ．  Ｆｏｒ  ｅｘａｍｐｌｅ  ａ  ｂｅａｃｏｎ  １０  ｃａｎ  ｂｅ  ｐｌａｃｅｄ  ａｔ  ｔｈｅ  ｄｏｏｒ  ｔｏ  ａ  ｃｏｎｆｅｒｅｎｃｅ  ｒｏｏｍ  ｃａｕｓｅｓ  ｍｏｂｉｌｅ  ｄｅｖｉｃｅｓ  ｐａｓｓｉｎｇ  ｂｙ  ｔｏ  ｇｏ  ｉｎｔｏ  ’Ｓｉｌｅｎｔ’  ｍｏｄｅ．
ＤＩＲＥＣＴＩＯＮＡＬ  ＡＮＴＥＮＮＡ（Ｅ）  ＡＮＤ  ＴＲＩＡＮＧＵＬＡＴＩＯＮ
Ｆｉｇｕｒｅ  ４Ａ  ｄｅｐｉｃｔｓ  ａ  ｓｃｈｅｍａｔｉｃ  ｄｉａｇｒａｍ  ｏｆ  ａ  ｆｕｒｔｈｅｒ  ｅｍｂｏｄｉｍｅｎｔ  ｏｆ  ａ  ｃｉｒｃｕｉｔ  ｂｏａｒｄ  ４４‘  ｏｆ  ａ  ｌｏｃａｔｏｒ  ｂｅａｃｏｎ  １０‘  ｏｆ  ｔｈｅ  ｉｍｍｅｄｉａｔｅ  ｉｎｖｅｎｔｉｏｎ．  Ｉｎ  ｔｈｅ  ｆｕｒｔｈｅｒ  ｐｒｅｆｅｒｒｅｄ  ｅｍｂｏｄｉｍｅｎｔ，  ｂｅａｃｏｎ  １０‘  ｉｎｃｌｕｄｅｓ  ａｌｌ  ｔｈｅ  ｃｏｍｐｏｎｅｎｔｓ  ｏｆ  ｃｉｒｃｕｉｔ  ｂｏａｒｄ  ４４  ｄｅｓｃｒｉｂｅｄ  ｉｎ  ｒｅｆｅｒｅｎｃｅ  ｔｏ  Ｆｉｇ．  ４  ａｎｄ  ｆｕｒｔｈｅｒ  ｉｎｃｌｕｄｅｓ  ｆｏｕｒ  ｄｉｒｅｃｔｉｏｎａｌ  ａｎｔｅｎｎａｅ  ８０．  Ｏｎｅ  ｄｉｒｅｃｔｉｏｎａｌ  ａｎｔｅｎｎａ  ８０  ｌｏｃａｔｅｄ  ｉｎ  ｅａｃｈ  ｏｆ  ｔｈｅ  ｃａｒｄｉｎａｌ  ｐｏｉｎｔｓ  ｏｎ  ｃｉｒｃｕｉｔ  ｂｏａｒｄ  ４４‘．  Ｅｘｅｍｐｌａｒｉｌｙ，  ｔｏｐ  ａｎｔｅｎｎａ  ８０Ｔ  ｉｓ  ｐｏｓｉｔｉｏｎｅｄ  ｉｎ  ｔｈｅ  ｎｏｒｔｈ，  ｂｏｔｔｏｍ  ａｎｔｅｎｎａ  ８０Ｂ  ｉｓ  ｐｏｓｉｔｉｏｎｅｄ  ｉｎ  ｔｈｅ  ｓｏｕｔｈ，  ｒｉｇｈｔ  ａｎｔｅｎｎａ  ８０Ｒ  ｉｓ  ｐｏｓｉｔｉｏｎｅｄ  ｉｎ  ｔｈｅ  ｅａｓｔ  ａｎｄ  ｌｅｆｔ  ａｎｔｅｎｎａ  ８０Ｌ  ｉｓ  ｐｏｓｉｔｉｏｎｅｄ  ｉｎ  ｔｈｅ  ｗｅｓｔ．  Ｏｆ  ｃｏｕｒｓｅ  ｔｈｅｓｅ  ｒｅｆｅｒｅｎｃｅ  ｎａｍｅｓ  ａｎｄ  ｌｏｃａｔｉｏｎｓ  ａｒｅ  ｏｎｌｙ  ｅｘｅｍｐｌａｒｙ  ａｎｄ  ｃｏｕｌｄ  ｂｅ  ｓｕｂｓｔｉｔｕｔｅｄ  ｆｏｒ  ｏｔｈｅｒ  ｎａｍｅｓ  ｉｎ  ｏｔｈｅｒ  ｐｏｓｉｔｉｏｎｓ．  Ｅａｃｈ  ａｎｔｅｎｎａ  ｔｒａｎｓｍｉｔｓ  ａ  ｄｉｆｆｅｒｅｎｔ  ＭＡＣ  ａｄｄｒｅｓｓ  ｏｒ  ＩＤ，  ｓｏ  ｔｈａｔ  ｔｈｅ  ｐｈｏｎｅ／ａｐｐｌｉｃａｔｉｏｎ  ｃａｎ  ｃａｌｃｕｌａｔｅ  ｗｈｉｃｈ  Ｍａｃ  Ａｄｄｒｅｓｓ  ｈａｄ  ｔｈｅ  ｈｉｇｈｅｓｔ  ＲＳＳＩ  ｖａｌｕｅ．  Ｔｈｅ  ｐｈｏｎｅ  ｗｉｌｌ  ｔｈｅｎ  ｋｎｏｗ  ｉｆ  ｉｔ  ｉｓ  ｕｐ，  ｄｏｗｎ，  ｌｅｆｔ  ｏｒ  ｒｉｇｈｔ  ｒｅｌａｔｉｖｅ  ｔｏ  ｔｈｅ  Ｓｔｉｃｋｅｒ．  
Ｉｎ  ｓｏｍｅ  ｅｍｂｏｄｉｍｅｎｔｓ  ｗｈｉｃｈ  ｉｎｃｌｕｄｅ  ａ  ｐｌｕｒａｌｉｔｙ  ｏｆ  ｄｉｒｅｃｔｉｏｎａｌ  ａｎｔｅｎｎａｅ  （ｉ．ｅ．  ｔｗｏ  ｏｒ  ｍｏｒｅ  ａｎｔｅｎｎａｅ），  ｔｏｐ  ｃｏｖｅｒ  ４０  ｆｕｒｔｈｅｒ  ｉｎｃｌｕｄｅｓ  ａｎ  ｉｎｄｉｃａｔｏｒ  ｍａｒｋ  ｉｎｄｉｃａｔｉｎｇ  ｈｏｗ  ｔｈｅ  ｓｔｉｃｋｅｒ  ｓｈｏｕｌｄ  ｂｅ  ｏｒｉｅｎｔａｔｅｄ．  Ｉｆ  ｔｈｅ  ｏｒｉｅｎｔａｔｉｏｎ  ｏｆ  ｔｈｅ  ｂｅａｃｏｎ  ｉｓ  ｋｎｏｗｎ  ｔｈｅｎ  ｔｈｅ  ｐｏｓｉｔｉｏｎｓ  ｏｆ  ｔｈｅ  ｄｉｒｅｃｔｉｏｎａｌ  ａｎｔｅｎｎａｅ  ８０  ａｒｅ  ｋｎｏｗｎ，  ａｌｌｏｗｉｎｇ  ｔｈｅ  ｐｈｏｎｅ  ｔｏ  ｋｎｏｗ  ｉｎ  ｗｈｉｃｈ  ｄｉｒｅｃｔｉｏｎ  ｔｈｅ  ｂｅａｃｏｎ  ｉｓ  ｌｏｃａｔｅｄ  （ａｓ  ｍｅｎｔｉｏｎｅｄ  ｉｎ  ｔｈｅ  ｐｒｅｖｉｏｕｓ  ｅｍｂｏｄｉｍｅｎｔ）．      
Ｉｎ  ｆｕｒｔｈｅｒ  ｅｍｂｏｄｉｍｅｎｔｓ，  ｔｈｅ  ａｐｐｌｉｃａｔｉｏｎ  ｃａｎ  ｐｒｏｃｅｓｓ  ｔｈｅ  ｄｉｓｔａｎｃｅ  ａｎｄ／ｏｒ  ｄｉｒｅｃｔｉｏｎ  ｕｓｉｎｇ  ｖａｒｉｏｕｓ  ｃｏｍｂｉｎａｔｉｏｎｓ  ｏｆ  ＲＳＳＩ  ｖａｌｕｅｓ  ｆｒｏｍ  ｓｔｉｃｋｅｒ  ａｎｄ／ｏｒ  ｔｈｅ  ｐｈｏｎｅ，  ａｓ  ｄｉｓｃｕｓｓｅｄ  ａｂｏｖｅ  ｉｎ  ｒｅｌａｔｉｏｎ  ｔｏ  ｔｈｅ  ｄｉｓｔａｎｃｅ  ｆｕｎｃｔｉｏｎ．  
Ｉｎ  ａ  ｃａｓｅ  ｗｈｅｒｅ  ａ  ｇｉｖｅｎ  ｓｔｉｃｋｅｒ  ｉｓ  ｌｏｃａｔｅｄ  ｎｅａｒ  ａ  ｎｕｍｂｅｒ  ｏｆ  ｏｔｈｅｒ  ｓｔｉｃｋｅｒｓ，  ｉｔ  ｍａｙ  ｂｅ  ｐｏｓｓｉｂｌｅ  ｆｏｒ  ｔｈｅ  ｍｏｂｉｌｅ  ａｐｐｌｉｃａｔｉｏｎ  ｏｎ  ｔｈｅ  ｐｈｏｎｅ  ｔｏ  ｔｒｉａｎｇｕｌａｔｅ  ｔｈｅ  ｐｏｓｉｔｉｏｎ  ｏｆ  ｔｈｅ  ｇｉｖｅｎ  ｓｔｉｃｋｅｒ．
Ｉｎ  ｏｔｈｅｒ  ｅｍｂｏｄｉｍｅｎｔｓ，  ｓｉｇｎａｌ  ｓｔｒｅｎｇｔｈ  ａｎｄ  ｐｈａｓｅ  ｉｎｆｏｒｍａｔｉｏｎ  ａｒｅ  ａｎａｌｙｚｅｄ  ａｎｄ  ｐｒｏｃｅｓｓｅｄ  ｕｓｉｎｇ  ｖａｒｉｏｕｓ  ｔｅｃｈｎｉｑｕｅｓ．  Ａｎａｌｙｚｉｎｇ  ａｎｄ  ｐｒｏｃｅｓｓｉｎｇ  ｐｈａｓｅ  ｍｅａｓｕｒｅｍｅｎｔｓ  （ＭＩＭＯ，  ＢｅａｍＦｏｒｍｉｎｇ）  ｉｍｐｒｏｖｅ  ａｃｃｕｒａｃｙ  ｏｆ  ｄｅｔｅｃｔｉｎｇ  ｂｏｔｈ  ｄｉｓｔａｎｃｅ  ａｎｄ  ｄｉｒｅｃｔｉｏｎ．  Ｔｈａｔ  ｉｓ  ｔｏ  ｓａｙ  ｔｈａｔ  ｐｈａｓｅ  ｃｏｎｔｒｏｌ  ｉｍｐｒｏｖｅｓ  ｃｏｎｔｒｏｌ  ｏｖｅｒ  ｄｉｒｅｃｔｉｏｎａｌ  ｔｒａｎｓｍｉｓｓｉｏｎｓ  ｍａｋｉｎｇ  ｔｈｅ  ｔｒａｎｓｍｉｓｓｉｏｎ  ｉｓ  ａ  ｄｅｓｉｒｅｄ  ｄｉｒｅｃｔｉｏｎ  ｍｏｒｅ  ａｃｃｕｒａｔｅ．  Ｃｏｕｐｌｉｎｇ  ｔｈｉｓ  ｔｅｃｈｎｏｌｏｇｙ  ｗｉｔｈ  ｔｈｅ  ａｆｏｒｅｍｅｎｔｉｏｎｅｄ  ｉｄｅａ  ｏｆ  ｔｒａｎｓｍｉｔｔｉｎｇ  ｍｕｌｔｉｐｌｅ  ＭＡＣ  ／ＩＤ  ｉｎｆｏｒｍａｔｉｏｎ  ｉｎｃｒｅａｓｅｓ  ｔｈｅ  ｄｉｒｅｃｔｉｏｎａｌ  ａｃｃｕｒａｃｙ  ｏｆ  ｔｈｅ  ｓｃａｎｎｉｎｇ  ｆｅａｔｕｒｅ．
Ｉｎ  ａｎ  ｅｍｂｏｄｉｍｅｎｔ  ｏｆ  ｔｈｅ  ｉｎｖｅｎｔｉｏｎ  ｉｎｃｌｕｄｉｎｇ  ｔｗｏ  ｏｒ  ｍｏｒｅ  ａｎｔｅｎｎａｓ，  ｐｈａｓｅ  ｍｅａｓｕｒｅｍｅｎｔｓ  ｃａｎ  ｂｅ  ｕｓｅｄ  ｔｏ  ｉｍｐｒｏｖｅ  ａｃｃｕｒａｃｙ  ｏｆ  ｂｏｔｈ  ｄｉｓｔａｎｃｅ  ａｎｄ  ｄｉｒｅｃｔｉｏｎ．
Ｉｎ  ｒｅｃｅｉｖｅ  ｍｏｄｅ，  ｂｙ  ｍｅａｓｕｒｉｎｇ  ｔｈｅ  ｃｏｍｐｌｅｘ  ａｍｐｌｉｔｕｄｅ  ｏｆ  ｔｈｅ  ｓｉｇｎａｌｓ  （ａｍｐｌｉｔｕｄｅ  ａｎｄ  ｐｈａｓｅ），  ａｎｄ  ｋｎｏｗｉｎｇ  ｔｈｅ  ｉｎｄｉｖｉｄｕａｌ  ａｎｔｅｎｎａ  ｃｈａｒａｃｔｅｒｉｓｔｉｃｓ  （ｇａｉｎ，  ｃｏｕｐｌｉｎｇ，  ｄｉｒｅｃｔｉｏｎａｌｉｔｙ），  ｉｔ  ｉｓ  ｐｏｓｓｉｂｌｅ  ｔｏ  ｄｅｄｕｃｅ  ｄｉｒｅｃｔｉｏｎａｌ  ｉｎｆｏｒｍａｔｉｏｎ  （ａｎｇｌｅ  ｏｆ  ａｒｒｉｖａｌ，  ＡＯＡ）．
Ｉｎ  ｔｒａｎｓｍｉｔ  ｍｏｄｅ，  ｂｙ  ｉｎｄｉｖｉｄｕａｌｌｙ  ｃｏｎｔｒｏｌｌｉｎｇ  ｔｈｅ  ａｍｐｌｉｔｕｄｅ，  ｐｈａｓｅ  ｏｒ  ｂｏｔｈ  ｏｆ  ｔｈｅ  ｔｒａｎｓｍｉｔｔｅｄ  ｓｉｇｎａｌ  ｆｏｒ  ｅａｃｈ  ｉｎｄｉｖｉｄｕａｌ  ａｎｔｅｎｎａ，  ｔｈｅ  ｄｉｒｅｃｔｉｏｎａｌ  ｃｈａｒａｃｔｅｒｉｓｔｉｃｓ  ｏｆ  ｔｈｅ  ｃｏｍｂｉｎｅｄ  ａｎｔｅｎｎａｓ  （ａｒｒａｙ）  ｃａｎ  ｂｅ  ｍｏｄｉｆｉｅｄ．  Ｓｕｃｈ  ｍａｎｉｐｕｌａｔｉｏｎ  ａｌｌｏｗｓ  ｆｏｒ  ｔｒａｎｓｍｉｔｔｉｎｇ  ｄｉｆｆｅｒｅｎｔ  ｐａｃｋｅｔｓ  ｉｎ  ｄｉｆｆｅｒｅｎｔ  ｄｉｒｅｃｔｉｏｎｓ，  ｔｈｅｒｅｂｙ  ｅｎａｂｌｉｎｇ  ａ  ｎｏｎ  ｄｉｒｅｃｔｉｏｎａｌ  ｒｅｃｅｉｖｅｒ  ｔｏ  ｋｎｏｗ  ｉｔｓ  ａｎｇｌｅ  ｒｅｌａｔｉｖｅ  ｔｏ  ｔｈｅ  ａｒｒａｙ．
Ｔｈｅ  ｃｏｎｔｒｏｌ  ｏｆ  ｔｈｅ  ｓｉｇｎａｌ  ｃａｎ  ｂｅ  ｉｍｐｌｅｍｅｎｔｅｄ  ｂｙ  ｐｈａｓｅ  ｓｈｉｆｔｅｒｓ，  ｇａｉｎ  ｃｏｎｔｒｏｌ  ｂｌｏｃｋｓ，  ｃｏｍｐｌｅｘ  ｍｏｄｕｌａｔｏｒｓ，  ｉｎ  ｔｈｅ  ＲＦ  ｐａｔｈ，  ｏｒ  ｂｙ  ｕｓｉｎｇ  ａ  ｃｈｉｐｓｅｔ  ｗｉｔｈ  ＭＩＭＯ  ｃａｐａｂｉｌｉｔｉｅｓ  ｔｏ  ｃｏｎｔｒｏｌ  ｔｈｅ  ｓａｍｅ  ａｔ  ｔｈｅ  ｂａｓｅｂａｎｄ  ｌｅｖｅｌ．
Ａｎ  ａｄｄｉｔｉｏｎａｌ  ｍｅｔｈｏｄ  ｆｏｒ  ｄｅｔｅｃｔｉｎｇ  ｉｎｄｏｏｒ  ｌｏｃａｔｉｏｎ  ｉｓ  ｔｏ  ｕｓｅ  ａｎ  ａｒｒａｙ  ｏｆ  ｎｏｎ  ｄｉｒｅｃｔｉｏｎａｌ  ｂｅａｃｏｎｓ，  ｅａｃｈ  ｈａｖｉｎｇ  ｏｎｅ  ａｎｔｅｎｎａ．  Ｔｈｅ  ｂｅａｃｏｎｓ  ａｒｅ  ｔｉｍｅ  ｓｙｎｃｈｒｏｎｉｚｅｄ，  ｆｏｒ  ｅｘａｍｐｌｅ  ｂｙ  ｕｓｉｎｇ  ａ  ｒｅｆｅｒｅｎｃｅ  ｔｒａｎｓｍｉｔｔｅｒ  ｗｉｔｈ  ａ  ｋｎｏｗｎ  ｄｉｓｔａｎｃｅ  ／  ＲＦ  ｐａｔｈ  ｄｅｌａｙ  ｔｏ  ｅａｃｈ  ｏｆ  ｔｈｅ  ｕｎｉｔｓ．  Ｔｈｅｎ，  ｗｈｅｎ  ｒｅｃｅｉｖｉｎｇ  ａ  ｓｉｇｎａｌ  ｆｒｏｍ  ａ  ｓｏｕｒｃｅ  ｄｅｖｉｃｅ  ｔｈａｔ  ｎｅｅｄｓ  ｔｏ  ｂｅ  ｌｏｃａｔｅｄ，  ｅａｃｈ  ｕｎｉｔ  ｍｅａｓｕｒｅｓ  ｔｈｅ  ｉｎｄｉｖｉｄｕａｌ  ｔｉｍｅ  ｏｆ  ａｒｒｉｖａｌ  ｏｆ  ｔｈａｔ  ｓｉｇｎａｌ  ａｔ  ｔｈｅ  ｕｎｉｔ．  Ａｓ  ｔｈｅ  ｕｎｉｔｓ  ａｒｅ  ｔｉｍｅ  ｓｙｎｃｈｒｏｎｉｚｅｄ，  ｔｈｅ  ｔｉｍｅ−ｏｆ−ａｒｒｉｖａｌ  ｄａｔａ  ｃａｎ  ｂｅ  ｔｒａｎｓｌａｔｅｄ  ｉｎｔｏ  ｐｓｅｕｄｏ  ｒａｎｇｅ  ｄａｔａ  （ｓｉｍｉｌａｒ  ｔｏ  ＧＰＳ）．  Ｗｈｅｎ  ａｔ  ｌｅａｓｔ  ｆｏｕｒ  ｂｅａｃｏｎｓ  ｒｅｃｅｉｖｅ  ｔｈｅ  ｓｉｇｎａｌ  ｔｈｅ  ｉｎｆｏｒｍａｔｉｏｎ  ｃａｎ  ｂｅ  ｕｓｅｄ  ｔｏ  ｃａｌｃｕｌａｔｅ  ｔｈｅ  ３Ｄ  ｌｏｃａｔｉｏｎ  ｏｆ  ｔｈｅ  ｓｏｕｒｃｅ  ｔｒａｎｓｍｉｔｔｅｒ．
ＨＡＮＤＬＩＮＧ  ＭＵＬＴＩＰＬＥ  ＢＥＡＣＯＮＳ  ＯＮ  Ａ  ＳＩＮＧＬＥ  ＭＯＢＩＬＥ  ＤＥＶＩＣＥ
Ｔｈｅ  ｉｎｎｏｖａｔｉｖｅ  ａｐｐｌｉｃａｔｉｏｎ  ｃａｎ  ｍａｎａｇｅ  ｍｕｌｔｉｐｌｅ  Ｓｔｉｃｋ−ｎ−Ｆｉｎｄ  ｂｅａｃｏｎｓ  １０  ｓｉｍｕｌｔａｎｅｏｕｓｌｙ．  Ａ  ｄｅｆｉｎｉｔｉｖｅ  ｕｐｐｅｒ  ｌｉｍｉｔ  ｉｓ  ｎｏｔ  ｓｅｔ  ｂｙ  ｔｈｅ  ｍｏｂｉｌｅ  ａｐｐｌｉｃａｔｉｏｎ，  ａｌｔｈｏｕｇｈ  ｂｅｙｏｎｄ  ａ  ｃｅｒｔａｉｎ  ｎｕｍｂｅｒ  （ｅ．ｇ．  ｔｗｅｎｔｙ），  ｔｈｅ  ｓｃｒｅｅｎ  ｂｅｃｏｍｅｓ  ｔｏｏ  ｃｌｕｔｔｅｒｅｄ  ｔｏ  ｂｅ  ｅｆｆｅｃｔｕａｌ．  Ｔｈｅ  ｎｕｍｂｅｒ  ｏｆ  ｂｅａｃｏｎｓ  ｔｈａｔ  ｃａｎ  ｂｅ  ｍａｎａｇｅｄ  ｃａｎ  ｖａｒｙ  ｄｅｐｅｎｄｉｎｇ  ｏｎ  ｔｈｅ  ｐｌａｔｆｏｒｍ  ｈｏｓｔｉｎｇ  ｔｈｅ  ａｐｐｌｉｃａｔｉｏｎ．  Ｔｈｅ  ａｐｐｌｉｃａｔｉｏｎ  ｃａｎ  ｌｏｃａｔｅ  ａｌｌ  ｏｆ  ｔｈｅ  ｂｅａｃｏｎｓ  ａｔ  ｔｈｅ  ｓａｍｅ  ｔｉｍｅ．
ＬＵＧＧＡＧＥ  ＴＡＧ  
Ｐｅｏｐｌｅ  ｔｈａｔ  ｈａｖｅ  ｊｕｓｔ  ｌａｎｄｅｄ  ａｆｔｅｒ  ｃｏｍｍｅｒｃｉａｌ  ａｉｒ  ｔｒａｖｅｌ  ｍｕｓｔ  ｗａｉｔ  ｎｅａｒ  ａ  ｍｏｖｉｎｇ  ｃｏｎｖｅｙｏｒ  ｂｅｌｔ  ａｎｄ  ｃｏｎｃｅｎｔｒａｔｅ  ｔｏ  ａｖｏｉｄ  ｍｉｓｓｉｎｇ  ｔｈｅｉｒ  ｃｈｅｃｋｅｄ  ｌｕｇｇａｇｅ  ａｓ  ｉｔ  ｐａｓｓｅｓ  ｂｙ  ｔｈｅｍ，  ｐｏｔｅｎｔｉａｌｌｙ  ｃｏｓｔｉｎｇ  ｔｈｅｍ  ｖａｌｕａｂｌｅ  ｔｉｍｅ．  Ｉｎ  ｏｔｈｅｒ  ｃａｓｅｓ，  ｌａｒｇｅ  ｆａｍｉｌｉｅｓ  ｗｉｔｈ  ｓｍａｌｌ  ｃｈｉｌｄｒｅｎ  ａｎｄ  ｍａｎｙ  ｐｉｅｃｅｓ  ｏｆ  ｌｕｇｇａｇｅ  ｕｓｕａｌｌｙ  ｆｉｎｄ  ｉｔ  ｄｉｆｆｉｃｕｌｔ  ｔｏ  ｋｅｅｐ  ｔｒａｃｋ  ｏｆ  ｃｈｉｌｄｒｅｎ  ａｎｄ  ｌｕｇｇａｇｅ  ｒｅｓｕｌｔｉｎｇ  ｉｎ  ｏｎｅ  ｏｆ  ｔｈｅ  ｔｗｏ  ｇｏｉｎｇ  ｍｉｓｓｉｎｇ．    Ｉｔ  ｗｏｕｌｄ  ｂｅ  ｂｅｔｔｅｒ  ｉｆ  ｔｈｅ  ｐａｓｓｅｎｇｅｒｓ  ｃｏｕｌｄ  ｓｉｔ  ｃｏｍｆｏｒｔａｂｌｙ  （ｅｓｐｅｃｉａｌｌｙ  ｗｉｔｈ  ｔｉｒｅｄ  ａｎｄ  ｉｒｒｉｔａｂｌｅ  ｃｈｉｌｄｒｅｎ  ａｎｄ  ｐａｒｅｎｔｓ）  ａｎｄ  ｂｅ  ｎｏｔｉｆｉｅｄ  ｏｎ  ｔｈｅｉｒ  ｓｍａｒｔ  ｐｈｏｎｅｓ  ｗｈｅｎ  ｔｈｅｉｒ  ｌｕｇｇａｇｅ  ｈａｓ  ｃｏｍｅ  ｉｎｔｏ  ｒａｎｇｅ，  ｓｏ  ｔｈａｔ  ｔｈｅｙ  ｃａｎ  ｔｈｅｎ  ｇｅｔ  ｕｐ  ａｎｄ  ｒｅｔｒｉｅｖｅ  ｔｈｅｉｒ  ｌｕｇｇａｇｅ  ｉｎ  ａ  ｍｏｒｅ  ｔｉｍｅ−ｅｆｆｉｃｉｅｎｔ  ａｎｄ  ｃｏｎｖｅｎｉｅｎｔ  ｍａｎｎｅｒ．  Ｆｕｒｔｈｅｒｍｏｒｅ，  ａｓ  ｍａｎｙ  ｂａｇｓ  ｌｏｏｋ  ａｌｉｋｅ，  ｐｅｏｐｌｅ  ｏｆｔｅｎ  ｕｓｅ  ｃｕｓｔｏｍ  ｒｉｂｂｏｎｓ  ａｎｄ  ｏｔｈｅｒ  ｉｄｅｎｔｉｆｉｅｒｓ  ｔｏ  ｖｉｓｉｂｌｙ  ｍａｒｋ  ｔｈｅｉｒ  ｂａｇｓ  ｉｎ  ｏｒｄｅｒ  ｔｏ  ｑｕｉｃｋｌｙ  ｉｄｅｎｔｉｆｙ  ｔｈｅｉｒ  ｌｕｇｇａｇｅ  ａｓ  ｉｔ  ｐａｓｓｅｓ  ｂｙ  ｏｎ  ｔｈｅ  ｃｏｎｖｅｙｏｒ  ｂｅｌｔ．  Ｌａｓｔｌｙ，  ｗｈｅｎ  ｍｕｌｔｉｐｌｅ  ｐｉｅｃｅｓ  ｏｆ  ｌｕｇｇａｇｅ  ｈａｖｅ  ｔｏ  ｂｅ  ｃｏｌｌｅｃｔｅｄ，  ｏｎｅ  ｏｒ  ｍｏｒｅ  ｏｆ  ｔｈｅ  ｐｉｅｃｅｓ  ｏｆ  ｌｕｇｇａｇｅ  ｃａｎ  ｇｏ  ｍｉｓｓｉｎｇ，  ｏｒ  ｍｏｒｅ  ｃｏｍｍｏｎｌｙ，  ｇｅｔ  ｆｏｒｇｏｔｔｅｎ  ｏｎ  ｔｈｅ  ｂｅｌｔ．
Ｉｔ  ｗｏｕｌｄ  ｂｅ  ｒｅｌａｔｉｖｅｌｙ  ｅａｓｙ  ｔｏ  ｔｒａｃｋ  ｔｈｅ  ｌｕｇｇａｇｅ  ａｎｄ  ｒｅｃｅｉｖｅ  ａ  ｎｏｔｉｆｉｃａｔｉｏｎ  ｏｎ  ａ  ｓｍａｒｔ  ｐｈｏｎｅ  ｗｉｔｈ  ａ  Ｂｌｕｅｔｏｏｔｈ−ｅｎａｂｌｅｄ  ｌｏｃａｔｏｒ  ｓｔｉｃｋｅｒ  ｄｅｔａｉｌｅｄ  ａｂｏｖｅ．  Ｏｎｅ  ｐｒｏｂｌｅｍ  ｔｈａｔ  ｉｓ  ｎｏｔ  ｓｏｌｖｅｄ  ｂｙ  ｔｈｅ  ａｆｏｒｅｍｅｎｔｉｏｎｅｄ  ｐｒｏｄｕｃｔ  ｉｓ  ｔｈａｔ  Ｂｌｕｅｔｏｏｔｈ  ｃｏｍｍｕｎｉｃａｔｉｏｎｓ  ａｒｅ  ｎｏｔ  ａｌｗａｙｓ  ａｌｌｏｗｅｄ  ｏｎ  ｃｏｍｍｅｒｃｉａｌ  ａｉｒｐｌａｎｅｓ．  
Ｉｔ  ｗｏｕｌｄ  ｂｅ  ｔｈｅｒｅｆｏｒｅ  ｂｅ  ｈｉｇｈｌｙ  ａｄｖａｎｔａｇｅｏｕｓ  ｔｏ  ｈａｖｅ  ａ  ｄｅｖｉｃｅ  ａｎｄ  ｍｅｔｈｏｄ  ｆｏｒ  ｐｌａｃｉｎｇ  ａ  Ｂｌｕｅｔｏｏｔｈ  ｏｒ  ｏｔｈｅｒ  ｗｉｒｅｌｅｓｓ  ｔｒａｃｋｉｎｇ  ｄｅｖｉｃｅ  ｉｎ  ａｎ  ”ａｉｒｐｌａｎｅ  ｍｏｄｅ”  （ｉ．ｅ．  ａ  ｓｔａｔｅ  ｉｎ  ｗｈｉｃｈ  ｔｈｅ  ｄｅｖｉｃｅ  ｄｏｅｓ  ｎｏｔ  ｔｒａｎｓｍｉｔ  ａ  Ｂｌｕｅｔｏｏｔｈ  ｏｒ  ｏｔｈｅｒ  ｗｉｒｅｌｅｓｓ  ｓｉｇｎａｌ）  ｄｕｒｉｎｇ  ｔｈｅ  ｃｏｕｒｓｅ  ｏｆ  ｔｈｅ  ｆｌｉｇｈｔ  ａｎｄ  ｒｅａｃｔｉｖａｔｅ  ｔｈｅ  ｔｒａｎｓｍｉｔｔｅｒ  ｗｈｅｎ  ｔｈｅ  ｐｌａｎｅ  ｈａｓ  ｌａｎｄｅｄ．  Ｓｕｃｈ  ａｎ  ａｒｒａｎｇｅｍｅｎｔ，  ａｍｏｎｇ  ｏｔｈｅｒ  ｔｈｉｎｇｓ，  ｗｏｕｌｄ  ａｌｓｏ  ｓｅｒｖｅ  ｔｏ  ｓａｖｅ  ｂａｔｔｅｒｙ  ｌｉｆｅ．  
Ｉｔ  ｉｓ  ｈｅｒｅｉｎ  ｐｒｏｐｏｓｅｄ  ｔｈａｔ  ｔｈｅ  Ｌｕｇｇａｇｅ  Ｔａｇ  ｏｆ  ｔｈｅ  ｉｍｍｅｄｉａｔｅ  ｉｎｖｅｎｔｉｏｎ  ｍｕｓｔ  ｂｅ  ａｂｌｅ  ｔｏ  ｄｅｔｅｃｔ  ｔｈａｔ  ｉｔ  ｉｓ  ｂｅｉｎｇ  ｌｏａｄｅｄ  ｉｎｔｏ  ａｎ  ａｉｒｐｌａｎｅ  ａｎｄ  ｔｈｅｒｅｆｏｒｅ  ｔｕｒｎ  ｏｆｆ  ｔｈｅ  Ｂｌｕｅｔｏｏｔｈ  Ｔｒａｎｓｍｉｓｓｉｏｎ  ｓｉｇｎａｌ．  Ｆｕｒｔｈｅｒｍｏｒｅ，  ｔｈｅ  ｄｅｖｉｃｅ  ｍｕｓｔ  ｂｅ  ａｂｌｅ  ｔｏ  ｄｅｔｅｃｔ  ｗｈｅｎ  ｔｈｅ  ａｉｒｐｌａｎｅ  ｈａｓ  ｌａｎｄｅｄ  ａｎｄ  ｔｈａｔ  ｉｔ  ｉｓ  ｓａｆｅ  ｔｏ  ｒｅｓｕｍｅ  Ｂｌｕｅｔｏｏｔｈ  ｔｒａｎｓｍｉｓｓｉｏｎ．  Ｏｎｃｅ  ｉｔ  ｈａｓ  ｂｅｅｎ  ｄｅｔｅｒｍｉｎｅｄ  ｔｈａｔ  ｉｔ  ｉｓ  ｓａｆｅ  ｔｏ  ｒｅａｃｔｉｖａｔｅ  ｔｈｅ  Ｂｌｕｅｔｏｏｔｈ  ｓｉｇｎａｌ，  ｔｈｅ  ｄｅｖｉｃｅ  ｍｕｓｔ  ｂｅ  ａｂｌｅ  ｔｏ  ｔｕｒｎ  ｔｈｅ  Ｂｌｕｅｔｏｏｔｈ  ｓｉｇｎａｌ  ｂａｃｋ  ｏｎ  ｓｏ  ｔｈａｔ  ｔｈｅ  ｐａｓｓｅｎｇｅｒ  ｗａｉｔｉｎｇ  ｂｙ  ｔｈｅ  ｃｏｎｖｅｙｏｒ  ｂｅｌｔ  ｃａｎ  ｄｅｔｅｃｔ  ｔｈｅ  ｂａｇ  ｆｏｒ  ｒｅｔｒｉｅｖａｌ．
Ｔｈｅ  ｅｘｅｍｐｌａｒｙ  ｄｅｖｉｃｅ  ｒｅｆｅｒｒｅｄ  ｔｏ  ｈｅｒｅｉｎ，  ｓｏｌｅｌｙ  ｆｏｒ  ｔｈｅ  ｐｕｒｐｏｓｅ  ｏｆ  ｐｒｏｖｉｄｉｎｇ  ａｎ  ｅｎａｂｌｉｎｇ  ｅｍｂｏｄｉｍｅｎｔ  ｏｆ  ｔｈｅ  ｉｎｖｅｎｔｉｏｎ，  ｂｕｔ  ｎｏｔ  ｉｎｔｅｎｄｉｎｇ  ｔｏ  ｂｅ  ｌｉｍｉｔｉｎｇ，  ｉｓ  ａ  Ｂｌｕｅｔｏｏｔｈ  Ｌｏｗ  Ｅｎｅｒｇｙ  ｐｒｏｘｉｍｉｔｙ／ｔｒａｃｋｉｎｇ  ｔａｇ，  ｗｈｉｃｈ  ｉｓ  ｅｉｔｈｅｒ  ｂｕｉｌｔ  ｉｎｔｏ  ｔｈｅ  ｓｕｉｔｃａｓｅ  ／  ｌｕｇｇａｇｅ，  ｏｒ  ａｔｔａｃｈｅｄ  ｅｘｔｅｒｎａｌｌｙ，  ｓｕｃｈ  ａｓ  ｉｎ  ｔｈｅ  ｆｏｒｍ  ｏｆ  ａ  Ｌｕｇｇａｇｅ  Ｔａｇ  ｗｈｉｃｈ  ｉｓ  ａ  ｍｏｄｉｆｉｅｄ  Ｌｏｃａｔｏｒ  Ｂｅａｃｏｎ．
Ｔｈｅ  ｐｒｏｐｏｓｅｄ  ｓｏｌｕｔｉｏｎ  ｉｎｖｏｌｖｅｓ  ｄｅｔｅｃｔｉｎｇ  ｔｈａｔ  ｔｈｅ  ｌｕｇｇａｇｅ  ｈａｓ  ｂｅｇｕｎ  ａ  ｆｌｉｇｈｔ，  ａｎｄ  ｅｎｄｅｄ  ａ  ｆｌｉｇｈｔ，  ｕｓｉｎｇ  ｅｌｅｃｔｒｏｎｉｃ  ｓｅｎｓｏｒｓ  ｉｎ  ｔｈｅ  ｌｕｇｇａｇｅ  ｔａｇ．    
Ｄｅｔｅｃｔｉｎｇ  Ｂｅｇｉｎｎｉｎｇ  ｏｆ  Ｆｌｉｇｈｔ  ａｎｄ  Ｄｅａｃｔｉｖａｔｉｎｇ  Ｂｌｕｅｔｏｏｔｈ
Ｏｎｅ  ｐｒｏｐｏｓｅｄ  ｍｅｔｈｏｄ  ｆｏｒ  ｄｅｔｅｃｔｉｎｇ  ｗｈｅｎ  ｔｈｅ  Ｂｌｕｅｔｏｏｔｈ  ｔｒａｎｓｍｉｔｔｅｒ  ｍｕｓｔ  ｂｅ  ｔｕｒｎｅｄ  ｏｆｆ  ｒｅｌｉｅｓ  ｏｎ  ｔｈｅ  ｆａｃｔ  ｔｈａｔ  ｅｖｅｒｙ  ｐｉｅｃｅ  ｏｆ  ｌｕｇｇａｇｅ  ｕｎｄｅｒｇｏｅｓ  Ｘ−Ｒａｙ  ｉｎｓｐｅｃｔｉｏｎ  （ｔｈｉｓ  ｉｓ  ｔｒｕｅ  ｆｏｒ  ｍｏｓｔ  ｉｎｔｅｒｎａｔｉｏｎａｌ  ａｎｄ  ｍａｎｙ  ｎａｔｉｏｎａｌ  ａｉｒｐｏｒｔｓ）．  Ａ  ｆａｓｔ  ＰＩＮ  ｐｈｏｔｏｄｉｏｄｅ  ｓｈｉｅｌｄｅｄ  ｆｒｏｍ  ＲＦ  ａｎｄ  ｖｉｓｉｂｌｅ  ｌｉｇｈｔ  ｉｓ  ｉｎｔｅｇｒａｔｅｄ  ｏｒ  ｃｏｕｐｌｅｄ  ｔｏ  ｔｈｅ  ｔａｇ．  Ｏｎｃｅ  ａｎ  Ｘ−Ｒａｙ  ｂｅａｍ  ｈｉｔｓ  ｔｈｅ  ＰＩＮ  ｐｈｏｔｏｄｉｏｄｅ，  ｉｔ  ｓｅｎｄｓ  ａ  ｖｏｌｔａｇｅ  ｓｉｇｎａｌ  ｔｏ  ｔｈｅ  ｐｒｏｃｅｓｓｏｒ  ｏｆ  ｔｈｅ  ｌｕｇｇａｇｅ  ｔａｇ，  ｉｎｄｉｃａｔｉｎｇ  ｔｈａｔ  ｔｈｅ  ｂａｇ  ｉｓ  ｉｎ  ｔｈｅ  ｐｒｏｃｅｓｓ  ｏｆ  ｂｅｉｎｇ  ｌｏａｄｅｄ  ｉｎｔｏ  ａｎ  ａｉｒｐｌａｎｅ．  Ｕｐｏｎ  ｒｅｃｅｉｖｉｎｇ  ｔｈｅ  ｓｉｇｎａｌ，  ｔｈｅ  ｐｒｏｃｅｓｓｏｒ  ｉｓ  ｃｏｎｆｉｇｕｒｅｄ  ｔｏ  ｓｕｓｐｅｎｄ  ａｌｌ  Ｌｏｃａｌ  Ａｒｅａ  Ｗｉｒｅｌｅｓｓ  ｃｏｍｍｕｎｉｃａｔｉｏｎ  （ＬＡＷＣ）  ｔｒａｎｓｍｉｓｓｉｏｎｓ  （ｓｅｅ  ＤＥＦＩＮＩＴＩＯＮＳ）．  Ａｔ  ｔｈｉｓ  ｐｏｉｎｔ  ｔｈｅ  ｐｒｏｃｅｓｓｏｒ  ｔｕｒｎｓ  ｏｆｆ  ａｎｙ  Ｂｌｕｅｔｏｏｔｈ  ｔｒａｎｓｍｉｓｓｉｏｎｓ．  
Ａｎｏｔｈｅｒ  ｐｒｏｐｏｓｅｄ  ｍｅｔｈｏｄ  ｉｓ  ｔｏ  ｕｓｅ  ａ  ｌｉｇｈｔ  ｄｅｔｅｃｔｏｒ  ｌｏｃａｔｅｄ  ｉｎｓｉｄｅ  ｔｈｅ  ｌｕｇｇａｇｅ  ｔａｇ．  Ｏｎｃｅ  ｔｈｅ  ｂａｇｓ  ａｒｅ  ｌｏａｄｅｄ  ｉｎｔｏ  ｔｈｅ  ｈｏｌｄ  ｏｆ  ｔｈｅ  ａｉｒｐｌａｎｅ，  ｔｈｅｒｅ  ｉｓ  ｃｏｍｐｌｅｔｅ  ｄａｒｋｎｅｓｓ．  Ｅｘｅｍｐｌａｒｉｌｙ，  ａ  ２０  ｍｉｎｕｔｅ  ｔｉｍｅｒ  ｍｅａｓｕｒｉｎｇ  ｔｈｉｓ  ｄａｒｋｎｅｓｓ  ｔｒｉｇｇｅｒｓ  ｔｈｅ  ｐｒｏｃｅｓｓｏｒ  ｔｏ  ｓｈｕｔ  ｄｏｗｎ  ａｎｙ  Ｂｌｕｅｔｏｏｔｈ  ｔｒａｎｓｍｉｓｓｉｏｎｓ．
Ｄｅｔｅｃｔｉｎｇ  Ｅｎｄ  ｏｆ  Ｆｌｉｇｈｔ  ａｎｄ  Ｒｅａｃｔｉｖａｔｉｎｇ  Ｂｌｕｅｔｏｏｔｈ
Ｏｎｅ  ｅｘｅｍｐｌａｒｙ  ｍｅｔｈｏｄ  ｉｎｖｏｌｖｅｓ  ｔｈｅ  ｌｕｇｇａｇｅ  ｔａｇ  ｍｏｎｉｔｏｒｉｎｇ  ｆｏｒ  ａｎｙ  Ｂｌｕｅｔｏｏｔｈ  ｏｒ  ＷｉＦｉ  ｓｉｇｎａｌｓ．  Ｓｉｎｃｅ  ｂｏｔｈ  Ｂｌｕｅｔｏｏｔｈ  ａｎｄ  ＷｉＦｉ  ｕｓｅ  ｔｈｅ  ｓａｍｅ  ２．４  ＧＨｚ  ＩＳＭ  ｂａｎｄ，  ｔｈｅ  ｌｕｇｇａｇｅ  ｔａｇ  ｓｃａｎｓ  ｔｈｉｓ  ｓｐｅｃｔｒｕｍ．  Ｉｆ  ｔｈｅｒｅ  ａｒｅ  ｎｏ  ｓｉｇｎａｌｓ，  ｔｈｅ  ｔｒａｃｋｅｒ  ｔａｇ  ｋｎｏｗｓ  ｔｈａｔ  ｉｔ  ｉｓ  （ｓｔｉｌｌ）  ｉｎ  ｔｈｅ  ｃａｒｇｏ  ｈｏｌｄ  （ａｓ  Ｂｌｕｅｔｏｏｔｈ  ａｎｄ  ＷｉＦｉ  ｍｕｓｔ  ｂｅ  ｄｉｓａｂｌｅｄ  ｂｅｆｏｒｅ  ａ  ｆｌｉｇｈｔ  ｂｅｇｉｎｓ）．    Ｅｖｅｎ  ｉｆ  ｔｈｅｒｅ  ａｒｅ  ｓｉｇｎａｌｓ  ｉｎ  ｔｈｅ  ｂａｇｇａｇｅ  ｈｏｌｄ，  ｔｈｅ  ｄｉｓｔａｎｃｅ  ｆｒｏｍ  ｔｈｅ  ｔａｇ  ｔｏ  ｔｈｅ  ｓｏｕｒｃｅ  ｏｆ  ｔｈｅ  ｓｉｇｎａｌ  ｗｉｌｌ  ｂｅ  ｃｏｎｓｔａｎｔ  （ｅ．ｇ．  ｉｆ  ａｎｏｔｈｅｒ  ｐｉｅｃｅ  ｏｆ  ｌｕｇｇａｇｅ  ｃｏｎｔａｉｎｓ  ａ  ｄｅｖｉｃｅ  ｅｍｉｔｔｉｎｇ  ａ  Ｂｌｕｅｔｏｏｔｈ  ｓｉｇｎａｌ，  ｔｈｅ  ｄｉｓｔａｎｃｅ  ｂｅｔｗｅｅｎ  ｔｈｅ  ｔａｇ  ａｎｄ  ｔｈｅ  ｓｉｇｎａｌ  ｓｏｕｒｃｅ  ｗｉｌｌ  ｒｅｍａｉｎ  ｃｏｎｓｔａｎｔ  ｏｎｃｅ  ｂｏｔｈ  ｐｉｅｃｅｓ  ｏｆ  ｂａｇｇａｇｅ  ｈａｖｅ  ｂｅｅｎ  ｐｌａｃｅｄ  ｉｎ  ｔｈｅ  ｈｏｌｄ）．  Ｔｈｅ  ａｐｐｒｏｘｉｍａｔｅ  ｄｉｓｔａｎｃｅ  ｏｆ  ｔｈｅ  ｓｉｇｎａｌ  ｓｏｕｒｃｅ  ｔｏ  ｔｈｅ  ｔａｇ  ｃａｎ  ｂｅ  ｍｅａｓｕｒｅｄ  ｂａｓｅｄ  ｏｎ  Ｒｅｃｅｉｖｅｄ  Ｓｉｇｎａｌ  Ｓｔｒｅｎｇｔｈ  Ｉｎｄｉｃａｔｏｒ  （ＲＳＳＩ）  ｏｆ  ｔｈｅ  ｓｉｇｎａｌ．  Ｉｆ  ｔｈｅ  ＲＳＳＩ  ｏｆ  ｔｈｅ  ｓｉｇｎａｌ  ｒｅｍａｉｎｓ  ｒｅｌａｔｉｖｅｌｙ  ｃｏｎｓｔａｎｔ，  ｔｈｅｎ  ｔｈｅ  ｓｉｇｎａｌ  ｓｏｕｒｃｅ  ｉｓ  ｉｎ  ｔｈｅ  ｓａｍｅ  ｐｌａｃｅ  ａｎｄ  ｃａｎ  ｂｅ  ｄｉｓｒｅｇａｒｄｅｄ．  Ｏｎｃｅ  ｔｈｅ  ｌｕｇｇａｇｅ  ｔａｇ  ｉｓ  ｒｅｍｏｖｅｄ  ｆｒｏｍ  ｔｈｅ  ｈｏｌｄ，  ｍｏｒｅ  Ｂｌｕｅｔｏｏｔｈ  ａｎｄ  ＷｉＦｉ  ｓｉｇｎａｌｓ  （ａｔ  ｃｈａｎｇｉｎｇ  ｄｉｓｔａｎｃｅｓ）  ｗｉｌｌ  ｂｅ  ｄｅｔｅｃｔｅｄ，  ｉｎｄｉｃａｔｉｎｇ  ｔｈａｔ  ｔｈｅ  ｔｒａｃｋｅｒ  ｔａｇ  ｉｓ  ｎｏｗ  ｉｎ  ａｎ  ａｒｅａ  ｗｈｅｒｅ  ｉｔ  ｉｓ  ｓａｆｅ  ｔｏ  ｒｅｓｕｍｅ  ｔｒａｎｓｍｉｔｔｉｎｇ  ｗｉｒｅｌｅｓｓ  ｓｉｇｎａｌｓ  ａｇａｉｎ．  Ｐｏｔｅｎｔｉａｌｌｙ，  ｔｈｅ  ａｆｏｒｅｍｅｎｔｉｏｎｅｄ  ｍｅｔｈｏｄ  ｃａｎ  ａｌｓｏ  ｂｅ  ｕｓｅｄ  ｉｎ  ｔｈｅ  ｓａｍｅ  ｍａｎｎｅｒ  ｔｏ  ｄｅｔｅｒｍｉｎｅ  ｗｈｅｎ  ｔｏ  ｄｅａｃｔｉｖａｔｅ  ｔｈｅ  Ｂｌｕｅｔｏｏｔｈ  ｓｉｇｎａｌ  ｉｎ  ｔｈｅ  ｆｉｒｓｔ  ｐｌａｃｅ．
Ｍｏｂｉｌｅ  Ａｐｐ  Ｆｕｎｃｔｉｏｎ
Ｂｙ  ｕｓｉｎｇ  ＲＳＳＩ  Ｂｌｕｅｔｏｏｔｈ  ｖａｌｕｅｓ  ｆｒｏｍ  ｔｈｅ  ｐｈｏｎｅ  ｏｒ  ｆｒｏｍ  ｔｈｅ  ｌｕｇｇａｇｅ  ｔａｇ，  ｔｈｅ  Ｔａｇ  Ａｐｐ  （ｔｈｅ  ｓｏｆｔｗａｒｅ  ａｐｐｌｉｃａｔｉｏｎ  ｉｎｓｔａｌｌｅｄ  ｏｎ  ｔｈｅ  ｍｏｂｉｌｅ  ｄｅｖｉｃｅ，  ｓｕｃｈ  ａｓ  ａ  ｓｍａｒｔｐｈｏｎｅ，  ｔｒａｃｋｉｎｇ  ｔｈｅ  ｔａｇ）  ｃａｎ  ａｐｐｒｏｘｉｍａｔｅ  ｔｈｅ  ｄｉｓｔａｎｃｅ  ｂｅｔｗｅｅｎ  ｔｈｅ  ｐｈｏｎｅ  ａｎｄ  ｔｈｅ  ｐｉｅｃｅ  ｏｆ  ｌｕｇｇａｇｅ  （ｓｅｅ  ａｂｏｖｅ）．  Ｔｈｅ  ａｐｐ  ａｌｅｒｔｓ  ｔｈｅ  ｕｓｅｒ  ｏｎｃｅ  ｔｈｅ  ｌｕｇｇａｇｅ  ｉｓ  ｗｉｔｈｉｎ  ｒａｎｇｅ．  Ｗｈｅｎ  ｔｈｅ  ｕｓｅｒ  ｒｅｃｅｉｖｅｓ  ｔｈｅ  ａｌｅｒｔ  ｈｅ  ｃａｎ  ａｐｐｒｏａｃｈ  ｔｈｅ  ｃｏｎｖｅｙｅｒ  ｂｅｌｔ  ｔｏ  ｒｅｔｒｉｅｖｅ  ｈｉｓ  ｌｕｇｇａｇｅ．
Ｒｅｆｅｒｒｉｎｇ  ｎｏｗ  ｔｏ  Ｆｉｇｕｒｅｓ  ８Ａ  ａｎｄ  ８Ｂ，  ｔｈｅｒｅ  ａｒｅ  ｄｅｐｉｃｔｅｄ  ｓｃｒｅｅｎ  ｓｈｏｔｓ  ８００Ａ／  ８００Ｂ  ｏｆ  ｔｈｅ  ｉｎｎｏｖａｔｉｖｅ  Ｔａｇ  Ａｐｐ．  Ｉｎ  ｏｎｅ  ｐｒｅｆｅｒｒｅｄ  ｅｍｂｏｄｉｍｅｎｔ  ｏｆ  ｔｈｅ  Ｔａｇ  Ａｐｐ，  ａ  ｃａｒｏｕｓｅｌ  ｏｒ  ｃｏｎｖｅｙｏｒ  ｂｅｌｔ  ｗｉｔｈ  ｓｕｉｔｃａｓｅｓ  ｐａｓｓｉｎｇ  ｂｙ  ｉｓ  ｄｉｓｐｌａｙｅｄ  ｏｎ  ｔｈｅ  ｍｏｂｉｌｅ  ｐｈｏｎｅ．  Ｉｎ  ｔｈｅ  ｄｅｐｉｃｔｅｄ  ｅｍｂｏｄｉｍｅｎｔ，  ａｎｉｍａｔｅｄ  ｆｉｇｕｒｅｓ  ｏｆ  ｌｕｇｇａｇｅ  ８０２  ａｒｅ  ｐｒｅｓｅｎｔｅｄ．  Ｉｎ  ａｎ  ａｌｔｅｒｎａｔｉｖｅ  ｅｍｂｏｄｉｍｅｎｔ，  ｔｈｅ  ａｐｐ  ｓｈｏｗｓ  ｒｅａｌ  ｉｍａｇｅｓ  ｏｆ  ｓｕｉｔｃａｓｅｓ．  Ｔｈｅ  Ａｐｐ  ａｌｅｒｔｓ  ｔｈｅ  ｕｓｅｒ  ｔｈａｔ  ｔｈｅ  ｂａｇ  ｉｓ  ｃｏｍｉｎｇ  ｃｌｏｓｅｒ  ｉｎ  ａｎｙ  ａｐｐｒｏｐｒｉａｔｅ  ｍａｎｎｅｒ．  Ｆｏｒ  ｅｘａｍｐｌｅ，  ｔｈｅ  ａｐｐ  ｄｉｓｐｌａｙｓ  ｔｈｅ  ｄｅｔｅｃｔｅｄ  ｐｉｅｃｅ  ｏｆ  ｌｕｇｇａｇｅ  ａｓ  ａ  ｂｒｉｇｈｔｌｙ  ｃｏｌｏｒｅｄ  ｂａｇ  ａｎｄ／ｏｒ  ｗｉｔｈ  ａ  ｂｉｇ  ｃｈｅｃｋ−ｍａｒｋ  ８０４  ａｓ  ｄｅｐｉｃｔｅｄ  ｉｎ  Ｆｉｇｕｒｅ  ８Ｂ．  Ｔｈｅ  ａｐｐ  ｃａｎ  ａｐｐｒｏｘｉｍａｔｅ  ｔｈｅ  ｄｉｓｔａｎｃｅ  ｂｅｔｗｅｅｎ  ｔｈｅ  ｐｈｏｎｅ  ａｎｄ  ｔｈｅ  ｂａｇ  ｂａｓｅｄ  ｏｎ  ｔｈｅ  ＲＳＳＩ  ｖａｌｕｅｓ  ａｎｄ  ｏｒ  ａｓ  ｄｅｓｃｒｉｂｅｄ  ａｂｏｖｅ  ｗｉｔｈ  ｒｅｆｅｒｅｎｃｅ  ｔｏ  ｔｈｅ  Ｌｏｃａｔｏｒ  Ｂｅａｃｏｎ．  Ｉｎ  ａｎｏｔｈｅｒ  ｅｍｂｏｄｉｍｅｎｔ，  ｔｈｅ  ａｐｐ  ａｃｔｉｖａｔｅｓ  ｔｈｅ  ｉｎｔｅｇｒａｔｅｄ  ｃａｍｅｒａ  ｏｎ  ｔｈｅ  ｍｏｂｉｌｅ  ｐｈｏｎｅ  ａｎｄ  ｔｈｅ  ｕｓｅｒ  ｉｓ  ｉｎｓｔｒｕｃｔｅｄ  ｔｏ  ｄｉｒｅｃｔ  ｔｈｅ  ｃａｍｅｒａ  ｔｏｗａｒｄｓ  ｔｈｅ  ａｐｐｒｏａｃｈｉｎｇ  ｌｕｇｇａｇｅ．  Ｔｈｅ  ａｐｐ  ｔｈｅｎ  ‘ｐａｉｎｔｓ’  ｔｈｅ  ｔａｇｇｅｄ  ｌｕｇｇａｇｅ  ｉｎ  ｔｈｅ  ｄｉｓｐｌａｙ，  ｕｓｉｎｇ  ｉｍａｇｉｎｇ  ｐｒｏｃｅｓｓｉｎｇ  ａｎｄ  ａｕｇｍｅｎｔｅｄ  ｒｅａｌｉｔｙ  ｍｅｔｈｏｄｓ．  Ｔｈｅ  ｃｏｒｒｅｃｔ  ｐｉｅｃｅ  ｏｆ  ｂａｇｇａｇｅ  ｉｓ  ｉｄｅｎｔｉｆｉｅｄ  ｂａｓｅｄ  ｏｎ  ａ  ｃａｌｃｕｌａｔｉｏｎ  ｏｆ  ｔｈｅ  ｄｉｓｔａｎｃｅ  ｂｅｔｗｅｅｎ  ｔｈｅ  ｔｗｏ  ｄｅｖｉｃｅｓ  ｏｒ  ｕｓｉｎｇ  ｓｏｍｅ  ｏｔｈｅｒ  ｌｉｎｅ−ｏｆ−ｓｉｇｈｔ  ｄｅｔｅｃｔｉｏｎ  ｍｅｔｈｏｄ．
Ｉｎ  ａｎｏｔｈｅｒ  ｅｘｅｍｐｌａｒｙ  ｅｍｂｏｄｉｍｅｎｔ，  ｔｈｅ  ａｐｐ  ｄｉｓｐｌａｙｓ  ａ  ｒｅｄ  ｏｒ  ａｎｙ  ｏｔｈｅｒ  ｄｉｓｔｉｎｃｔｉｖｅ  ｐｉｅｃｅ  ｏｆ  ｌｕｇｇａｇｅ  ｏｎ  ｔｈｅ  ｓｃｒｅｅｎ，  ｉｌｌｕｓｔｒａｔｉｎｇ  ｔｏ  ｔｈｅ  ｕｓｅｒ  ｔｈａｔ  ｔｈｅ  ｂａｇ  ｉｓ  ａｂｏｕｔ  ｔｏ  ａｐｐｅａｒ．  Ｏｎｃｅ  ｔｈｅ  ｓｕｉｔｃａｓｅ  ｉｓ  ｖｅｒｙ  ｃｌｏｓｅ，  ｔｈｅ  ａｐｐ  ｄｉｓｐｌａｙｓ  ａ  ｒｅｄ  ｏｒ  ａｎｙ  ｏｔｈｅｒ  ｃｏｌｏｒ  ｏｒ  ｄｉｓｔｉｎｃｔｉｖｅ  ｓｕｉｔｃａｓｅ，  ａｌｅｒｔｉｎｇ  ｔｈｅ  ｕｓｅｒ  ｔｈａｔ  ｔｈｅ  ｓｕｉｔｃａｓｅ  ｉｓ  ｖｅｒｙ  ｎｅａｒ  ｂｙ，  ｏｒ  ｅｖｅｎ  ｒｉｇｈｔ  ｉｎ  ｆｒｏｎｔ  ｏｆ  ｈｉｍ．  
Ｉｎ  ｓｏｍｅ  ｅｍｂｏｄｉｍｅｎｔｓ，  ｔｈｅ  ａｐｐ  ｆｕｒｔｈｅｒ  ａｌｌｏｗｓ  ｔｈｅ  ｕｓｅｒ  ｔｏ  ｔａｋｅ  ａ  ｐｉｃｔｕｒｅ  ｏｆ  ｔｈｅ  ｓｕｉｔｃａｓｅ  ｏｒ  ｓｕｉｔｃａｓｅｓ  （ａｓ  ｔｈｅ  ａｐｐ  ｃａｎ  ｂｅ  ｐａｉｒｅｄ  ｗｉｔｈ  ｍａｎｙ  Ｔａｇｓ）．  Ａｎ  ｉｍａｇｅ  ８０６  ｏｆ  ｔｈｅ  ｓｕｉｔｃａｓｅ  ｉｓ  ｄｉｓｐｌａｙｅｄ  ｏｎ  ｔｈｅ  ｓｃｒｅｅｎ  ｗｈｅｎ  ｔｈｅ  ｕｓｅｒ  ｉｓ  ｗａｉｔｉｎｇ  ｆｏｒ  ｔｈｅ  ｌｕｇｇａｇｅ  （ｅ．ｇ．  ｓｅｅ  Ｆｉｇ．  ８Ｂ）．  Ｔｈｅ  ｉｍａｇｅ  ｍａｙ  ｃｈａｎｇｅ  ｃｏｌｏｒ  ｏｒ  ｇｒｏｗ  ｌａｒｇｅｒ  （ｏｒ  ａｎｙ  ｏｔｈｅｒ  ｅｆｆｅｃｔ）  ａｓ  ｔｈｅ  ｂａｇ  ｃｏｍｅｓ  ｃｌｏｓｅｒ．
Ｔｈｅ  ｕｓｅｒ  ｃａｎ  ｓｅｌｅｃｔ  ｍｕｌｔｉｐｌｅ  ｓｕｉｔｃａｓｅｓ  ｏｒ  ｔａｇｓ  ｔｏ  ｔｒａｃｋ  ａｎｄ  ｇｅｔ  ｎｏｔｉｆｉｃａｔｉｏｎ．  Ｕｓｅｒ  ｃａｎ  ｓｌｉｄｅ  ｂｅｔｗｅｅｎ  ｔｈｅ  ｉｍａｇｅｓ  ｏｆ  ｔｈｅ  ｓｕｉｔｃａｓｅｓ  ｏｎ  ｔｈｅ  ｄｉｓｐｌａｙ  ｔｏ  ｓｅｅ  ｉｆ  ａｎｙｏｎｅ  ｉｓ  ｎｅａｒ．  Ｏｎｃｅ  ａ  ｓｕｉｔｃａｓｅ  ｉｓ  ｇｅｔｔｉｎｇ  ｎｅａｒ，  ｔｈｅ  ａｐｐ  ｄｉｓｐｌａｙｓ  ｔｈｅ  ｉｍａｇｅ  ｏｆ  ｔｈｅ  ｓｕｉｔｃａｓｅ  ｔｈａｔ  ｉｓ  ａｐｐｒｏａｃｈｉｎｇ．
Ｅｘａｍｐｌｅ：
Ｉｎ  Ｆｉｇ．  ８Ａ  ｔｈｅ  ｅｘｅｍｐｌａｒｙ  ｓｃｒｅｅｎ  ｓｈｏｔ  ８００Ａ  ｏｆ  ｔｈｅ  Ｔａｇ  Ａｐｐ，  ｄｅｐｉｃｔｓ  ａ  ｕｓｅｒ  ｉｎｔｅｒｆａｃｅ  ｔｈａｔ  ｉｎｓｔｒｕｃｔｓ  ｔｈｅ  ｕｓｅｒ  ｔｏ  ｔａｋｅ  ａ  ｐｉｃｔｕｒｅ  ｏｆ  ｔｈｅ  ｂａｇ  ｗｈｉｃｈ  ｈａｓ  ａ  ｃｏｒｒｅｓｐｏｎｄｉｎｇ  ｔｒａｃｋｅｒ  ｔａｇ．  Ｔｈｅ  ｉｍａｇｅ  ｉｓ  ｓｔｏｒｅｄ  ａｎｄ  ｌｏｇｉｃａｌｌｙ  ｒｅｌａｔｅｄ  ｔｏ  ｔｈｅ  ｕｎｉｑｕｅｌｙ  ｉｄｅｎｔｉｆｉａｂｌｅ  ｔｒａｃｋｅｒ  ｔａｇ  ａｔｔａｃｈｅｄ  ｔｏ−  ｏｒ  ｅｍｂｅｄｄｅｄ  ｉｎ−  ｔｈｅ  ｂａｇ．  Ｆｏｒ  ｅｘａｍｐｌｅ，  ｔｈｅ  ｔａｇ  ｃａｎ  ｉｎｃｌｕｄｅ  ａｎ  ｉｄｅｎｔｉｆｉｃａｔｉｏｎ  ｂａｒｃｏｄｅ  ｐｒｉｎｔｅｄ  ｏｎ  ｔｈｅ  ｔａｇ．  Ｔｈｅ  ｂａｒｃｏｄｅ  ｉｎｃｌｕｄｅｓ  ｔｈｅ  Ｕｎｉｑｕｅ  ＩＤ  ｏｆ  ｔｈｅ  ｓｐｅｃｉｆｉｃ  ｔａｇ，  ｓｕｃｈ  ａｓ  ａ  ＭＡＣ  ＩＤ  ｏｆ  ｔｈｅ  Ｂｌｕｅｔｏｏｔｈ  ｔｒａｃｋｅｒ  ｔａｇ．  Ａｆｔｅｒ  ｔａｋｉｎｇ  ｔｈｅ  ｐｉｃｔｕｒｅ，  ｔｈｅ  ｕｓｅｒ  ｉｓ  ｉｎｓｔｒｕｃｔｅｄ  ｔｏ  ｓｃａｎ  ｔｈｅ  ｂａｒｃｏｄｅ  ｗｉｔｈ  ａ  ｓｃａｎｎｉｎｇ  ｆｅａｔｕｒｅ  ｏｆ  ｔｈｅ  ａｐｐ．  Ｏｎｃｅ  ｓｃａｎｎｅｄ，  ｔｈｅ  ｉｍａｇｅ  ｉｓ  ｒｅｌａｔｅｄ  ｔｏ  ｔｈｅ  ｔａｇ  ｂａｓｅｄ  ｏｎ  ｔｈｅ  ｓｃａｎｎｅｄ  ＭＡＣ  ＩＤ．
Ｆｉｇｕｒｅ  ８Ｂ  ｉｌｌｕｓｔｒａｔｅｓ  ｅｘｅｍｐｌａｒｙ  ｓｃｒｅｅｎ  ｓｈｏｔ  ８００Ｂ  ｏｆ  ｔｈｅ  Ｔａｇ  Ａｐｐ  Ｒｅｔｒｉｅｖａｌ  Ｆｅａｔｕｒｅ．  Ｉｎ  ｔｈｅ  Ｆｉｇｕｒｅ，  ｔｈｅ  ｓｃｒｅｅｎ  ｄｉｓｐｌａｙｓ  ｔｈｅ  ｉｍａｇｅ  ｏｆ  ｔｈｅ  ｂａｇ  ８０６  （ｔａｋｅｎ  ａｓ  ｄｅｓｃｒｉｂｅｄ  ａｂｏｖｅ）  ａｎｄ  ａｎ  ａｎｉｍａｔｉｏｎ  ｏｆ  ｂａｇｓ  ８０２  ｏｎ  ａ  ｃｏｎｖｅｙｅｒ  ｂｅｌｔ  ｗｈｅｒｅ  ｏｎｅ  ｏｆ  ｔｈｅ  ｂａｇｓ  ｉｓ  ‘ｐａｉｎｔｅｄ’  ｏｒ  ｈｉｇｈｌｉｇｈｔｅｄ  ８０４  （ｉｎ  ｔｈｉｓ  ｃａｓｅ  ｉｔ  ｉｓ  ｄｉｓｐｌａｙｅｄ  ｗｉｔｈ  ａ  ｐｒｏｍｉｎｅｎｔ  ｃｈｅｃｋ−ｍａｒｋ）．  Ｔｈｅ  ａｐｐｒｏｘｉｍａｔｅ  ｌｏｃａｔｉｏｎ  ｏｆ  ｔｈｅ  ａｃｔｕａｌ  ｂａｇ  ｉｓ  ｉｌｌｕｓｔｒａｔｉｖｅｌｙ  ｄｉｓｐｌａｙｅｄ  ｏｎ  ｔｈｅ  ｓｃｒｅｅｎ，  ｉｎｄｉｃａｔｉｎｇ  ｔｏ  ｔｈｅ  ｕｓｅｒ  ｔｈａｔ  ｔｈｅ  ｂａｇ  ｉｓ  ａｐｐｒｏａｃｈｉｎｇ  ａｎｄ  ａｐｐｒｏｘｉｍａｔｅｌｙ  ｈｏｗ  ｎｅａｒ  ｔｈｅ  ｂａｇ  ｉｓ．
ＯＣＣＵＰＡＮＣＹ  ＳＥＮＳＯＲ  ＵＮＩＴ
Ｒｅｆｅｒｒｉｎｇ  ｎｏｗ  ｔｏ  Ｆｉｇｕｒｅｓ  ９−１２，  ｔｈｅｒｅ  ａｒｅ  ｐｒｏｖｉｄｅｄ  ｈｅｒｅｉｎ  ｖａｒｉｏｕｓ  ｅｍｂｏｄｉｍｅｎｔｓ  ｏｆ  ａｎ  Ｏｃｃｕｐａｎｃｙ  Ｓｅｎｓｏｒ  Ｕｎｉｔ  （ＯＳＵ），  ｗｈｉｃｈ  ｉｓ  ａ  ｓｔａｔｉｃ  ｕｎｉｔ  ｔｈａｔ  ｉｎｔｅｒｆａｃｅｓ  ｗｉｔｈ  ｏｎｅ  ｏｒ  ｍｏｒｅ  ｍｏｂｉｌｅ  ｄｅｖｉｃｅｓ  ｓｕｃｈ  ａｓ  ｍｏｂｉｌｅ  ｐｈｏｎｅｓ．  Ｗｈｅｒｅ  ａｐｐｌｉｃａｂｌｅ，  ｔｈｅ  ｓａｍｅ  ｒｅｆｅｒｅｎｃｅ  ｎｕｍｂｅｒｓ  ｈａｖｅ  ｂｅｅｎ  ｕｓｅｄ  ｒｅｆｅｒｒｉｎｇ  ｔｏ  ｓｉｍｉｌａｒ  ｃｏｍｐｏｎｅｎｔｓ  ｉｎ  Ｆｉｇｕｒｅｓ  ９−１２．  Ｆｉｇｕｒｅ  ９  ｄｅｐｉｃｔｓ  ａ  ｂｌｏｃｋ  ｄｉａｇｒａｍ  ｏｆ  ａ  ＢＬＥ  ｏｃｃｕｐａｎｃｙ  ｓｅｎｓｏｒ，  ｗｉｔｈｏｕｔ  ＷｉＦｉ，  ｉｎ  ｃｏｍｍｕｎｉｃａｔｉｏｎ  ｗｉｔｈ  ａｎ  ｅｘｅｍｐｌａｒｙ  ＭＣＤ．  Ｆｏｒ  ｔｈｅ  ｓａｋｅ  ｏｆ  ｃｌａｒｉｔｙ，  Ｗｉ−Ｆｉ  ｉｓ  ｇｅｎｅｒａｌｌｙ  ｒｅｇａｒｄｅｄ  ａｓ  ａｎｙ  ｗｉｒｅｌｅｓｓ  ｌｏｃａｌ  ａｒｅａ  ｎｅｔｗｏｒｋ  （ＷＬＡＮ）  ｐｒｏｄｕｃｔｓ  ｔｈａｔ  ａｒｅ  ｂａｓｅｄ  ｏｎ  ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ’  （ＩＥＥＥ）  ８０２．１１  ｓｔａｎｄａｒｄｓ．  Ｉｎ  ｔｈｅ  ｉｍｍｅｄｉａｔｅ  ｅｍｂｏｄｉｍｅｎｔ  ｏｆ  ｔｈｅ  ｉｎｖｅｎｔｉｏｎ，  ｔｈｅ  ｏｃｃｕｐａｎｃｙ  ｓｅｎｓｏｒ  ｕｎｉｔ  ９００  ｉｓ  ａｂｏｕｔ  ｔｈｅ  ｓｉｚｅ  ｏｆ  ａ  ｓｍａｌｌ  ｍｏｂｉｌｅ  ｐｈｏｎｅ  ｗａｌｌ  ｃｈａｒｇｅｒ．  Ｉｎ  ｏｎｅ  ｅｍｂｏｄｉｍｅｎｔ  ｏｆ  ｔｈｅ  ｉｎｖｅｎｔｉｏｎ，  ｔｈｅ  ｕｎｉｔ  ｐｌｕｇｓ  ｔｏ  ａ  ｐｏｗｅｒ  ｏｕｔｌｅｔ  （ＡＣ）  ｉｎ  ｔｈｅ  ｗａｌｌ，  ａｎｄ  ｉｓ  ｂｏｔｈ  ｐｏｗｅｒｅｄ  ｂｙ  ｔｈｅ  ｏｕｔｌｅｔ  ａｎｄ  ｈｅｌｄ  ｉｎ  ｐｌａｃｅ  ｂｙ  ｔｈｅ  ｆａｃｅ  ｐｌａｔｅ．  Ｉｎ  ａｎ  ａｌｔｅｒｎａｔｉｖｅ  ｅｍｂｏｄｉｍｅｎｔ，  ｔｈｅ  ｓｅｎｓｏｒ  ｉｓ  ａ  ｓｔｉｃｋｅｒ  ｏｒ  ｓｔａｎｄ−ａｌｏｎｅ  ｂｅａｃｏｎ  ｗｉｔｈ  ｂｕｉｌｔ  ｉｎ  ｂａｔｔｅｒｉｅｓ．
ＯＳＵ  ９００  ｈａｓ  ａ  ｗｉｒｅｌｅｓｓ  ｔｒａｎｓｃｅｉｖｅｒ  （ｎｏｔ  ｓｈｏｗｎ）  ｗｉｔｈ  ４  ａｎｔｅｎｎａｓ  ｃｏｎｎｅｃｔｅｄ  ｖｉａ  ａ  ｓｗｉｔｃｈ  （ｎｏｔ  ｓｈｏｗｎ）  ｔｏ  ｔｈｅ  ｔｒａｎｓｃｅｉｖｅｒ  Ｍｏｄｕｌｅ／ｃｈｉｐ  （ｎｏｔ  ｓｈｏｗｎ）．  Ｐｒｅｆｅｒａｂｌｙ  ｔｈｅ  ｗｉｒｅｌｅｓｓ  ｔｅｃｈｎｏｌｏｇｙ  ｉｓ  Ｂｌｕｅｔｏｏｔｈ．  Ｍｏｒｅ  ｐｒｅｆｅｒａｂｌｙ  ｔｈｅ  ｔｅｃｈｎｏｌｏｇｙ  ｉｓ  ＢＬＥ．  Ｉｎ  ｓｏｍｅ  ｅｍｂｏｄｉｍｅｎｔｓ，  ｏｔｈｅｒ  ｃｌｏｓｅ−ｐｒｏｘｉｍｉｔｙ  ｗｉｒｅｌｅｓｓ  ｔｅｃｈｎｏｌｏｇｉｅｓ  （ｅ．ｇ．  ＮＦＣ，  ＲＦＩＤ  ｅｔｃ．）  ａｒｅ  ｕｓｅｄ，  ｂｕｔ  ｎｏｔ  ＷｉＦｉ．  Ｔｈｒｅｅ  ｏｆ  ｔｈｅ  ａｎｔｅｎｎａｓ  ａｒｅ  Ｄｉｒｅｃｔｉｏｎａｌ  ａｎｔｅｎｎａｓ  ９０２．  Ｅａｃｈ  ｏｆ  ｔｈｅ  Ｄｉｒｅｃｔｉｏｎａｌ  ａｎｔｅｎｎａｓ  ｐｏｉｎｔｓ  ｉｎ  ａ  ｄｉｆｆｅｒｅｎｔ  ｄｉｒｅｃｔｉｏｎ．  Ｏｎｅ  ａｎｔｅｎｎａ  ｐｏｉｎｔｓ  ｔｏ  ｔｈｅ  ｌｅｆｔ  ｏｆ  ｔｈｅ  ｕｎｉｔ，  ｏｎｅ  ｔｏ  ｔｈｅ  ｒｉｇｈｔ  ｏｆ  ｔｈｅ  ｕｎｉｔ，  ａｎｄ  ｏｎｅ  ｔｏ  ｔｈｅ  ｆｒｏｎｔ  ｏｎ  ｔｈｅ  ｕｎｉｔ．  Ｉｎ  ｏｎｅ  ｅｍｂｏｄｉｍｅｎｔ，  ｔｈｅ  ｄｉｒｅｃｔｉｏｎａｌ  ａｎｔｅｎｎａ  ｉｓ  ａ  ｓｉｍｐｌｅ  ｗｉｒｅ  ｗｉｔｈ  ａ  ｒｅｆｌｅｃｔｏｒ  ｂｅｈｉｎｄ  ｉｔ，  ｍａｋｉｎｇ  ｉｔ  ａ  ｄｉｒｅｃｔｉｏｎａｌ  ａｎｔｅｎｎａ．  Ｐｒｅｆｅｒａｂｌｙ  ｔｈｅ  ａｎｔｅｎｎａｅ  ａｒｅ  ａｌｓｏ  ｌｏｃａｔｅｄ  ｃｌｏｓｅｒ  ｔｏ  ｔｈｅ  ｓｉｄｅ  ｏｆ  ｔｈｅ  ｕｎｉｔ  ｔｏ  ｗｈｉｃｈ  ｔｈｅｙ  ｐｏｉｎｔ  （ｉ．ｅ．  ｌｅｆｔ  ｐｏｉｎｔｉｎｇ  ａｎｔｅｎｎａ  ｌｏｃａｔｅｄ  ｏｎ  ｔｈｅ  ｌｅｆｔ−ｈａｎｄ  ｓｉｄｅ  ｏｆ  ｔｈｅ  ｕｎｉｔ，  ｒｉｇｈｔ  ｐｏｉｎｔｉｎｇ  ａｎｔｅｎｎａ  ｌｏｃａｔｅｄ  ｏｎ  ｔｈｅ  ｒｉｇｈｔ−ｈａｎｄ  ｓｉｄｅ  ｅｔｃ．）．  Ｔｈｅ  ｆｏｕｒｔｈ  ａｎｔｅｎｎａ  ｉｓ  ａｎ  Ｏｍｎｉ  Ｄｉｒｅｃｔｉｏｎａｌ  Ａｎｔｅｎｎａ  ９０４．
Ｆｉｇｕｒｅ  １０  ｄｅｐｉｃｔｓ  ａ  ｄｉａｇｒａｍ  ｆｏｒ  ｓｅｃｏｎｄ  ｅｍｂｏｄｉｍｅｎｔ  ｏｆ  ｔｈｅ  ＢＬＥ  ｏｃｃｕｐａｎｃｙ  ｓｅｎｓｏｒ  １０００，  ｗｈｅｒｅ  ｔｈｅ  ｓｅｎｓｏｒ  ｆｕｒｔｈｅｒ  ｉｎｃｌｕｄｅｓ  ａ  ＷｉＦｉ  ｍｏｄｕｌｅ  （ｉｎｃｌｕｄｉｎｇ  ａ  ｔｒａｎｓｃｅｉｖｅｒ  ａｎｄ  ａｎｔｅｎｎａ  ｂａｓｅｄ  ｏｎ  ＩＥＥＥ  ８０２．１１  ｓｔａｎｄａｒｄｓ）  ａｎｄ／ｏｒ  Ｃｅｌｌｕｌａｒ  Ｄａｔａ  Ｍｏｄｅｍ．  Ｉｎ  ｔｈｅ  ｓｅｃｏｎｄ  ｅｍｂｏｄｉｍｅｎｔ  ｏｆ  ｔｈｅ  ｉｎｖｅｎｔｉｏｎ，  ｔｈｅ  ｕｎｉｔ  ｉｎｃｌｕｄｅｓ  ａ  Ｗｉｆｉ  ｍｏｄｕｌｅ  ｗｉｔｈ  ｉｔｓ  ｏｗｎ  ａｎｔｅｎｎａ  １００２．  Ｉｎ  ａ  ｆｕｒｔｈｅｒ  ａｌｔｅｒｎａｔｉｖｅ  ｅｍｂｏｄｉｍｅｎｔ，  ｔｈｅ  Ｗｉｆｉ  ｍｏｄｕｌｅ  ｓｈａｒｅｓ  ｉｔｓ  ａｎｔｅｎｎａ  ｗｉｔｈ  ｔｈｅ  Ｂｌｕｅｔｏｏｔｈ  Ｏｍｎｉ  ｄｉｒｅｃｔｉｏｎａｌ  Ａｎｔｅｎｎａ  ９０４．
Ｔｈｅ  Ｗｉｆｉ  Ｍｏｄｕｌｅ  ｃｏｎｎｅｃｔｓ  ｔｏ  ｔｈｅ  ｌｏｃａｌ  Ｗｉｆｉ  ｒｏｕｔｅｒ，  ａｎｄ  ｆｒｏｍ  ｔｈｅｒｅ  ｔｏ  ａ  ｃｌｏｕｄ  ｓｅｒｖｅｒ  ｏｒ  ＬＡＮ  ｓｅｒｖｅｒ．  Ｉｎ  ｆｕｒｔｈｅｒ  ｅｍｂｏｄｉｍｅｎｔｓ，  ｔｈｅ  ｕｎｉｔ  ａｄｄｉｔｉｏｎａｌｌｙ  ｏｒ  ａｌｔｅｒｎａｔｉｖｅｌｙ  ｉｎｃｌｕｄｅｓ  ａ  ｃｅｌｌｕｌａｒ  ｍｏｄｅｍ  ｗｈｉｃｈ  ｉｓ  ｕｓｅｄ  ｔｏ  ｃｏｎｎｅｃｔ  ｔｏ  ｔｈｅ  ｃｌｏｕｄ  ｉｎ  ａｒｅａｓ  ｗｈｅｒｅ  ｔｈｅｒｅ  ｉｓ  ｎｏ  Ｗｉｆｉ  ｒｏｕｔｅｒ  ｏｒ  ｓｉｇｎａｌ．
Ｅｘａｍｐｌｅ  ｏｆ  ｕｓｅ  ｃａｓｅｓ  ／  ＢＴ  Ｂｅａｃｏｎ−ＯＳＵ  （Ｎｏ  Ｗｉｆｉ）  
Ｍａｎｙ  ＢＴ  Ｂｅａｃｏｎｓ  ａｒｅ  ｐｌａｃｅｄ  ｉｎ  ａ  Ｓｕｐｅｒ−Ｍａｒｋｅｔ．  Ａ  ｍｏｂｉｌｅ  ｄｅｖｉｃｅ，  ｓｕｃｈ  ａｓ  ａ  ｓｍａｒｔ  ｐｈｏｎｅ  ９１０，  ｒｕｎｓ  ｔｈｅ  Ｓｕｐｅｒｍａｒｋｅｔ’ｓ  ｍｏｂｉｌｅ  ａｐｐｌｉｃａｔｉｏｎ  （ａｐｐ）．  Ｕｓｅｒ  ｉｎｐｕｔｓ  ａ  Ｓｈｏｐｐｉｎｇ  ｌｉｓｔ  ｉｎ  ｔｈｅ  ａｐｐｌｉｃａｔｉｏｎ．  Ｔｈｅ  ａｐｐ  ｉｓ  ｐｒｏｇｒａｍｍｅｄ  ｗｉｔｈ  ｔｈｅ  ｍａｐ  ｏｆ  ｔｈｅ  ｓｔｏｒｅ  ａｎｄ  ｗｈｅｒｅ  ｅａｃｈ  ｂｅａｃｏｎ  ｉｓ  ｌｏｃａｔｅｄ．  Ｐｏｔｅｎｔｉａｌｌｙ，  ｔｈｅ  ｍａｐ／ｌｏｃａｔｉｏｎｓ  ｃａｎ  ｂｅ  ｕｐｄａｔｅｄ  ｏｎ  ｔｈｅ  ａｐｐ  ｖｉａ  ａ  Ｗｉｆｉ  ｃｏｎｎｅｃｔｉｏｎ  ｔｏ  ｔｈｅ  Ｓｕｐｅｒ−Ｍａｒｋｅｔ  ｓｅｒｖｅｒ  ｏｒ  ｖｉａ  ｃｅｌｌｕｌａｒ  ｍｏｄｅｍ  ｆｒｏｍ  ａ  ｃｌｏｕｄ  ｓｅｒｖｅｒ  -  ｅａｃｈ  ｔｉｍｅ  ｔｈｅ  ａｐｐ  ｉｓ  ｒｕｎ．  
Ｔｈｅ  ａｐｐ  ｄｉｒｅｃｔｓ  ｔｈｅ  ｐｈｏｎｅ  ｔｏ  ｓｃａｎ  ｆｏｒ  ｔｈｅ  ｂｅａｃｏｎｓ  ａｎｄ  ｒｅｃｅｉｖｅｓ  ｉｎｆｏｒｍａｔｉｏｎ  ｏｎ  ｔｈｅ  ｄｅｔｅｃｔｅｄ  ｌｏｃａｔｉｏｎｓ  ｏｆ  ｔｈｅ  ｂｅａｃｏｎｓ．  Ｂｙ  ｇｅｔｔｉｎｇ  ｔｈｅ  ｐｒｏｐｅｒ  ｉｎｆｏｒｍａｔｉｏｎ  ｒｅｇａｒｄｉｎｇ  ｗｈｉｃｈ  ｂｅａｃｏｎ  ＩＤ  ｉｓ  ｔｈｅ  ｓｔｒｏｎｇｅｓｔ  ｓｉｇｎａｌ，  ｔｈｅ  ａｐｐ  ｃａｎ  ｄｅｔｅｒｍｉｎｅ  ｔｈｅ  Ｐｈｏｎｅ’ｓ  ｌｏｃａｔｉｏｎ  ｉｎ  ｔｈｅ  ｓｕｐｅｒｍａｒｋｅｔ，  ａｎｄ  ｇｕｉｄｅ／  ｈｅｌｐ  ｔｈｅ  ｓｈｏｐｐｅｒ，  ｗｈｅｒｅ  ｔｏ  ｇｏ  ｅｔｃ．  （Ｓｅｅ  Ｆｉｇｕｒｅ  １０）
Ｐｏｔｅｎｔｉａｌｌｙ，  ｔｈｅ  ｓｕｐｐｅｒ  ｍａｒｋｅｔ  ｓｅｒｖｅｒ  （ｏｒ  ｃｌｏｕｄ  ｓｅｒｖｅｒ）  ｃｏｕｌｄ  ｐｕｓｈ  ｎｏｔｉｆｉｃａｔｉｏｎｓ  ｔｏ  ｔｈｅ  ａｐｐ  ｒｅｌａｔｅｄ  ｔｏ  ｄｉｆｆｅｒｅｎｔ  ａｒｅａｓ  ｉｎ  ｔｈｅ  ｓｔｏｒｅ，  ｅ．ｇ．  ａ  ｃｏｕｐｏｎ  ｆｏｒ  ｔｈｅ  ｍｉｌｋ，  ｗｈｅｎ  ｍａｎａｇｅｍｅｎｔ  ｋｎｏｗｓ  ｔｈｅｙ  ｈａｖｅ  ｔｏｏ  ｍｕｃｈ  ｍｉｌｋ  ｉｎ  ｉｎｖｅｎｔｏｒｙ．  Ａｎｙ  ｕｓｅｒ  ｗｉｔｈ  ａ  ｐｈｏｎｅ  ｒｕｎｎｉｎｇ  ｔｈｅ  ａｐｐ  ｗｏｕｌｄ  ｇｅｔ  ｔｈｅ  ｃｏｕｐｏｎ  ｗｈｅｎ  ｓｔａｎｄｉｎｇ  ｉｎ  ｆｒｏｎｔ  ｏｆ  ｔｈｅ  ｍｉｌｋ．
Ｅｘａｍｐｌｅ  ＃１  ｃａｓｅ  ｏｆ  Ｗｉｆｉ  Ｂｌｕｅｔｏｏｔｈ  Ｂｒｉｄｇｅ  ＯＳＵ
Ｆｉｇｕｒｅ  １１  ｄｅｐｉｃｔｓ  ｔｈｅ  ＯＳＵ  ｏｆ  Ｆｉｇ．  １０  ｉｎ  ｗｉｒｅｌｅｓｓ  ｃｏｍｍｕｎｉｃａｔｉｏｎ  ｗｉｔｈ  ａ  Ｌｏｃａｔｏｒ  Ｔａｇ  ｏｆ  Ｆｉｇ．  １Ａ．  Ｉｎ  ａｎ  ｅｘｅｍｐｌａｒｙ  ｓｃｅｎａｒｉｏ  ｓｕｃｈ  ａｓ  ａ  ｈｏｓｐｉｔａｌ，  ｅｖｅｒｙ  ｃａｒｔ，  ｐｏｒｔａｂｌｅ  Ｘ−ｒａｙ  ｍａｃｈｉｎｅ，  Ｕｌｔｒａｓｏｕｎｄ  ｍａｃｈｉｎｅ  ｅｔｃ．，  ｃａｎ  ｂｅ  ｔａｇｇｅｄ  ｗｉｔｈ  ａ  Ｂｌｕｅｔｏｏｔｈ  Ｔａｇ．  Ｌｉｋｅｗｉｓｅ，  Ｄｏｃｔｏｒｓ  ｔｈｅｍｓｅｌｖｅｓ  ｃａｎ  ａｌｓｏ  ｃａｒｒｙ  ｔｈｅｓｅ  ｔａｇｓ，  ｏｒ  ｒｕｎ  ａ  Ｈｏｓｐｉｔａｌ  Ｍｏｂｉｌｅ  Ａｐｐｌｉｃａｔｉｏｎ  （Ａｐｐ）  ｏｎ  ｐｅｒｓｏｎａｌ  ｍｏｂｉｌｅ  ｐｈｏｎｅｓ  （ｓｅｅ  Ｆｉｇｕｒｅ  １０）．  Ｔｈｅ  ｏｃｃｕｐａｎｃｙ  ｓｅｎｓｏｒ  ｃｏｎｎｅｃｔｓ  ｔｏ  ｔｈｅ  ｈｏｓｐｉｔａｌ  ｓｅｒｖｅｒ  ｖｉａ  ｔｈｅ  Ｗｉｆｉ  ｍｏｄｕｌｅ．  
Ｂｙ  ｐｕｔｔｉｎｇ  ｅｎｏｕｇｈ  ｏｃｃｕｐａｎｃｙ  ｓｅｎｓｏｒｓ  ａｒｏｕｎｄ  ｔｈｅ  ｈｏｓｐｉｔａｌ  ｃｏｍｐｌｅｘ，  ａ  ｓｅｒｖｅｒ  ｃａｎ  ａｌｍｏｓｔ  ａｌｗａｙｓ  ｋｎｏｗ  ｗｈｅｒｅ  ｅａｃｈ  ｉｔｅｍ  ｉｓ  ｌｏｃａｔｅｄ，  ｄｏｗｎ  ｔｏ  Ｆｌｏｏｒ  ｌｅｖｅｌ  ａｎｄ  ｒｏｏｍ．  Ａｎｙ  ｅｍｐｌｏｙｅｅ  ｏｆ  ｔｈｅ  Ｈｏｓｐｉｔａｌ  ｗｏｕｌｄ  ｂｅ  ａｂｌｅ  ｔｏ  ｆｉｎｄ  ｉｍｍｅｄｉａｔｅｌｙ  ａｎｙｔｈｉｎｇ  ｔａｇｇｅｄ  ｗｉｔｈ  ｈｉｓ  ｓｍａｒｔ−ｐｈｏｎｅ，  ｔａｂｌｅｔ  ｏｒ  ＰＣ．  Ｌｉｋｅｗｉｓｅ，  ａ  ｄｏｃｔｏｒ  ｃｏｕｌｄ  ｂｅ  ｅａｓｉｌｙ  ｌｏｃａｔｅｄ，  ｏｂｖｉａｔｉｎｇ  ｔｈｅ  ｎｅｅｄ  ｔｏ  ｃｏｎｔｉｎｕａｌｌｙ  ｐａｇｅ  ｔｈｅ  ｄｏｃｔｏｒ  （ａｓ  ｓｅｅｎ  ｉｎ  ｔｈｅ  ｍｏｖｉｅｓ）．  
Ｔｏ  ｆｕｒｔｈｅｒ  ｒｅｄｕｃｅ  ｃｏｓｔｓ，  ａ  Ｍｅｓｈ  Ｎｅｔｗｏｒｋ  ｏｆ  ｕｎｉｔｓ，  ａｓ  ｉｌｌｕｓｔｒａｔｅｄ  ｉｎ  Ｆｉｇｕｒｅ  １２，  ｃａｎ  ｂｅ  ｓｅｔ  ｕｐ  ｉｎ  ｔｈｅ  ｃｏｍｐｌｅｘ．  Ｆｉｇｕｒｅ  １２  ｄｅｐｉｃｔｓ  ａ  ｎｅｔｗｏｒｋ  ｏｆ  ＯＳＵ  ｓｐａｃｅｄ  ｗｉｔｈｉｎ  ＬＡＷＣ  ｐｒｏｘｉｍｉｔｙ  ｏｆ  ｅａｃｈ  ｏｔｈｅｒ，  ｔｈｅｒｅｂｙ  ｃｒｅａｔｉｎｇ  ａ  ｍｅｓｈ  ｎｅｔｗｏｒｋ．  Ｉｎ  ｔｈｅ  ｍｅｓｈ  ｎｅｔｗｏｒｋ，  ｏｎｌｙ  ｕｎｉｔ  ６  ｉｓ  ＷｉＦｉ  ｅｎａｂｌｅｄ  （ｏｒ  ｉｎｃｌｕｄｅｓ  ａ  ｃｅｌｌｕｌａｒ  ｍｏｄｅｍ）  ａｎｄ  ｔｈｅ  ｒｅｇｕｌａｒ  ｏｃｃｕｐａｎｃｙ  ｓｅｎｓｏｒ  ｕｎｉｔｓ  ｃｏｍｍｕｎｉｃａｔｅ  ｗｉｔｈ  ｅａｃｈ  ｏｔｈｅｒ  （ｉ．ｅ．  ｔｒａｎｓｍｉｔｔｉｎｇ  ｄａｔａ  ｆｒｏｍ  ｏｎｅ  ＯＳＵ  ｔｏ  ｓｅｃｏｎｄ  ＯＳＵ，  ｃｌｏｓｅｒ  ｔｏ  ｔｈｅ  ＷｉＦｉ  ｅｎａｂｌｅｄ  ＯＳＵ），  ａｓ  ｄｅｐｉｃｔｅｄ  ｉｎ  ｔｈｅ  ｄｉａｇｒａｍ，  ｕｎｔｉｌ  ｔｈｅ  ＷｉＦｉ  ｅｎａｂｌｅｄ  ｕｎｉｔ  ｒｅｃｅｉｖｅｓ  ｔｈｅ  ｎｅｃｅｓｓａｒｙ  ｉｎｆｏｒｍａｔｉｏｎ  ｗｈｉｃｈ  ｉｓ  ｔｈｅｎ  ｒｅｌａｙｅｄ  ｔｏ  ｔｈｅ  ｓｅｒｖｅｒ  ｏｒ  ｃｌｏｕｄ．
Ｉｎ  ａｎｏｔｈｅｒ  ｅｍｂｏｄｉｍｅｎｔ  ｏｆ  ｔｈｉｓ  ｓｏｌｕｔｉｏｎ，  ｔｈｅ  ｄｅｖｉｃｅｓ  ｏｒ  ｐｈｏｎｅｓ  ｄｅｔｅｃｔ  ｔｈｅ  ｂｅａｃｏｎｓ  ａｎｄ  ｓｅｎｄ  ｔｈｅ  ｄｅｔｅｃｔｅｄ  ｂｅａｃｏｎ  ｉｎｆｏｒｍａｔｉｏｎ  ｔｏ  ｔｈｅ  ｓｅｒｖｅｒ，  ｓｏ  ａ  Ｗｉｆｉ  ｕｎｉｔ  ｉｓ  ｎｏｔ  ｎｅｅｄｅｄ．
Ｅｘａｍｐｌｅ  ＃２  ｃａｓｅ  ｏｆ  Ｗｉｆｉ  Ｂｌｕｅｔｏｏｔｈ  Ｂｒｉｄｇｅ  ｏｃｃｕｐａｎｃｙ  ｓｅｎｓｏｒ  ｕｎｉｔ
Ａｎ  ＯＳＵ  ｉｓ  ｉｎｓｔａｌｌｅｄ  ａｔ  ｔｈｅ  ｅｎｔｒａｎｃｅ  ｏｆ  ａｎ  ｏｆｆｉｃｅ．  Ｅｖｅｒｙ  ｅｍｐｌｏｙｅｅ  ｇｅｔｓ  ａ  Ｂｌｕｅｔｏｏｔｈ  Ｔａｇ，  ｏｒ  ｒｕｎｓ  ｔｈｅ  Ｃｏｍｐａｎｙ’ｓ  Ａｐｐ  ｏｎ  ｔｈｅｉｒ  ｓｍａｒｔ  ｐｈｏｎｅ．  Ｗｈｅｎ  ｅｍｐｌｏｙｅｅｓ  ｃｏｍｅ  ｉｎ，  ｔｈｅ  ＯＳＵ  ｄｅｔｅｃｔｓ  ｔｈｅ  ｄｉｒｅｃｔｉｏｎ  ｉｎ  ｗｈｉｃｈ  ｔｈｅ  ｅｍｐｌｏｙｅｅ  ｉｓ  ｍｏｖｉｎｇ  ａｎｄ  ｓｅｎｄｓ  ｔｈａｔ  ｉｎｆｏｒｍａｔｉｏｎ  ｔｏ  ｔｈｅ  ｓｅｒｖｅｒ．  Ｗｈｅｎ  ｔｈｅ  Ｓｅｒｖｅｒ  ｒｅｃｅｉｖｅｓ  ｔｈｅ  ｄｉｒｅｃｔｉｏｎａｌ  ｉｎｆｏｒｍａｔｉｏｎ，  ｉｔ  ｃａｌｃｕｌａｔｅｓ  （ｏｒ  ｔｈｅ  ｂｅａｃｏｎ  ｉｔｓｅｌｆ  ｄｏｅｓ  ｔｈｅ  ｃａｌｃｕｌａｔｉｏｎ）  ｗｈｅｔｈｅｒ  ｔｈｅ  Ｅｍｐｌｏｙｅｅ  ｃａｍｅ  ｉｎ  ｏｒ  ｌｅｆｔ  ａｎｄ  ｌｏｇｓ  ｔｈｉｓ  ｉｎｆｏｒｍａｔｉｏｎ．  Ｂｙ  ｐｌａｃｉｎｇ  ｍｏｒｅ  ｓｅｎｓｏｒｓ  ａｒｏｕｎｄ  ａｎ  ｏｆｆｉｃｅ，  ｉｔ  ｗｏｕｌｄ  ｂｅ  ｅａｓｙ  ｔｏ  ｌｏｃａｔｅ  ｅｍｐｌｏｙｅｅｓ，  ａｎｄ  ｋｎｏｗ  ｗｈｅｒｅ  ｔｈｅｙ  ｗｅｎｔ  ａｎｄ  ｗｈｅｎ．
ＥＡＲＴＨ  ＣＯＯＲＤＩＮＡＴＥＳ
Ｉｎ  ｓｏｍｅ  ｅｍｂｏｄｉｍｅｎｔｓ，  ｅｓｐｅｃｉａｌｌｙ  ｆｏｒ  ｓｔａｔｉｃ  Ｔａｇｓ  （ｂｕｔ  ｎｏｔ  ｏｎｌｙ），  Ｅａｒｔｈ  Ｃｏｏｒｄｉｎａｔｅｓ  ａｒｅ  ｕｓｅｄ  ａｓ  ｐａｒｔ  ｏｆ  ａ  ｍａｓｔｅｒ  Ｕｎｉｑｕｅ  Ｕｓｅｒ  Ｉｄｅｎｔｉｆｉｃａｔｉｏｎ  （ＵＵＩＤ）  ｏｆ  ｔｈｅ  Ｔａｇ．  Ａｔ  ｌｅａｓｔ  ｔｗｏ  ａｄｖａｎｔａｇｅｓ  ａｒｅ  ｇａｉｎｅｄ  ｂｙ  ｅｎａｂｌｉｎｇ  ｔｈｅ  ｃｏｏｒｄｉｎａｔｅｓ  ｔｏ  ｂｅ  ｐａｒｔ  ｏｆ  ＵＵＩＤ  ｏｒ  ａｓｓｏｃｉａｔｉｎｇ  ｔｈｅ  ｔａｇ  ＩＤ  ｉｎ  ｔｈｅ  ｓｅｒｖｅｒ  ｗｉｔｈ  ｉｔｓ  Ｅａｒｔｈ  Ｃｏｏｒｄｉｎａｔｅｓ：
（ｉ）  Ｉｎｄｏｏｒｓ，  ｗｈｅｒｅ  ｔｈｅｒｅ  ｉｓ  ｎｏ  ＧＰＳ，  ｔｈｅ  ｐｈｏｎｅ  ｗｉｌｌ  ｋｎｏｗ  ｉｍｍｅｄｉａｔｅｌｙ  ｉｔｓ  ｅｘａｃｔ  ｃｏｏｒｄｉｎａｔｅｓ．  Ｔｈｉｓ  ｍｅａｎｓ  ｔｈａｔ  ａｐｐｓ  ｏｒ  ａｄｖｅｒｔｉｓｅｍｅｎｔｓ  ｌｉｋｅ  Ｇｏｏｇｌｅ  ｍａｐｓ，  Ｇｏｏｇｌｅ  ａｄｓ，  ｏｒ  ｅｖｅｎ  Ｇｒｏｕｐｏｎ  ｏｒ  Ｆａｃｅｂｏｏｋ  ａｄｓ，  ｗｉｌｌ  ｋｎｏｗ  ｔｈｅ  ｅｘａｃｔ  ｐｏｓｉｔｉｏｎ  ｏｆ  ｔｈｅ  ｍｏｂｉｌｅ  ｐｈｏｎｅ，  ｅｖｅｎ  ｉｎｄｏｏｒｓ．  Ｔｈｉｓ  ｉｓ  ａｎ  ｉｍｐｒｏｖｅｍｅｎｔ  ｏｖｅｒ  ｔｈｅ  ｃｕｒｒｅｎｔ  ｍｅｔｈｏｄ  ｏｆ  ｕｓｅ  Ｃｅｌｌ  ｔｏｗｅｒ  ｔｒｉａｎｇｕｌａｔｉｏｎ，  ｗｈｉｃｈ  ｈａｓ  ａｎ  ａｃｃｕｒａｃｙ  ｏｆ  ａｂｏｕｔ  ｏｎｅ  ｓｑｕａｒｅ  ｍｉｌｅ．
（ｉｉ）  Ｕｓｉｎｇ  Ｃｏｏｒｄｉｎａｔｅｓ  ａｓ  ｐａｒｔ  ｏｆ  ｔｈｅ  ＵＵＩＤ，  ｏｒ  ｂｙ  ｓｔｏｒｉｎｇ  ｔｈｅ  ｃｏｏｒｄｉｎａｔｅｓ  ｏｎ  ａ  ｓｅｒｖｅｒ  ａｎｄ  ａｓｓｏｃｉａｔｉｎｇ  ｔｈｅｍ  ｗｉｔｈ  ｔｈｅ  Ｂｅａｃｏｎ  ＩＤ／  ＵＵＩＤ，    ｈｅｌｐｓ  ａｖｏｉｄ  ｓｐｏｏｆｉｎｇ  ｏｒ  ｈａｃｋｉｎｇ  ｏｆ  ｂｅａｃｏｎｓ，  ｂｙ  ｃｏｍｐａｒｉｎｇ  ｔｈｅ  ｃｏｏｒｄｉｎａｔｅｓ  ａｎｄ  ａｃｔｕａｌ  ｃｅｌｌｐｈｏｎｅ  ｔｒｉａｎｇｕｌａｔｉｏｎ  ａｒｅａ．  Ｉｆ  ｔｈｅｙ  ｍａｔｃｈ，  ｉｔ  ｍｅａｎｓ  ｔｈｅ  ｂｅａｃｏｎ  ｉｓ  ａｐｐｒｏｘｉｍａｔｅｌｙ  ｉｎ  ｔｈｅ  ｒｉｇｈｔ  ａｒｅａ．
Ｓｏ，  ｆｏｒ  ｅｘａｍｐｌｅ，  ａ  ｂｅａｃｏｎ  ｔｈａｔ  ｉｓ  ｐｌａｃｅｄ  ｉｎ  ＮＹＣ，  ｔｈｅ  ＵＵＩＤ  ｃｏｕｌｄ  ｓｔａｒｔ  ｗｉｔｈ  ４０６７００７３９４００  ｇｉｖｅｎ  ｔｈａｎ  ｔｈｅ  ＧＰＳ  ｃｏｏｒｄｉｎａｔｅｓ  ｏｆ  ｔｈｅ  ｅｘａｃｔ  ｐｉｎｐｏｉｎｔ  ＵＵＩＤ  ｉｎ  ＮＹＣ  ｉｓ  ４０．６７００°  Ｎ，  ７３．９４００°  Ｗ
Ａｎｏｔｈｅｒ  ｓｏｌｕｔｉｏｎ  ｉｓ  ｔｏ  ｍａｔｃｈ  ＵＵＩＤ  ｗｉｔｈ  Ｃｏｏｒｄｉｎａｔｅｓ  ａｎｄ  ｓａｖｅ  ｔｈｅ  ｃｏｏｒｄｉｎａｔｅｓ  ｏｎ  ａ  ｓｅｒｖｅｒ，  ｓｏ  ｔｈａｔ  ｗｈｅｎ  ａ  ｐｈｏｎｅ  ｉｓ  ｉｎ  ｔｈｅ  ａｒｅａ，  ｔｈｅ  ＵＵＩＤ  ｏｒ  ＭＡＣ  ａｄｄｒｅｓｓ  ｉｓ  ａｓｓｏｃｉａｔｅｄ  ｗｉｔｈ  Ｃｏｏｒｄｉｎａｔｅｓ  ｏｎｌｉｎｅ．  Ｓａｖｉｎｇ  ｔｈｅ  ｃｏｏｒｄｉｎａｔｅｓ  ｏｎｌｉｎｅ，  ａｌｌｏｗｓ  ｖｅｒｉｆｉｃａｔｉｏｎ  ｏｆ  ｐｒｏｐｅｒ  ｃｏｏｒｄｉｎａｔｅｓ，  ｗｈｉｃｈ  ｕｓｅｓ  ｌｅｓｓ  ｐｏｗｅｒ  ｏｎ  ｔｈｅ  ｓｔｉｃｋｅｒ  ｓｉｄｅ，  ａｎｄ  ｃａｎ  ｂｅ  ｖｅｒｙ  ｅａｓｉｌｙ  ａｄｊｕｓｔｅｄ  ｉｎ  ｃａｓｅ  ｏｆ  ｅｒｒｏｒｓ．
ＥＮＣＲＹＰＴＩＯＮ  ＢＡＳＥＤ  ＢＥＡＣＯＮ
Ｉｎ  ｏｒｄｅｒ  ｔｏ  ａｖｏｉｄ  ｓｐｏｏｆｉｎｇ  ｏｆ  ｂｅａｃｏｎｓ，  ｔｈｅ  ｂｅａｃｏｎｓ  ｃａｎ  ｂｅ  ｅｎｃｒｙｐｔｅｄ  ｓｏ  ｔｈａｔ  ｔｈｅ  ｍｏｂｉｌｅ  ａｐｐ  ｏｎ  ｔｈｅ  ｐｈｏｎｅ  ｃａｎ  ａｕｔｈｅｎｔｉｃａｔｅ  ａ  ｂｅａｃｏｎ  ａｎｄ  ｋｎｏｗ  ｔｈａｔ  ｔｈｅ  ｂｒｏａｄｃａｓｔ  ｓｉｇｎａｌ  ｉｓ  ｃｏｍｉｎｇ  ｆｒｏｍ  ａ  ｒｅａｌ  ｂｅａｃｏｎ／Ｔａｇ．
Ｔｏｄａｙ，  ｗｉｔｈ  ａ  ｓｉｍｐｌｅ  ａｐｐ  ｏｎ  ｉＯＳ  ｏｒ  Ａｎｄｒｏｉｄ  ｍｏｂｉｌｅ  ｐｌａｔｆｏｒｍｓ，  ｔｗｏ  ｐｈｏｎｅｓ  ｃａｎ  ｂｅ  ｄｅｐｌｏｙｅｄ  ｉｎ  ｓｅｐａｒａｔｅ  ｓｔｏｒｅｓ．  Ｏｎｅ  ｐｈｏｎｅ  ｌｉｓｔｅｎｓ  ｔｏ  ａ  ｂｅａｃｏｎ，  ｉｎ  ｓｔｏｒｅ  Ａ，  ａｎｄ  ｓｅｎｄｓ  ｔｈａｔ  ｂｅａｃｏｎ  ｉｎｆｏｒｍａｔｉｏｎ  ｏｖｅｒ  ｃｅｌｌｕｌａｒ  ｄａｔａ  ｔｏ  ｔｈｅ  ｏｔｈｅｒ  ｐｈｏｎｅ  ｉｎ  ｓｔｏｒｅ  Ｂ．  Ｔｈｅ  ｐｈｏｎｅ  ｉｎ  ｓｔｏｒｅ  Ｂ  ｔａｋｅｓ  ｔｈａｔ  ｄａｔａ，  ａｎｄ  ｔｒａｎｓｍｉｔｓ  ｉｔ  ｆｒｏｍ  ｗｉｔｈｉｎ  ｔｈｅ  ｐｈｏｎｅ，  ｐｒｅｔｅｎｄｉｎｇ  ｔｏ  ｂｅ  ｔｈｅ  ａｃｔｕａｌ  ｂｅａｃｏｎ  ｉｎ  ｓｔｏｒｅ  Ａ．
Ｔｈｅｒｅｆｏｒｅ  ａｔ  ｌｅａｓｔ  ｔｈｅ  ｆｏｌｌｏｗｉｎｇ  ｔｗｏ  ｍｅｔｈｏｄｓ  ｏｆ  ｅｎｃｒｙｐｔｉｏｎ  ａｒｅ  ｉｎｃｌｕｄｅｄ  ｉｎ  ｔｈｅ  ｓｐｅｃｉｆｉｃａｔｉｏｎ  ｏｆ  ｔｈｅ  ｂｅａｃｏｎ：
（ｉ）  Ｃｏｎｎｅｃｔ  ａｎｄ  ａｕｔｈｅｎｔｉｃａｔｅ：  Ｔｈｅ  ｂｅａｃｏｎ  ｃｏｎｎｅｃｔｓ  ｔｏ  ａ  ｐｈｏｎｅ  ｗｉｔｈｏｕｔ  ｐａｉｒｉｎｇ  ａｎｄ  ｏｎｌｙ  ｅｘｃｈａｎｇｅｓ  ｅｎｃｒｙｐｔｉｏｎ  ｋｅｙｓ．  Ｔｈｅ  ｐｒｏｂｌｅｍ  ｗｉｔｈ  ｔｈｉｓ  ｉｓ  ｔｈａｔ  ｃｏｎｎｅｃｔｉｏｎ  ｃａｎ  ｔａｋｅ  ｓｏｍｅ  ｓｅｃｏｎｄｓ．  Ｉｆ  ａ  ｂｅａｃｏｎ  ｒｕｎｓ  ａｔ  １００ｍｓ  ｉｎｔｅｒｖａｌｓ，  ｉｔ  ｃｏｕｌｄ  ｔａｋｅ  ｌｅｓｓ  ｔｈａｎ  １  ｓｅｃｏｎｄ  ｆｏｒ  ａ  ｃｏｎｎｅｃｔｉｏｎ  ｔｏ  ｂｅ  ｍａｄｅ  ｔｈａｔ  ｗｉｌｌ  ｌａｓｔ  ａｂｏｕｔ  １  −２  ｓｅｃｏｎｄｓ．  Ｔｈｉｓ  ｗｏｕｌｄ  ｂｅ  ａｃｃｅｐｔａｂｌｅ，  ｂｕｔ  ｗｉｌｌ  ｒｅｑｕｉｒｅ  ｂｅａｃｏｎｓ  ｗｉｔｈ  ｌａｒｇｅｒ  ｂａｔｔｅｒｉｅｓ．
（ｉｉ）  Ｐｅｒｉｏｄｉｃ  ＵＵＩＤ  Ｃｈａｎｇｅ：  
Ｅａｃｈ  ｂｅａｃｏｎ  ｗｏｕｌｄ  ｇｅｔ  ａ  ｕｎｉｑｕｅ  ＩＤ．  Ｂｙ  ｐｌａｃｉｎｇ  ａ  ｂａｒｃｏｄｅ  ｗｉｔｈ  ａ  ｕｎｉｑｕｅ  ＩＤ，  ｏｒ  ｐｒｏｇｒａｍｍｉｎｇ  ｔｈｅ  Ｂｅａｃｏｎ  ｗｉｔｈ  ａ  ｕｎｉｑｕｅ  ＩＤ．  Ｅａｃｈ  ｂｅａｃｏｎ  ｗｏｕｌｄ  ｈａｖｅ  ａ  ｔｉｍｅｒ  ｔｈａｔ  ｗｏｕｌｄ  ｓｔａｒｔ  ｃｏｕｎｔｉｎｇ  ｏｎｃｅ  ｔｈｅ  ｂａｔｔｅｒｙ  ｉｓ  ｉｎｓｅｒｔｅｄ．  Ｅａｃｈ  ｂｅａｃｏｎ  ｒｕｎｓ  ａｎ  ｉｎｔｅｒｎａｌ  ｃｌｏｃｋ，  ａｎｄ  ｗｉｌｌ  ｃｈａｎｇｅ  ｔｈｅ  ＵＵＩＤ  ｂａｓｅｄ  ｏｎ  ａ  ｐｒｅｄｅｆｉｎｅｄ  ｔｉｍｅ  ｄｅｌｔａ  ｏｒ  ｓｐｅｃｉｆｉｅｄ  ｔｉｍｅ  （ｅ．ｇ．  ｄａｉｌｙ  ａｔ  ２：２５ａｍ）．
Ｗｈｅｎ  ｐｒｏｖｉｓｉｏｎｉｎｇ  ａ  Ｂｅａｃｏｎ，  ｔｈｅ  ｐｒｏｖｉｓｉｏｎｉｎｇ  ａｐｐ  ｗｏｕｌｄ  ｒｅａｄ  ｔｈｅ  ｂａｒｃｏｄｅ  ｕｎｉｑｕｅ  ＩＤ，  ｏｒ  ｇｅｔ  ｔｈｅ  Ｕｎｉｑｕｅ  ＩＤ  ｆｒｏｍ  ｔｈｅ  Ｂｅａｃｏｎ，  Ｉｔ  ｗｏｕｌｄ  ａｌｓｏ  ｇｅｔ  ｔｈｅ  Ｂｅａｃｏｎ’ｓ  ｔｉｍｅｒ  ｔｉｍｅ．  Ｔｈｅ  ａｐｐ  ｗｏｕｌｄ  ｔｈｅｎ  ｃｏｎｎｅｃｔ  ｔｏ  ｔｈｅ  ｐｒｏｖｉｓｉｏｎｉｎｇ  ｓｅｒｖｅｒ，  ａｎｄ  ｒｅｇｉｓｔｅｒ  ｔｈｅ  ｕｎｉｑｕｅ  ＩＤ  ａｎｄ  ｃｏｒｒｅｓｐｏｎｄｉｎｇ  ｔｉｍｅｒ  ｒｕｎｎｉｎｇ  ｔｉｍｅ．  Ｔｈｅ  ｓｅｒｖｅｒ  ｗｏｕｌｄ  ｔｈｅｎ  ａｓｓｉｇｎ  ａ  ｐｒｉｖａｔｅ  ｋｅｙ  ｔｏ  ｔｈａｔ  ｂｅａｃｏｎ．  Ｔｈｅ  ａｐｐ  ｗｏｕｌｄ  ｔｈｅｎ  ｐｒｏｇｒａｍ  ｔｈｅ  ｂｅａｃｏｎ  ｗｉｔｈ  ｔｈｅ  ｕｎｉｑｕｅ  ｐｒｉｖａｔｅ  ｋｅｙ．    Ｂｅａｃｏｎ  ｗｉｌｌ  ｔｈｅｎ  ｈａｓｈ  ｔｈｅ  Ｔｉｍｅｒ  ｔｉｍｅ  ｗｉｔｈ  ｔｈｅ  ｐｒｉｖａｔｅ  ｋｅｙ  ａｎｄ  ｕｎｉｑｕｅ  ＩＤ  ．  Ｔｈｉｓ  ｗｏｕｌｄ  ｃｒｅａｔｅ  ａｎ  ＩＤ  ｔｈａｔ  ｉｓ  ｃｏｎｓｔａｎｔｌｙ  ｃｈａｎｇｉｎｇ  ｂａｓｅｄ  ｏｎ  ｔｈｅ  ｔｉｍｅ．  Ｔｈｅ  ｓｅｒｖｅｒ  ｏｎ  ｔｈｅ  ｃｌｏｕｄ  ｗｉｌｌ  ｋｎｏｗ  ｔｈｅ  ｃｏｒｒｅｃｔ  ＵＵＩＤ  ，  ｋｅｙ．  ａｎｄ  ｃａｎ  ａｕｔｈｅｎｔｉｃａｔｅ  ｔｈｅ  ｂｅａｃｏｎ．  Ｉｆ  ｔｈｅ  ｉｎｔｅｒｎａｌ  ｃｌｏｃｋ  ｏｆ  ａ  ｂｅａｃｏｎ  ｉｓ  ｎｏｔ  ｔｏ  ｂｅ  ｅｘａｃｔ，  ａ  ｍｅｓｈ  ｎｅｔｗｏｒｋ  （ｓｅｅ  Ｆｉｇｕｒｅ  １２）  ｉｓ  ｒｅｑｕｉｒｅｄ  ｔｏ  ｋｅｅｐ  ａｌｌ  ｂｅａｃｏｎｓ  ｓｙｎｃｈｒｏｎｉｚｅｄ．  Ｔｈｉｓ  ｍｅｓｈ  ｃａｎ  ｂｅ  ｍａｎａｇｅｄ  ｂｙ  ａ  Ｍａｓｔｅｒ  Ｂｅａｃｏｎ  ｗｉｔｈ  ｌｏｎｇ  ｒａｎｇｅ  （ｓｅｅ  ｂｅｌｏｗ）．  Ｉｔ  ｉｓ  ｐｏｓｓｉｂｌｅ  ｔｏ  ｔｒａｎｓｍｉｔ  ｔｈｅ  Ｈａｓｈｅｄ  ＩＤ  ｆｒｏｍ  ｔｈｅ  ｂｅａｃｏｎ，  ａｎｄ  ｐａｒｔｉａｌ  ＩＤ  ｎｏｔ  ｅｎｃｒｙｐｔｅｄ．  Ｔｈｉｓ  ｗｉｌｌ  ａｌｌｏｗ  ｔｈｅ  ｓｅｒｖｅｒ  ｔｏ  ｆａｓｔｅｒ  ｄｅｃｒｙｐｔ  ｔｈｅ  ＩＤ．
Ｂｙ  ｓｙｎｃｉｎｇ  ｔｈｅ  ｅｘａｃｔ  ｔｉｍｅ  ｏｆ  ｔｈｅ  ａｄｖｅｒｔｉｓｅｍｅｎｔ  ｔｒａｎｓｍｉｓｓｉｏｎ，  ｉｎ  ｂｅｔｗｅｅｎ  ｂｅａｃｏｎｓ，  ａ  ｍｏｖｉｎｇ  ｔａｒｇｅｔ’ｓ  （Ｈｕｍａｎ  ｗａｌｋｉｎｇ）  ｐｈｏｎｅ  ｗｉｌｌ  ｋｎｏｗ  ｍｕｃｈ  ｍｏｒｅ  ａｃｃｕｒａｔｅ  ｉｔｓ  ｐｏｓｉｔｉｏｎ  ａｎｄ  ｗａｌｋｉｎｇ  ｄｉｒｅｃｔｉｏｎ．  Ｗｈｅｎ  ｔｈｅｒｅ  ｉｓ  ｎｏ  ｋｎｏｗｎ  ｓｙｎｃｈｒｏｎｉｚａｔｉｏｎ  ｏｆ  ｐａｃｋｅｔｓ，  ａ  ｈｕｍａｎ  ｗａｌｋｉｎｇ  ａｔ  １．３  ｍｅｔｅｒｓ  ｐｅｒ  ｓｅｃｏｎｄ，  ｗｉｔｈ  ｉｎｔｅｒｖａｌ  ｔｒａｎｓｍｉｓｓｉｏｎ  ｉｎ  ｔｈｅ  ｂｅａｃｏｎｓ  ｏｆ  １００  ｍｓ，  ｅａｃｈ  ｓｅｃｏｎｄ  ｗｉｌｌ  ｇｅｔ  １０  ｐａｃｋｅｔｓ  ｆｒｏｍ  ａｌｌ  ｂｅａｃｏｎｓ  ｉｎ  ａｒｅａ．  Ｂｕｔ  ｉｆ  ｔｈｅ  １０  ｐｅｒ  ｓｅｃｏｎｄ  （ｅａｃｈ  ｌａｓｔｉｎｇ  １ｍｓ）  ｃｏｍｅ  ｉｎ  ａｌｌ  ａｔ  ａ  ｓｙｎｃｈｒｏｎｉｚｅｄ  ｅｘａｃｔ  ｔｉｍｅ，  ｔｈｅ  ｐｈｏｎｅ  ｃａｎ  ｃａｌｃｕｌａｔｅ  ｉｎ  ｅｘａｃｔ  ｍｉｌｌｉｓｅｃｏｎｄｓ，  ｔｈｅ  ｓｐｅｅｄ  ｏｆ  ｔｈｅ  ａｄｕｌｔ，  ａｎｄ  ｋｎｏｗ  ｍｕｃｈ  ｂｅｔｔｅｒ  ｈｉｓ  ｐｏｓｉｔｉｏｎ．
Ｉｎ  ｏｒｄｅｒ  ｔｏ  ｓｙｎｃｈｒｏｎｉｚｅ  ｔｈｅ  ｂｅａｃｏｎｓ，  ａ  ｍａｓｔｅｒ  ｂｅａｃｏｎ  ｍｕｓｔ  ｂｅ  ｐｒｅｓｅｎｔ  ｔｅｌｌｉｎｇ  ｅａｃｈ  ｂｅａｃｏｎ  ｉｔｓ  ｔｉｍｅ  ｓｌｏｔ  ｏｆ  ＴＸ，  ａｎｄ  ｎｏｔｉｆｙｉｎｇ  ｔｈａｔ  ｔｏ  ｔｈｅ  ｃｌｏｕｄ  ｓｅｒｖｅｒ，  ｓｏ  ｔｈａｔ  ｔｈｅ  ａｐｐｓ  ｗｉｌｌ  ｋｎｏｗ  ｉｔ．
ＳＡＶＩＮＧ  ＰＯＷＥＲ  ｏｎ  ｔｈｅ  ｐｈｏｎｅ．
Ｉｎ  ｓｏｍｅ  ｅｍｂｏｄｉｍｅｎｔｓ，  ｔｈｅ  ｐｈｏｎｅ  ｓｃａｎｎｉｎｇ  ｉｎｔｅｒｖａｌｓ  ｃｈａｎｇｅ  ｂａｓｅｄ  ｏｎ  ｌｏｃａｔｉｏｎ，  ａｎｄ  ａｃｔｕａｌ  ｂｅａｃｏｎｓ  ｐｒｅｓｅｎｔ．  Ａｎ  ｉｎｄｏｏｒ  ｌｏｃａｔｉｏｎ  ｂｅａｃｏｎ  ｗｏｕｌｄ  ｈａｖｅ  ｓｐｅｃｉａｌ  ｃｈａｒａｃｔｅｒｉｓｔｉｃｓ  ｌｉｋｅ  ＵＵＩＤ  ｃｏｎｔａｉｎｉｎｇ  ｔｈｅ  ａｃｔｕａｌ  Ｃｏｏｒｄｉｎａｔｅｓ．  Ｗｈｅｎ  ａ  ｐｈｏｎｅ  ｄｏｅｓ  ｎｏｔ  ｄｅｔｅｃｔ  ｉｎｄｏｏｒ  ｌｏｃａｔｉｏｎ  ｂｅａｃｏｎｓ，  ｔｈｅ  ｓｃａｎｎｉｎｇ  ｒａｔｅ  ｆａｌｌｓ  ｂａｃｋ  ｔｏ  ａ  ｖｅｒｙ  ｃｏｎｓｅｒｖａｔｉｖｅ  ｒｅｇｉｍｅｎ，  ｆｏｒ  ｅｘａｍｐｌｅ：  ５  ｓｅｃｏｎｄ  ｓｃａｎ，  １  ｍｉｎｕｔｅ  ｒｅｓｔ；  ｏｒ  １０  ｓｅｃｏｎｄ  ｓｃａｎ，  ２  ｍｉｎｕｔｅ  ｒｅｓｔ．
Ｂｕｔ  ｗｈｅｎ  ｔｈｅ  ｐｈｏｎｅ  ｄｅｔｅｃｔｓ  ａｎ  ｉｎｄｏｏｒ  ｂｅａｃｏｎ，  （ｉ．ｅ．  ｅｎｔｅｒｉｎｇ  ａ  ｓｔｏｒｅ，  ｔｈｅ  ｍａｌｌ，  ｓｕｐｅｒｍａｒｋｅｔ，  ｒｅｓｔａｕｒａｎｔ  ｅｔｃ．，  ｔｈｅ  ｐｈｏｎｅ  ｓｃａｌｅｓ  ｕｐ  ｔｈｅ  ｓｃａｎｎｉｎｇ  ｒｅｇｉｍｅｎ  ａｎｄ  ｕｓｅｓ  ｍｏｒｅ  ｂａｔｔｅｒｙ．    Ｗｉｔｈ  ｔｈｅ  ａｓｓｕｍｐｔｉｏｎ  ｔｈａｔ  ａｎ  ａｖｅｒａｇｅ  ｈｕｍａｎ  ｗｏｕｌｄ  “ｓｈｏｐ”  ａｔ  ｔｈｅ  ａｂｏｖｅ  ｓｈｏｐｐｉｎｇ  ｌｏｃａｔｉｏｎｓ  （ｗｈｅｒｅ  Ｂｅａｃｏｎｓ  ａｒｅ  ｉｎｓｔａｌｌｅｄ）  ａｔ  ａｎ  ａｖｅｒａｇｅ  ｏｆ  ２  ｈｏｕｒｓ  ｐｅｒ  ｄａｙ，  ｒａｍｐｉｎｇ  ｕｐ  ｔｈｅ  ｂａｔｔｅｒｙ  ｔｏ  ｓｃａｎ  １０  ｓｅｃｏｎｄｓ，  ｓｌｅｅｐ  ２０  ｓｅｃｏｎｄｓ，  ｗｏｕｌｄ  ｕｓｅ  ｍｏｒｅ  ｂａｔｔｅｒｙ，  ｂｕｔ  ｗｉｌｌ  ｎｏｔ  ｄｒａｉｎ  ｔｈｅ  ｂａｔｔｅｒｙ．  
Ｅａｃｈ  ｂｅａｃｏｎ  ｃａｎ  ａｌｓｏ  ｄｉｆｆｅｒｅｎｔｉａｔｅ  ｂｅｔｗｅｅｎ  ａ  ｂｅａｃｏｎ  ａｎｄ  ａ  ｐｈｏｎｅ．  Ｗｈｅｎ  ａ  ｂｅａｃｏｎ  ｄｏｅｓ  ｎｏｔ  ｄｅｔｅｃｔ  ａｎｙ  ｎｅａｒｂｙ  ｐｈｏｎｅｓ，  ｔｈｅ  ｐｒｏｃｅｓｓｉｎｇ  ｕｎｉｔ  ｌｏｗｅｒｓ  ｉｔｓ  ＴＸ  ａｄ  ｉｎｔｅｒｖａｌｓ  ｔｏ  ａｂｏｕｔ  ｅｖｅｒｙ  １０  −  １５  ｓｅｃｏｎｄｓ  （ｆｏｒ  ｅｘａｍｐｌｅ）  ｉｎ  ｏｒｄｅｒ  ｔｏ  ｃｏｎｓｅｒｖｅ  ｂａｔｔｅｒｙ．
Ｓｉｎｃｅ  ｅａｃｈ  ｂｅａｃｏｎ  ｃａｎ  ‘ｔａｌｋ’  ｗｉｔｈ  ｅａｃｈ  ｏｔｈｅｒ  ｂｅａｃｏｎ  ｉｎ  ｒａｎｇｅ  ａｎｄ  ｔｈｅ  ｕｎｉｔｓ  ａｒｅ  ｐｒｅｆｅｒａｂｌｙ  ｓｙｎｃｈｒｏｎｉｚｅｄ，  ｏｎｅ  ｐｏｔｅｎｔｉａｌ  ｅｍｂｏｄｉｍｅｎｔ  ｏｆ  ｔｈｅ  ｓｙｓｔｅｍ  ｉｎｃｌｕｄｅｓ  ｅａｃｈ  ｂｅａｃｏｎ  ‘ｔｅｌｌｉｎｇ’  ｔｈｅ  ｏｔｈｅｒ  ｂｅａｃｏｎ／ｓ  ｉｆ  ｏｔｈｅｒ  ｐｈｏｎｅｓ／ｄｅｖｉｃｅｓ  ａｒｅ  ｄｅｔｅｃｔｅｄ  ｎｅａｒｂｙ．  Ｏｎｃｅ  ａ  ｐｈｏｎｅ／ｄｅｖｉｃｅ  ｉｓ  ｓｅｅｎ  ｎｅａｒｂｙ，  ｉｔ  ｗａｋｅｓ−ｕｐ  ｔｈｅ  ｓｙｓｔｅｍ  ｕｓｉｎｇ  ｔｈｅ  ｍｅｓｈ  ｎｅｔｗｏｒｋ，  ａｎｄ  ｅａｃｈ  ｂｅａｃｏｎ  ｔｈｅｎ  ｒａｍｐｓ  ｕｐ  ｉｔｓ  ＴＸ  ａｄ  ｉｎｔｅｒｖａｌｓ．
Ｉｎ  ａ  ｐｒｅｆｅｒｒｅｄ  ｅｍｂｏｄｉｍｅｎｔ，  ｔｈｅ  ｂｅａｃｏｎ  ｃａｎ  ｂｅ  ｐｒｏｇｒａｍｍｅｄ  ｂｅｈａｖｅ  ｄｉｆｆｅｒｅｎｔｌｙ  ｄｕｒｉｎｇ  ｗｏｒｋｉｎｇ  ｈｏｕｒｓ  ａｎｄ  ｎｏｎ  ｗｏｒｋｉｎｇ  ｈｏｕｒｓ，  ｉｎ  ｏｒｄｅｒ  ｔｏ  ｓｈｕｔ  ｄｏｗｎ  ｄｕｒｉｎｇ  ｎｏｎ  ｗｏｒｋｉｎｇ  ｈｏｕｒｓ  ａｎｄ  ｔｈｅｒｅｂｙ  ｃｏｎｓｅｒｖｅ．
Ａｎｏｔｈｅｒ  ｓｏｌｕｔｉｏｎ  ｆｏｒ  ｓａｖｉｎｇ  ｐｏｗｅｒ  ｏｎ  ｔｈｅ  ｐｈｏｎｅ，  ｉｓ  ｔｏ  ｃｒｅａｔｅ  Ｇｅｏｆｅｎｃｉｎｇ  ｉｎ  ａｎ  ａｐｐ  ｏｒ  ｐａｒｔ  ｏｆ  ｔｈｅ  ＯＳ．  Ｂｙ  ｃｒｅａｔｉｎｇ  ａ  ｇｅｏｆｅｎｃｅ  ａｒｏｕｎｄ  ａ  ｓｔｏｒｅ，  ｏｎｃｅ  ｔｈｅ  ｐｈｏｎｅ  ｉｓ  ｉｎ  ｔｈｅ  ａｒｅａ  ｏｆ  ｔｈｉｓ  ｓｔｏｒｅ，  ｔｈｅ  ＢＴ  Ｓｃａｎ  ｏｆ  ｔｈｅ  ｐｈｏｎｅ  ｃａｎ  ｂｅ  ｉｎｃｒｅａｓｅｄ，  ｓｏ  ｎｅｅｄｉｎｇ  ａ  ｍａｓｔｅｒ  ｂｅａｃｏｎ  ｔｏ  ｔｒｉｇｇｅｒ  ｔｈｅ  ｏｔｈｅｒ  ｂｅａｃｏｎｓ  ｃａｎ  ｂｅ  ａｖｏｉｄｅｄ．
Ｗｉｔｈ  Ｍｅｓｈ  ｎｅｔｗｏｒｋｉｎｇ  ｂｅｔｗｅｅｎ  ｂｅａｃｏｎｓ，  ｅｖｅｒｙ  ｘ  ｓｅｃｏｎｄｓ，  ｔｈｅ  ｂｅａｃｏｎｓ  ｃｏｍｍｕｎｉｃａｔｅ  ｂｅｔｗｅｅｎ  ｅａｃｈ  ｏｔｈｅｒ  ａｔ  ａ  ｄｅｓｉｇｎａｔｅｄ  ｔｉｍｅ  ｓｌｏｔ  ｔｏ  ｓｙｎｃｈｒｏｎｉｚｅ  ｅａｃｈ  ｏｔｈｅｒ．  Ｂｅｔｗｅｅｎ  ｒｅｇｕｌａｒ  Ａｄ  ｂｒｏａｄｃａｓｔ  ｐａｃｋｅｔｓ，  ｔｈｅ  ｓｔｉｃｋｅｒ  ｓｅｎｄｓ  ａ  ｓｙｎｃ  ｐａｃｋｅｔ  ｔｏ  ａｌｌ  ｓｔｉｃｋｅｒｓ  ｉｎ  ａｒｅａ．  Ｔｈｉｓ  ｓｙｎｃ  ｐａｃｋｅｔ  ｃｏｎｔａｉｎｓ  ｔｈｅ  ｅｘａｃｔ  ｔｉｍｅ，  ａｎｄ  ｔｈｅ  ｓｙｎｃ  ｔｉｍｅ  ｓｌｏｔ，  ｓｏ  ａｎｙ  ｏｔｈｅｒ  Ｓｔｉｃｋｅｒ  ｗｉｌｌ  ｎｏｔ  ｒｅ−ｂｒｏａｄｃａｓｔ  ａｔ  ｔｈｅ  ｓａｍｅ  ｔｉｍｅ  ｔｈｅ  Ｓｙｎｃ  ｐａｃｋｅｔ．
Ｅｘｅｍｐｌａｒｉｌｙ  ｅａｃｈ  ｓｙｎｃ  ｐａｃｋｅｔ  ｆｕｒｔｈｅｒ  ｃｏｎｔａｉｎｓ  ｉｎｆｏｒｍａｔｉｏｎ  ｓｕｃｈ  ａｓ：
１．            Ｅｘａｃｔ  ｔｉｍｅ．
２．            Ｉｎｄｉｖｉｄｕａｌ  Ｓｙｎｃ  ｐａｃｋｅｔ  ｔｉｍｅ  ｔｏ  ＴＸ  ｆｏｒ  ｔｈａｔ  ｓｔｉｃｋｅｒ．
３．            Ｎｕｍｂｅｒ  ｏｆ  ｖｉｓｉｂｌｅ  ＢＬＥ  ｄｅｖｉｃｅｓ  ｉｎ  ａｒｅａ  （Ｐｈｏｎｅｓ  ｅｔｃ  ｐｒｅｓｅｎｔ  ｉｎ  ｒｏｏｍ）
４．            Ｃａｌｌ  ｆｏｒ  ｆｉｒｍｗａｒｅ  ｕｐｄａｔｅ，  ａｔ  ａ  ｓｐｅｃｉａｌ  ｔｉｍｅ，  ａｎｄ  ｓｕｂ  ｃａｒｒｉｅｒ  ｆｏｒ  ｔｈｅ  ａｃｔｕａｌ  ｆｉｒｍｗａｒｅ．
５．            Ｅｎｃｒｙｐｔｉｏｎ  ｋｅｙｓ
６．            Ｔｉｍｅ  ｏｆ  ｂｕｓｉｎｅｓｓ，  ａｎｄ  ｔｉｍｅｒ  ｆｏｒ  ｄｉｆｆｅｒｅｎｔ  ａｄｖｅｒｔｉｓｅｍｅｎｔ  ｐａｃｋｅｔｓ  ｉｎｔｅｒｖａｌ  ｓｅｔｔｉｎｇ／  ｃｈａｎｇｅｓ．
７．            Ｔｉｍｅｓｌｏｔ  ｏｆ  ｉｎｄｉｖｉｄｕａｌ  ａｄｖｅｒｔｉｓｅｍｅｎｔ  ｐａｃｋｅｔ．  Ｔｈｉｓ  ｍｅａｎｓ  ｔｈａｔ  ｓｙｓｔｅｍ  ｋｎｏｗｓ  ｔｈｅ  ｔｉｍｅ  ｓｌｏｔ  ｆｏｒ  ｅａｃｈ  Ｂｅａｃｏｎ．
８．            Ｓｕｐｐｏｒｔ  ｆｏｒ  ａ  ｓｐｅｃｉａｌ  ｂｅａｃｏｎ  ｗｉｔｈ  ｏｕｔｓｉｄｅ  ｃｏｎｎｅｃｔｉｏｎ  ｔｏ  ｋｅｅｐ  ｓｙｓｔｅｍ  ｔｉｍｅ  ｓｙｎｃｅｄ．
Ａ  ｍａｓｔｅｒ  ｂｅａｃｏｎ  ｃａｎ  ｂｅ  ａｄｄｅｄ  ｔｏ  ｔｈｉｓ  ｓｙｓｔｅｍ．  Ｔｈｅ  ｍａｓｔｅｒ  ｂｅａｃｏｎ  ｈａｓ  ａｎ  ａｃｃｕｒａｔｅ  ｃｌｏｃｋ，  ｕｓｉｎｇ  ｖｅｒｙ  ｅｘａｃｔ  Ｃｒｙｓｔａｌｓ  ｏｒ  ｐｌａｃｉｎｇ  ｔｈｉｓ  ｂｅａｃｏｎ  ｎｅａｒ  ａ  ｗｉｎｄｏｗ  ｗｉｔｈ  ＧＰＳ．  Ｕｓｉｎｇ  ＧＰＳ，  ｔｈｅ  Ｂｅａｃｏｎ  ｃａｎ  ｇｅｔ  ａ  ｖｅｒｙ  ａｃｃｕｒａｔｅ  ｔｉｍｅ．  Ｔｈｅ  ｍａｓｔｅｒ  ｂｅａｃｏｎ，  ｃａｎ  ｃｏｍｍｕｎｉｃａｔｅ  ｗｉｔｈ  ａｌｌ  ｓｔｉｃｋｅｒｓ  ｉｎ  ｔｈｅ  ａｒｅａ  ｉｎ  ｄａｉｓｙ  ｃｈａｉｎ  ｓｃｈｅｍｅ  ｏｒ  ｃｏｍｍｕｎｉｃａｔｉｎｇ  ｄｉｒｅｃｔｌｙ  ｗｉｔｈ  ａｌｌ  ｂｅａｃｏｎｓ  ｉｎ  ｔｈｅ  ａｒｅａ，  ｕｓｉｎｇ  ａ  ２０ｄＢ  ａｍｐｌｉｆｉｅｒ  ｏｎ  ｔｈｅ  ＢＴ  ｌｉｎｅ  ｏｕｔｐｕｔ，  ａｎｄ  ａ  ｈｉｇｈ  ｇａｉｎ  ＢＴ  Ａｎｔｅｎｎａ，  ａｎｄ  ｋｅｅｐ  ｔｈｅ  ｂｅａｃｏｎｓ  ｉｎ  ｅｘａｃｔ  ｓｙｎｃ  ａｎｄ  ｗｉｔｈ  ａｃｃｕｒａｔｅ  ｔｉｍｅ．
Ｔｈｅ  Ｍａｓｔｅｒ  ｂｅａｃｏｎ  ｃａｎ  ａｌｓｏ  ｃｏｎｎｅｃｔ  ｔｏ  ｔｈｅ  Ｉｎｔｅｒｎｅｔ  ｖｉａ  Ｗｉｆｉ  ｏｒ  Ｃｅｌｌｕｌａｒ  ｄａｔａ，  ａｎｄ  ｇｅｔ  Ｓｙｎｃ  ｉｎｆｏｒｍａｔｉｏｎ  ｆｒｏｍ  ａ  ｃｌｏｕｄ  ｓｅｒｖｅｒ，  ｉｎｃｌｕｄｉｎｇ  Ａｕｔｈｅｎｔｉｃａｔｉｏｎ  ａｎｄ  Ｅｎｃｒｙｐｔｉｏｎ  ｋｅｙｓ．  Ｉｎ  ｆｕｒｔｈｅｒ  ｅｍｂｏｄｉｍｅｎｔｓ，  ｔｈｅ  ｍａｓｔｅｒ  Ｂｅａｃｏｎ  ｃａｎ  ｓｅｒｖｅ  ａｓ  ａ  ｇａｔｅｗａｙ  ｔｏ  ｔｈｅ  Ｉｎｔｅｒｎｅｔ，  ｉｎ  ｏｒｄｅｒ  ｔｏ  ｒｅｔｒｉｅｖｅ  ｆｉｒｍｗａｒｅ  ｕｐｄａｔｅｓ，  ａｎｄ  ｒｅｃｅｉｖｅ  ｏｔｈｅｒ  ｉｎｆｏｒｍａｔｉｏｎ  ｔｏ  ｂｅ  ｐａｓｓｅｄ  ｔｏ  ｔｈｅ  ｏｔｈｅｒ  ｂｅａｃｏｎｓ  ａｎｄ／ｏｒ  ｓｅｎｄ  ｄｉａｇｎｏｓｔｉｃ  ｉｎｆｏｒｍａｔｉｏｎ  ｔｏ  ｔｈｅ  ｓｅｒｖｅｒ．
ＲＳＳＩ  ｄｉｓｔａｎｃｅ  ｅｓｔｉｍａｔｏｒ：  
Ｗｅ  ｃａｎ  ｃａｌｃｕｌａｔｅ  ｔｈｅ  ａｐｐｒｏｘｉｍａｔｅ  ｄｉｓｔａｎｃｅ  ｂｅｔｗｅｅｎ  ａ  ｂｅａｃｏｎ  ａｎｄ  ａ  ｐｈｏｎｅ，  ｂａｓｅｄ  ｏｎ  Ｃａｌｉｂｒａｔｉｏｎ  ａｎｄ  ｍａｔｃｈｉｎｇ  ＲＳＳＩ  ｗｉｔｈ  ａ  ｒｅａｌ  ｄｉｓｔａｎｃｅ．  Ｂｕｔ  ｂｅｃａｕｓｅ  ｔｈｉｓ  ｉｓ  ｂａｓｅｄ  ｏｎ  Ｓｉｇｎａｌ  ｑｕａｌｉｔｙ，  ｈｏｌｄｉｎｇ  ｔｈｅ  ｐｈｏｎｅ  ｄｉｆｆｅｒｅｎｔｌｙ  ｏｒ  ｐｅｏｐｌｅ  ／ｉｔｅｍｓ  ｂｌｏｃｋｉｎｇ  ｔｈｅ  ｓｉｇｎａｌ，  ｃａｎ  ｉｎｔｅｒｆｅｒｅ，  ａｎｄ  ｍｏｄｉｆｙ  ｔｈｅ  ｓｉｇｎａｌ，  ｍａｋｉｎｇ  ｉｔ  ｌｏｏｋ  ｂｅｔｔｅｒ  ｏｒ  ｗｏｒｓｅ．  Ｉｎ  ｏｒｄｅｒ  ｔｏ  ｂｅｔｔｅｒ  ｇａｕｇｅ  ｄｉｓｔａｎｃｅ，  ａｎ  ａｌｇｏｒｉｔｈｍ  ｉｓ  ｒｕｎ  ｔｏ  ｓｅｅ  ｉｆ  ｔｈｅ  ＲＳＳＩ  ｓｉｇｎａｌ  ｉｓ  ｇｅｔｔｉｎｇ  ｓｔｒｏｎｇｅｒ  ｏｒ  ｗｅａｋｅｒ．  Ｉｆ  ｔｈｅ  ｄｅｌｔａ  ｉｓ  ｆｉｘｅｄ，  ｍｅａｎｉｎｇ  ｔｈａｔ  ｓａｙ，  ｉｆ  ｔｈｅ  ｓｉｇｎａｌ  ｉｓ  ｇｅｔｔｉｎｇ  ｓｔｒｏｎｇｅｒ  ｉｎ  ａ  ｓｔｅａｄｙ  ｍａｎｎｅｒ，  ｔｈａｔ  ｔｈｉｓ  ｓｔｅａｄｙ  ｍａｎｎｅｒ  ｍａｔｃｈｅｓ  ａ  ｐｅｒｓｏｎ  ｇｅｔｔｉｎｇ  ｃｌｏｓｅｒ  ｔｏ  ｔｈｅ  ｓｔｉｃｋｅｒ  ａｔ  ａ  ｆｉｘｅｄ  ｓｐｅｅｄ，  ｔｈｅ  ｓｔｉｃｋｅｒ  ｃａｎ  ｐｒｅｄｉｃｔ  ｗｈｅｒｅ  ｔｈｅ  ｐｅｒｓｏｎ  ｗｉｌｌ  ｂｅ  ｉｎ  ｘｘ  ｓｅｃｏｎｄｓ，  ａｎｄ  ａｃｃｏｒｄｉｎｇ  ｔｏ  ｔｈａｔ  ｅｓｔｉｍａｔｉｏｎ，  ｐｕｓｈ  ａ  ｎｅｗ  ｎｏｔｉｆｉｃａｔｉｏｎ  ｏｒ  ｍｏｄｉｆｙ  ｔｈｅ  ｃｏｎｔｅｎｔｓ  ｏｆ  ｉｔｓ  ｐａｃｋｅｔ  ｔｏ  ａｃｔｉｖａｔｅ  ａｎ  ｅｖｅｎｔ  ａｔ  ｔｈｅ  ｐｈｏｎｅ．  Ｔｈｉｓ  ｆｅａｔｕｒｅ  ｃａｎ  ａｌｓｏ  ｂｅ  ａｔ  ｔｈｅ  ｐｈｏｎｅ  ｌｉｂｒａｒｙ．  
Ｐｒｏｐｏｓｅｄ  ｄｅｖｉｃｅ  ｌｉｂｒａｒｙ  （Ｈａｎｄｓｅｔ  ｆｅａｔｕｒｅｓ  ｆｏｒ  ｓｃａｎｎｉｎｇ）
Ｇｅｏｆｅｎｃｉｎｇ  ａｒｏｕｎｄ  ｈｏｔ  ａｒｅａｓ：  Ｂｙ  ｃｒｅａｔｉｎｇ  ａ  ｇｅｏｆｅｎｃｅ  ａｒｏｕｎｄ  ａ  ｈｏｔ  ａｒｅａ，  ｗｉｔｈｉｎ  ｔｈｅ  ａｐｐ  ｏｒ  ＯＳ  ｏｎ  ｔｈｅ  ｈａｎｄｓｅｔ，  ｔｈｅ  ｐｈｏｎｅ  ｉｓ  ｃａｕｓｅｄ  ｔｏ  ｓｃａｎ  ｆｏｒ  ＢＬＥ  ｄｅｖｉｃｅｓ  ａｔ  ａ  ｆａｓｔｅｒ  ｒａｔｅ  ｗｈｅｎ  ｌｏｃａｔｅｄ  ｗｉｔｈｉｎ  ｔｈｅ  Ｇｅｏｆｅｎｃｅ．    Ｔｈｉｓ  ｍｅａｎｓ  ｔｈａｔ  ｓａｙ，  ｉｆ  ａｎ  ａｐｐ  ｈａｓ  ａ  ｇｅｏｆｅｎｃｅ  ａｒｏｕｎｄ  ｔｈｅ  ｓｈｏｐｐｉｎｇ  ｍａｌｌ，  ｏｎｃｅ  ａ  ｕｓｅｒ  ｉｓ  ｎｅａｒ  ｏｒ  ｅｎｔｅｒｉｎｇ  ｔｈｉｓ  ｇｅｏｆｅｎｃｅ  ａｒｏｕｎｄ  ｔｈｅ  ｓｈｏｐｐｉｎｇ  ｍａｌｌ，  ｔｈｅ  ＢＬＥ  ｓｃａｎｎｅｒ  ｉｎｓｉｄｅ  ｔｈｅ  ｐｈｏｎｅ  ｗｉｌｌ  ｓｃａｎ  ｆｏｒ  ｌｏｎｇｅｒ  ｔｉｍｅｓ，  ｗｈｅｒｅａｓ  ｗｈｅｎ  ｔｈｅ  ｐｈｏｎｅ  ｉｓ  ｏｕｔｓｉｄｅ  ｔｈｉｓ  ｇｅｏｆｅｎｃｅ，  ｗｉｌｌ  ｓｃａｎ  ｆｏｒ  ｌｅｓｓ  ｔｉｍｅ，  ａｎｄ  ｐｕｔ  ｔｈｅ  ＢＬＥ  ｔｏ  ｓｌｅｅｐ  ｆｏｒ  ｌｏｎｇｅｒ  ｔｉｍｅｓ  ｉｎ  ｂｅｔｗｅｅｎ  ｓｃａｎｓ．
Ａｄａｐｔｉｖｅ  ｓｃａｎｎｉｎｇ：  Ｉｆ  ｗｈｉｌｅ  ｓｃａｎｎｉｎｇ，  ｔｈｅ  Ｈａｎｄｓｅｔ  ｄｅｖｉｃｅ  ｓｅｅｓ  ａ  ＢＬＥ  ｗｉｔｈ  ａｎｙ  ｋｎｏｗｎ  Ｂｅａｃｏｎ  ｐｒｏｔｏｃｏｌ  （ｅ．ｇ．  ｉＢｅａｃｏｎ，  ＳＮＦ  ｂｅａｃｏｎ  ｅｔｃ）  ｉｔ  ｗｉｌｌ  ｓｔａｒｔ  ｓｃａｎｎｉｎｇ  ｆａｓｔｅｒ  ａｎｄ  ｌｏｎｇｅｒ．  Ｔｈｉｓ  ｗｉｌｌ  ｅｎａｂｌｅ  ｂａｔｔｅｒｙ  ｃｏｎｓｅｒｖａｔｉｏｎ．  Ｗｈｅｎ  ａ  ｕｓｅｒ  ｉｓ  ｉｎ  ａ  ｓｔｏｒｅ，  ａｎｄ  ｔｈｅ  ｐｈｏｎｅ  ｓｅｅｓ  ａ  ｂｅａｃｏｎ，  ｔｈｅ  ｐｈｏｎｅ  ｗｉｌｌ  ｓｃａｎ  ｆａｓｔｅｒ  ａｎｄ  ｌｏｎｇｅｒ．  Ｏｎｃｅ  ｕｓｅｒ  ｅｘｉｓｔ  ｔｈｅ  ａｒｅａ，  ａｎｄ  ｔｈｅ  ｐｈｏｎｅ  ｎｏ  ｌｏｎｇｅｒ  ｄｅｔｅｃｔｓ  ａｎｙ  ｋｎｏｗｎ  Ｂｅａｃｏｎｓ，  ｔｈｅ  ｐｈｏｎｅ  ｗｉｌｌ  ｓｃａｌｅ  ｄｏｗｎ  ｔｈｅ  ｓｃａｎｎｉｎｇ  ｒｅｇｉｍｅｎ．
Ｓｐｅｃｉａｌ  ｂｅａｃｏｎ  ｔｒｉｇｇｅｒ：  ｉｆ  Ｈａｎｄｓｅｔ  ｄｅｖｉｃｅ  ｓｅｅｓ  ａ  ｓｐｅｃｉａｌ  ｓｔｉｃｋｅｒ  ｗｉｔｈ  ｃｕｓｔｏｍ  ＵＵＩＤ  ｏｒ  ａ  ｓｐｅｃｉａｌ  ａｄ  ｐａｃｋｅｔ，  ｔｈｉｓ  ｗｉｌｌ  ｔｒｉｇｇｅｒ  ｔｈｅ  Ｈａｎｄｓｅｔ  ｄｅｖｉｃｅ  ｔｏ  ｓｔａｒｔ  ｓｃａｎｎｉｎｇ  ｆａｓｔｅｒ，  ａｓ  ｌｏｎｇ  ａｓ  ｔｈｉｓ  ｓｔｉｃｋｅｒ  ｉｓ  ｖｉｓｉｂｌｅ．  Ｗｈｅｎ  ｓｔｉｃｋｅｒ  ｉｓ  ｎｏｔ  ｖｉｓｉｂｌｅ，  ｉｔ  ｗｉｌｌ  ｓｃａｌｅ  ｄｏｗｎ，  ａｎｄ  ｓｃａｎ  ｓｈｏｒｔｅｒ  ａｎｄ  ｉｎｔｅｒｖａｌｓ  ｗｉｌｌ  ｂｅ  ｌｏｎｇｅｒ  ｉｎ  ｂｅｔｗｅｅｎ  ｓｃａｎｓ．
Ｓｅｒｖｅｒ  Ｓｕｐｐｏｒｔ  ｆｏｒ  Ｌｏｓｔ  Ｔａｇｓ
Ａ  ｕｓｅｒ  ｔｈａｔ  ｒｅｇｉｓｔｅｒｓ  ｔｈｅ  ａｐｐ  ｗｉｔｈ  ｔｈｅ  Ｌｏｓｔ  Ｓｔｉｃｋｅｒ  Ｓｅｒｖｅｒ  （ＬＳＳ）  ａｎｄ  ｒｅｃｅｉｖｅｓ  ａｎ  ｅｎｃｒｙｐｔｅｄ  ｋｅｙ，  ｓｔｏｒｅｄ  ａｔ  ｔｈｅ  ｓｅｒｖｅｒ．  Ｗｈｅｎ  ａ  ｐｈｏｎｅ  ｃｏｎｎｅｃｔｓ  ｖｉａ  ａ  ｓｅｃｕｒｅ  ｅｎｃｒｙｐｔｅｄ  Ｂｌｕｅｔｏｏｔｈ  ｌｉｎｋ，  ｔｈｅ  ｐｈｏｎｅ  ｔａｋｅｓ  ｔｈｉｓ  ｋｅｙ，  ａｎｄ  ｓｅｎｄｓ  ｉｔ  ｔｏ  ｔｈｅ  ｓｅｒｖｅｒ．  Ｔｈｅ  ｓｅｒｖｅｒ  ｋｅｅｐｓ  ｂｏｔｈ  ｋｅｙｓ．  Ｅｘｅｍｐｌａｒｉｌｙ，  ｔｏ  ｂｅ  ａｂｌｅ  ｔｏ  ｔｒａｃｋ，  ｏｒ  ｇｅｔ  Ｓｔｉｃｋｅｒ  ｉｎｆｏｒｍａｔｉｏｎ  ｆｒｏｍ  ｔｈｅ  ｓｅｒｖｅｒ，  ｔｈｅ  ｕｓｅｒ  ｉｓ  ｒｅｑｕｉｒｅｄ  ｔｏ  ｐｅｒｆｏｒｍ  ａ  ｌｏｇｉｎ  ｐｒｏｃｅｄｕｒｅ，  ｉｎ  ｏｒｄｅｒ  ｔｏ，  ｅ．ｇ．，  ｄｉｓｐｌａｙ  ｔｈｅ  ｌａｓｔ  ｋｎｏｗｎ  ｐｏｓｉｔｉｏｎ  ｏｆ  ｔｈｅ  ｌｏｓｔ  ｔａｇ．
Ｉｎ  ａｎｏｔｈｅｒ  ｅｍｂｏｄｉｍｅｎｔ，  ａ  ｐｈｏｎｅ  ｒｕｎｎｉｎｇ  ｔｈｅ  ａｐｐｌｉｃａｔｉｏｎ  ａｎｄ  ｓｃａｎｎｉｎｇ  Ｂｌｕｅｔｏｏｔｈ  ｃｈａｎｎｅｌｓ  ｔｈａｔ  ｄｅｔｅｃｔｓ  ａ  ｔａｇ  ｔｈａｔ  ｄｏｅｓ  ｎｏｔ  ‘ｂｅｌｏｎｇ’  ｔｏ  ｔｈｅ  ｐｈｏｎｅ  ｓｅｎｄｓ  ｔｈｅ  Ｓｔｉｃｋｅｒ  ＵＵＩＤ  ｔｏ  ｔｈｅ  ｓｅｒｖｅｒ，  ｗｉｔｈ  ａ  ｔｉｍｅ  ｓｔａｍｐ，  ａｎｄ  ｐｈｏｎｅ  ｌｏｃａｔｉｏｎ，  ｂａｓｅｄ  ｏｎ  ＧＰＳ，  ｏｒ  Ｃｅｌｌｕｌａｒ  ｔｒｉａｎｇｕｌａｔｉｏｎ．
Ｏｎｌｙ  ｔｈｅ  ｏｗｎｅｒ  ｏｆ  ｔｈｅ  Ｓｔｉｃｋｅｒ  ｗｉｌｌ  ｂｅ  ａｂｌｅ  ｔｏ  ｓｅｅ  ｔｈｅ  ｐｏｓｉｔｉｏｎ  ｏｆ  ｔｈｅ  ｓｔｉｃｋｅｒ．
Ｓｏ，  ｉｆ  ｏｎｅ  ｕｓｅｒ  ｌｏｓｅｓ  ａ  ｓｔｉｃｋｅｒ  ａｎｄ  ａｎｏｔｈｅｒ  ｐｈｏｎｅ  ‘ｆｉｎｄｓ’  ｔｈａｔ  Ｓｔｉｃｋｅｒ  （ｖｉａ  Ｂｌｕｅｔｏｏｔｈ），  ｔｈｅ  ａｐｐ  ｏｎ  ｔｈｅ  ｆｉｎｄｉｎｇ  ｐｈｏｎｅ  ｗｉｌｌ  ａｕｔｏｍａｔｉｃａｌｌｙ  （ａｎｄ  ｗｉｔｈｏｕｔ  ｔｈｅ  ｋｎｏｗｌｅｄｇｅ  ｏｆ  ｔｈｅ  ｏｗｎｅｒ  ｏｆ  ｔｈｅ  ｆｉｎｄｉｎｇ  ｐｈｏｎｅ）  ｓｅｎｄ  ｔｈｅ  ｌｏｓｔ  ｓｔｉｃｋｅｒ’ｓ  ｉｎｆｏｒｍａｔｉｏｎ  ｔｏ  ｔｈｅ  ｓｅｒｖｅｒ．  Ｔｈｅ  ｏｗｎｅｒ  ｏｆ  ｔｈｅ  ｌｏｓｔ  ｓｔｉｃｋｅｒ  ｗｉｌｌ  ｒｅｃｅｉｖｅ  ａ  ｎｏｔｉｆｉｃａｔｉｏｎ  ｆｒｏｍ  ｔｈｅ  ｓｅｒｖｅｒ  ｔｈａｔ  ｔｈｅ  ｓｔｉｃｋｅｒ  ｈａｓ  ｂｅｅｎ  ｆｏｕｎｄ．
Ａ  ｆｕｒｔｈｅｒ  ｆｅａｔｕｒｅ  ｉｓ  ａ  Ｌｏｓｔ  Ｓｔｉｃｋｅｒ  Ａｌｅｒｔ  ｆｅａｔｕｒｅ．  Ａ  ｕｓｅｒ  ｎｅｅｄ  ｏｎｌｙ  ｓｅｌｅｃｔ  ａ  ｓｔｉｃｋｅｒ  ｔｈａｔ  ｉｓ  ｌｏｓｔ  ｆｒｏｍ  ｗｉｔｈｉｎ  ｔｈｅ  ａｐｐ，  ｏｒ  ｖｉａ  ｌｏｇｉｎ  ｓｅｒｖｅｒ，  ａｎｄ  ｏｎｃｅ  ｔｈａｔ  ｓｔｉｃｋｅｒ  ｉｓ  ｄｅｔｅｃｔｅｄ  ｂｙ  ａｎｙ  ｐｈｏｎｅ  ｒｕｎｎｉｎｇ  ｔｈｅ  ａｐｐ，  ｔｈｅ  ｕｓｅｒ  ｗｉｌｌ  ｇｅｔ  ａ  ｎｏｔｉｆｉｃａｔｉｏｎ．
Ｐｅｒｓｏｎａｌ  Ｉｔｅｍ  Ｇｅｏｆｅｎｃｉｎｇ．  
Ｔｈｅ  ａｐｐ  ｆｅａｔｕｒｅ  ａｌｌｏｗｓ  ｔｈｅ  ｕｓｅｒ  ｔｏ  ｓｅｌｅｃｔ  ｉｔｅｍｓ  ｔｈａｔ  ｈｅ  ｕｓｕａｌｌｙ  ｃａｒｒｉｅｓ  ａｒｏｕｎｄ  ｗｉｔｈ  ｈｉｍ  ａｌｌ  ｄａｙ  ｌｏｎｇ．  Ｔｈｅ  ｐｈｏｎｅ  ｄｅｔｅｃｔｓ  ｔｈｅ  ｐｅｒｓｏｎａｌ  ｉｔｅｍ，  ａｎｄ  ｓｅｎｄｓ  ｉｔｓ  ｐｏｓｉｔｉｏｎ  ｔｏ  ｓｅｒｖｅｒ  ａｓ  ａｌｗａｙｓ  ａｎｄ  ａｓ  ｅｘｐｌａｉｎｅｄ  ａｂｏｖｅ．  Ｉｎ  ａｄｄｉｔｉｏｎ，  ｔｈｅ  ｐｈｏｎｅ  ａｌｓｏ  ｓｅｎｄｓ  ｉｔｓ  ｏｗｎ  ｐｏｓｉｔｉｏｎ  ｔｏ  ｓｅｒｖｅｒ．  
Ｉｆ  ｔｈｅ  ｕｓｅｒ  ｌｅａｖｅｓ  ａｎ  ａｒｅａ，  ａｎｄ  ｔｈｅ  ｓｅｒｖｅｒ  ｒｅｇｉｓｔｅｒｓ  ｔｈａｔ  ｔｈｅ  ｐｈｏｎｅ  ｉｓ  ｉｎ  ａ  ｎｅｗ  ｌｏｃａｔｉｏｎ  ｏｕｔｓｉｄｅ  ｏｆ  ｔｈｅ  ｐｒｅｖｉｏｕｓ  ｇｅｏｆｅｎｃｅ，  ｂｕｔ  ｔｈｅ  ｓｔｉｃｋｅｒ  ｉｓ  ｎｏｔ  ｔｏｇｅｔｈｅｒ  ｗｉｔｈ  ｔｈｅ  ｐｈｏｎｅ，  ｔｈｅ  ｓｅｒｖｅｒ  ｓｅｎｄｓ  ａｎ  ａｌｅｒｔ  ｎｏｔｉｆｙｉｎｇ  ｔｈｅ  ｕｓｅｒ  ｔｈａｔ  ａ  ｐｅｒｓｏｎａｌ  ｉｔｅｍ  ｈａｓ  ｂｅｅｎ  ｌｅｆｔ  ｂｅｈｉｎｄ．
Ａｄｄｉｔｉｏｎａｌ  ｉｎｆｏｒｍａｔｉｏｎ  ｏｎ  ｈｏｗ  ｔｈｅ  ａｃｔｕａｌ  ｅｎｃｒｙｐｔｉｏｎ  ａｎｄ  ｓｅｒｖｅｒ  ｗｏｒｋｓ  ｉｓ：
Ｅｖｅｒｙ  ｓｔｉｃｋｅｒ  ｈａｓ  ａ  ｕｎｉｑｕｅ  ＩＤ  ｗｈｉｃｈ  ｉｓ  ａ  ｃｏｍｂｉｎａｔｉｏｎ  ｏｆ  ａ  ｕｎｉｑｕｅ  ＭＡＣ  ａｄｄｒｅｓｓ  ａｎｄ  ａ  ＵＵＩＤ．  Ｗｈｅｎ  ｔｈｅ  ａｐｐ  ｃｏｎｎｅｃｔｓ  ｔｏ  ａ  ｓｔｉｃｋｅｒ，  ｉｔ  ｃａｎ  ｒｅａｄ  ａｎ  ｅｎｃｒｙｐｔｅｄ  ｖｅｒｓｉｏｎ  ｏｆ  ｔｈｅ  ｓｔｉｃｋｅｒ  ＩＤ．  Ｆｏｒ  ｔｈｅ  ｕｓｅｒ  ｔｏ  ｂｅ  ａｂｌｅ  ｔｏ  ｔｒａｃｋ  ａ  ｃｅｒｔａｉｎ  ｓｔｉｃｋｅｒ  ｈｅ／ｓｈｅ  ｈａｓ  ｔｏ  ｌｏｇｉｎ  ｔｏ  ｈｉｓ／ｈｅｒ  ａｃｃｏｕｎｔ，  ｃｏｎｎｅｃｔ  ｔｏ  ａ  ｓｔｉｃｋｅｒ，  ｔｈｅｎ  ｒｅｇｉｓｔｅｒ  ｏｒ  ｂｉｎｄ  ｔｈｅ  ｓｔｉｃｋｅｒ  ｔｏ  ｈｉｓ  ａｃｃｏｕｎｔ．  Ｔｈｅ  ｓｔｉｃｋｅｒ  ｂｉｎｄｉｎｇ  ｏｒ  ｒｅｇｉｓｔｅｒｉｎｇ  ｐｒｏｃｅｄｕｒｅ  ｃｏｎｓｉｓｔｓ  ｏｆ  ｔｈｅ  ｆｏｌｌｏｗｉｎｇ  ｐｒｏｃｅｄｕｒｅ：
Ａｎ  ＩＤ  ｐａｃｋｅｔ  ｉｓ  ｒｅａｄ  ｆｒｏｍ  ｔｈｅ  ｓｔｉｃｋｅｒ．  Ｔｈｅ  ＩＤ  ｐａｃｋｅｔ  ｃｏｎｓｉｓｔ  ｏｆ  ｔｈｅ  ｓｔｉｃｋｅｒ  ｕｎｉｑｕｅ  ＩＤ，  ｅｉｇｈｔ  ｓｅｃｕｒｉｔｙ  ｃｈｅｃｋ  ｂｙｔｅｓ，  ａｎｄ  ｔｗｏ  ｉｎｔｅｇｅｒｓ  ｒｅｐｒｅｓｅｎｔｉｎｇ  ｔｈｅ  ｎｕｍｂｅｒ  ｏｆ  ｔｉｍｅｓ  ｔｈｅ  ｓｔｉｃｋｅｒ  ｒｅｖｅａｌｅｄ  ｉｔｓ  ｕｎｉｑｕｅ  ＩＤ  ａｎｄ  ｔｈｅ  ｎｕｍｂｅｒ  ｏｆ  ｔｉｍｅｓ  ｔｈｅ  ｓｔｉｃｋｅｒ  ｒｅｂｏｏｔｅｄ  ｒｅｓｐｅｃｔｉｖｅｌｙ．  Ｔｈｅ  ｗｈｏｌｅ  ｐａｃｋｅｔ  ｉｓ  ｅｎｃｒｙｐｔｅｄ  ｕｓｉｎｇ  ａ  ｔｗｏ  ｌａｙｅｒ  ｅｎｃｒｙｐｔｉｏｎ  ｕｓｉｎｇ  ａ  ｈａｒｄｃｏｄｅｄ  ｋｅｙ  ｔｈｅｎ  ｕｓｉｎｇ  ｔｈｅ  ｆｉｒｓｔ  ａｎｄ  ｔｈｅ  ｓｅｃｏｎｄ  ｈａｌｆ  ｏｆ  ｔｈｅ  ｐａｃｋｅｔ  ｉｔｓｅｌｆ．  Ｔｈｅ  ｐｒｏｃｅｄｕｒｅ  ｍａｋｅｓ  ｓｕｒｅ  ｔｏ  ｅｍｂｅｄ  ｔｈｅ  ｐａｃｋｅｔ  ｉｄ  ｉｔｓｅｌｆ  ａｌｏｎｇ  ｗｉｔｈ  ｔｈｅ  ｈａｒｄｃｏｄｅｄ  ｋｅｙ  ｉｎ  ｇｅｎｅｒａｔｉｎｇ  ｔｈｅ  ８  ｓｅｃｕｒｉｔｙ  ｂｙｔｅｓ．
Ｔｈｅ  ＩＤ  ｐａｃｋｅｔ  ｉｓ  ｓｅｎｔ  ａｓ  ｉｓ  ｔｏ  ｔｈｅ  ｓｅｒｖｅｒ．  Ｔｈｅ  ｓｅｒｖｅｒ  ｗｉｌｌ  ｄｅｃｒｙｐｔ  ｉｔ  ｔｏ  ｖａｌｉｄａｔｅ  ｔｈａｔ  ｔｈｅ  ｐａｃｋｅｔ  ｗａｓ  ｇｅｎｅｒａｔｅｄ  ｂｙ  ａ  ＳｔｉｃｋＮＦｉｎｄ  ｓｔｉｃｋｅｒ，  ｔｈｅｎ  ｗｉｌｌ  ｅｘｔｒａｃｔ  ｔｈｅ  ＩＤ  Ｒｅａｄｓ  Ｃｏｕｎｔｅｒ  ａｎｄ  ｔｈｅ  ｓｔｉｃｋｅｒ  Ｓｔａｒｔｕｐｓ  Ｃｏｕｎｔｅｒ  ｆｒｏｍ  ｔｈｅ  ｄｅｃｒｙｐｔｅｄ  ＩＤ  ｐａｃｋｅｔ．  Ｔｈｅ  ｌａｓｔ  ｔｗｏ  ｃｏｕｎｔｅｒｓ  ａｒｅ  ｕｓｅｄ  ｔｏ  ｐｒｅｖｅｎｔ  ｒｅｕｓｉｎｇ  ａ  ｃａｐｔｕｒｅｄ  ｐａｃｋｅｔ  ｔｏ  ｍａｋｅ  ａｎ  ａｕｔｈｏｒｉｚｅｄ  ｓｔｉｃｋｅｒ  ｒｅｇｉｓｔｒａｔｉｏｎ．
Ａｆｔｅｒ  ｔｈｅ  ＩＤ  ｐａｃｋｅｔ  ｉｓ  ｖｅｒｉｆｉｅｄ，  ｔｈｅ  ｓｅｒｖｅｒ  ｇｅｎｅｒａｔｅｓ  ａ  ｕｎｉｑｕｅ  ２４  ｂｙｔｅ  ｋｅｙ  ａｎｄ  ｒｅｓｐｏｎｄｓ  ｔｏ  ｔｈｅ  ａｐｐｌｉｃａｔｉｏｎ  ｗｉｔｈ  ｔｈｉｓ  ｋｅｙ．  Ｔｈｅ  ａｐｐｌｉｃａｔｉｏｎ  ｔｈｅｎ  ｗｒｉｔｅｓ  ｔｈｉｓ  ｋｅｙ  ｔｏ  ｔｈｅ  ｓｔｉｃｋｅｒ．  Ｗｈｅｎ  ｔｈｅ  ｗｒｉｔｉｎｇ  ｐｒｏｃｅｓｓ  ｉｓ  ｄｏｎｅ  ｓｕｃｃｅｓｓｆｕｌｌｙ，  ｔｈｅ  ｓｔｉｃｋｅｒ  ｗｉｌｌ  ｓｔａｒｔ  ｓｅｎｄｉｎｇ  ｓｐｅｃｉａｌ  ｂｅａｃｏｎ  ｐａｃｋｅｔｓ．  Ｅａｃｈ  ｂｅａｃｏｎ  ｐａｃｋｅｔ  ｃｏｎｓｉｓｔｓ  ｏｆ  ｔｈｅ  ｐｒｅｖｉｏｕｓｌｙ  ｓｐｅｃｉｆｉｅｄ  ｋｅｙ  ａｌｏｎｇ  ｗｉｔｈ  ｔｈｅ  ｓｔｉｃｋｅｒ  ｓｔａｒｔｕｐ  ｃｏｕｎｔｅｒ  ａｎｄ  ｔｈｅ  ｎｕｍｂｅｒ  ｏｆ  ｂｅａｃｏｎ  ｐａｃｋｅｔｓ  ｏｆ  ｔｈｉｓ  ｔｙｐｅ  ｔｈａｔ  ｗｅｒｅ  ｇｅｎｅｒａｔｅｄ  ｂｙ  ｔｈｅ  ｓｔｉｃｋｅｒ．  Ｔｈｅ  ｗｈｏｌｅ  ｐａｃｋｅｔ  ｉｓ  ｅｎｃｒｙｐｔｅｄ  ｕｓｉｎｇ  ｔｈｅ  ｆｉｒｓｔ  １６  ｂｙｔｅｓ  ｏｆ  ｔｈｅ  ｓｐｅｃｉｆｉｅｄ  ｋｅｙ．
Ｗｈｅｎｅｖｅｒ  ｔｈｅ  ａｐｐ  ｅｎｃｏｕｎｔｅｒｓ  ｏｎｅ  ｏｆ  ｔｈｅ  ｓｐｅｃｉｆｉｅｄ  ｂｅａｃｏｎ  ｐａｃｋｅｔｓ，  ｉｔ  ｓｅｎｄｓ  ｔｈｅ  ｗｈｏｌｅ  ｐａｃｋｅｔ  ｔｏ  ｔｈｅ  ｓｅｒｖｅｒ．  Ｔｈｅ  ｓｅｒｖｅｒ  ｔｈｅｎ  ｓｅａｒｃｈｅｓ  ｆｏｒ  ｔｈｅ  ｃｏｒｒｅｓｐｏｎｄｉｎｇ  ｓｔｉｃｋｅｒ  ｂｙ  ｓｅａｒｃｈｉｎｇ  ａｍｏｎｇ  ｔｈｅ  ｓａｖｅｄ  ｋｅｙｓ  ｔｈａｔ  ｃａｎ  ｄｅｃｒｙｐｔ  ｔｈｅ  ｒｅｃｅｉｖｅｄ  ｐａｃｋｅｔ  ａｎｄ  ｐｒｅｓｅｒｖｅ  ｔｈｅ  ｓｐｅｃｉｆｉｃａｔｉｏｎｓ  ｏｆ  ｔｈｅ  ｅｘｐｅｃｔｅｄ  ｄｅｃｒｙｐｔｅｄ  ｐａｃｋｅｔ．  Ｔｈｅ  ｓｔｉｃｋｅｒ  ｓｔａｒｔｕｐ  ｆｉｅｌｄ  ａｎｄ  ｔｈｅ  ｂｅａｃｏｎ  ｐａｃｋｅｔ  ｃｏｕｎｔｅｒ  ａｒｅ  ｕｓｅｄ  ｔｏ  ｐｒｅｖｅｎｔ  ｒｅｕｓｉｎｇ  ｏｆ  ａ  ｐｒｅｖｉｏｕｓｌｙ  ｕｓｅｄ  ｂｅａｃｏｎ  ｐａｃｋｅｔ  ｉｎ  ｏｒｄｅｒ  ｔｏ  ｐｒｅｖｅｎｔ  ｆａｋｅ  ｒｅｐｏｒｔｉｎｇ  ｏｆ  ａ  ｓｔｉｃｋｅｒ  ｌｏｃａｔｉｏｎ．
Ｓｅｒｖｅｒ  ｓｔｏｒｅｓ  Ｓｔｉｃｋｎｆｉｎｄ  Ｓｔｉｃｋｅｒ  Ｅｎｃｙｐｔｉｏｎ  ｋｅｙｓ  ａｎｄ  ｎａｍｅｓ：  Ｗｈｅｎ  ａ  ｕｓｅｒ  ｐａｉｒｓ  ａ  ｎｅｗ  ｓｔｉｃｋｅｒ  ｗｉｔｈ  ｈｉｓ  ｐｈｏｎｅ，  ｉｎｓｔｅａｄ  ｏｆ  ｓａｖｉｎｇ  ｔｈｅ  ｐａｒｉｎｇ  ｋｅｙｓ  ｌｏｃａｌｌｙ  ｏｎ  ｔｈｅ  ｐｈｏｎｅ，  ｔｈｅ  ａｐｐ  ｓａｖｅｓ  ｉｔ  ｏｎ  ｔｈｅ  ｃｌｏｕｄ，  ａｓｓｏｃｉａｔｉｎｇ  ｔｈｅ  ＵＵＩＤ  ｏｆ  ｔｈｅ  Ｓｔｉｃｋｅｒ  ｗｉｔｈ  ｔｈｅ  ｕｓｅｒｎａｍｅ  ／  ｐａｓｓｗｏｒｄ  ａｎｄ  ｉｔｓ  ｅｎｃｒｙｐｔｉｏｎ  ｋｅｙｓ．  Ｆｕｒｔｈｅｒ  ｔｈｅ  ｓｅｒｖｅｒ  ｃａｎ  ａｌｓｏ  ａｓｓｏｃｉａｔｅ  ｗｉｔｈ  ｔｈｉｓ  ＵＵＩＤ  ｔｈｅ  ｓｅｌｅｃｔｅｄ  ｎａｍｅ  ｔｈｅ  ｕｓｅｒ  ｇａｖｅ  ｉｔ，  ｉ．ｅ．  ｋｅｙｓ  ｅｔｃ．
Ｂｅｃａｕｓｅ  ｐｅｏｐｌｅ  ｔｅｎｄ  ｔｏ  ｃｈａｎｇｅ  ｍｏｂｉｌｅ  ｐｈｏｎｅｓ  ｖｅｒｙ  ｏｆｔｅｎ，  ｕｓｅｒ  ｌｏｇｇｉｎｇ  ｉｎ  ｗｉｔｈ  ｈｉｓ  ｃｒｅｄｅｎｔｉａｌｓ，  ｗｉｌｌ  ａｌｌｏｗ  ａ  ｎｅｗ  ｐｈｏｎｅ  ｔｏ  ｉｄｅｎｔｉｆｙ  ｔｈｅ  ｓｔｉｃｋｅｒ  ｎａｍｅ  ｆｒｏｍ  ｗｉｔｈｉｎ  ｓｃａｎｎｉｎｇ  ｒａｎｇｅ，  ａｎｄ  ｐａｉｒ  ｉｔ  ｗｉｔｈ  ｔｈｅ  ｐｈｏｎｅ，  ｂｙ  ｄｏｗｎｌｏａｄｉｎｇ  ｔｈｅ  ｎｅｃｅｓｓａｒｙ  Ｅｎｃｒｙｐｔｉｏｎ  ｋｅｙｓ  ｔｏ  ｐａｉｒ  ｔｈｅ  Ｓｔｉｃｋｅｒ  ｗｉｔｈ  ｔｈｅ  ｐｈｏｎｅ．
Ｓｅｃｕｒｉｔｙ  ｐｒｏｔｅｃｔｉｏｎ：
Ａ  ｐｒｏｘｉｍｉｔｙ−ｂａｓｅｄ  ｐａｉｒｉｎｇ  ｆｅａｔｕｒｅ  ｉｓ  ｅｍｐｌｏｙｅｄ  ｔｏ  ｅｎｓｕｒｅ  ｔｈａｔ  ｏｔｈｅｒ  ｐｅｏｐｌｅ  ｗｉｌｌ  ｎｏｔ  ｐａｉｒ  ｗｉｔｈ  ｙｏｕｒ  ｅｘｉｓｔｉｎｇ  ｓｔｉｃｋｅｒ  ｔｏ  ｔｒａｃｋ  ｔｈｅ  ｏｗｎｅｒ  ｏｆ  ｔｈｅ  ｕｓｅｒ，  ｏｒ  ｇｅｔ  ａｌｅｒｔｓ  ｗｈｅｎ  ｔｈｅ  ｏｗｎｅｒ  ｉｓ  ｎｅａｒｂｙ．  Ｔｈｉｓ  ｍｅａｎｓ  ｔｈａｔ  ａ  ｕｓｅｒ  ｍｕｓｔ  ｂｅ  ｗｉｔｈｉｎ  ｏｎｅ  ｆｏｏｔ  ｏｆ  ｔｈｅ  Ｓｔｉｃｋｅｒ  ｉｎ  ｏｒｄｅｒ  ｔｏ  ｐａｉｒ  ｗｉｔｈ  ｉｔ．  Ｔｈｅｒｅｆｏｒｅ  ｉｆ  ａ  ｓｅｃｏｎｄ  ｐａｒｔｙ  ｗａｎｔｓ  ｔｏ  ｐａｉｒ  ｗｉｔｈ  ａ  ｕｓｅｒ’ｓ  ｓｔｉｃｋｅｒ  （ｉｎ  ｏｒｄｅｒ  ｔｏ  ｔｒａｃｋ  ｏｒ  ｇｅｔ  ａｌｅｒｔｓ  ｗｈｅｎ  ｔｈｅ  ｕｓｅｒ  ｉｓ  ｎｅａｒｂｙ）  ｆｒｏｍ  ｍｏｒｅ  ｔｈａｔ  ｏｎｅ  ｆｏｏｔ  ａｗａｙ，  ｔｈｅ  ｆｉｒｍｗａｒｅ  ｉｎｓｉｄｅ  ｔｈｅ  ｓｔｉｃｋｅｒ  ｗｉｌｌ  ｎｏｔ  ａｌｌｏｗ  ｔｈｅ  ｐａｉｒｉｎｇ．  Ｏｎｌｙ  ａ  ｕｓｅｒ  ｗｉｔｈｉｎ  ｏｎｅ  ｆｏｏｔ  ｐｒｏｘｉｍｉｔｙ  ｗｉｌｌ  ｂｅ  ａｌｌｏｗｅｄ  ｔｏ  ｐａｉｒ  ｗｉｔｈ  ｔｈｅ  ｓｔｉｃｋｅｒ．
Ｓｌｅｅｐｉｎｇ  ｍｏｄｅ  ／  Ｓｈｉｐｐｉｎｇ  ｍｏｄｅ：
Ｂｅｃａｕｓｅ  ｔｈｅ  ｓｔｉｃｋｅｒ  ｕｓｅｓ  ａ  ｐｉｅｚｏｅｌｅｃｔｒｉｃ  ａｕｄｉｏ  ａｍｐｌｉｆｉｅｒ  ａｓ  ａ  ｂｕｚｚｅｒ，  ｔｈｅ  ｓｔｉｃｋｅｒｓ  ａｒｅ  ｓｈｉｐｐｅｄ  ｗｉｔｈ  ｔｈｅ  Ｒａｄｉｏ  ｏｆｆ，  ｉｎ  ｏｒｄｅｒ  ｔｏ  ｓａｖｅ  ｂａｔｔｅｒｙ．
Ｗｈｅｎ  ｔｈｅ  ｕｓｅｒ  ｗａｎｔｓ  ｔｏ  ‘ｗａｋｅ  ｕｐ’  ｔｈｅ  ｓｔｉｃｋｅｒｓ  ｔｏ  ｓｔａｒｔ  ｕｓｉｎｇ  ｔｈｅｍ，  ｔｈｅｙ  ｎｅｅｄ  ｔｏ  ｔａｐ  ｔｈｅ  ｓｔｉｃｋｅｒ  ２  ｔｉｍｅｓ，  ａｎｄ  ｔｈｅ  ｔａｐｉｎｇ  ｗｉｌｌ  ｃｒｅａｔｅ  ａ  ｓｉｇｎａｌ  ｆｒｏｍ  ｔｈｅ  ｐｉｅｚｏｅｌｅｃｔｒｉｃ  ｃｏｍｐｏｎｅｎｔ，  ｃａｕｓｉｎｇ  ｔｈｅ  ＣＰＵ  ｔｏ  ｗａｋｅ  ｕｐ  ａｎｄ  ｔｕｒｎ  ｏｎ  ｔｈｅ  ｒａｄｉｏ．
Ｔｈｅ  ｐｉｅｚｏｅｌｅｃｔｒｉｃ  ｃｏｍｐｏｎｅｎｔ  ｉｓ  ａｌｓｏ  ｕｓｅｄ  ｔｏ  ｆｉｎｄ  ａ  ｐａｉｒｅｄ  ｐｈｏｎｅ．  Ｉｆ  ｔｈｅ  ｐｈｏｎｅ  ｉｓ  ｌｏｓｔ／  ｍｉｓｐｌａｃｅｄ，  ｔｈｅ  ｕｓｅｒ  ｎｅｅｄ  ｏｎｌｙ  ｔａｐ  ｔｈｅ  ｓｔｉｃｋｅｒ  ３  ｔｉｍｅｓ．  Ｔｈｉｓ  ａｃｔｉｏｎ  ｃｈａｎｇｅｓ  ｔｈｅ  ｂｒｏａｄｃａｓｔ  ｐａｃｋｅｔｓ  ｔｏ  ａｎ  ＡＬＥＲＴ  ｐａｃｋｅｔ  ｔｈａｔ  ｔｈｅ  ａｐｐ  ｏｒ  ｓｅｒｖｉｃｅｓ  ｒｕｎｎｉｎｇ  ｉｎ  ｔｈｅ  ｂａｃｋｇｒｏｕｎｄ  ｏｆ  ｔｈｅ  ｐｈｏｎｅ  ｓｅｅｓ．  Ｔｈｅ  ｂｒｏａｄｃａｓｔ  ｐａｃｋｅｔ  ｃａｕｓｅｓ  ｔｈｅ  ｐｈｏｎｅ  ｒｉｎｇｅｒ  ｔｏ  ｒｉｎｇ．
Ｗｈｅｎ  ｉｎｓｔａｌｌｉｎｇ  ａ  ｐｒｏｘｉｍｉｔｙ  ｂｅａｃｏｎ  （ＯＳＵ）  ｉｎ  ａｎ  ａｒｅａ  ｓｕｃｈ  ａｓ  ｉｎ  ａ  ｒｅｔａｉｌ  ｓｔｏｒｅ  ｆｏｒ  ｅｘａｍｐｌｅ，  ｔｈｅ  ｂｅａｃｏｎ  ｉｓ  ｐｌａｃｅｄ  ｉｓ  ａ  ｓｐｅｃｉｆｉｃ  ａｒｅａ  ｆｏｒ  ａ  ｎｕｍｂｅｒ  ｏｆ  ｒｅａｓｏｎｓ．  Ｆｏｒ  ｅｘａｍｐｌｅ  ｔｈｅ  ＯＳＵ  ｃａｎ  ｂｅ  ｕｓｅｄ  ｔｏ  ｍｏｎｉｔｏｒ  ｃｏｎｓｕｍｅｒ  ｓｔａｔｉｓｔｉｃｓ，  ｄｗｅｌｌｉｎｇ  ｔｉｍｅ  （ｔｉｍｅ  ｌｏｏｋｉｎｇ  ａｔ  ｐｒｏｄｕｃｔｓ），  ｔｏ  ｓｅｒｖｅ  ｏｆｆｅｒｓ  ｏｒ  ｈａｖｅ  ｔｈｅ  ｐｈｏｎｅ  ｓｔｏｒｅ  ｔｈｅ  ｉｎｆｏｒｍａｔｉｏｎ  ｆｏｒ  ｌａｔｅｒ  ｕｓｅ，  ｅｔｃ．  Ｔｈｅ  ｉｎｆｏｒｍａｔｉｏｎ  ｉｓ  ｒｅｌａｙｅｄ  ｔｏ  ｔｈｅ  ｍｅｒｃｈａｎｔ  ｆｏｒ  ａｎａｌｙｓｉｓ  （ｅ．ｇ．  ｓｕｃｃｅｓｓ／ｆａｉｌｕｒｅ  ｏｆ  ａｎ  ａｄｖｅｒｔｉｓｅｍｅｎｔ  ｔｏ  ｃａｔｃｈ  ｔｈｅ  ｉｎｔｅｒｅｓｔ  ｏｆ  ｐａｓｓｉｎｇ  ｓｈｏｐｐｅｒｓ  ａｎｄ  ｓｕｂｓｅｑｕｅｎｔ  ｓｕｃｃｅｓｓ／ｆａｉｌｕｒｅ  ａｔ  ａｃｈｉｅｖｉｎｇ  ａ  ｃｏｎｖｅｒｓｉｏｎ  ｂｙ  ｃｒｏｓｓ  ｒｅｆｅｒｅｎｃｉｎｇ  ｕｓｅｒ  ｄａｔａ  ａｎｄ  ｔｉｌｌ  ｓｌｉｐｓ  ｄａｔａ  ｅｔｃ．）  ａｎｄ  ｆｕｔｕｒｅ  ｃｏｕｐｏｎｓ  ｅｔｃ．
Ｔｏ  ｔｈｉｓ  ｅｎｄ，  ｔｈｅ  ｂｅａｃｏｎｓ  ｍｕｓｔ  ｂｅ  ｐｌａｃｅｄ  ｉｎ  ｔｈｅ  ｒｉｇｈｔ  ａｒｅａｓ，  ｎｅａｒ  ｔｈｅ  ｐｒｏｄｕｃｔｓ  ｏｒ  ａｒｅａｓ  ｏｆ  ｉｎｔｅｒｅｓｔ．  Ａ  ｐｒｏｂｌｅｍ  ｔｈａｔ  ｃａｎ  ｏｃｃｕｒ  ｉｓ  ｔｈａｔ  ａ  ｓｔｏｒｅ  ｍａｎａｇｅｒ，  ｃｌｅａｎｅｒ，  ｐａｃｋｅｒ，  ｅｔｃ．，  ｍｉｇｈｔ  ｍｏｖｅ  ａ  ｆｉｘｔｕｒｅ  ａｎｄ  ｔｈｕｓ  ｍｏｖｉｎｇ  ａ  ｂｅａｃｏｎ  ｔｏ  ａ  ｄｉｆｆｅｒｅｎｔ  ａｒｅａ，  ａｎｄ  ｔｈｅｒｅｆｏｒｅ  ｔｈｅ  ｍｏｎｉｔｏｒｉｎｇ  ａｎｄ  ｃｏｕｐｏｎ  ｐｕｓｈｉｎｇ  ｗｉｌｌ  ｂｅ  ｉｎｃｏｒｒｅｃｔ  ｏｒ  ｌｅｓｓ  ｅｆｆｅｃｔｉｖｅ．
Ｉｎ  ｏｎｅ  ｐｒｅｆｅｒｒｅｄ  ｓｏｌｕｔｉｏｎ，  ｅａｃｈ  ｂｅａｃｏｎ  ”ｌｅａｒｎｓ”  ｎｅｉｇｈｂｏｒｉｎｇ  ｂｅａｃｏｎｓ  ｓｏ  ｔｈａｔ  ｉｆ  ａ  ｎｅｉｇｈｂｏｒｉｎｇ  ｂｅａｃｏｎ  ｇｏｅｓ  ｍｉｓｓｉｎｇ  ｏｒ  ｉｓ  ｍｏｖｅｄ，  ｔｈｅ  ｆｉｒｓｔ  ｂｅａｃｏｎ  ｗｉｌｌ  ｓｅｎｄ  ａ  ｒｅｐｏｒｔ  ａｂｏｕｔ  ｔｈｅ  ｍｉｓｓｉｎｇ  ｂｅａｃｏｎ  ｉｎ  ｐａｒｔ  ｏｆ  ａ  ｒｅｇｕｌａｒ／ｓｐｅｃｉａｌ  ｄａｔａ  ｐａｃｋｅｔ  ｔｈａｔ  ｗｉｌｌ  ｂｅ  ｒｅｌａｙｅｄ  ｔｏ  ｔｈｅ  ｓｅｒｖｅｒ．  Ｃｏｎｖｅｒｓｅｌｙ，  ｗｈｅｎ  ａ  ｂｅａｃｏｎ  ｎｏｔｉｃｅｓ  ｔｈａｔ  ａｌｌ  ｏｆ  ｔｈｅ  ｎｅｉｇｈｂｏｒｉｎｇ  ｂｅａｃｏｎｓ  ａｒｅ  ｎｏｗ  ｄｉｆｆｅｒｅｎｔ，  ｔｈｅ  ｂｅａｃｏｎ  ｗｉｌｌ  ｓｅｎｄ  ａ  ｒｅｐｏｒｔ  ｔｏ  ｔｈｅ  ｓｅｒｖｅｒ  ｎｏｔｉｆｙｉｎｇ  ｔｈｅ  ｓｅｒｖｅｒ  ｔｈａｔ  ｔｈｅ  ｂｅａｃｏｎ  ｈａｓ  ｂｅｅｎ  ｍｏｖｅｄ．  Ｔｈｅ  ｓｅｒｖｅｒ  ｃａｎ  ｔｈｅｎ  ｐｒｏｖｉｓｉｏｎ  ｔｈｅ  ｎｅｗ  ｂｅａｃｏｎ  ｏｒ  ｓｅｎｄ  ａ  ｎｏｔｉｆｉｃａｔｉｏｎ  ｆｏｒ  ｎｅｗ  ｐｒｏｖｉｓｉｏｎｉｎｇ．  
Ｉｆ  ａ  ｎｅｗ  ｂｅａｃｏｎ  ｉｓ  ｉｎｓｔａｌｌｅｄ  ａｎｄ  ｔｈｅ  ｄｅｔｅｃｔｅｄ  ｎｅｉｇｈｂｏｒｉｎｇ  ｂｅａｃｏｎｓ  ｍａｔｃｈ  ｔｈｅ  ｂｅａｃｏｎｓ  ｐｒｅｖｉｏｕｓｌｙ  ｋｎｏｗｎ  ｂｙ  ｔｈｅ  ｎｏｗ−ｍｉｓｓｉｎｇ／ｍｉｓｐｌａｃｅｄ  ｂｅａｃｏｎ，  ｔｈｅｎ  ｔｈｅ  ｓｅｒｖｅｒ  ｃａｎ  ａｓｓｕｍｅ  ｔｈａｔ  ｔｈｅ  ｎｅｗ  ｂｅａｃｏｎ  ｈａｓ  ｒｅｐｌａｃｅｄ  ｔｈｅ  ｏｌｄｅｒ  ｏｎｅ．
Ｂｅａｃｏｎｓ  ｃａｎ  ‘ｌｉｓｔｅｎ’  ｔｏ  ｅａｃｈ  ｏｔｈｅｒ  ｕｓｉｎｇ  ａ  Ｓｙｎｃｈｒｏｎｉｚｅｄ  ｍｅｓｈ  ｎｅｔｗｏｒｋ．  Ｔｈｅｙ  ｃａｎ  ａｄａｐｔ  ｅａｃｈ  ｏｔｈｅｒ  ａｎｄ  ｓｙｎｃｈｒｏｎｉｚｅ  ｗｉｔｈ  ｅａｃｈ  ｏｔｈｅｒ  ｂａｓｅｄ  ｏｎ  ｔｉｍｅ  ｓｌｏｔｓ  ａｕｔｏｍａｔｉｃａｌｌｙ  ｃｒｅａｔｅｄ  ｂｙ  ｅａｃｈ  ｂｅａｃｏｎ．
Ａ  ｖｅｒｙ  ｐｒｅｃｉｓｅ  ｃｌｏｃｋ  ｉｓ  ｎｅｅｄｅｄ  ｔｏ  ｋｅｅｐ  ｔｈｅ  ｎｅｔｗｏｒｋｅｄ  ｂｅａｃｏｎｓ  ｏｆ  ｔｈｅ  ｓｙｓｔｅｍ  ｉｎ  ｓｙｎｃ．  Ｗｈｅｎ  ｔｈｅ  ｓｙｓｔｅｍ  ｄｏｅｓ  ｎｏｔ  ｉｎｃｌｕｄｅ  ａ  ｍａｓｔｅｒ  ｂｅａｃｏｎ，  ｔｈｅｎ  ａｎ  ａｃｃｕｒａｔｅ  ｃｌｏｃｋ  ｒｅａｄｉｎｇ  ｃａｎ  ｂｅ  ｓｅｎｔ  ｆｒｏｍ  ｔｈｅ  ｓｅｒｖｅｒ  ｖｉａ  ａｎ  Ｅｎｄ−ｕｓｅｒ  ｐｈｏｎｅ  ｃｏｎｎｅｃｔｉｏｎ．
Ｍｅｔｈｏｄ  ｆｏｒ  ｓａｖｉｎｇ  ｂａｔｔｅｒｙ  ｏｎ  Ｂｅａｃｏｎｓ  
Ｂｌｕｅｔｏｏｔｈ  Ｂｅａｃｏｎｓ  ｃｏｎｓｕｍｅ  ｍｏｒｅ  ｐｏｗｅｒ  ｗｈｅｎ  ｒｅｃｅｉｖｉｎｇ  ｒａｔｈｅｒ  ｔｈａｎ  ｗｈｅｎ  ｔｒａｎｓｍｉｔｔｉｎｇ．  Ａ  ｗａｙ  ｔｏ  ｒｅｄｕｃｅ  ｃｏｎｓｕｍｐｔｉｏｎ  ｉｓ  ｔｈａｔ  ｉｆ  ａ  ｂｅａｃｏｎ  ａｎｄ  ａ  ｐｈｏｎｅ  ａｒｅ  ｆａｒ  ａｗａｙ：
Ｂｅａｃｏｎ  ｓｅｎｄｓ  ａｎ  ａｄｖｅｒｔｉｓｅｍｅｎｔ  ｐａｃｋｅｔ．  
Ｒｅｍｏｔｅ  ｐｈｏｎｅ  ｓｃａｎｓ  ａｎｄ  ｒｅｐｌｉｅｓ  ｗｉｔｈ  ａ  ｓｃａｎ  ｒｅｑｕｅｓｔ．    
Ｂｅａｃｏｎ  ｍｅａｓｕｒｅｓ  ｓｉｇｎａｌ  ＲＳＳＩ，  ａｎｄ  ｉｆ  ｓｉｇｎａｌ  ｂｅｌｏｗ  ｃｅｒｔａｉｎ  ｐｒｅｄｅｆｉｎｅｄ  ｌｅｖｅｌ  ｔｈｅｎ  ｔｈｅ  ｐｈｏｎｅ  ｉｓ  ｄｅｔｅｒｍｉｎｅｄ  ｔｏ  ｂｅ  ｔｏｏ  ｆａｒ  ａｗａｙ，  ａｎｄ  ｔｈｅ  ｂｅａｃｏｎ  ｗｉｌｌ  ｉｇｎｏｒｅ  ｔｈｅ  ｐｈｏｎｅ．  （Ｔｈｅ  ｂｅａｃｏｎ  ｗｉｌｌ  ｎｏｔ  Ｌｉｓｔｅｎ  ｆｏｒ  ｔｈｅ  ｒｅｐｌｙ  ｏｆ  ｔｈｅ  Ｐｈｏｎｅ，  ｔｈａｔ  ｃａｎ  ｔａｋｅ  ５０  ｍｉｃｒｏ  ｓｅｃｏｎｄｓ，  ｂｕｔ  ｒａｔｈｅｒ  ｊｕｓｔ  ｌｉｓｔｅｎ  ｆｏｒ  ＲＳＳＩ  ｃｈｅｃｋ  ａｆｔｅｒ  ｔｈｅ  ｐｈｏｎｅ  ｒｅｐｌｉｅｓ  ｔｈａｔ  ｏｎｌｙ  ｔａｋｅｓ  ８  ｍｉｃｒｏ  ｓｅｃｏｎｄｓ．）  
Ｉｆ  ｔｈｅ  ｐｈｏｎｅ  ｉｓ  ｃｌｏｓｅｒ，  ｔｈｅ  ｂｅａｃｏｎ  ｗｉｌｌ  ｓｗｉｔｃｈ  ｆｒｏｍ  ＲＳＳＩ  ＲＸ  ｔｏ  ｆｕｌｌ  Ｐａｃｋｅｔ  ｒｅｃｅｉｖｉｎｇ  ｍｏｄｅ．
ＳＨＯＰ  ＴＡＧ
Ｆｉｇｕｒｅ  １３  ｉｓ  ａｎ  ｅｘｅｍｐｌａｒｙ  ｐｉｃｔｏｒｉａｌ  ｄｅｐｉｃｔｉｏｎ  ｏｆ  ａ  ＢＬＥ  Ｔａｇ  ｉｎ  ｕｓｅ  ｉｎ  ａｎ  ｅｘｅｍｐｌａｒｙ  ｓｃｅｎａｒｉｏ．  Ｉｎ  ｔｈｅ  ｅｘｅｍｐｌａｒｙ  ｓｃｅｎａｒｉｏ，  ａ  ＢＬＥ  Ｔａｇ  ｉｓ  ｅｍｐｌｏｙｅｄ  ａｓ  ｐａｒｔ  ｏｆ  ａ  ｓｙｓｔｅｍ  ｆｏｒ  ｓｔｏｒｅ  ｍａｎａｇｅｍｅｎｔ．  Ｔｈｅ  ｉｎｆｏｒｍａｔｉｏｎ  ｏｎ  ｔｈｅ  ｔａｇ  ｃａｎ  ｂｅ  ａｃｃｅｓｓｅｄ  ｂｙ  ｍｏｂｉｌｅ  ｃｏｍｐｕｔｉｎｇ  ａｎｄ  ｃｏｍｍｕｎｉｃａｔｉｏｎｓ  ｐｌａｔｆｏｒｍｓ／ｄｅｖｉｃｅｓ  ｓｕｃｈ  ａｓ  ｓｍａｒｔｐｈｏｎｅｓ  ａｎｄ  ｔｈｅ  ｌｉｋｅ  ｒｕｎｎｉｎｇ  ａ  ｃｏｍｐｌｅｍｅｎｔａｒｙ  ａｐｐｌｉｃａｔｉｏｎ．  Ａｎ  ｉｎｎｏｖａｔｉｖｅ  Ｓｈｏｐ  Ｔａｇ  ｃａｎ  ｂｅ  ｔｒａｃｋｅｄ  （ｅ．ｇ．  ｆｏｒ  ｉｎｖｅｎｔｏｒｙ  ｐｕｒｐｏｓｅｓ  ａｎｄ  ｔｈｅ  ｌｉｋｅ）  ｂｙ  ａ  ＢＬＥ  （ｏｒ  ｏｔｈｅｒ  ＬＡＷＣ）  ｅｎａｂｌｅｄ  ｃｏｍｐｕｔｉｎｇ  ｄｅｖｉｃｅ  ａｓ  ｐａｒｔ  ｏｆ  ａ  ｌａｒｇｅｒ  ｓｙｓｔｅｍ  （ｅ．ｇ．  ａｎ  ｉｎ−ｓｔｏｒｅ  ｉｎｖｅｎｔｏｒｙ  ａｎｄ  ｓａｌｅｓ  ｓｙｓｔｅｍ）．  
Ｉｎ−ｓｔｏｒｅ  ｉｎｖｅｎｔｏｒｙ  ａｎｄ  ｔｒａｃｋｉｎｇ  ｏｆ  ｃｌｏｔｈｅｓ  ｕｓｉｎｇ  ＲＦＩＤ  ａｓ  ａｎ  ｅａｓｙ  ｍｅｔｈｏｄ  ｏｆ  ｉｄｅｎｔｉｆｙｉｎｇ  ａｎｄ  ｔｒａｃｋｉｎｇ  ｇｏｏｄｓ  ｉｓ  ｋｎｏｗｎ  ｉｎ  ｔｈｅ  ａｒｔ．  Ｏｎ  ｔｈｅ  ｏｔｈｅｒ  ｈａｎｄ，  ＲＦＩＤ  ｉｓ  ａ  ｌｉｍｉｔｅｄ  ｔｅｃｈｎｏｌｏｇｙ，  ｗｉｔｈ  ｒｅｓｐｅｃｔ  ｔｏ  ｂｏｔｈ  ｌｏｇｉｓｔｉｃ，  ｐｈｙｓｉｃａｌ  ｌｉｍｉｔａｔｉｏｎｓ  ａｓ  ｗｅｌｌ  ａｓ  ｔｅｃｈｎｏｌｏｇｙ  ｌｉｍｉｔａｔｉｏｎｓ．  ＲＦＩＤ  ｔａｇｓ  ａｒｅ  ｕｂｉｑｕｉｔｏｕｓ  ｉｎ  ｔｈｅ  ｗｏｒｋ  ｐｌａｃｅ  ａｓ  ＩＤ  ｔａｇｓ  ｕｓｅｄ  ｆｏｒ  ａｃｃｅｓｓｉｎｇ  ｗｏｒｋｐｌａｃｅｓ  ａｓ  ｗｅｌｌ  ａｓ  ｉｎ  ｗａｒｅｈｏｕｓｅｓ  ａｎｄ  ｔｈｅ  ｌｉｋｅ  ｆｏｒ  ｐｕｒｐｏｓｅｓ  ｏｆ  ｔｒａｃｋｉｎｇ．  Ｉｎ  ｂｏｔｈ  ｇｅｎｅｒａｌ  ｃａｓｅｓ，  ＲＦＩＤ  ｉｓ  ｌｉｍｉｔｅｄ  ｔｏ  ａ  ｍａｘｉｍｕｍ  ｏｆ  ａｂｏｕｔ  ｏｎｅ  ｍｅｔｅｒ，  ｂｅｙｏｎｄ  ｗｈｉｃｈ  ｔｈｅ  ｔａｇｓ  ｃａｎｎｏｔ  ｂｅ  ｒｅａｄ／ａｃｃｅｓｓｅｄ．  Ｆｕｒｔｈｅｒｍｏｒｅ，  ｓｐｅｃｉｆｉｅｄ，  ｅｘｐｅｎｓｉｖｅ  ｄｅｖｉｃｅｓ  ａｒｅ  ｎｅｅｄｅｄ  ｆｏｒ  ｒｅａｄｉｎｇ  ＲＦＩＤ  ｔａｇｓ．  Ｔｈｅ  ｔｅｃｈｎｏｌｏｇｙ  ｆｏｒ  Ｍｏｂｉｌｅ  ＲＦＩＤ  （Ｍ−ＲＦＩＤ）  ｄｏｅｓ  ｎｏｔ  ｅｎｊｏｙ  ｗｉｄｅｓｐｒｅａｄ  ｕｓｅ  ａｎｄ  ｉｓ  ｎｏｔ  ａｖａｉｌａｂｌｅ  ｏｎ  ｔｈｅ  ｍａｊｏｒｉｔｙ  ｏｆ  ｍｏｂｉｌｅ  ｄｅｖｉｃｅｓ．  Ｔｈｅ  ｉｍｍｅｄｉａｔｅ  ｉｎｎｏｖａｔｉｏｎ  ｄｉｓｃｌｏｓｅｓ  ａ  Ｂｌｕｅｔｏｏｔｈ  Ｓｈｏｐ  Ｔａｇ  ｗｈｉｃｈ  ａｄｄｓ  ｔｏ  ｔｈｅ  ｅｘｉｓｔｉｎｇ  ｉｎ−ｓｔｏｒｅ  ＲＦＩＤ  ｃｌｏｔｈｅｓ  ｈａｒｄ  ｔａｇ．  Ｐｒｅｆｅｒａｂｌｙ  ｔｈｅ  Ｂｌｕｅｔｏｏｔｈ  Ｔａｇ  ｕｓｅｓ  ＢＬＥ  ｔｅｃｈｎｏｌｏｇｙ  （ＢＬＥ  Ｔａｇ）  ｆｏｒ  ｉｎｃｒｅａｓｅｄ  ｆｕｎｃｔｉｏｎａｌｉｔｙ．  Ｃｏｍｂｉｎｇ  ｂｏｔｈ  Ｈａｒｄｔａｇ  ａｎｄ  ＢＬＥ  ｓｏｌｕｔｉｏｎ  ａｌｌｏｗｓ  ｔｏ  ｋｅｅｐ  ｅｘｉｓｔｉｎｇ  ｉｎｆｒａｓｔｒｕｃｔｕｒｅ  ｏｆ  ＨａｒｄＴａｇｓ  ａｎｄ  ｄｏｏｒ  ｓｅｎｓｏｒｓ，  ｗｈｉｌｅ  ａｄｄｉｎｇ  ａ  ｎｅｗ  ｌｅｖｅｌ  ｏｆ  ｉｎｖｅｎｔｏｒｙ  ｍａｎａｇｅｍｅｎｔ  ｆｏｒ  ｔｈｅ  ｓｔｏｒｅ，  ｇｅｔ  ｃｕｓｔｏｍｅｒ  ｂｅｈａｖｉｏｒ  ａｎｄ  ｄｗｅｌｌｉｎｇ  ｔｉｍｅ，  ｗｈｉｌｅ  ｓｕｐｐｌｙｉｎｇ  ｔｈｅ  ｃｕｓｔｏｍｅｒ  ｗｉｔｈ  ｅ  ｂｅｔｔｅｒ  ｓｈｏｐｐｉｎｇ  ｅｘｐｅｒｉｅｎｃｅ．
Ｕｓｉｎｇ  Ｂｌｕｅｔｏｏｔｈ  Ｌｏｗ  Ｅｎｅｒｇｙ  ｔｅｃｈｎｏｌｏｇｙ，  ｅａｃｈ  ｉｔｅｍ  ｉｎ  ａ  ｓｔｏｒｅ  ｇｅｔｓ  ａｎ  ｉｎｄｉｖｉｄｕａｌ  ＩＤ，  ａｎｄ  ｉｎｆｏｒｍａｔｉｏｎ  ａｂｏｕｔ  ｔｈｅ  ｉｔｅｍ  ｉｓ  ｓｔｏｒｅｄ  ｏｎ  ｔｈｅ  Ｔａｇ．  Ｔｈｅ  Ｔａｇ  ａｌｓｏ  ｐｒｏｖｉｄｅｓ  ａｎ  ｅａｓｙ  ｍｅａｎｓ  ｆｏｒ  ｓｅｃｕｒｉｎｇ  ｉｔｅｍｓ  ｔｏ  ｐｒｅｖｅｎｔ  ｓｈｏｐｌｉｆｔｉｎｇ．  Ｆｏｒ  ｅｘａｍｐｌｅ，  ｉｆ  ａｎ  ｉｔｅｍ  ｉｓ  ｔａｋｅｎ  ｆｒｏｍ  ｔｈｅ  ｓｔｏｒｅ，  ｔｈｅ  ａｌａｒｍ  ａｔ  ｔｈｅ  ｄｏｏｒ  ｗｉｌｌ  ｓｏｕｎｄ．  Ｔｈｅ  Ｔａｇ  ａｓｓｉｓｔｓ  ｉｎ  ｍａｎａｇｉｎｇ  ｉｎｖｅｎｔｏｒｙ  ａｓ  ｅａｃｈ  ｔａｇ  ｃａｎ  ｂｅ  ｓｅｎｓｅｄ  ｂｙ  ｔｈｅ  ｍａｎａｇｅｍｅｎｔ  ｓｙｓｔｅｍ  ａｕｔｏｍａｔｉｃａｌｌｙ．  Ｂｌｕｅｔｏｏｔｈ  Ｌｏｗ  Ｅｎｅｒｇｙ  ａｌｓｏ  ａｌｌｏｗｓ  ｆｏｒ  ｍａｎａｇｉｎｇ  ｉｎｖｅｎｔｏｒｙ  ｏｖｅｒ  ａｎ  ａｒｅａ  ｏｆ  ａｐｐｒｏｘｉｍａｔｅｌｙ  ｏｎｅ  ｈｕｎｄｒｅｄ  ｆｅｅｔ．  Ａｎｙ  ｃｏｍｐｕｔｉｎｇ  ｄｅｖｉｃｅ  ｗｈｉｃｈ  ｉｓ  ＢＬＥ  ｅｎａｂｌｅｄ，  ｃａｎ  ｋｎｏｗ  ａｔ  ａｎｙ  ｇｉｖｅｎ  ｔｉｍｅ，  ｔｈｅ  ｉｎｖｅｎｔｏｒｙ  ｓｔａｔｕｓ．  Ｔｈｅ  ｕｐ−ｔｏ−ｄａｔｅ  ｉｎｖｅｎｔｏｒｙ  ｉｎｆｏｒｍａｔｉｏｎ  ｉｓ  ｔｈｅｎ  ｒｅａｄｉｌｙ  ａｖａｉｌａｂｌｅ  ｏｎ  ｔｈｅ  ｓｙｓｔｅｍ  ｓｅｒｖｅｒ  ａｎｄ／ｏｒ  ｉｎ  ｔｈｅ  ｃｌｏｕｄ／ｏｎ  ｔｈｅ  Ｗｅｂ．
Ｆｕｒｔｈｅｒｍｏｒｅ，  ａｓ  ｄｅｐｉｃｔｅｄ  ｉｎ  Ｆｉｇ．  １３，  ｔｈｅ  Ｔａｇ  ｃａｎ  ｂｅ  ａｃｃｅｓｓｅｄ  ｂｙ  ｓｈｏｐｐｅｒｓ  ｔｏ  ｐｒｏｖｉｄｅ  ｆｕｒｔｈｅｒ  ｉｎｆｏｒｍａｔｉｏｎ．  Ａ  ｕｓｅｒ  ｍｏｂｉｌｅ  ａｐｐｌｉｃａｔｉｏｎ  （ａｐｐ）  ｉｓ  ｄｏｗｎｌｏａｄｅｄ  ｂｙ  ｔｈｅ  ｓｈｏｐｐｅｒ  ｆｏｒ  ｕｓｅ  ｉｎ  ｔｈｅ  ｓｔｏｒｅ．  Ｍｏｓｔ  ｍｏｄｅｒｎ  ｐｈｏｎｅｓ  ａｒｅ  ＢＬＥ  ｅｎａｂｌｅｄ，  ａｌｌｏｗｉｎｇ  ｓｈｏｐｐｅｒｓ  ｔｏ  ｆｉｎｄ  ｓｐｅｃｉｆｉｃ  ｉｔｅｍｓ，  ａｎｄ  ｋｎｏｗ  ｉｆ  ｔｈｅ  ｓｔｏｒｅ  ｉｓ  ｃａｒｒｙｉｎｇ  ｔｈｅｉｒ  ｓｐｅｃｉｆｉｃ  ｓｉｚｅ，  ｃｏｌｏｒ，  ｅｔｃ．
Ｆｏｒ  ｅｘａｍｐｌｅ，  ａ  ｃｌｏｔｈｅｓ  ｓｔｏｒｅ  ｃａｒｒｉｅｓ  ｖａｒｉｏｕｓ  ｉｔｅｍｓ  ｏｆ  ｃｌｏｔｈｉｎｇ，  ｓｏｍｅ  ｏｆ  ｗｈｉｃｈ  ａｒｅ  ｏｎ  ｄｉｓｐｌａｙ，  ｓｏｍｅ  ｉｎ  ｓｔｏｒａｇｅ  ａｎｄ  ｓｏｍｅ  ｉｎ  ｓｉｓｔｅｒ  ｓｔｏｒｅｓ  ｏｆ  ｔｈｅ  ｓａｍｅ  ｃｈａｉｎ．  Ｆｏｒ  ｅｘａｍｐｌｅ，  ａ  ｐａｒｔｉｃｕｌａｒ  ｄｒｅｓｓ  ｍａｙ  ｂｅ  ａｖａｉｌａｂｌｅ  ｉｎ  ｔｈｒｅｅ  ｃｏｌｏｒｓ  ａｎｄ  ｓｉｘ  ｓｉｚｅｓ  ｉｎ  ａ  ｇｉｖｅｎ  ｓｔｏｒｅ；  ｔｈｅ  ｓａｍｅ  ｄｒｅｓｓ  ｉｎ  ａ  ｆｏｒｔｈ  ｃｏｌｏｒ  ｏｒ  ｓｅｖｅｎｔｈ  ｓｉｚｅ  ｍａｙ  ｂｅ  ｉｎ  ｓｔｏｒａｇｅ  ｏｒ  ｏｎｌｙ  ａｖａｉｌａｂｌｅ  ｉｎ  ａ  ｓｉｓｔｅｒ  ｓｔｏｒｅ．    
Ａ  ｓｈｏｐｐｅｒ  ｃａｎ  ｇｅｔ  ｃｌｏｔｈｉｎｇ  ｉｎｆｏｒｍａｔｉｏｎ，  ｂｙ  ｊｕｓｔ  ｂｅｉｎｇ  ｃｌｏｓｅ  ｔｏ  ｔｈｅ  ｉｔｅｍ，  ｕｓｉｎｇ  ｔｈｅ  Ｐｒｏｘｉｍｉｔｙ  ｄｅｔｅｃｔｉｏｎ  ｆｅａｔｕｒｅ．  Ｔｈｅ  ａｐｐ  ｃａｎ  ｓｅａｒｃｈ  ａｎｄ  ｓｅｅ  ｉｆ  ｔｈｅ  ｓｔｏｒｅ  ｈａｓ  ｔｈｅ  ｉｔｅｍ  ｉｎ  ｔｈｅ  ｕｓｅｒ’ｓ  ｓｉｚｅ，  ａｎｄ  ｔｈｅ  ａｐｐ  ｈｅｌｐｓ  ｔｈｅ  ｕｓｅｒ  ｆｉｎｄ  ｔｈｅ  ｒｉｇｈｔ  ｓｉｚｅ  ｏｒ  ｃｏｌｏｒ  ｕｓｉｎｇ  ｔｈｅ  ｐｒｏｘｉｍｉｔｙ  ｆｅａｔｕｒｅ．  Ｔｈｅ  ａｐｐ  ｃａｎ  ｅｉｔｈｅｒ  ａｃｃｅｓｓ  ｔｈｅ  ｓｙｓｔｅｍ  ｓｅｒｖｅｒ  ｏｒ  ｔｈｅ  ｃｌｏｕｄ  （ｅｉｔｈｅｒ  ｏｒ  ｂｏｔｈ  ｃｏｎｔａｉｎ  ｔｈｅ  ｉｎｖｅｎｔｏｒｙ  ｄａｔａ  ａｓ  ｄｉｓｃｕｓｓｅｄ  ａｂｏｖｅ）．  Ｔｈｅｒｅｆｏｒｅ，  ｗｈｅｎ  ａ  ｕｓｅｒ  ｉｓ  ｓｅａｒｃｈｉｎｇ  ｆｏｒ  ａｎ  ｉｔｅｍ  ｉｎ  ｔｈｅ  ｓｔｏｒｅ，  ｔｈｅｙ  ｃａｎ  ａｌｓｏ  ｋｎｏｗ  ｉｆ  ｔｈｅ  ｉｔｅｍ  ｉｓ  ａｖａｉｌａｂｌｅ，  ｃｕｒｒｅｎｔｌｙ，  ａｔ  ａｎｏｔｈｅｒ  ｓｔｏｒｅ．
Ａｃｃｏｒｄｉｎｇ  ｔｏ  ｔｈｅ  ｐｒｅｓｅｎｔ  ｉｎｖｅｎｔｉｏｎ  ｔｈｅｒｅ  ｉｓ  ｐｒｏｖｉｄｅｄ  ａ  ｃｏｉｎ  ｓｉｚｅｄ  Ｓｈｏｐ  Ｔａｇ  １０‘  ｕｓｉｎｇ  Ｂｌｕｅｔｏｏｔｈ  ｏｒ  Ｂｌｕｅｔｏｏｔｈ  Ｌｏｗ  Ｅｎｅｒｇｙ  ｃｏｍｍｕｎｉｃａｔｉｏｎ  ｃｏｕｐｌｅｄ  ｗｉｔｈ  ａ  ｍｏｂｉｌｅ  ａｐｐｌｉｃａｔｉｏｎ  ｆｏｒ  ａ  ｓｍａｒｔｐｈｏｎｅ／Ｔａｂｌｅｔ  ｃｏｍｐｕｔｅｒ／Ｌａｐｔｏｐ／  ａｎｄ  ａｎｙ  ｏｔｈｅｒ  ｈａｎｄｈｅｌｄ  ｏｒ  ｍｏｂｉｌｅ  ｃｏｍｐｕｔｉｎｇ  ｄｅｖｉｃｅ  ６０．  Ｔｈｅ  ａｐｐｌｉｃａｔｉｏｎ  ｏｆｆｅｒｓ  ｖａｒｉｏｕｓ  ｆｅａｔｕｒｅｓ  ｉｎｃｌｕｄｉｎｇ：  ａ  Ｐｒｏｘｉｍｉｔｙ  ｆｅａｔｕｒｅ  ｉｎｃｌｕｄｉｎｇ  ａ  ｒａｄａｒ  ｓｃｒｅｅｎ  ｆｏｒ  ｄｅｔｅｒｍｉｎｉｎｇ  ｄｉｓｔａｎｃｅ  ｂｅｔｗｅｅｎ  ｄｅｖｉｃｅ  ａｎｄ  Ｔａｇ  ａｎｄ  ａ  Ｆｉｎｄ  Ｉｔ  ｆｅａｔｕｒｅ  ｗｈｉｃｈ  ｓｏｕｎｄｓ  ａｎ  ａｌａｒｍ  ｗｈｅｎ  ａ  ｓｅｌｅｃｔｅｄ  Ｔａｇ  ｃｏｍｅｓ  ｉｎｔｏ  ｒａｎｇｅ．  Ｅａｃｈ  ａｒｔｉｃｌｅ  ｏｆ  ｃｌｏｔｈｉｎｇ  ｉｓ  ｌａｂｅｌｅｄ  ｗｉｔｈ  ａ  Ｓｈｏｐ  Ｔａｇ  １０‘  ｗｉｔｈ  ａ  ＵＵＩＤ．  Ａ  ｕｓｅｒ  ｃａｎ  ｓｃａｎ  ａｎｄ  ｓｅｅ  ｌｉｖｅ  ｉｎｖｅｎｔｏｒｙ，  ｉｎｃｌｕｄｉｎｇ  ｃｏｌｏｒ  ａｎｄ  ｓｉｚｅ  ｏｆ  ｔｈｅ  ｄｅｓｉｒｅｄ  ｉｔｅｍｓ，  ｄｉｒｅｃｔｌｙ  ｏｎ  ｔｈｅ  ｐｈｏｎｅ．  Ｗｈｅｎ  ｌｏｏｋｉｎｇ  ｆｏｒ  ａ  ｐａｒｔｉｃｕｌａｒ  ｓｉｚｅ／ｃｏｌｏｒ／ｂｒａｎｄ  ｏｒ  ｏｔｈｅｒ  ａｒｔｉｃｌｅ  ｏｆ  ｃｌｏｔｈｉｎｇ  ｔｈｅ  ｕｓｅｒ  ｃａｎ  ｓｅｌｅｃｔ  ｔｈｅ  ｄｅｓｉｒｅｄ  ａｒｔｉｃｌｅ  ｏｎ  ｔｈｅ  ｍｏｂｉｌｅ  ａｐｐ  ａｎｄ  ｔｈｅ  ｐｈｏｎｅ  ｗｉｌｌ  ｉｎｄｉｃａｔｅ  ｗｈｅｒｅ  ｔｈｅ  ａｒｔｉｃｌｅ  ｉｓ．  Ｔｈｅ  ｃｏｒｒｅｓｐｏｎｄｉｎｇ  Ｔａｇ  ｃａｎ  ｓｔａｒｔ  ｆｌａｓｈｉｎｇ  ｏｒ  ｂｕｚｚｉｎｇ  ｗｈｅｎ  ｔｈｅ  ｍｏｂｉｌｅ  ｄｅｖｉｃｅ  ｉｓ  ｉｎ  ｃｌｏｓｅ  ｐｒｏｘｉｍｉｔｙ  ｔｏ  ｔｈｅ  ｓｅｌｅｃｔｅｄ  ａｒｔｉｃｌｅ．  Ｔｈｅ  ｄｉｒｅｃｔｉｏｎａｌ  ａｎｔｅｎｎａ  ｇｉｖｅ  ｔｈｅ  Ｒａｄａｒ  Ｓｃｒｅｅｎ  ｆｕｎｃｔｉｏｎ  ｄｉｒｅｃｔｉｏｎａｌｉｔｙ，  ｎｏｔ  ｏｎｌｙ  ｄｉｓｔａｎｃｅ．  Ｔｈｅ  ｕｓｅｒ  ｍｏｂｉｌｅ  ａｐｐ  ｃｏｍｍｕｎｉｃａｔｅｓ  ｗｉｔｈ  ｔｈｅ  ｍａｎａｇｅｍｅｎｔ  ｓｙｓｔｅｍ  ｓｅｒｖｅｒ  ｖｉａ  ＷｉＦｉ  ａｎｄ  ｗｉｔｈ  ｔｈｅ  ｃｈａｉｎ  ｓｔｏｒｅ  ｃｌｏｕｄ  ｖｉａ  ｃｅｌｌｕｌａｒ  ／  ｄａｔａ  ｍｏｄｅｍ．  Ｏｆ  ｃｏｕｒｓｅ  ａｌｔｅｒｎａｔｉｖｅ  ｃｏｎｆｉｇｕｒａｔｉｏｎｓ  ｏｆ  ｔｈｅ  ｓｙｓｔｅｍ  ａｒｅ  ｐｏｓｓｉｂｌｅ．
Ｔｈｅ  ｐｒｅｓｅｎｔ  ｉｎｖｅｎｔｉｏｎ  ｄｉｓｃｌｏｓｅｓ  ａｎ  ｉｎｎｏｖａｔｉｖｅ  ＢＬＥ  Ｔａｇ  ｔｈａｔ  ｈａｓ  ａ  ｃｏｍｍｕｎｉｃａｔｉｎｇ  ｒａｎｇｅ  ｏｆ  ａｂｏｕｔ  １００  ｔｏ  １６０  ｆｅｅｔ  （ａｐｐｒｏｘｉｍａｔｅｌｙ  ３０  ｔｏ  ５０  ｍｅｔｅｒｓ）  ｗｈｉｃｈ  ｃａｎ  ｂｅ  ｔｒａｃｋｅｄ  ｕｓｉｎｇ  ａｎ  ａｐｐｌｉｃａｔｉｏｎ  ｏｎ  ａ  ｍｏｂｉｌｅ  ｄｅｖｉｃｅ  ｓｕｃｈ  ａｓ  ａ  ｓｍａｒｔ  ｐｈｏｎｅ．  Ｔｈｅ  Ｔａｇ  ｉｎｃｌｕｄｅｓ  ａ  ｂａｔｔｅｒｙ  ｔｈａｔ  ｌａｓｔｓ  ｆｏｒ  ａｂｏｕｔ  ３  ｙｅａｒｓ．  Ｂａｔｔｅｒｙ  ｃａｎ  ｂｅ  ｒｅｐｌａｃｅｄ  ｗｉｔｈｏｕｔ  ｒｅｍｏｖｉｎｇ  ｔｈｅ  Ｔａｇ  ｆｒｏｍ  ｔｈｅ  ｓｕｒｆａｃｅ  ｔｏ  ｗｈｉｃｈ  ｉｔ  ｉｓ  ａｄｈｅｒｅｄ  （ｅ．ｇ．  ｔｈｅ  Ｔａｇ  ｃａｎ  ｂｅ  ａｄｈｅｒｅｄ  ｔｏ  ａ  ｍａｇｎｅｔｉｃ  ｓｅｃｕｒｉｔｙ  ｔａｇ  ｏｒ  ｓｉｍｉｌａｒ  ｍｅｃｈａｎｉｓｍ）．  Ａｄｄｉｔｉｏｎａｌｌｙ  ｔｈｅ  Ｔａｇ  ｃａｎ  ｈａｖｅ  ａ  ｂｕｚｚｅｒ  ａｎｄ  ｌｉｇｈｔ，  ａｌｌｏｗｉｎｇ  ｔｈｅ  Ｔａｇ  ｔｏ  ｂｅ  ｌｏｃａｔｅｄ  ｅａｓｉｌｙ  ａｍｏｎｇ  ｍａｎｙ  ｉｔｅｍｓ．
Ｆｉｇｕｒｅ  １３Ａ  ｄｅｐｉｃｔｓ  ａ  ｓｃｈｅｍａｔｉｃ  ｄｉａｇｒａｍ  ｏｆ  ｔｈｅ  ｅｍｂｏｄｉｍｅｎｔ  ｏｆ  ａ  ｃｉｒｃｕｉｔ  ｂｏａｒｄ  ４４‘  ｏｆ  ａ  ｌｏｃａｔｏｒ  Ｔａｇ  １０‘  ｄｅｔａｉｌｅｄ  ｗｉｔｈ  ｒｅｆｅｒｅｎｃｅ  ｔｏ  Ｆｉｇ．  ４Ａ  ａｂｏｖｅ．
ＭＡＮＡＧＥＲ  ＡＰＰＬＩＣＡＴＩＯＮ
Ｏｎ  ｔｈｅ  ｓｔｏｒｅ  ｓｉｄｅ，  ａ  ｍａｎａｇｅｍｅｎｔ  ｓｙｓｔｅｍ，  ｒｕｎ  ｏｎ  ａ  ｍａｎａｇｅｒ  ｃｏｍｐｕｔｅｒ，  ｉｎｃｌｕｄｅｓ  ａ  Ｄａｔａ  Ｃｏｌｌｅｃｔｉｏｎ  ｆｅａｔｕｒｅ  ｆｏｒ  ｍａｎａｇｉｎｇ  ｉｎｖｅｎｔｏｒｙ  ａｎｄ  ａ  Ｖｉｒｔｕａｌ  Ｌｅａｓｈ  ｆｅａｔｕｒｅ，  ｗｈｉｃｈ  ｓｏｕｎｄｓ  ａｎ  ａｌａｒｍ  ｉｆ  ａ  ｓｅｌｅｃｔｅｄ  Ｔａｇ  ｇｏｅｓ  ｂｅｙｏｎｄ  ａ  ｐｒｅｄｅｆｉｎｅｄ  ｄｉｓｔａｎｃｅ  ｆｒｏｍ  ｔｈｅ  ｓｅｎｓｏｒ  （ｅ．ｇ．  ａ  ｓｈｏｐｌｉｆｔｉｎｇ  ｐｒｅｖｅｎｔｉｏｎ  ｆｅａｔｕｒｅ  ｗｈｉｃｈ  ｉｓ  ｃｏｎｆｉｇｕｒｅｄ  ｔｏ  ｓｏｕｎｄ  ａｎ  ａｌａｒｍ  ｗｈｅｎ  ａ  Ｔａｇ  ｇｏｅｓ  ｂｅｙｏｎｄ  ｔｈｅ  ｐｅｒｉｍｅｔｅｒ  ｏｆ  ｔｈｅ  ｓｔｏｒｅ  ｗｈｉｃｈ  ｍａｙ  ｂｅ  ｃａｌｃｕｌａｔｅｄ  ａｓ  ａ  ｄｉｓｔａｎｃｅ  ｆｒｏｍ  ｔｈｅ  ＢＬＥ  ｓｅｎｓｏｒ  ｏｆ  ｔｈｅ  ｍａｎａｇｅｍｅｎｔ  ｃｏｍｐｕｔｅｒ  ｏｒ  ｃｈｅｃｋ−ｏｕｔ  ｃｏｕｎｔｅｒ．  
Ｔｈｅ  ｍａｎａｇｅｒ  ａｐｐｌｉｃａｔｉｏｎ  ｉｓ  ｒｕｎ  ｏｎ  ａ  ｃｏｍｐｕｔｉｎｇ  ｄｅｖｉｃｅ  ｉｎｃｌｕｄｉｎｇ  Ｂｌｕｅｔｏｏｔｈ  ｏｒ  ｐｒｅｆｅｒａｂｌｙ  ＢＬＥ  ｔｅｃｈｎｏｌｏｇｙ．  Ｅｘｅｍｐｌａｒｉｌｙ  ａ  ｓｔｏｒｅ  ｍａｎａｇｅｒ  ｃａｎ  ｌｏａｄ  ｔｈｅ  ｍａｎａｇｉｎｇ  ａｐｐｌｉｃａｔｉｏｎ  ｏｎ  ａｎ  ｉＰａｄ  ｏｒ  ｔｈｅ  ｌｉｋｅ，  ａｎｄ  ｓｃａｎ  ｔｈｅ  ｓｔｏｒｅ  ｔｏ  ｇｅｔ  ａｃｃｕｒａｔｅ  ｉｎｖｅｎｔｏｒｙ  ｉｎｆｏｒｍａｔｉｏｎ．  Ｔｈｅ  ｍａｎａｇｉｎｇ  ａｐｐ  ｔｈｅｎ  ｕｐｄａｔｅｓ  ｔｈｅ  ｓｅｒｖｅｒ  ｏｎ  ｉｎｖｅｎｔｏｒｙ  ｓｔａｔｕｓ．  Ｔｈｅ  ａｐｐ  ｃａｎ  ａｌｓｏ  ｈａｎｄｌｅ  ｏｒｄｅｒｓ  ａｎｄ  ｔｏ  ｓｕｐｐｌｉｅｒｓ  ｗｈｉｃｈ  ｃａｎ  ｂｅ  ａｕｔｏｍａｔｅｄ．
ＶＩＲＴＵＡＬ  ＬＥＡＳＨ
Ｔｈｅ  Ｖｉｒｔｕａｌ  Ｌｅａｓｈ  ｆｅａｔｕｒｅ  ａｌｌｏｗｓ  ａ  ｍａｎａｇｅｒ  ｔｏ  ｃｒｅａｔｅ  ａ  ‘ｖｉｒｔｕａｌ  ｌｅａｓｈ’  ｏｎ  ａ  ｓｅｌｅｃｔｅｄ  Ｔａｇ  １０‘，  ｓｏ  ｔｈａｔ  ｉｆ  ｔｈｅ  Ｔａｇ  ｍｏｖｅｓ  ｂｅｙｏｎｄ  ａ  ｃｅｒｔａｉｎ  ｒａｎｇｅ，  ｔｈｅ  ａｐｐｌｉｃａｔｉｏｎ  ｉｓｓｕｅｓ  ａｎ  ａｌａｒｍ．  Ｉｎ  ｅｓｓｅｎｃｅ，  ｔｈｅ  Ｖｉｒｔｕａｌ  Ｌｅａｓｈ  ｆｅａｔｕｒｅ  ｉｓ  ｔｈｅ  ｏｐｐｏｓｉｔｅ  ｏｆ  ｔｈｅ  Ｆｉｎｄ  Ｉｔ  ｆｅａｔｕｒｅ．  Ｉｎ  ｕｓｅ，  ｔｈｅ  Ｖｉｒｔｕａｌ  Ｌｅａｓｈ  ｆｅａｔｕｒｅ  ｃａｎ  ｂｅｈａｖｅ  ａｓ  ａｎ  Ａｎｔｉ−Ｔｈｅｆｔ  ｍｅｃｈａｎｉｓｍ  ｗｈｉｃｈ  ｓｏｕｎｄｓ  ａｎ  ａｌａｒｍ  ｉｆ  ａｎ  ｉｔｅｍ  ｉｓ  ｒｅｍｏｖｅｄ  ｆｒｏｍ  ｔｈｅ  ｓｔｏｒｅ  ｗｉｔｈｏｕｔ  ｐａｙｍｅｎｔ  （ｏｒ  ｗｉｔｈｏｕｔ  ｇｅｔｔｉｎｇ  ｔｈｅ  Ｔａｇ  ｒｅｍｏｖｅｄ）．  Ａｎｔｉ−ｔｈｅｆｔ  ｓｅｎｓｏｒｓ  ｃａｎ  ｄｅｔｅｒｍｉｎｅ  ｉｆ  ａ  Ｔａｇ  ｇｏｅｓ  ｐａｓｔ  ａｎｄ  ｓｏｕｎｄ  ａｎ  ａｌａｒｍ．  Ａｔ  ｔｈｅ  ｅｘｉｔ  ｏｆ  ｓｔｏｒｅｓ，  ＯＳＵｓ  ｓｃａｎ  ｗｉｔｈ  ｄｉｒｅｃｔｉｏｎａｌ  ａｎｔｅｎｎａｓ  ｆｏｒ  ｉｔｅｍｓ  ｔｈａｔ  ｐａｓｓ  ｔｈｅ  ｅｘｉｔ．  Ａ  ｓｉｒｅｎ  ｃａｎ  ｓｏｕｎｄ，  ｏｒ  ｔｈｅ  ｓｔｏｒｅ  ｍａｎａｇｅｒ  ｃａｎ  ｇｅｔ  ａｎ  ａｌｅｒｔ，  ｏｒ  ｔｈｅ  Ｍａｌｌ  ｐｏｌｉｃｅ  ｅｔｃ．
ＢＬＵ  ＴＲＡＣＫＥＲ
Ｆｉｇｕｒｅ  １４  ｉｓ  ａ  ｂｌｏｃｋ  ｄｉａｇｒａｍ  ｏｆ  ａｎ  ｕｌｔｒａ  ｓｍａｌｌ  Ｂｌｕｅｔｏｏｔｈ  ＧＰＳ  ｌｏｃａｔｏｒ  ｏｆ  ｔｈｅ  ｉｍｍｅｄｉａｔｅ  ｉｎｖｅｎｔｉｏｎ．  Ｔｈｅ  ｉｎｎｏｖａｔｉｖｅ  ＧＰＳ  ｌｏｃａｔｏｒｓ  ｂｒｏａｄｃａｓｔ  ｔｈｅｉｒ  ｌｏｃａｔｉｏｎ  ｕｓｉｎｇ  ａ  Ｂｌｕｅｔｏｏｔｈ  ｔｒａｎｓｍｉｔｔｅｒ．  Ｔｙｐｉｃａｌ  ＧＰＳ  ｒｅｃｅｉｖｅｒｓ  ｈａｖｅ  ｈｉｇｈ  ｐｏｗｅｒ  ｃｏｎｓｕｍｐｔｉｏｎ  ａｎｄ  ｔｈｕｓ，  ｉｆ  ｉｎｓｔａｌｌｅｄ  ｉｎ  ａ  ｍｏｂｉｌｅ  ｄｅｖｉｃｅ，  ｃｏｎｓｕｍｅ  ｔｈｅ  ｂａｔｔｅｒｙ  ｉｎ  ａ  ｒａｔｈｅｒ  ｓｈｏｒｔ  ｔｉｍｅ．
Ｆｕｒｔｈｅｒｍｏｒｅ，  ｉｆ  ｔｈｅ  ｄｅｖｉｃｅ  ｉｓ  ｕｓｉｎｇ  Ｂｌｕｅｔｏｏｔｈ  ｃｏｍｍｕｎｉｃａｔｉｏｎ  ｔｏ  ｔｒａｎｓｍｉｔ  ｉｔｓ  ｌｏｃａｔｉｏｎ  ｔｏ  ａｎｏｔｈｅｒ  ｄｅｖｉｃｅ，  ｔｈｅ  ｒａｎｇｅ  ｂｅｔｗｅｅｎ  ｔｈｅｍ  ｉｓ  ｏｆｔｅｎ  ｌｉｍｉｔｅｄ  ｔｏ  ａ  ｆｅｗ  ｆｅｅｔ，  ｄｕｅ  ｔｏ  ｔｈｅ  ｌｏｗ  ｓｔｒｅｎｇｔｈ  ｏｆ  ｔｈｅ  Ｂｌｕｅｔｏｏｔｈ  ｓｉｇｎａｌ．
Ｔｈｅ  ｃｕｒｒｅｎｔ  ｉｎｖｅｎｔｉｏｎ  ａｉｍｓ  ｔｏ  ｓｏｌｖｅ  ｔｈｅ  ａｆｏｒｅｍｅｎｔｉｏｎｅｄ  ｐｒｏｂｌｅｍｓ  ｂｙ  ｕｔｉｌｉｚｉｎｇ  ａｎ  ｅｍｂｅｄｄｅｄ  ａｃｃｅｌｅｒｏｍｅｔｅｒ  ｔｈａｔ  ｔｕｒｎｓ  ｏｎ  ｔｈｅ  ｄｅｖｉｃｅ  ｏｎｌｙ  ｗｈｅｎ  ｄｅｔｅｃｔｉｎｇ  ｍｏｔｉｏｎ  ａｎｄ  ｔｈｕｓ  ｓａｖｅｓ  ｂａｔｔｅｒｙ  ｐｏｗｅｒ  ｗｈｅｎ  ｎｏｔ  ｍｏｖｉｎｇ．  Ａｃｃｅｌｅｒｏｍｅｔｅｒ  ａｃｔｉｖａｔｉｏｎ  ａｌｌｏｗｓ  ｔｈｅ  ｄｅｖｉｃｅ  ｔｏ  ｏｐｅｒａｔｅ  ｕｐ  ｔｏ  ｔｗｏ  ｍｏｎｔｈｓ  ｗｉｔｈｏｕｔ  ｎｅｅｄｉｎｇ  ｔｏ  ｃｈａｒｇｅ．  Ｔｈｅ  ｄｅｖｉｃｅ  ａｌｓｏ  ｕｔｉｌｉｚｅｓ  ａ  ｍｏｄｉｆｉｅｄ  ＲＦ  ａｍｐｌｉｆｉｅｒ  ａｎｄ  ｏｍｎｉ  ｄｉｒｅｃｔｉｏｎａｌ  ａｎｔｅｎｎａ  ｔｈａｔ  ａｍｐｌｉｆｙ  ｔｈｅ  Ｂｌｕｅｔｏｏｔｈ  ｓｉｇｎａｌ  ｉｎ  ａ  ｗａｙ  ｔｈａｔ  ａｌｌｏｗｓ  ｔｈｅ  ｓｉｇｎａｌ  ｔｏ  ｒｅａｃｈ  ａ  ｒａｎｇｅ  ｏｆ  ａｐｐｒｏｘｉｍａｔｅｌｙ  ２０００  ｆｅｅｔ．
Ａ  Ｔｒａｃｋｅｒ  １００  ｏｆ  ｔｈｅ  ｉｍｍｅｄｉａｔｅ  ｉｎｖｅｎｔｉｏｎ  ｉｎｃｌｕｄｅｓ  ａ  ｐｏｗｅｒ  ｓｕｐｐｌｙ  ｃｉｒｃｕｉｔ  １１０  ｔｈａｔ  ｃｈａｒｇｅｓ  ａ  ｂａｔｔｅｒｙ  １２０，  ｗｈｅｎ  ｃｏｎｎｅｃｔｅｄ  ｔｏ  ａｎ  ｅｘｔｅｒｎａｌ  ｃｈａｒｇｅｒ．  Ｅｘｅｍｐｌａｒｉｌｙ，  ｃｈａｒｇｉｎｇ  ｔｈｅ  ｂａｔｔｅｒｙ  ｆｒｏｍ  ｅｍｐｔｙ  ｔｏ  ｆｕｌｌ  ｓｔａｔｕｓ  ｔａｋｅｓ  ａｐｐｒｏｘｉｍａｔｅｌｙ  １  ｈｏｕｒ．  Ａｎ  ａｃｃｅｌｅｒｏｍｅｔｅｒ  １３０  ｄｅｔｅｃｔｓ  ｍｏｔｉｏｎ  ｏｆ  ｔｈｅ  ｄｅｖｉｃｅ．  Ｗｈｅｎｅｖｅｒ  ｔｈｅ  ｄｅｖｉｃｅ  ｉｓ  ｉｎ  ｍｏｔｉｏｎ，  ａ  ＧＰＳ  ｃｈｉｐｓｅｔ  １４０  ｉｓ  ｔｕｒｎｅｄ  ｏｎ  ａｔ  ｒｅｇｕｌａｒ  ｉｎｔｅｒｖａｌｓ  （ｅ．ｇ．  ｅｖｅｒｙ  ６０  ｓｅｃｏｎｄｓ）  ｔｏ  ａｃｑｕｉｒｅ  ＧＰＳ  ｌｏｃａｔｉｏｎ  ｆｒｏｍ  ＧＰＳ  ｓａｔｅｌｌｉｔｅｓ  ｖｉａ  ａ  ＧＰＳ  ａｎｔｅｎｎａ  １５０．  Ｏｎｃｅ  ｔｈｅ  ＧＰＳ  ｌｏｃａｔｉｏｎ  ｉｓ  ａｃｑｕｉｒｅｄ，  ＧＰＳ  ｃｈｉｐｓｅｔ  １４０  ｇｏｅｓ  ｉｎｔｏ  ｓｔａｎｄｂｙ  ｍｏｄｅ  ｆｏｒ  ｔｈｅ  ｄｕｒａｔｉｏｎ  ｏｆ  ｔｈｅ  ｐｒｅｄｅｔｅｒｍｉｎｅｄ  ｉｎｔｅｒｖａｌ，  ｔｈｅｒｅｂｙ  ｃｏｎｓｕｍｉｎｇ  ｖｅｒｙ  ｌｉｔｔｌｅ  ｐｏｗｅｒ．  Ｗｈｅｎ  ｔｈｅ  ａｃｃｅｌｅｒｏｍｅｔｅｒ  １３０  ｄｅｔｅｃｔｓ  ｎｏ  ｍｏｔｉｏｎ，  ＧＰＳ  ｃｈｉｐｓｅｔ  １４０  ｇｏｅｓ  ｔｏ  ｓｌｅｅｐ  ｍｏｄｅ，  ｃｏｎｓｕｍｉｎｇ  ｎｏ  ｐｏｗｅｒ  ａｔ  ａｌｌ．  
Ｉｎ  ｔｈｅ  ｄｅｐｉｃｔｅｄ  ｅｘｅｍｐｌａｒｙ  ｅｍｂｏｄｉｍｅｎｔ，  ｄｅｖｉｃｅ  １００  ｕｓｅｓ  ａ  Ｂｌｕｅｔｏｏｔｈ  ４．０  ｃｈｉｐｓｅｔ  １６０，  ｏｐｅｒａｔｉｏｎａｌｌｙ  ｃｏｕｐｌｅｄ  ｔｏ  ａ  ２．４  ＧＨｚ  ＲＦ  ａｍｐｌｉｆｉｅｒ  １７０  ａｎｄ  ａｎ  ｏｍｎｉ  ｄｉｒｅｃｔｉｏｎａｌ  ａｎｔｅｎｎａ  １８０  ｔｏ  ｔｒａｎｓｍｉｔ  ｔｈｅ  ｕｐｄａｔｅｄ  ＧＰＳ  ｌｏｃａｔｉｏｎ  ａｔ  ｒｅｇｕｌａｒ  ｐｒｅｄｅｔｅｒｍｉｎｅｄ  ｉｎｔｅｒｖａｌｓ  （ｉ．ｅ．  ｏｎｃｅ  ａ  ｓｅｃｏｎｄ）．  Ａｆｔｅｒ  ｔｒａｎｓｍｉｔｔｉｎｇ  ｔｈｅ  ｌｏｃａｔｉｏｎ  ｓｉｇｎａｌ，  ｔｈｅ  ａｍｐｌｉｆｉｅｒ  ｃｏｍｐｏｎｅｎｔｓ  ａｒｅ  ｔｕｒｎｅｄ  ｏｆｆ  ｆｏｒ  ｔｈｅ  ｄｕｒａｔｉｏｎ  ｏｆ  ｔｈｅ  ｉｎｔｅｒｖａｌ，  ｉｎ  ｏｒｄｅｒ  ｔｏ  ｒｅｄｕｃｅ  ｐｏｗｅｒ  ｃｏｎｓｕｍｐｔｉｏｎ．  Ｕｎｌｉｋｅ  ｒｅｇｕｌａｒ  Ｂｌｕｅｔｏｏｔｈ  ｄｅｖｉｃｅｓ  ｔｈａｔ  ｔｒａｎｓｍｉｔ  ａ  ｄｅｖｉｃｅ  ＩＤ  ｉｎ  ｏｒｄｅｒ  ｔｏ  ｂｅ  ｐａｉｒｅｄ  ｗｉｔｈ  ａｎｏｔｈｅｒ  Ｂｌｕｅｔｏｏｔｈ  ｄｅｖｉｃｅ，  ｔｈｅ  Ｂｌｕｅｔｏｏｔｈ  ４．０  ｃｈｉｐｓｅｔ  １６０  ｔｒａｎｓｍｉｔｓ  ｔｈｅ  ＧＰＳ  ｌｏｃａｔｉｏｎ  ｉｎｓｔｅａｄ  ｏｆ  ｔｈｅ  ｄｅｖｉｃｅ  ＩＤ，  ｓｏ  ｔｈａｔ  ａ  ｒｅｃｅｉｖｉｎｇ  ｄｅｖｉｃｅ  （ｅ．ｇ．  ｍｏｂｉｌｅ  ｐｈｏｎｅ）  ｄｏｅｓ  ｎｏｔ  ｎｅｅｄ  ｔｏ  ｂｅ  ｐａｉｒｅｄ  ｔｏ  ｔｈｅ  Ｔｒａｃｋｅｒ．  Ｔｈｅ  ｕｓｅｒ  ｏｎｌｙ  ｎｅｅｄｓ  ｔｏ  ｍｏｎｉｔｏｒ  Ｂｌｕｅｔｏｏｔｈ  ｄｅｖｉｃｅｓ  ｉｎ  ｔｈｅ  ｓｕｒｒｏｕｎｄｉｎｇｓ，  ａｎｄ  ｐｉｃｋｉｎｇ  ｕｐ  ｊｕｓｔ  ｏｎｅ  ｐａｃｋｅｔ  ｏｆ  ｉｎｆｏｒｍａｔｉｏｎ  ｆｒｏｍ  ｔｈｅ  Ｂｌｕｅｔｏｏｔｈ  ｔｒａｎｓｍｉｔｔｅｒ  ｗｉｌｌ  ｒｅｖｅａｌ  ｔｈｅ  ｄｅｖｉｃｅｓ  ｌｏｃａｔｉｏｎ  ｔｏ  ｔｈｅ  ｕｓｅｒ．  Ｅａｃｈ  ＧＰＳ  ｌｏｃａｔｏｒ  ｄｅｖｉｃｅ  ｃａｎ  ｔｒａｎｓｍｉｔ  ｉｔｓ  ＧＰＳ  ｌｏｃａｔｉｏｎ  ｗｉｔｈ  ａ  ｄｉｆｆｅｒｅｎｔ  ｅｎｃｒｙｐｔｉｏｎ．  Ｔｈｉｓ  ａｌｌｏｗｓ  ｏｎｌｙ  ｔｈｅ  ｄｅｖｉｃｅ  ｏｗｎｅｒ  ｔｏ  ｓｅｅ  ｉｔｓ  ｌｏｃａｔｉｏｎ  ａｎｄ  ｐｒｅｖｅｎｔ  ”ｃｒｏｓｓ−ｔａｌｋ”  ｉｎｔｅｒｆｅｒｅｎｃｅ  ｆｒｏｍ  ｏｔｈｅｒ  ｄｅｖｉｃｅｓ．
Ｔｈｅ  ｕｓｅｒ  ｃａｎ  ｄｏｗｎｌｏａｄ  ａ  ｓｐｅｃｉａｌ  ａｐｐｌｉｃａｔｉｏｎ  ｔｏ  ｈｉｓ  ｍｏｂｉｌｅ  ｐｈｏｎｅ，  ｗｈｉｃｈ  ｉｓ  ｄｅｓｉｇｎａｔｅｄ  ｔｏ  ｗｏｒｋ  ｗｉｔｈ  ｔｈｅ  ＧＰＳ  ｌｏｃａｔｏｒ  ｄｅｖｉｃｅ．  Ｅｘｅｍｐｌａｒｉｌｙ，  ｔｈｅ  ａｐｐｌｉｃａｔｉｏｎ  ａｌｌｏｗｓ  ｔｈｅ  ｕｓｅｒ  ｔｏ  ｓｙｎｃｈｒｏｎｉｚｅ  ａｃｃｏｒｄｉｎｇ  ｔｏ  ａ  ｐｒｅｄｅｔｅｒｍｉｎｅｄ  ｄｅｖｉｃｅ  ｅｎｃｒｙｐｔｉｏｎ，  ｓｅｅ  ｔｈｅ  ｄｅｖｉｃｅ  ｌｏｃａｔｉｏｎ  ｏｎ  ａ  ｍａｐ，  ｔｒｉｇｇｅｒ  ａｎ  ａｌａｒｍ  ｗｈｅｎｅｖｅｒ  ｔｈｅ  ＧＰＳ  ｌｏｃａｔｏｒ  ｄｅｖｉｃｅ  ｄｉｓｔａｎｃｅ  ｆｒｏｍ  ａ  ｃｅｒｔａｉｎ  ｐｏｉｎｔ  ｅｘｃｅｅｄｓ  ａ  ｐｒｅｄｅｆｉｎｅｄ  ｄｉｓｔａｎｃｅ，  ｅｔｃ．
Ｆｏｒ  ｔｈｅ  ｉｎｄｏｏｒ  ｃａｓｅｓ  ｉｎ  ｗｈｉｃｈ  ｔｈｅ  ｄｅｖｉｃｅ  ｄｏｅｓ  ｎｏｔ  ｈａｖｅ  ＧＰＳ  ｒｅｃｅｐｔｉｏｎ  ａｎｄ  ｌｏｃａｔｉｏｎ，  ｔｈｅ  ａｐｐｌｉｃａｔｉｏｎ  ｃａｎ  ａｌｓｏ  ｃａｌｃｕｌａｔｅ  ａｎｄ  ｄｉｓｐｌａｙ  ｔｈｅ  ｅｓｔｉｍａｔｅｄ  ｄｉｓｔａｎｃｅ  ｏｆ  ｔｈｅ  ｄｅｖｉｃｅ  ａｃｃｏｒｄｉｎｇ  ｔｏ  ｔｈｅ  Ｂｌｕｅｔｏｏｔｈ  ｓｉｇｎａｌ  ｓｔｒｅｎｇｔｈ．  Ｔｈｅ  ｕｓｅｒ  ｔｕｒｎｓ  ｔｈｅ  ｍｏｂｉｌｅ  ｐｈｏｎｅ  ａｒｏｕｎｄ  （ｄｏｉｎｇ  ａ  ３６０  ｄｅｇｒｅｅ  ｃｉｒｃｌｅ），  ｋｎｏｗｉｎｇ  ｔｈｅ  ｍｏｂｉｌｅ  ｐｈｏｎｅ  ａｎｔｅｎｎａ  ｐａｔｔｅｒｎ  ａｎｄ  ｐｏｉｎｔｉｎｇ  ｄｉｒｅｃｔｉｏｎ  （ｕｓｉｎｇ  ｔｈｅ  ｐｈｏｎｅ  ａｃｃｅｌｅｒｏｍｅｔｅｒ  ｏｒ  ｃｏｍｐａｓｓ  ｓｅｎｓｏｒｓ），  ｔｈｅ  ａｐｐｌｉｃａｔｉｏｎ  ａｌｓｏ  ｃａｌｃｕｌａｔｅｓ  ａｎｄ  ｄｉｓｐｌａｙｓ  ｔｈｅ  ｅｓｔｉｍａｔｅｄ  ｄｉｒｅｃｔｉｏｎ  ｏｆ  ｔｈｅ  ｄｅｖｉｃｅ  ｒｅｌａｔｉｖｅ  ｔｏ  ｔｈｅ  ｕｓｅｒ．  Ｔｈｅ  ｇｒａｐｈｉｃ  ｄｉｓｐｌａｙ  ｏｆ  ｔｈｅ  ｃｕｒｒｅｎｔ  ｕｓｅｒ  ｐｏｓｉｔｉｏｎ  ａｎｄ  ｔｈｅ  ＧＰＳ  ｌｏｃａｔｏｒ  ｄｅｖｉｃｅ  ｐｏｓｉｔｉｏｎ  ａｒｅ  ｄｙｎａｍｉｃａｌｌｙ  ｕｐｄａｔｅｄ  ｉｎ  ｓｕｃｈ  ｗａｙ  ｔｈａｔ  ｔｈｅ  ｕｓｅｒ  ｉｓ  ａｂｌｅ  ｔｏ  ｄｉｓｔｉｎｇｕｉｓｈ  ｉｆ  ｈｅ  ｉｓ  ｇｅｔｔｉｎｇ  ｃｌｏｓｅｒ  ｔｏ  ｔｈｅ  ｄｅｖｉｃｅ  ｏｒ  ｆｕｒｔｈｅｒ  ａｗａｙ  ｆｒｏｍ  ｔｈｅ  ｄｅｖｉｃｅ．
Ｔｈｅ  ＧＰＳ  ｌｏｃａｔｏｒ  ｄｅｖｉｃｅ  ｓｍａｌｌ  ｓｉｚｅ  ａｌｌｏｗｓ  ｆｏｒ  ａｔｔａｃｈｉｎｇ  ｔｈｅ  ｄｅｖｉｃｅ  ｔｏ  ａ  ｐｅｔ  ｃｏｌｌａｒ  ｏｒ  ｌｅａｓｈ，  ｔｏ  ａ  ｃｈｉｌｄ’ｓ  ｓｈｏｅ，  ｂａｃｋｐａｃｋ，  ｅｔｃ．  Ｔｈｅ  ｄｅｖｉｃｅ  ｃａｓｅ  ｉｓ  ｄｅｓｉｇｎｅｄ  ｆｏｒ  ｏｕｔｄｏｏｒ  ｕｓｅ  （ｉ．ｅ  ｉｔ  ｉｓ  ｈａｒｄｅｎｅｄ  ａｎｄ  ｗａｔｅｒ  ｓｅａｌｅｄ）．
Ｗｈｉｌｅ  ｔｈｅ  ｉｎｖｅｎｔｉｏｎ  ｈａｓ  ｂｅｅｎ  ｄｅｓｃｒｉｂｅｄ  ｗｉｔｈ  ｒｅｓｐｅｃｔ  ｔｏ  ａ  ｌｉｍｉｔｅｄ  ｎｕｍｂｅｒ  ｏｆ  ｅｍｂｏｄｉｍｅｎｔｓ，  ｉｔ  ｗｉｌｌ  ｂｅ  ａｐｐｒｅｃｉａｔｅｄ  ｔｈａｔ  ｍａｎｙ  ｖａｒｉａｔｉｏｎｓ，  ｍｏｄｉｆｉｃａｔｉｏｎｓ  ａｎｄ  ｏｔｈｅｒ  ａｐｐｌｉｃａｔｉｏｎｓ  ｏｆ  ｔｈｅ  ｉｎｖｅｎｔｉｏｎ  ｍａｙ  ｂｅ  ｍａｄｅ．    Ｔｈｅｒｅｆｏｒｅ，  ｔｈｅ  ｃｌａｉｍｅｄ  ｉｎｖｅｎｔｉｏｎ  ａｓ  ｒｅｃｉｔｅｄ  ｉｎ  ｔｈｅ  ｃｌａｉｍｓ  ｔｈａｔ  ｆｏｌｌｏｗ  ｉｓ  ｎｏｔ  ｌｉｍｉｔｅｄ  ｔｏ  ｔｈｅ  ｅｍｂｏｄｉｍｅｎｔｓ  ｄｅｓｃｒｉｂｅｄ  ｈｅｒｅｉｎ．
Ｍｅｔｈｏｄ  ｏｆ  ｋｎｏｗｉｎｇ  ｉｆ  ａ  ｃｕｓｔｏｍｅｒ  ｉｓ  ｉｎ  ｆｒｏｎｔ  ｏｆ  ａ  ｃｏｕｎｔｅｒ  ｏｒ  ｓｔａｎｄｉｎｇ  ｉｎ  ｆｒｏｎｔ  ｏｆ  ａ  ｃｈａｓｈｉｅｒ：  Ｂｙ  ｐｌａｃｉｎｇ  ２  Ｂｅａｃｏｎｓ，  ｏｎｅ  ａｆｔｅｒ  ｔｈｅ  ｏｔｈｅｒ  ｗｉｔｈ  ａ  ｒｅｌａｔｉｖｅ  ｓｈｏｒｔ  ｄｉｓｔａｎｃｅ  ｏｆ  ｓａｙ  ５０  ｃｅｎｔｉｍｅｔｅｒｓ，  ｂｅｉｎｇ  ｄｉｒｅｃｔｌｙ  ｉｎ  ｌｉｎｅ  ｗｉｔｈ  ｔｈｅ  ｃｕｓｔｏｍｅｒ，  ｔｈｅ  Ｐｈｏｎｅ  ｗｉｌｌ  ｄｅｔｅｃｔ  ２  Ｂｅａｃｏｎｓ．  Ｏｎｅ，  Ｂｅａｃｏｎ  Ａ，  ｃｌｏｓｅｒ  ｔｏ  ｔｈｅ  ｐｈｏｎｅ，  ｐｌａｃｅｄ  ｏｎ  ｔｈｅ  ｅｄｇｅ  ｏｆ  ｔｈｅ  ｃｏｕｎｔｅｒ，  ａｎｄ  ａｎｏｔｈｅｒ  Ｂｅａｃｏｎ，  Ｂｅａｃｏｎ  Ｂ，  ５０ｃｍ  ａｗａｙ  ｆａｔｈｅｒ  ａｗａｙ  ｆｒｏｍ  ｔｈｅ  ｆｉｒｓｔ  ｂｅａｃｏｎ．  Ａｌｌ  ｔｈｅ  ｄｅｖｉｃｅｓ，  ｔｈｅ  ｃｕｓｔｏｍｅｒｓ  ｐｈｏｎｅ，  Ｂｅａｃｏｎ  Ａ  ｔｈｅｎ  Ｂｅａｃｏｎ  Ｂ  ｏｎ  ｏｎｅ  ｌｉｎｅａｒ  ｌｉｎｅ．
Ｂｅｃａｕｓｅ  ｔｈｅ  ｇｒｅａｔｅｒ  ｔｈｅ  ｄｉｓｔａｎｃｅ  ｔｈｅ  ＲＳＳＩ  ｖａｌｕｅｓ  ｃｈａｎｇｅ  ａｎｄ  ｔｈｅ  ｇｒｅａｔｅｒ  ｔｈｅ  ｄｉｓｔａｎｃｅ  ｔｈｅ  ｌｅｓｓ  ｔｈｅ  ＲＳＳＩ  ｃｈａｎｇｅｓ，  ｔｈｅ  ｐｈｏｎｅ  ｗｉｌｌ  ｄｅｔｅｃｔ  Ｂｅａｃｏｎ  Ａ  ａｓ  ｖｅｒｙ  ｃｌｏｓｅ，  ｓａｙ  −６０ｄＢＭ，  ａｎｄ  Ｂｅａｃｏｎ  Ｂ，  ａｔ  ｓａｙ  −７０ｄＢＭ．  Ｉｆ  ｔｈｅ  ｐｈｏｎｅ  ｄｅｔｅｃｔｓ  ａ  ｋｎｏｗｎ  ｄｉｆｆｅｒｅｎｃｅ  ｂｅｔｗｅｅｎ  Ｂｅａｃｏｎ  Ａ  ｔｏ  Ｂｅａｃｏｎ  Ｂ，  ｔｈａｔ  ｍａｔｃｈｅｓ  ｏｒ  ｎｅａｒ  ｍａｔｃｈｅｓ  ｗｈａｔ  ｉｓ  ｍｅａｓｕｒｅｄ  ｗｈｅｎ  ｐｒｏｖｉｓｉｏｎｉｎｇ  ｔｈｅ  ｂｅａｃｏｎｓ  ａｔ  ｔｈｅ  ｃｏｕｎｔｅｒ，  ｔｈｅ  ｐｈｏｎｅ  ｃａｎ  ａｕｔｈｅｎｔｉｃａｔｅ  ｉｔ  ｓｅｌｆ  ａｓ  ｂｅｉｎｇ  ｉｎ  ｆｒｏｎｔ  ｏｆ  ｔｈｅ  ｃｏｕｎｔｅｒ  ／  Ｃａｓｈｉｅｒ．  Ｓｏｍｅｏｎｅ  ｅｌｓｅ  ｉｎ  ｔｈｅ  ｓｔｏｒｅ，  ｂｅｉｎｇ  ａｔ  ｇｅｒａｔｅｒ  ｄｉｓｔａｎｃｅ  ｗｏｕｌｄ  ｄｅｔｅｃｔ  ｂｏｔｈ  Ｂｅａｃｏｎｓ，  Ａ  ＆  Ｂ，  ａｔ  ｖｅｒｙ  ｓｉｍｉｌａｒ  ＲＳＳＩ  ｖａｌｕｅｓ．
WHAT IS CLAIMED IS
1.            A device comprising:
(a) a wireless communications component, configured to send and receive wireless signals such that the device is locatable via a wireless means; said wireless communications component including:
(i) a Received Signal Strength Indicator (RSSI) module for measuring signal strength of a wireless signal received at said wireless communications component,
wherein the device is configured to be tracked by a mobile computing device (MCD) running a mobile application adapted to locate the device via said wireless means,
wherein said mobile application includes a feature, wherein when the device is wirelessly coupled to said MCD, said mobile application displays a representation of the device on said MCD, relative to a distance of the device from said MCD,
wherein said distance of the device from said MCD is calculated by said mobile application upon receiving between one and three RSSI values, measured by said RSSI module, and sent in a signal by the device to said MCD, 
wherein said distance is calculated based an average of said received RSSI values.
2.            The device of claim 1, wherein said distance is further calculated based on at least one said RSSI value measured on said MCD.
3.            The device of claim 1, further comprising:
(c) a plurality of directional antennae, wherein each said directional antenna transmits a unique identifier.  
4.            The device of claim 3, wherein each said directional antenna further transmits at least one RSSI value.
5.            The device of claim 4, wherein said mobile application calculates a direction in which the device is located relative to said MCD based on relative strengths of said RSSI values received respectively from each of said directional antennae, wherein a highest said relative strength indicates said direction.  
6.             The device of claim 3, wherein said plurality of directional antennae includes four cardinally located said directional antennae.
7.            The device of claim 1, wherein said distance of the device from said MCD is calculated by said mobile application upon receiving at least one RSSI value sent in a signal from the device, for at least one of thirty seven communication channels measured on the device, and calculating said distance based on an average of said received RSSI values.
8.            The device of claim 1, wherein said distance of the device from said MCD is calculated by said mobile application upon receiving at least one RSSI value sent in a signal from the device, for at least one of all 40 channels measured on the beacon from the device, and calculating said distance based on an average of said received RSSI values.
9.            The device of claim 1, wherein said mobile application calculates a direction in which the device is located relative to said MCD based on signal strength information.
10.            The device of claim 9, wherein said mobile application further calculates said direction based on relative phase information.
11.            The device of claim 1, wherein said mobile application calculates a direction in which the device is located relative to said MCD based on relative phase information.
12.            The device of claim 1, further comprising:
(b) a PIN photodiode, adapted to send a signal to an integrated processor upon detection of X-ray photons, 
wherein said processor, upon receiving said signal, is configured to suspend sending local area wireless communication (LAWC) transmissions. 
13.            The device of claim 1, further comprising:
(b) a photodetector, adapted to send a signal to an integrated processor upon an absence of detected light for a predefined period, 
wherein said processor, upon receiving said signal, is configured to suspend sending local area wireless communication (LAWC) transmissions. 
14.            The device of claim 12, wherein said processor is further configured to resume sending said LAWC transmissions after a predefined period of time and only upon detecting LAWC signals from moving devices. 
15.            The device of claim 1, further comprising:
(b) an omni-directional antenna; and 
(c) three directional antennas,
wherein the device is adapted to be a static unit capable of detecting a direction and distance of said MCD from the device.
16.            The device of claim 15, further comprising:
(d) a WiFi module, adapted to be wirelessly coupled to a wireless local area network (WLAN).
17.            The device of claim 1, wherein an RSSI value of a wireless signal received at said wireless communications component from said MCD is broadcast in a designation field of a response signal sent to said MCD from said wireless communications component.
18.            The device of claim 1, wherein the device has an Advertising Mode wherein when in said advertising mode said wireless communications component is configured to send wireless signals, at predefined intervals, over three advertising channels.
19.            The device of claim 18, wherein said wireless communications component, in said advertising mode, sends a first said wireless signal over only a first of said three advertising channels, and after one of said predefined intervals sends a second wireless signal over only a second of said three advertising channels, and after an additional one of said predefined intervals sends a third wireless signal over only a third of said three advertising channels.
20.            The device of claim 19, wherein each of said three advertising channels is monitored based on an RSSI value of said wireless signals sent from each of said advertising channels.
21.             The device of claim 18, wherein said wireless communication component is configured to increase a duration of said predefined intervals when a predetermined amount of time has passed without receiving a wireless signal at said wireless communications component.
22.            The device of claim 1, wherein said mobile application includes a virtual leash feature wherein said mobile application sounds an alarm when said distance between said MCD and the device is beyond a predefined range and only when preceded but a substantially constant decrease of said received RSSI values.
23.            The device of claim 1, further comprising:
(b) a piezoelectric audio amplifier, adapted to send a signal to a processing component of the device when mechanically actuated, wherein mechanical actuation of said piezoelectric audio amplifier causes said processing component to go from an inactive state to an active state.
24.            The device of claim 1, further comprising:
(b) a piezoelectric component, adapted to cause said wireless communications component to send a said wireless signal to said MCD when mechanically actuated.
25.            A system comprising:
(a) a plurality of Occupancy Sensor Units (OSU) wirelessly coupled together via local area wireless communication (LAWC) signals; and
(b) a least one wide area wireless communication (WAWC) enabled OSU including a WAWC component configured to wirelessly couple said WAWC enabled OSU to a remote data network,
wherein each of said OSU includes:
(i) a wireless communications component, configured to send and receive LAWC signals; and
(ii) a Received Signal Strength Indicator (RSSI) module for measuring signal strength of said LAWC signals received at said wireless communications component,
and is configured to track a LAWC-enable mobile device transmitting said LAWC signals.
26.            The system of claim 25, wherein each of said plurality of Occupancy Sensor Units is configured, in an advertising mode, to send an advertising LAWC signal at a predefined time interval, and wherein said plurality of OSU are synchronized to each send said advertising LAWC signal at the same time.
27.            The system of claim 25, wherein each of said plurality of Occupancy Sensor Units is configured, in a receiving mode, to register when a given said LAWC signal is received, and based on received-time differentials between said OSU, and known relative spacing of said OSU, a location of a source of said given LAWC signal is calculated.
28.            The system of 25, wherein each of said plurality of occupancy sensor units registers a relative location of other proximally located OSUs such that relocation of a said OSU is registered by proximally located OSUs. 
29.            The system of claim 25, wherein said LAWC-enabled mobile device tracked by said plurality of OSUs sends an accurate clock reading to be used to synchronize said plurality of OSUs.
30.            A device comprising:
(a) an accelerometer;
(b) a GPS chipset;
(c) a Bluetooth chipset;
(d) a radio frequency (RF) amplifier; and
(e) an omni directional antenna,
wherein when said accelerometer detects motion, said GPS chipset is converted from a sleep mode to an active mode, in said active mode, said GPS chipset transmits GPS location signals at predefined intervals and enters a standby mode during said predefined intervals; 
wherein said GPS location signals are transmitted by said Bluetooth chipset coupled to said RF amplifier and said omni directional antenna; and
wherein during said predefined intervals, said Bluetooth chipset and said RF amplifier enter a standby mode.
ABSTRACT OF THE DISCLOSURE
A device, system and method for providing (a) a wireless communications component, configured to send and receive wireless signals such that the device is locatable via a wireless means; the wireless communications component including: (i) a Received Signal Strength Indicator (RSSI) module for measuring signal strength of a wireless signal received at the wireless communications component, wherein the device is configured to be tracked by a mobile computing device (MCD) running a mobile application wherein the distance of the device from the MCD is calculated by the mobile application upon receiving between one and three RSSI values, measured by the RSSI module, and sent in a signal by the device to the MCD, wherein the distance is calculated based an average of the received RSSI values.
[Representative Drawing]
[Fig. 1A]
【図１Ａ】
2014099857.tif 000024
【図１Ｂ】
2014099857.tif 000025
【図２】
2014099857.tif 000026
【図３Ａ】
2014099857.tif 000027
【図３Ｂ】
2014099857.tif 000028
【図３Ｃ】
2014099857.tif 000029
【図３Ｄ】
2014099857.tif 000030
【図４】
2014099857.tif 000031
【図４Ａ】
2014099857.tif 000032
【図５】
2014099857.tif 000033
【図６】
2014099857.tif 000034
【図７】
2014099857.tif 000035
【図８Ａ】
2014099857.tif 000036
【図８Ｂ】
2014099857.tif 000037
【図９】
2014099857.tif 000038
【図１０】
2014099857.tif 000039
【図１１】
2014099857.tif 000040
【図１２】
2014099857.tif 000041
【図１３】
2014099857.tif 000042
【図１３Ａ】
2014099857.tif 000043
【図１４】
2014099857.tif 000044